(57)【要約】      （修正有）【課題】新しい画像キャプチャし、メッセージ会話に追加するための、メディア及びロケーションコンテンツのキャプチャ並びに伝送のためのメッセージユーザインタフェースを提供する。【解決手段】プロセス３９００は、ディスプレイと、タッチ感知面と、カメラセンサとを備える。メッセージ会話にメディアを追加せよとの要求を受信３９０４し、メディア選択インタフェースを表示３９０６する。複数のアフォーダンスからのそれぞれのアフォーダンスの選択を検出する３９０８。それぞれのアフォーダンスの選択を検出したことに応じて、対応するメディアを選択し、ライブプレビュアフォーダンスを含む場合には、接触を検出したことに応じて、新しい画像をキャプチャし、メッセージ会話への追加する３９１０。【選択図】図３９
2018125001.tif 000002
【特許請求の範囲】
【請求項１】
方法であって、
タッチ感知面とディスプレイとを有する電子デバイスにおいて、
前記ディスプレイ上に、メディアアフォーダンス、及びメッセージ会話の参加者の間で送信されたメッセージを表示するためのメッセージ領域を表示することと、
前記ディスプレイ上における前記メディアアフォーダンスのロケーションに対応する前記タッチ感知面上のロケーションにおける接触を検出することを含む、前記タッチ感知面上におけるジェスチャを検出することと、
前記接触を検出したことに応じて、
前記ディスプレイ上に送信アフォーダンスを表示することと、
前記タッチ感知面を横切る前記接触の移動を検出すること、及びそれに続き、前記タッチ感知面からの前記接触のリフトオフを検出することを含む、前記ジェスチャの続きを検出することと、
前記接触が、前記送信アフォーダンスのロケーションに対応する前記タッチ感知面上のロケーションへ移動したかどうかを判定することと、
前記接触が、前記送信アフォーダンスの前記ロケーションに対応する前記タッチ感知面上の前記ロケーションへ移動したとの判定に従って、及び前記リフトオフを検出したことに応じて、前記ジェスチャの少なくとも一部分に応じてキャプチャされたメディアを前記メッセージ会話の参加者へ送信することと、
を含む、方法。
【請求項２】
前記接触及びそれに続く前記接触の前記移動が、前記タッチ感知面上における単一の連続した接触である、請求項１に記載の方法。
【請求項３】
前記接触を検出したことに応じて、前記ディスプレイ上にキャンセルアフォーダンスを表示することと、
前記接触が、前記キャンセルアフォーダンスのロケーションに対応する前記タッチ感知面上のロケーションへ移動したかどうかを判定することと、
前記接触が、前記キャンセルアフォーダンスの前記ロケーションに対応する前記タッチ感知面上の前記ロケーションへ移動し、それに続き、前記リフトオフが行われたとの判定に従って、前記キャプチャされたメディアを前記参加者へ送信することを見送ることと、
を更に含む、請求項１又は２に記載の方法。
【請求項４】
前記リフトオフを検出した後に、前記ディスプレイから前記送信アフォーダンスを消去することを更に含む、請求項１から３のいずれか一項に記載の方法。
【請求項５】
前記接触が、前記ディスプレイ上における前記送信アフォーダンスの前記ロケーションに対応する前記タッチ感知面上の前記ロケーションへ移動したとの判定に従って、及び前記リフトオフを検出したことに応じて、
前記メディアをキャプチャすることと、
前記メディアを前記参加者へ送信することと、
を更に含む、請求項１から４のいずれか一項に記載の方法。
【請求項６】
前記接触を検出したことに応じて、前記メディアをキャプチャすることを開始することと、
前記接触が、前記ディスプレイ上における前記送信アフォーダンスの前記ロケーションに対応する前記タッチ感知面上の前記ロケーションへ移動したとの判定に従って、及び前記リフトオフを検出したことに応じて、
前記メディアをキャプチャすることを中止することと、
前記メディアを前記参加者へ送信することと、
を更に含む、請求項１から４のいずれか一項に記載の方法。
【請求項７】
前記接触を検出したことに応じて、前記メディアをキャプチャすることを開始することと、
前記接触の前記移動を検出したことに応じて、前記メディアをキャプチャすることを中止することと、
前記接触が、前記ディスプレイ上における前記送信アフォーダンスの前記ロケーションに対応する前記タッチ感知面上の前記ロケーションへ移動したとの判定に従って、及び前記接触が、前記送信アフォーダンスに対応する前記タッチ感知面上の前記ロケーションにある間に、前記リフトオフを検出したことに応じて、前記メディアを前記参加者へ送信することと、
を更に含む、請求項１から４のいずれか一項に記載の方法。
【請求項８】
前記メディアが、マイクロフォンから受信された音声データであり、前記リフトオフが、前記ディスプレイ上における前記送信アフォーダンスの前記ロケーションに対応する前記タッチ感知面上の前記ロケーションにおけるものであり、前記方法が、
前記接触を検出したことに応じて、前記音声データをキャプチャすることを開始することと、
前記接触が、前記ディスプレイ上における前記送信アフォーダンスの前記ロケーションに対応する前記タッチ感知面上の前記ロケーションへ移動したとの判定に従って、及び前記リフトオフを検出したことに応じて、前記音声データをキャプチャすることを中止し、前記音声データを前記参加者へ送信することと、
を更に含む、請求項１から４のいずれか一項に記載の方法。
【請求項９】
メッセージ作成フィールドを表示することと、
前記接触が、前記送信アフォーダンスの前記ロケーションに対応する前記タッチ感知面上の前記ロケーションへも、前記キャンセルアフォーダンスの前記ロケーションに対応する前記タッチ感知面上の前記ロケーションへも移動しなかったとの判定に従って、及び前記リフトオフを検出したことに応じて、
前記メッセージ作成フィールド内に画像を表示することであって、前記画像は、前記キャプチャされたメディアを表現する波形を有する、ことと、
を更に含む、請求項３又は４に記載の方法。
【請求項１０】
前記リフトオフを検出したことに応じて、前記メディアアフォーダンスの表示を、前記キャプチャされたメディアを前記参加者へ送信するための送信ボタンの表示と置換することを更に含む、請求項９に記載の方法。
【請求項１１】
前記タッチ感知面上における前記接触を検出したことに応じて、前記ディスプレイ上にメディアプレビュを表示することと、
前記リフトオフを検出した後に、前記ディスプレイ上に前記メディアプレビュを表示することを中止することと、
を更に含む、請求項１に記載の方法。
【請求項１２】
前記接触が前記メディアアフォーダンス上で維持されている間に、
視覚的に区別された領域を表示することであって、前記視覚的に区別された領域は前記メディアアフォーダンス及び前記送信アフォーダンスを取り囲む、ことと、
前記接触の前記移動を検出したことに応じて、前記視覚的に区別された領域を拡大することと、
を更に含む、請求項１から１１のいずれか一項に記載の方法。
【請求項１３】
前記参加者へのメッセージを入力するための仮想キーボードを表示することと、
前記仮想キーボードの上方において、前記ディスプレイの特定の縁部に沿って前記メディアアフォーダンスを表示することであって、前記表示された視覚的に区別された領域は前記特定の縁部によって部分的に境界される、ことと、
を更に含む、請求項１２に記載の方法。
【請求項１４】
前記ディスプレイの隅部において前記メディアアフォーダンスを表示することであって、前記表示された視覚的に区別された領域は前記ディスプレイの２つの異なる縁部によって部分的に境界される、ことを更に含む、請求項１２に記載の方法。
【請求項１５】
前記タッチ感知面がタッチ感知ディスプレイであり、前記方法が、
前記メディアアフォーダンスにヒット領域を割り当てることであって、前記ヒット領域は、タッチ入力に応答する前記ディスプレイの区域であり、前記ヒット領域は、仮想キーボードが表示されている時には、前記仮想キーボードが表示されていない時よりも大きなサイズを有する、ことを更に含む、請求項１２から１４のいずれか一項に記載の方法。
【請求項１６】
前記メディアアフォーダンス上における前記接触の持続時間を判定することと、
前記接触の前記持続時間が閾値持続時間未満であるとの判定に従って、既存のメディアを、前記参加者へ送信するために選択するためのメディアセレクタユーザインタフェースを表示することと、
を更に含む、請求項１から１５のいずれか一項に記載の方法。
【請求項１７】
前記キャプチャされたメディアのメタデータのセットを前記参加者へ送信することを抑止するべきであるかどうかのユーザ指定を受信することを更に含む、請求項１から１６のいずれか一項に記載の方法。
【請求項１８】
前記メタデータが前記電子デバイスの前記ロケーションの表現を含む、請求項１７に記載の方法。
【請求項１９】
前記メディアアフォーダンスが第１のメディアアフォーダンスであり、前記方法が、
前記ディスプレイ上に第２のメディアアフォーダンスを表示することを更に含む、請求項１から１８のいずれか一項に記載の方法。
【請求項２０】
前記第１のメディアアフォーダンスが、音声データをキャプチャするための音声キャプチャアフォーダンスであり、前記第２のメディアアフォーダンスが、ビデオ又は画像をキャプチャするための視覚メディアキャプチャアフォーダンスである、請求項１９に記載の方法。
【請求項２１】
前記参加者へ送信される前記メディアが満期基準に基づいて満期になる、請求項１から２０のいずれか一項に記載の方法。
【請求項２２】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに、
メディアアフォーダンス、及びメッセージ会話の参加者の間で送信されたメッセージを表示するためのメッセージ領域を表示することと、
前記ディスプレイ上における前記メディアアフォーダンスのロケーションに対応する前記タッチ感知面上のロケーションにおける接触を検出することを含む、前記タッチ感知面上におけるジェスチャを検出することと、
前記接触を検出したことに応じて、
送信アフォーダンスを表示することと、
前記タッチ感知面を横切る前記接触の移動を検出すること、及びそれに続き、前記タッチ感知面からの前記接触のリフトオフを検出することを含む、前記ジェスチャの続きを検出することと、
前記接触が、前記送信アフォーダンスのロケーションに対応する前記タッチ感知面上のロケーションへ移動したかどうかを判定することと、
前記接触が、前記送信アフォーダンスの前記ロケーションに対応する前記タッチ感知面上の前記ロケーションへ移動したとの判定に従って、及び前記リフトオフを検出したことに応じて、前記ジェスチャの少なくとも一部分に応じてキャプチャされたメディアを前記メッセージ会話の参加者へ送信することと、
をさせる、非一時的コンピュータ可読記憶媒体。
【請求項２３】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、
前記ディスプレイ上に、メディアアフォーダンス、及びメッセージ会話の参加者の間で送信されたメッセージを表示するためのメッセージ領域を表示することと、
前記ディスプレイ上における前記メディアアフォーダンスのロケーションに対応する前記タッチ感知面上のロケーションにおける接触を検出することを含む、前記タッチ感知面上におけるジェスチャを検出することと、
前記接触を検出したことに応じて、
前記ディスプレイ上に送信アフォーダンスを表示することと、
前記タッチ感知面を横切る前記接触の移動を検出すること、及びそれに続き、前記タッチ感知面からの前記接触のリフトオフを検出することを含む、前記ジェスチャの続きを検出することと、
前記接触が、前記送信アフォーダンスのロケーションに対応する前記タッチ感知面上のロケーションへ移動したかどうかを判定することと、
前記接触が、前記送信アフォーダンスの前記ロケーションに対応する前記タッチ感知面上の前記ロケーションへ移動したとの判定に従って、及び前記リフトオフを検出したことに応じて、前記ジェスチャの少なくとも一部分に応じてキャプチャされたメディアを前記メッセージ会話の参加者へ送信することと、
のための命令を含む、電子デバイス。
【請求項２４】
電子デバイスであって、
ディスプレイと、
タッチ感知面と、
前記ディスプレイ上に、メディアアフォーダンス、及びメッセージ会話の参加者の間で送信されたメッセージを表示するためのメッセージ領域を表示するための手段と、
前記ディスプレイ上における前記メディアアフォーダンスのロケーションに対応する前記タッチ感知面上のロケーションにおける接触を検出することを含む、前記タッチ感知面上におけるジェスチャを検出するための手段と、
前記接触を検出したことに応じて、前記ディスプレイ上に送信アフォーダンスを表示するための手段と、
前記タッチ感知面を横切る前記接触の移動を検出すること、及びそれに続き、前記タッチ感知面からの前記接触のリフトオフを検出することを含む、前記ジェスチャの続きを検出するための手段と、
前記接触が、前記送信アフォーダンスのロケーションに対応する前記タッチ感知面上のロケーションへ移動したかどうかを判定するための手段と、
前記接触が、前記送信アフォーダンスの前記ロケーションに対応する前記タッチ感知面上の前記ロケーションへ移動したとの判定に従って、及び前記リフトオフを検出したことに応じて、前記ジェスチャの少なくとも一部分に応じてキャプチャされたメディアを前記メッセージ会話の参加者へ送信するための手段と、
を備える、電子デバイス。
【請求項２５】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、請求項１から２１に記載の方法のいずれかを実行するための命令を含む、電子デバイス。
【請求項２６】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに請求項１から２１に記載の方法のいずれかを実行させる、非一時的コンピュータ可読記憶媒体。
【請求項２７】
電子デバイスであって、
ディスプレイと、
タッチ感知面と、
請求項１から２１に記載の方法のいずれかを実行するための手段と、
を備える、電子デバイス。
【請求項２８】
方法であって、
タッチ感知面とディスプレイとを有する電子デバイスにおいて、
前記ディスプレイ上に、メディアアフォーダンス、及びメッセージ会話の参加者の間で送信されたメッセージを表示するためのメッセージ領域を表示することと、
前記タッチ感知面上における第１の入力を検出することであって、前記第１の入力は前記ディスプレイ上における前記メディアアフォーダンスのロケーションに対応する、ことと、
前記第１の入力を検出したことに応じて、記録アフォーダンス及び送信アフォーダンスを表示することと、
前記タッチ感知面上における第２の入力を検出することであって、前記第２の入力は前記ディスプレイ上における前記記録アフォーダンスのロケーションに対応する、ことと、
前記第２の入力を検出したことに応じて、ビデオを記録することを開始することと、
前記タッチ感知面上における第３の入力を検出することであって、前記第３の入力は前記ディスプレイ上における前記送信アフォーダンスのロケーションに対応する、ことと、
前記第３の入力を検出したことに応じて、
前記記録されたビデオを参加者へ送信することと、
前記ディスプレイから前記送信アフォーダンス及び前記記録アフォーダンスを消去することと、
を含む、方法。
【請求項２９】
前記第１の入力、前記第２の入力、及び前記第３の入力が前記タッチ感知面上における３つの別個の接触である、請求項２８に記載の方法。
【請求項３０】
前記第１の入力が前記タッチ感知面上における接触であり、前記第２の入力が、前記ディスプレイ上における前記メディアアフォーダンスの前記ロケーションに対応する前記タッチ感知面上のロケーションから、前記ディスプレイ上における前記記録アフォーダンスの前記ロケーションに対応する前記タッチ感知面上のロケーションへの前記接触の移動を含む前記タッチ感知面上における前記接触の続きである、請求項２８に記載の方法。
【請求項３１】
前記第１の入力が前記タッチ感知面上における接触であり、前記第２の入力が前記タッチ感知面上における別個の接触であり、前記第３の入力が、前記ディスプレイ上における前記記録アフォーダンスの前記ロケーションに対応する前記タッチ感知面上のロケーションから、前記ディスプレイ上における前記送信アフォーダンスの前記ロケーションに対応する前記タッチ感知面上のロケーションへの前記接触の移動を含む前記タッチ感知面上における前記別個の接触の続きである、請求項２８に記載の方法。
【請求項３２】
前記第３の入力を検出したことに応じて、前記表示されたメッセージ会話内に、前記記録されたビデオのサムネイル表現を挿入することを更に含む、請求項２８から３１のいずれか一項に記載の方法。
【請求項３３】
前記ビデオを記録している間に、前記第２の接触のリフトオフを検出することと、
前記リフトオフの後に前記ビデオを記録することを継続することと、
を更に含む、請求項２８に記載の方法。
【請求項３４】
前記ビデオを記録している間に、前記第２の接触のリフトオフを検出することと、
前記リフトオフを検出したことに応じて、前記ビデオを記録することを中止することと、
を更に含む、請求項２８に記載の方法。
【請求項３５】
前記リフトオフを検出したことに応じて、前記記録アフォーダンスの前記表示を、前記ビデオを再生するための再生アフォーダンスの表示と置換することであって、前記ビデオは前記参加者へまだ送信されていない、ことを更に含む、請求項３４に記載の方法。
【請求項３６】
前記ビデオを記録している間に、前記記録されたビデオの時間的長さの指示を表示することを更に含む、請求項２８から３５のいずれか一項に記載の方法。
【請求項３７】
前記表示されたメッセージ会話内に、前記キャプチャされたビデオのサムネイル表現を挿入することが、
前記メッセージ会話内に、境界されたメッセージ区域を表示することと、
前記境界されたメッセージ区域内に再生アフォーダンスを表示することと、
を含み、前記方法が、
前記ディスプレイ上における前記再生アフォーダンスのロケーションに対応する前記タッチ感知面上のロケーションにおける第５の接触を検出することと、
前記第５の接触を検出したことに応じて、前記境界されたメッセージ区域の前記境界内で、前記記録されたビデオを再生することと、
を含む、請求項３２に記載の方法。
【請求項３８】
前記参加者へ送信される前記記録されたビデオが満期基準に基づいて満期になる、請求項２８に記載の方法。
【請求項３９】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに、
メディアアフォーダンス、及びメッセージ会話の参加者の間で送信されたメッセージを表示するためのメッセージ領域を表示することと、
前記タッチ感知面上における第１の入力を検出することであって、前記第１の入力は前記ディスプレイ上における前記メディアアフォーダンスのロケーションに対応する、ことと、
前記第１の入力を検出したことに応じて、記録アフォーダンス及び送信アフォーダンスを表示することと、
前記タッチ感知面上における第２の入力を検出することであって、前記第２の入力は前記ディスプレイ上における前記記録アフォーダンスのロケーションに対応する、ことと、
前記第２の入力を検出したことに応じて、ビデオを記録することを開始することと、
前記タッチ感知面上における第３の入力を検出することであって、前記第３の入力は前記ディスプレイ上における前記送信アフォーダンスのロケーションに対応する、ことと、
前記第３の入力を検出したことに応じて、
前記記録されたビデオを参加者へ送信することと、
前記ディスプレイから前記送信アフォーダンス及び前記記録アフォーダンスを消去することと、
をさせる、非一時的コンピュータ可読記憶媒体。
【請求項４０】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、
前記ディスプレイ上に、メディアアフォーダンス、及びメッセージ会話の参加者の間で送信されたメッセージを表示するためのメッセージ領域を表示することと、
前記タッチ感知面上における第１の入力を検出することであって、前記第１の入力は前記ディスプレイ上における前記メディアアフォーダンスのロケーションに対応する、ことと、
前記第１の入力を検出したことに応じて、記録アフォーダンス及び送信アフォーダンスを表示することと、
前記タッチ感知面上における第２の入力を検出することであって、前記第２の入力は前記ディスプレイ上における前記記録アフォーダンスのロケーションに対応する、ことと、
前記第２の入力を検出したことに応じて、ビデオを記録することを開始することと、
前記タッチ感知面上における第３の入力を検出することであって、前記第３の入力は前記ディスプレイ上における前記送信アフォーダンスのロケーションに対応する、ことと、
前記第３の入力を検出したことに応じて、
前記記録されたビデオを参加者へ送信することと、
前記ディスプレイから前記送信アフォーダンス及び前記記録アフォーダンスを消去することと、
のための命令を含む、電子デバイス。
【請求項４１】
電子デバイスであって、
ディスプレイと、
タッチ感知面と、
前記ディスプレイ上に、メディアアフォーダンス、及びメッセージ会話の参加者の間で送信されたメッセージを表示するためのメッセージ領域を表示するための手段と、
前記タッチ感知面上における第１の入力を検出するための手段であって、前記第１の入力は前記ディスプレイ上における前記メディアアフォーダンスのロケーションに対応する、手段と、
前記第１の入力を検出したことに応じて、記録アフォーダンス及び送信アフォーダンスを表示するための手段と、
前記タッチ感知面上における第２の入力を検出するための手段であって、前記第２の入力は前記ディスプレイ上における前記記録アフォーダンスのロケーションに対応する、手段と、
前記第２の入力を検出したことに応じて、ビデオを記録することを開始するための手段と、
前記タッチ感知面上における第３の入力を検出するための手段であって、前記第３の入力は前記ディスプレイ上における前記送信アフォーダンスのロケーションに対応する、手段と、
前記第３の入力を検出したことに応じて、
前記記録されたビデオを参加者へ送信するための手段と、
前記ディスプレイから前記送信アフォーダンス及び前記記録アフォーダンスを消去するための手段と、
を備える、電子デバイス。
【請求項４２】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、請求項２８から３８に記載の方法のいずれかを実行するための命令を含む、電子デバイス。
【請求項４３】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに請求項２８から３８に記載の方法のいずれかを実行させる、非一時的コンピュータ可読記憶媒体。
【請求項４４】
電子デバイスであって、
ディスプレイと、
タッチ感知面と、
請求項２８から３８に記載の方法のいずれかを実行するための手段と、
を備える、電子デバイス。
【請求項４５】
方法であって、
タッチ感知面とディスプレイとを備える電子デバイスにおいて、
前記ディスプレイ上に、メッセージ会話の第１の参加者と第２の参加者との間で送信されたメッセージを表示するためのメッセージ領域を表示することと、
前記第１の参加者の前記ロケーションを、前記ロケーションが少なくとも所定の期間にわたって変化する際に、前記第２の参加者と共有するためのロケーション共有アフォーダンスを表示することと、
前記ロケーション共有アフォーダンスの選択を検出することと、
前記ロケーション共有アフォーダンスの前記選択を検出したことに応じて、
少なくとも前記所定の期間中に、前記第２の参加者に、前記第２の参加者が前記第１の参加者の現在のロケーションを判定することを可能にする情報を提供することと、
を含む、方法。
【請求項４６】
前記第２の参加者から、第１の外部デバイスのロケーションを動的に指示するロケーション情報を受信することと、
前記ディスプレイ上に、地図上における前記電子デバイスのロケーション及び前記第１の外部デバイスの前記ロケーションを表示することと、
を更に含む、請求項４５に記載の方法。
【請求項４７】
前記メッセージ会話に第３の参加者を追加することと、
前記第３の参加者から、第２の外部デバイスのロケーションを指示するロケーション情報を受信することと、
前記ディスプレイ上に、前記地図上における前記第２の外部デバイスの前記ロケーションを表示することと、
を更に含む、請求項４６に記載の方法。
【請求項４８】
前記ロケーション共有アフォーダンスに対応する前記ロケーションにおける前記接触を検出したことに応じて、
少なくとも２つの所定の期間に対応する少なくとも２つのアフォーダンスを表示することと、
前記ディスプレイ上における前記少なくとも２つのアフォーダンスのうちの１つのロケーションに対応する前記タッチ感知面上のロケーションにおける接触を検出することと、
前記ディスプレイ上における前記少なくとも２つのアフォーダンスのうちの１つの前記ロケーションに対応する前記タッチ感知面上の前記ロケーションにおける前記接触を検出したことに応じて、前記少なくとも２つのアフォーダンスのうちの前記１つに対応する前記所定の期間中に、前記第２の参加者に、前記第２の参加者が前記第１の参加者の前記現在のロケーションを判定することを可能にする情報を提供することと、
を更に含む、請求項４５に記載の方法。
【請求項４９】
前記ディスプレイ上に、前記ロケーションが共有されることになる残りの時間量の指示を表示することを更に含む、請求項４８に記載の方法。
【請求項５０】
前記ディスプレイ上に、前記第２の参加者に前記情報を提供することを中止するためのアフォーダンスを表示することを更に含む、請求項４５から４９のいずれか一項に記載の方法。
【請求項５１】
前記ディスプレイ上に、前記メッセージ会話と一緒に、詳細アフォーダンスを表示することと、
前記ディスプレイ上における前記詳細アフォーダンスのロケーションに対応する前記タッチ感知面上のロケーションにおける接触を検出することと、
前記ディスプレイ上における前記詳細アフォーダンスの前記ロケーションに対応する前記タッチ感知面上の前記ロケーションにおける前記接触を検出したことに応じて、自分たちのロケーションを共有した前記メッセージ会話の２人以上の参加者の前記ロケーションを示す前記地図を表示することと、
を更に含む、請求項４５から５０のいずれか一項に記載の方法。
【請求項５２】
前記ディスプレイ上に、自分たちのロケーションを共有した前記メッセージ会話の前記２人以上の参加者を特定する情報を表示することを更に含む、請求項５１に記載の方法。
【請求項５３】
前記メッセージ会話から前記２人以上の参加者のうちの参加者を消去するための選択肢を前記２人以上の参加者に提供することを更に含む、請求項５２に記載の方法。
【請求項５４】
前記メッセージ会話に新しい参加者を追加するための選択肢を前記２人以上の参加者に提供することを更に含む、請求項５１から５３のいずれか一項に記載の方法。
【請求項５５】
前記メッセージ会話が名前を有し、前記方法が、
前記メッセージ会話の前記名前を変更するための選択肢を前記２人以上の参加者に提供することを更に含む、請求項５１から５４のいずれか一項に記載の方法。
【請求項５６】
前記地図が前記メッセージ会話内の特定のメッセージに関連付けられない、請求項４５から５５のいずれか一項に記載の方法。
【請求項５７】
前記地図の表示されたロケーションに対応するロケーションにおいて前記タッチ感知面をタップすることが地図アプリケーションを立ち上げ、前記地図アプリケーションは、前記地図上に表示されたロケーションへの道順を取得するための選択肢を提供する、請求項４５から５６のいずれか一項に記載の方法。
【請求項５８】
前記第２の参加者に前記情報を提供することが、前記第２の参加者によって使用されている遠隔の電子デバイスに、自分たちのロケーションを共有するように前記第２の参加者に促させる、請求項４５から５７のいずれか一項に記載の方法。
【請求項５９】
前記ディスプレイ上に、前記第１の参加者の静的ロケーション情報を前記第２の参加者へ送信するためのロケーション送信アフォーダンスを表示することであって、前記静的ロケーション情報は前記デバイスの前記ロケーションに従って更新されない、ことと、
前記ロケーション送信アフォーダンスの選択を検出することと、
前記ロケーション送信アフォーダンスの前記選択を検出したことに応じて、前記静的ロケーション情報を前記第２の参加者へ送信することと、
を更に含む、請求項４５に記載の方法。
【請求項６０】
前記静的ロケーション情報を送信することが、前記メッセージ会話内に、前記静的ロケーション情報を含む静的地図を挿入することを含む、請求項５９に記載の方法。
【請求項６１】
前記静的地図が前記メッセージ会話内の特定のメッセージに関連付けられない、請求項５９又は６０に記載の方法。
【請求項６２】
前記静的地図をタップすることが地図アプリケーションを立ち上げ、前記地図アプリケーションは、前記静的地図上に表示された前記ロケーション情報への道順を取得するための選択肢を提供する、請求項５９から６１のいずれか一項に記載の方法。
【請求項６３】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに、
前記ディスプレイ上に、メッセージ会話の第１の参加者と第２の参加者との間で送信されたメッセージを表示するためのメッセージ領域を表示することと、
前記第１の参加者の前記ロケーションを、前記ロケーションが少なくとも所定の期間にわたって変化する際に、前記第２の参加者と共有するためのロケーション共有アフォーダンスを表示することと、
前記ロケーション共有アフォーダンスの選択を検出することと、
前記ロケーション共有アフォーダンスの前記選択を検出したことに応じて、
少なくとも前記所定の期間中に、前記第２の参加者に、前記第２の参加者が前記第１の参加者の現在のロケーションを判定することを可能にする情報を提供することと、
をさせる、非一時的コンピュータ可読記憶媒体。
【請求項６４】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、
前記ディスプレイ上に、メッセージ会話の第１の参加者と第２の参加者との間で送信されたメッセージを表示するためのメッセージ領域を表示することと、
前記第１の参加者の前記ロケーションを、前記ロケーションが少なくとも所定の期間にわたって変化する際に、前記第２の参加者と共有するためのロケーション共有アフォーダンスを表示することと、
前記ロケーション共有アフォーダンスの選択を検出することと、
前記ロケーション共有アフォーダンスの前記選択を検出したことに応じて、
少なくとも前記所定の期間中に、前記第２の参加者に、前記第２の参加者が前記第１の参加者の現在のロケーションを判定することを可能にする情報を提供することと、
のための命令を含む、電子デバイス。
【請求項６５】
電子デバイスであって、
ディスプレイと、
タッチ感知面と、
前記ディスプレイ上に、メッセージ会話の第１の参加者と第２の参加者との間で送信されたメッセージを表示するためのメッセージ領域を表示するための手段と、
前記第１の参加者の前記ロケーションを、前記ロケーションが少なくとも所定の期間にわたって変化する際に、前記第２の参加者と共有するためのロケーション共有アフォーダンスを表示するための手段と、
前記ロケーション共有アフォーダンスの選択を検出するための手段と、
前記ロケーション共有アフォーダンスの前記選択を検出したことに応じて、
少なくとも前記所定の期間中に、前記第２の参加者に、前記第２の参加者が前記第１の参加者の現在のロケーションを判定することを可能にする情報を提供するための手段と、
を備える、電子デバイス。
【請求項６６】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、請求項４５から６２に記載の方法のいずれかを実行するための命令を含む、電子デバイス。
【請求項６７】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに請求項４５から６２に記載の方法のいずれかを実行させる、非一時的コンピュータ可読記憶媒体。
【請求項６８】
電子デバイスであって、
ディスプレイと、
タッチ感知面と、
請求項４５から６２に記載の方法のいずれかを実行するための手段と、
を備える、電子デバイス。
【請求項６９】
方法であって、
タッチ感知面とディスプレイとを有する電子デバイスにおいて、
前記ディスプレイ上に、メッセージ会話を表示するためのメッセージ領域を表示することと、
前記メッセージ会話にメディアを追加せよとの要求を受信することと、
前記要求を受信したことに応じて、前記メッセージ会話の少なくとも一部分と同時にメディア選択インタフェースを表示することであって、前記メディア選択インタフェースは、メディアを前記メッセージ会話への追加のために選択するための複数のアフォーダンスを含み、前記複数のアフォーダンスの少なくともサブセットは、前記メッセージ会話に追加するために利用可能なメディアのサムネイル表現を含む、ことと、
前記複数のアフォーダンスからのそれぞれのアフォーダンスの選択を検出することと、
前記それぞれのアフォーダンスの選択を検出したことに応じて、対応するメディアを前記メッセージ会話への追加のために選択することと、
を含む、方法。
【請求項７０】
前記それぞれのアフォーダンスの選択を検出したことに応じて、前記メッセージ会話に前記メディアを追加することを更に含む、請求項６９に記載の方法。
【請求項７１】
前記それぞれのアフォーダンスの選択を検出したことに応じて、メッセージ作成フィールド内に前記メディアを挿入し、前記ディスプレイ上に、前記メッセージ会話に前記メッセージ作成フィールドの前記コンテンツを追加するための送信アフォーダンスを表示することを更に含む、請求項６９又は７０に記載の方法。
【請求項７２】
前記ディスプレイ上における前記メディア選択インタフェースの前記ロケーションに対応するロケーションにおける前記タッチ感知面上のスワイプジェスチャを検出することと、
前記スワイプジェスチャを検出したことに応じて、前記複数のアフォーダンスをスクロールすることと、
を更に含む、請求項６９から７１のいずれか一項に記載の方法。
【請求項７３】
前記複数のアフォーダンスが、カメラロール内の最も最近取得された写真に対応する、請求項６９から７２のいずれか一項に記載の方法。
【請求項７４】
前記複数のアフォーダンスからのアフォーダンスの選択に応じて、前記メディア選択インタフェースの前記サイズを増大させることを更に含む、請求項６９から５６のいずれか一項に記載の方法。
【請求項７５】
前記ディスプレイ上にメディアアフォーダンスを表示することであって、前記メッセージ会話にメディアを追加せよとの前記要求は、前記ディスプレイ上における前記メディアアフォーダンスのロケーションに対応する前記タッチ感知面上のロケーションにおける接触を含む、ことと、
前記接触を検出したことに応じて、前記接触の持続時間を判定することと、
前記接触の前記持続時間が閾値を超えないとの判定に従って、カメラセンサを用いて新しい画像をキャプチャするためのアフォーダンスを表示することと、
前記新しい画像をキャプチャするための前記アフォーダンスを表示している間に、前記タッチ感知面上におけるスワイプジェスチャを検出することと、
前記スワイプジェスチャを検出したことに応じて、
前記カメラセンサを用いて画像をキャプチャすることと、
前記画像を前記メッセージ会話の参加者へ送信することと、
を更に含む、請求項６９に記載の方法。
【請求項７６】
前記メディア選択インタフェースを表示することが、
前記ディスプレイ上における第１のアフォーダンスのロケーションに対応する前記タッチ感知面上のロケーションにおける接触を検出することと、
前記ディスプレイ上における前記第１のアフォーダンスの前記ロケーションに対応する前記タッチ感知面上の前記ロケーションにおける前記接触を検出したことに応じて、前記対応するメディアを前記会話の参加者へ送信することと、
を更に含む、請求項６９から７５のいずれか一項に記載の方法。
【請求項７７】
前記メディア選択インタフェースを表示することが、
前記ディスプレイ上に送信アフォーダンスを表示することと、
前記ディスプレイ上における第１のアフォーダンス、第２のアフォーダンス、及び前記送信アフォーダンスのロケーションに対応する前記タッチ感知面上のロケーションにおける接触を検出することと、
前記第１のアフォーダンス、前記第２のアフォーダンス、及び前記送信アフォーダンスのロケーションに対応する前記タッチ感知面上のロケーションにおける前記接触を検出したことに応じて、
対応する第１のメディア及び第２のメディアを前記会話の参加者へ送信することと、
を更に含む、請求項６９から７６のいずれか一項に記載の方法。
【請求項７８】
前記複数のアフォーダンスがライブプレビュアフォーダンスを含み、前記方法が、
前記ディスプレイ上における前記ライブプレビュアフォーダンスのロケーションに対応する前記タッチ感知面上のロケーションにおける接触を検出することと、
前記ライブカメラプレビュの前記ロケーションに対応する前記タッチ感知面上の前記ロケーションにおける前記接触を検出したことに応じて、
前記ライブカメラプレビュに基づく新しい画像をキャプチャすることと、
前記新しい画像を前記メッセージ会話への追加のために選択することと、
を更に含む、請求項６９から７７のいずれか一項に記載の方法。
【請求項７９】
前記新しい画像を送信せよとの要求を検出することと、
前記要求に応じて、前記新しい画像を前記第１の参加者へ送信することと、
を更に含む、請求項７８に記載の方法。
【請求項８０】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに、
メッセージ会話を表示するためのメッセージ領域を表示することと、
前記メッセージ会話にメディアを追加せよとの要求を受信することと、
前記要求を受信したことに応じて、前記メッセージ会話の少なくとも一部分と同時にメディア選択インタフェースを表示することであって、前記メディア選択インタフェースは、メディアを前記メッセージ会話への追加のために選択するための複数のアフォーダンスを含み、前記複数のアフォーダンスの少なくともサブセットは、前記メッセージ会話に追加するために利用可能なメディアのサムネイル表現を含む、ことと、
前記複数のアフォーダンスからのそれぞれのアフォーダンスの選択を検出することと、
前記それぞれのアフォーダンスの選択を検出したことに応じて、対応するメディアを前記メッセージ会話への追加のために選択することと、
をさせる、非一時的コンピュータ可読記憶媒体。
【請求項８１】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、
前記ディスプレイ上に、メッセージ会話を表示するためのメッセージ領域を表示することと、
前記メッセージ会話にメディアを追加せよとの要求を受信することと、
前記要求を受信したことに応じて、前記メッセージ会話の少なくとも一部分と同時にメディア選択インタフェースを表示することであって、前記メディア選択インタフェースは、メディアを前記メッセージ会話への追加のために選択するための複数のアフォーダンスを含み、前記複数のアフォーダンスの少なくともサブセットは、前記メッセージ会話に追加するために利用可能なメディアのサムネイル表現を含む、ことと、
前記複数のアフォーダンスからのそれぞれのアフォーダンスの選択を検出することと、
前記それぞれのアフォーダンスの選択を検出したことに応じて、対応するメディアを前記メッセージ会話への追加のために選択することと、
のための命令を含む、電子デバイス。
【請求項８２】
電子デバイスであって、
ディスプレイと、
タッチ感知面と、
前記ディスプレイ上に、メッセージ会話を表示するためのメッセージ領域を表示するための手段と、
前記メッセージ会話にメディアを追加せよとの要求を受信するための手段と、
前記要求を受信したことに応じて、前記メッセージ会話の少なくとも一部分と同時にメディア選択インタフェースを表示するための手段であって、前記メディア選択インタフェースは、メディアを前記メッセージ会話への追加のために選択するための複数のアフォーダンスを含み、前記複数のアフォーダンスの少なくともサブセットは、前記メッセージ会話に追加するために利用可能なメディアのサムネイル表現を含む、手段と、
前記複数のアフォーダンスからのそれぞれのアフォーダンスの選択を検出するための手段と、
前記それぞれのアフォーダンスの選択を検出したことに応じて、対応するメディアを前記メッセージ会話への追加のために選択するための手段と、
を備える、電子デバイス。
【請求項８３】
電子デバイスであって、
ディスプレイと、
タッチ感知面と、
１つ以上のプロセッサと、
メモリと、
１つ以上のプログラムと、を備え、前記１つ以上のプログラムが、前記メモリ内に記憶され、前記１つ以上のプロセッサによって実行されるように構成されており、前記１つ以上のプログラムが、請求項６９から７９に記載の方法のいずれかを実行するための命令を含む、電子デバイス。
【請求項８４】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに請求項６９から７９に記載の方法のいずれかを実行させる、非一時的コンピュータ可読記憶媒体。
【請求項８５】
電子デバイスであって、
ディスプレイと、
タッチ感知面と、
請求項６９から７９に記載の方法のいずれかを実行するための手段と、
を備える、電子デバイス。
【請求項８６】
方法であって、
タッチ感知面とディスプレイとを有する電子デバイスにおいて、
前記ディスプレイ上に、メディアアフォーダンス、メッセージ作成フィールド、及び参加者の間のメッセージ会話を表示することであって、前記会話はメッセージ領域内に表示される、ことと、
前記ディスプレイ上における前記メディアアフォーダンスのロケーションに対応する前記タッチ感知面上のロケーションにおける接触を検出することと、
前記接触を検出したことに応じて、前記メッセージ作成フィールド内にライブメディアプレビュを表示することと、
前記タッチ感知面からの前記接触のリフトオフを検出することと、
前記リフトオフを検出したことに応じて、前記ライブメディアプレビュに基づく新しい画像をキャプチャすることと、
前記キャプチャされた画像を前記メッセージ会話の参加者へ送信することと、
を含む、方法。
【請求項８７】
前記リフトオフを検出したことに応じて、前記キャプチャされた画像が前記参加者へ送信される、請求項８６に記載の方法。
【請求項８８】
前記接触が第１の接触であり、前記方法が、
メッセージを前記メッセージ会話の前記参加者へ送信するための送信ボタンを表示することと、
前記リフトオフを検出し、前記新しい画像をキャプチャした後に、前記ディスプレイ上における前記送信ボタンのロケーションに対応する前記タッチ感知面上のロケーションにおける第２の接触を検出することであって、前記第２の接触を検出したことに応じて、前記キャプチャされた画像が前記第１の参加者へ送信される、ことと、
を更に含む、請求項８６に記載の方法。
【請求項８９】
前記リフトオフを検出したことに更に応じて、前記メッセージ作成フィールド内に、前記キャプチャされた画像の表現を表示することを更に含む、請求項８６に記載の方法。
【請求項９０】
前記メッセージ作成フィールド内に、前記キャプチャされた画像の前記表現を表示している間に、前記メッセージ作成フィールド内における追加のコンテンツのユーザ入力を検出することであって、前記第２の接触を検出したことに応じて、前記追加のコンテンツ及び前記キャプチャされた画像が前記参加者へ送信される、ことを更に含む、請求項８９に記載の方法。
【請求項９１】
前記第２の接触を検出したことに更に応じて、前記表示されたメッセージ会話内に挿入された境界されたメッセージ区域内に、前記追加のコンテンツ、及び前記キャプチャされた画像を表現するサムネイルを表示することを更に含む、請求項８９又は９０に記載の方法。
【請求項９２】
前記メッセージ作成フィールド内に前記ライブメディアプレビュを表示することが、前記メッセージ作成フィールドを拡大することを含む、請求項８６から９１のいずれか一項に記載の方法。
【請求項９３】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに、
前記ディスプレイ上に、メディアアフォーダンス、メッセージ作成フィールド、及び参加者の間のメッセージ会話を表示することであって、前記会話はメッセージ領域内に表示される、ことと、
前記ディスプレイ上における前記メディアアフォーダンスのロケーションに対応する前記タッチ感知面上のロケーションにおける接触を検出することと、
前記接触を検出したことに応じて、前記メッセージ作成フィールド内にライブメディアプレビュを表示することと、
前記タッチ感知面からの前記接触のリフトオフを検出することと、
前記リフトオフを検出したことに応じて、前記ライブメディアプレビュに基づく新しい画像をキャプチャすることと、
前記キャプチャされた画像を前記メッセージ会話の参加者へ送信することと、
をさせる、非一時的コンピュータ可読記憶媒体。
【請求項９４】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、
前記ディスプレイ上に、メディアアフォーダンス、メッセージ作成フィールド、及び参加者の間のメッセージ会話を表示することであって、前記会話はメッセージ領域内に表示される、ことと、
前記ディスプレイ上における前記メディアアフォーダンスのロケーションに対応する前記タッチ感知面上のロケーションにおける接触を検出することと、
前記接触を検出したことに応じて、前記メッセージ作成フィールド内にライブメディアプレビュを表示することと、
前記タッチ感知面からの前記接触のリフトオフを検出することと、
前記リフトオフを検出したことに応じて、前記ライブメディアプレビュに基づく新しい画像をキャプチャすることと、
前記キャプチャされた画像を前記メッセージ会話の参加者へ送信することと、
のための命令を含む、電子デバイス。
【請求項９５】
電子デバイスであって、
ディスプレイと、
タッチ感知面と、
前記ディスプレイ上に、メディアアフォーダンス、メッセージ作成フィールド、及び参加者の間のメッセージ会話を表示するための手段であって、前記会話はメッセージ領域内に表示される、手段と、
前記ディスプレイ上における前記メディアアフォーダンスのロケーションに対応する前記タッチ感知面上のロケーションにおける接触を検出するための手段と、
前記接触を検出したことに応じて、前記メッセージ作成フィールド内にライブメディアプレビュを表示するための手段と、
前記タッチ感知面からの前記接触のリフトオフを検出するための手段と、
前記リフトオフを検出したことに応じて、前記ライブメディアプレビュに基づく新しい画像をキャプチャするための手段と、
前記キャプチャされた画像を前記メッセージ会話の参加者へ送信するための手段と、
を備える、電子デバイス。
【請求項９６】
電子デバイスであって、
ディスプレイと、
タッチ感知面と、
１つ以上のプロセッサと、
メモリと、
１つ以上のプログラムと、を備え、前記１つ以上のプログラムは、前記メモリ内に記憶され、前記１つ以上のプロセッサによって実行されるように構成され、前記１つ以上のプログラムは、請求項８６から９２に記載の方法のいずれかを実行するための命令を含む、電子デバイス。
【請求項９７】
１つ以上のプログラムを記憶する非一時的コンピュータ可読記憶媒体であって、前記１つ以上のプログラムは命令を含み、前記命令は、ディスプレイとタッチ感知面とを有する電子デバイスの１つ以上のプロセッサによって実行されると、前記デバイスに請求項８６から９２に記載の方法のいずれかを実行させる、非一時的コンピュータ可読記憶媒体。
【請求項９８】
電子デバイスであって、
ディスプレイと、
タッチ感知面と、
請求項８６から９２に記載の方法のいずれかを実行するための手段と、
を備える、電子デバイス。
【請求項９９】
電子デバイスであって、
タッチ感知面ユニットと、
表示ユニットと、
前記表示ユニット及び前記タッチ感知面ユニットに結合された処理ユニットと、を備え、前記処理ユニットは、
前記表示ユニット上における、メディアアフォーダンス、メッセージ作成フィールド、及びメッセージ会話の参加者の間で送信されたメッセージを表示するためのメッセージ領域の表示を可能にすることと、
前記表示ユニット上における前記メディアアフォーダンスのロケーションに対応する前記タッチ感知面ユニット上のロケーションにおける接触を検出することを含む、前記タッチ感知面ユニット上におけるジェスチャを検出することと、
前記接触を検出したことに応じて、
前記表示ユニット上における送信アフォーダンスの表示を可能にすることと、
前記タッチ感知面ユニットを横切る前記接触の移動を検出すること、及びそれに続き、前記タッチ感知面ユニットからの前記接触のリフトオフを検出することを含む、前記ジェスチャの続きを検出することと、
前記接触が、前記送信アフォーダンスのロケーションに対応する前記タッチ感知面ユニット上のロケーションへ移動したかどうかを判定することと、
前記接触が、前記送信アフォーダンスの前記ロケーションに対応する前記タッチ感知面ユニット上の前記ロケーションへ移動したとの判定に従って、及び前記リフトオフを検出したことに応じて、前記ジェスチャの少なくとも一部分に応じてキャプチャされたメディアを前記メッセージ会話の参加者へ送信することと、
をするように構成される、電子デバイス。
【請求項１００】
前記接触及びそれに続く前記接触の前記移動が、前記タッチ感知面ユニット上における単一の連続した接触である、請求項９９に記載の電子デバイス。
【請求項１０１】
前記処理ユニットが、
前記接触を検出したことに応じて、前記表示ユニット上におけるキャンセルアフォーダンスの表示を可能にすることと、
前記接触が、前記キャンセルアフォーダンスのロケーションに対応する前記タッチ感知面ユニット上のロケーションへ移動したかどうかを判定することと、
前記接触が、前記キャンセルアフォーダンスの前記ロケーションに対応する前記タッチ感知面ユニット上の前記ロケーションへ移動し、それに続き、前記リフトオフが行われたとの判定に従って、前記キャプチャされたメディアを前記参加者へ送信することを見送ることと、
をするように更に構成される、請求項９９又は１００に記載の電子デバイス。
【請求項１０２】
前記処理ユニットが、
前記リフトオフを検出した後に、前記表示ユニットからの前記送信アフォーダンスの消去を可能にするように更に構成される、請求項９９から１０１のいずれか一項に記載の電子デバイス。
【請求項１０３】
前記処理ユニットが、
前記接触が、前記表示ユニット上における前記送信アフォーダンスの前記ロケーションに対応する前記タッチ感知面ユニット上の前記ロケーションへ移動したとの判定に従って、及び前記リフトオフを検出したことに応じて、
前記メディアをキャプチャすることと、
前記メディアを前記参加者へ送信することと、
をするように更に構成される、請求項９９から１０２のいずれか一項に記載の電子デバイス。
【請求項１０４】
前記処理ユニットが、
前記接触を検出したことに応じて、前記メディアをキャプチャすることを開始することと、
前記接触が、前記表示ユニット上における前記送信アフォーダンスの前記ロケーションに対応する前記タッチ感知面ユニット上の前記ロケーションへ移動したとの判定に従って、及び前記リフトオフを検出したことに応じて、
前記メディアをキャプチャすることを中止することと、
前記メディアを前記参加者へ送信することと、
をするように更に構成される、請求項９９から１０２のいずれか一項に記載の電子デバイス。
【請求項１０５】
前記処理ユニットが、
前記接触を検出したことに応じて、前記メディアをキャプチャすることを開始することと、
前記接触の前記移動を検出したことに応じて、前記メディアをキャプチャすることを中止することと、
前記接触が、前記表示ユニット上における前記送信アフォーダンスの前記ロケーションに対応する前記タッチ感知面ユニット上の前記ロケーションへ移動したとの判定に従って、及び前記接触が、前記送信アフォーダンスに対応する前記タッチ感知面ユニット上の前記ロケーションにある間に、前記リフトオフを検出したことに応じて、前記メディアを前記参加者へ送信することと、
をするように更に構成される、請求項９９から１０２のいずれか一項に記載の電子デバイス。
【請求項１０６】
前記メディアが、マイクロフォンから受信された音声データであり、前記リフトオフが、前記表示ユニット上における前記送信アフォーダンスの前記ロケーションに対応する前記タッチ感知面ユニット上の前記ロケーションにおけるものであり、前記処理ユニットが、
前記接触を検出したことに応じて、前記音声データをキャプチャすることを開始することと、
前記接触が、前記表示ユニット上における前記送信アフォーダンスの前記ロケーションに対応する前記タッチ感知面ユニット上の前記ロケーションへ移動したとの判定に従って、及び前記リフトオフを検出したことに応じて、前記音声データをキャプチャすることを中止し、前記音声データを前記参加者へ送信することと、
をするように更に構成される、請求項９９から１０２のいずれか一項に記載の電子。
【請求項１０７】
前記処理ユニットが、
前記表示ユニット上におけるメッセージ作成フィールドの表示を可能にすることと、
前記接触が、前記送信アフォーダンスの前記ロケーションに対応する前記タッチ感知面ユニット上の前記ロケーションへも、前記キャンセルアフォーダンスの前記ロケーションに対応する前記タッチ感知面上の前記ロケーションへも移動しなかったとの判定に従って、及び前記リフトオフを検出したことに応じて、
前記表示ユニット上における、前記メッセージ作成フィールド内における画像の表示を可能にすることであって、前記画像は、前記キャプチャされたメディアを表現する波形を有する、ことと、
をするように更に構成される、請求項１０１又は１０２に記載の電子デバイス。
【請求項１０８】
前記処理ユニットが、
前記リフトオフを検出したことに応じて、前記メディアアフォーダンスの表示の、前記表示ユニット上における、前記キャプチャされたメディアを前記参加者へ送信するための送信ボタンの表示との置換を可能にするように更に構成される、請求項１０７に記載の電子デバイス。
【請求項１０９】
前記処理ユニットが、
前記タッチ感知面ユニット上における前記接触を検出したことに応じて、前記表示ユニット上におけるメディアプレビュの表示を可能にすることと、
前記リフトオフを検出した後に、前記表示ユニット上に前記メディアプレビュを表示することを中止することと、
をするように更に構成される、請求項９９に記載の電子デバイス。
【請求項１１０】
前記処理ユニットが、
前記接触が前記メディアアフォーダンス上で維持されている間に、
前記表示ユニット上における、視覚的に区別された領域の表示を可能にすることであって、前記視覚的に区別された領域は前記メディアアフォーダンス及び前記送信アフォーダンスを取り囲む、ことと、
前記接触の前記移動を検出したことに応じて、前記視覚的に区別された領域の表示を拡大することと、
をするように更に構成される、請求項９９から１０９のいずれか一項に記載の電子デバイス。
【請求項１１１】
前記処理ユニットが、
前記表示ユニット上における、前記参加者へのメッセージを入力するための仮想キーボードの表示を可能にすることと、
前記仮想キーボードの上方における、前記表示ユニットの特定の縁部に沿った前記メディアアフォーダンスの表示を可能にすることであって、前記表示された視覚的に区別された領域は前記特定の縁部によって部分的に境界される、ことと、
をするように更に構成される、請求項１１０に記載の電子デバイス。
【請求項１１２】
前記処理ユニットが、
前記表示ユニットの隅部における前記メディアアフォーダンスの表示を可能にすることであって、前記表示された視覚的に区別された領域は前記表示ユニットの２つの異なる縁部によって部分的に境界される、こと
をするように更に構成される、請求項１１０に記載の電子デバイス。
【請求項１１３】
前記タッチ感知面ユニットがタッチ感知表示ユニットであり、前記処理ユニットが、
前記メディアアフォーダンスにヒット領域を割り当てることであって、前記ヒット領域は、タッチ入力に応答する前記表示ユニットの区域であり、前記ヒット領域は、仮想キーボードが前記表示ユニット上に表示されている時には、前記仮想キーボードが表示されていない時よりも大きなサイズを有する、こと
をするように更に構成される、請求項１１０から１１２のいずれか一項に記載の電子デバイス。
【請求項１１４】
前記処理ユニットが、
前記メディアアフォーダンス上における前記接触の持続時間を判定することと、
前記接触の前記持続時間が閾値持続時間未満であるとの判定に従って、前記表示ユニット上における、既存のメディアを、前記参加者へ送信するために選択するためのメディアセレクタユーザインタフェースの表示を可能にすることと、
をするように更に構成される、請求項９９から１１３のいずれか一項に記載の電子デバイス。
【請求項１１５】
前記処理ユニットが、
前記キャプチャされたメディアのメタデータのセットを前記参加者へ送信することを抑止するべきであるかどうかのユーザ指定を受信するように更に構成される、請求項９９から１１４のいずれか一項に記載の電子デバイス。
【請求項１１６】
前記メタデータが前記電子デバイスの前記ロケーションの表現を含む、請求項１１５に記載の電子デバイス。
【請求項１１７】
前記メディアアフォーダンスが第１のメディアアフォーダンスであり、前記処理ユニットが、
前記表示ユニット上における第２のメディアアフォーダンスの表示を可能にするように更に構成される、請求項９９から１１６のいずれか一項に記載の電子デバイス。
【請求項１１８】
前記第１のメディアアフォーダンスが、音声データをキャプチャするための音声キャプチャアフォーダンスであり、前記第２のメディアアフォーダンスが、ビデオ又は画像をキャプチャするための視覚メディアキャプチャアフォーダンスである、請求項１１７に記載の電子デバイス。
【請求項１１９】
前記参加者へ送信される前記メディアが満期基準に基づいて満期になる、請求項９９から１１８のいずれか一項に記載の電子デバイス。
【請求項１２０】
電子デバイスであって、
タッチ感知面ユニットと、
表示ユニットと、
前記表示ユニット及び前記タッチ感知面ユニットに結合された処理ユニットと、を備え、前記処理ユニットは、
前記表示ユニット上における、メディアアフォーダンス、及びメッセージ会話の参加者の間で送信されたメッセージを表示するためのメッセージ領域の表示を可能にすることと、
前記タッチ感知面ユニット上における第１の入力を検出することであって、前記第１の入力は前記表示ユニット上における前記メディアアフォーダンスのロケーションに対応する、ことと、
前記第１の入力を検出したことに応じて、記録アフォーダンス及び送信アフォーダンスの表示を可能にすることと、
前記タッチ感知面ユニット上における第２の入力を検出することであって、前記第２の入力は前記表示ユニット上における前記記録アフォーダンスのロケーションに対応する、ことと、
前記第２の入力を検出したことに応じて、ビデオを記録することを開始することと、
前記タッチ感知面ユニット上における第３の入力を検出することであって、前記第３の入力は前記表示ユニット上における前記送信アフォーダンスのロケーションに対応する、ことと、
前記第３の入力を検出したことに応じて、
前記記録されたビデオを参加者へ送信することと、
前記表示ユニットからの前記送信アフォーダンス及び前記記録アフォーダンスの消去を可能にすることと、
をするように構成される、電子デバイス。
【請求項１２１】
前記第１の入力、前記第２の入力、及び前記第３の入力が前記タッチ感知面ユニット上における３つの別個の接触である、請求項１２０に記載の電子デバイス。
【請求項１２２】
前記第１の入力が前記タッチ感知面ユニット上における接触であり、前記第２の入力が、前記表示ユニット上における前記メディアアフォーダンスの前記ロケーションに対応する前記タッチ感知面ユニット上のロケーションから、前記表示ユニット上における前記記録アフォーダンスの前記ロケーションに対応する前記タッチ感知面ユニット上のロケーションへの前記接触の移動を含む前記タッチ感知面ユニット上における前記接触の続きである、請求項１２０に記載の電子デバイス。
【請求項１２３】
前記第１の入力が前記タッチ感知面ユニット上における接触であり、前記第２の入力が前記タッチ感知面ユニット上における別個の接触であり、前記第３の入力が、前記表示ユニット上における前記記録アフォーダンスの前記ロケーションに対応する前記タッチ感知面ユニット上のロケーションから、前記表示ユニット上における前記送信アフォーダンスの前記ロケーションに対応する前記タッチ感知面ユニット上のロケーションへの前記接触の移動を含む前記タッチ感知面ユニット上における前記別個の接触の続きである、請求項１２０に記載の電子デバイス。
【請求項１２４】
前記処理ユニットが、
前記第３の入力を検出したことに応じて、前記表示されたメッセージ会話内への、前記記録されたビデオのサムネイル表現の挿入を可能にするように更に構成される、請求項１２０から１２３のいずれか一項に記載の電子デバイス。
【請求項１２５】
前記処理ユニットが、
前記ビデオを記録している間に、前記第２の接触のリフトオフを検出することと、
前記リフトオフの後に前記ビデオを記録することを継続することと、
をするように更に構成される、請求項１２０に記載の電子デバイス。
【請求項１２６】
前記処理ユニットが、
前記ビデオを記録している間に、前記第２の接触のリフトオフを検出することと、
前記リフトオフを検出したことに応じて、前記ビデオを記録することを中止することと、
をするように更に構成される、請求項１２０に記載の電子デバイス。
【請求項１２７】
前記処理ユニットが、
前記リフトオフを検出したことに応じて、前記表示ユニット上における、前記記録アフォーダンスの前記表示の、前記ビデオを再生するための再生アフォーダンスの表示との置換を可能にすることであって、前記ビデオは前記参加者へまだ送信されていない、ことをするように更に構成される、請求項１２６に記載の電子デバイス。
【請求項１２８】
前記処理ユニットが、
前記ビデオを記録している間に、前記表示ユニット上における、前記記録されたビデオの時間的長さの指示の表示を可能にするように更に構成される、請求項１２０から１２７のいずれか一項に記載の電子デバイス。
【請求項１２９】
前記表示されたメッセージ会話内への、前記キャプチャされたビデオの前記サムネイル表現の挿入を可能にすることが、
前記表示ユニット上における、前記メッセージ会話内における境界されたメッセージ区域の表示を可能にすることと、
前記表示ユニット上における、前記境界されたメッセージ区域内における再生アフォーダンスの表示を可能にすることと、
を含み、前記処理ユニットが、
前記表示ユニット上における前記再生アフォーダンスのロケーションに対応する前記タッチ感知面ユニット上のロケーションにおける第５の接触を検出することと、
前記第５の接触を検出したことに応じて、前記境界されたメッセージ区域の前記境界内で、前記記録されたビデオを再生することと、
をするように更に構成される、請求項１２４に記載の電子デバイス。
【請求項１３０】
前記参加者へ送信される前記記録されたビデオが満期基準に基づいて満期になる、請求項１２０に記載の電子デバイス。
【請求項１３１】
電子デバイスであって、
タッチ感知面ユニットと、
表示ユニットと、
前記表示ユニット及び前記タッチ感知面ユニットに結合された処理ユニットと、を備え、前記処理ユニットは、
前記表示ユニット上における、メッセージ会話の第１の参加者と第２の参加者との間で送信されたメッセージを表示するためのメッセージ領域の表示を可能にすることと、
前記表示ユニット上における、前記第１の参加者の前記ロケーションを、前記ロケーションが少なくとも所定の期間にわたって変化する際に、前記第２の参加者と共有するためのロケーション共有アフォーダンスの表示を可能にすることと、
前記ロケーション共有アフォーダンスの選択を検出することと、
前記ロケーション共有アフォーダンスの前記選択を検出したことに応じて、
少なくとも前記所定の期間中に、前記第２の参加者に、前記第２の参加者が前記第１の参加者の現在のロケーションを判定することを可能にする情報を提供することと、
をするように構成される、電子デバイス。
【請求項１３２】
前記処理ユニットが、
前記第２の参加者から、第１の外部デバイスのロケーションを動的に指示するロケーション情報を受信することと、
前記表示ユニット上における、地図上における前記電子デバイスのロケーション及び前記第１の外部デバイスの前記ロケーションの表示を可能にすることと、
をするように更に構成される、請求項１３１に記載の電子デバイス。
【請求項１３３】
前記処理ユニットが、
前記メッセージ会話に第３の参加者を追加することと、
前記第３の参加者から、第２の外部デバイスのロケーションを指示するロケーション情報を受信することと、
前記表示ユニット上における、前記地図上における前記第２の外部デバイスの前記ロケーションの表示を可能にすることと、
をするように更に構成される、請求項１３２に記載の電子デバイス。
【請求項１３４】
前記処理ユニットが、
前記ロケーション共有アフォーダンスに対応する前記ロケーションにおける前記接触を検出したことに応じて、
前記表示ユニット上における、少なくとも２つの所定の期間に対応する少なくとも２つのアフォーダンスの表示を可能にすることと、
前記表示ユニット上における前記少なくとも２つのアフォーダンスのうちの１つのロケーションに対応する前記タッチ感知面ユニット上のロケーションにおける接触を検出することと、
前記表示ユニット上における前記少なくとも２つのアフォーダンスのうちの１つの前記ロケーションに対応する前記タッチ感知面ユニット上の前記ロケーションにおける前記接触を検出したことに応じて、前記少なくとも２つのアフォーダンスのうちの前記１つに対応する前記所定の期間中に、前記第２の参加者に、前記第２の参加者が前記第１の参加者の前記現在のロケーションを判定することを可能にする情報を提供することと、
をするように更に構成される、請求項１３１に記載の電子デバイス。
【請求項１３５】
前記処理ユニットが、
前記表示ユニット上における、前記ロケーションが共有されることになる残りの時間量の指示表示を可能にするように更に構成される、請求項１３４に記載の電子デバイス。
【請求項１３６】
前記処理ユニットが、
前記表示ユニット上における、前記第２の参加者に前記情報を提供することを中止するためのアフォーダンスの表示を可能にするように更に構成される、請求項１３１から１３５のいずれか一項に記載の電子デバイス。
【請求項１３７】
前記処理ユニットが、
前記表示ユニット上における、前記メッセージ会話と一緒の、詳細アフォーダンスの表示を可能にすることと、
前記表示ユニット上における前記詳細アフォーダンスのロケーションに対応する前記タッチ感知面ユニット上のロケーションにおける接触を検出することと、
前記表示ユニット上における前記詳細アフォーダンスの前記ロケーションに対応する前記タッチ感知面ユニット上の前記ロケーションにおける前記接触を検出したことに応じて、前記表示ユニット上における、自分たちのロケーションを共有した前記メッセージ会話の２人以上の参加者の前記ロケーションを示す前記地図の表示を可能にすることと、
をするように更に構成される、請求項１３１から１３６のいずれか一項に記載の電子デバイス。
【請求項１３８】
前記処理ユニットが、
前記表示ユニット上における、自分たちのロケーションを共有した前記メッセージ会話の前記２人以上の参加者を特定する情報の表示を可能にするように更に構成される、請求項１３７に記載の電子デバイス。
【請求項１３９】
前記処理ユニットが、
前記メッセージ会話から前記２人以上の参加者のうちの参加者を消去するための選択肢を前記２人以上の参加者に提供するように更に構成される、請求項１３８に記載の電子デバイス。
【請求項１４０】
前記処理ユニットが、
前記メッセージ会話に新しい参加者を追加するための選択肢を前記２人以上の参加者に提供するように更に構成される、請求項１３７から１３９のいずれか一項に記載の電子デバイス。
【請求項１４１】
前記メッセージ会話が名前を有し、前記処理ユニットが、
前記メッセージ会話の前記名前を変更するための選択肢を前記２人以上の参加者に提供するように更に構成される、請求項１３７から１３９のいずれか一項に記載の電子デバイス。
【請求項１４２】
前記地図が前記メッセージ会話内の特定のメッセージに関連付けられない、請求項１３１から１４１のいずれか一項に記載の電子デバイス。
【請求項１４３】
前記表示ユニット上における、前記地図の表示されたロケーションに対応するロケーションにおいて前記タッチ感知面ユニットをタップすることが、地図アプリケーションを立ち上げ、前記地図アプリケーションは、前記地図上に表示されたロケーションへの道順を取得するための選択肢を提供する、請求項１３１から１４２のいずれか一項に記載の電子デバイス。
【請求項１４４】
前記第２の参加者に前記情報を提供することが、前記第２の参加者によって使用されている遠隔の電子デバイスに、自分たちのロケーションを共有するように前記第２の参加者に促させる、請求項１３１から１４３のいずれか一項に記載の電子デバイス。
【請求項１４５】
前記処理ユニットが、
前記表示ユニット上における、前記第１の参加者の静的ロケーション情報を前記第２の参加者へ送信するためのロケーション送信アフォーダンスの表示を可能にすることであって、前記静的ロケーション情報は前記デバイスの前記ロケーションに従って更新されない、ことと、
前記ロケーション送信アフォーダンスの選択を検出することと、
前記ロケーション送信アフォーダンスの前記選択を検出したことに応じて、前記静的ロケーション情報を前記第２の参加者へ送信することと、
をするように更に構成される、請求項１３１に記載の電子デバイス。
【請求項１４６】
前記静的ロケーション情報を送信することが、前記メッセージ会話内に、前記静的ロケーション情報を含む静的地図を挿入することを含む、請求項１４５に記載の電子デバイス。
【請求項１４７】
前記静的地図が前記メッセージ会話内の特定のメッセージに関連付けられない、請求項１４５又は１４６に記載の電子デバイス。
【請求項１４８】
前記静的地図をタップすることが地図アプリケーションを立ち上げ、前記地図アプリケーションは、前記静的地図上に表示された前記ロケーション情報への道順を取得するための選択肢を提供する、請求項１４５から１４７のいずれか一項に記載の電子デバイス。
【請求項１４９】
電子デバイスであって、
タッチ感知面ユニットと、
表示ユニットと、
前記表示ユニット及び前記タッチ感知面ユニットに結合された処理ユニットと、を備え、前記処理ユニットは、
前記表示ユニット上における、メッセージ会話を表示するためのメッセージ領域の表示を可能にすることと、
前記メッセージ会話にメディアを追加せよとの要求を受信することと、
前記要求を受信したことに応じて、前記表示ユニット上における、前記メッセージ会話の少なくとも一部分と同時のメディア選択インタフェースの表示を可能にすることであって、前記メディア選択インタフェースは、メディアを前記メッセージ会話への追加のために選択するための複数のアフォーダンスを含み、前記複数のアフォーダンスの少なくともサブセットは、前記メッセージ会話に追加するために利用可能なメディアのサムネイル表現を含む、ことと、
前記複数のアフォーダンスからのそれぞれのアフォーダンスの選択を検出することと、
前記それぞれのアフォーダンスの選択を検出したことに応じて、対応するメディアを前記メッセージ会話への追加のために選択することと、
をするように構成される、電子デバイス。
【請求項１５０】
前記処理ユニットが、
前記それぞれのアフォーダンスの選択を検出したことに応じて、前記メッセージ会話に前記メディアを追加するように更に構成される、請求項１４９に記載の電子デバイス。
【請求項１５１】
前記処理ユニットが、
前記それぞれのアフォーダンスの選択を検出したことに応じて、メッセージ作成フィールド内に前記メディアを挿入し、前記表示ユニット上における、前記メッセージ会話に前記メッセージ作成フィールドの前記コンテンツを追加するための送信アフォーダンスの表示を可能にするように更に構成される、請求項１４９又は１５０に記載の電子デバイス。
【請求項１５２】
前記処理ユニットが、
前記表示ユニット上における前記メディア選択インタフェースの前記ロケーションに対応するロケーションにおける前記タッチ感知面ユニット上のスワイプジェスチャを検出することと、
前記スワイプジェスチャを検出したことに応じて、前記表示ユニット上における、前記複数のアフォーダンスのスクロールを可能にすることと、
をするように更に構成される、請求項１４９から１５１のいずれか一項に記載の電子デバイス。
【請求項１５３】
前記複数のアフォーダンスが、カメラロール内の最も最近取得された写真に対応する、請求項１４９から１５２のいずれか一項に記載の電子デバイス。
【請求項１５４】
前記処理ユニットが、
前記複数のアフォーダンスからのアフォーダンスの選択に応じて、前記表示ユニット上における、前記メディア選択インタフェースの前記サイズの増大を可能にするように更に構成される、請求項１４９から１５２のいずれか一項に記載の電子デバイス。
【請求項１５５】
前記処理ユニットが、
前記表示ユニット上におけるメディアアフォーダンスの表示を可能にすることであって、前記メッセージ会話にメディアを追加せよとの前記要求は、前記表示ユニット上における前記メディアアフォーダンスのロケーションに対応する前記タッチ感知面ユニット上のロケーションにおける接触を含む、ことと、
前記接触を検出したことに応じて、前記接触の持続時間を判定することと、
前記接触の前記持続時間が閾値を超えないとの判定に従って、前記表示ユニット上における、カメラセンサを用いて新しい画像をキャプチャするためのアフォーダンスの表示を可能にすることと、
前記新しい画像をキャプチャするための前記アフォーダンスが表示されている間に、前記タッチ感知面ユニット上におけるスワイプジェスチャを検出することと、
前記スワイプジェスチャを検出したことに応じて、
前記カメラセンサに、画像をキャプチャするように命令することと、
前記画像を前記メッセージ会話の参加者へ送信することと、
をするように更に構成される、請求項１４９に記載の電子デバイス。
【請求項１５６】
前記メディア選択インタフェースの前記表示を可能にすることが、
前記表示ユニット上における第１のアフォーダンスのロケーションに対応する前記タッチ感知面ユニット上のロケーションにおける接触を検出することと、
前記表示ユニット上における前記第１のアフォーダンスの前記ロケーションに対応する前記タッチ感知面ユニット上の前記ロケーションにおける前記接触を検出したことに応じて、前記対応するメディアを前記会話の参加者へ送信することと、
を含む、請求項１４９から１５５のいずれか一項に記載の電子デバイス。
【請求項１５７】
前記メディア選択インタフェースの前記表示を可能にすることが、
前記表示ユニット上における、送信アフォーダンスの表示を可能にすることと、
前記表示ユニット上における第１のアフォーダンス、第２のアフォーダンス、及び前記送信アフォーダンスのロケーションに対応する前記タッチ感知面ユニット上のロケーションにおける接触を検出することと、
前記第１のアフォーダンス、前記第２のアフォーダンス、及び前記送信アフォーダンスのロケーションに対応する前記タッチ感知面ユニット上のロケーションにおける前記接触を検出したことに応じて、
対応する第１のメディア及び第２のメディアを前記会話の参加者へ送信することと、
を更に含む、請求項１４９から１５６に記載の電子デバイス。
【請求項１５８】
前記複数のアフォーダンスがライブプレビュアフォーダンスを含み、前記処理ユニットが、
前記表示ユニット上における前記ライブプレビュアフォーダンスのロケーションに対応する前記タッチ感知面ユニット上のロケーションにおける接触を検出することと、
前記ライブカメラプレビュの前記ロケーションに対応する前記タッチ感知面ユニット上の前記ロケーションにおける前記接触を検出したことに応じて、
前記ライブカメラプレビュに基づく新しい画像をキャプチャすることと、
前記新しい画像を前記メッセージ会話への追加のために選択することと、
をするように更に構成される、請求項１４９から１５７のいずれか一項に記載の電子デバイス。
【請求項１５９】
前記処理ユニットが、
前記新しい画像を送信せよとの要求を検出することと、
前記要求に応じて、前記新しい画像を前記第１の参加者へ送信することと、
をするように更に構成される、請求項１５８に記載の電子デバイス。
【請求項１６０】
電子デバイスであって、
タッチ感知面ユニットと、
表示ユニットと、
前記表示ユニット及び前記タッチ感知面ユニットに結合された処理ユニットと、を備え、前記処理ユニットは、
前記表示ユニット上における、メディアアフォーダンス、メッセージ作成フィールド、及び参加者の間のメッセージ会話の表示を可能にすることであって、前記会話は前記表示ユニット上のメッセージ領域内に表示される、ことと、
前記表示ユニット上における前記メディアアフォーダンスのロケーションに対応する前記タッチ感知面ユニット上のロケーションにおける接触を検出することと、
前記接触を検出したことに応じて、前記表示ユニット上における、前記メッセージ作成フィールド内におけるメディアプレビュの表示を可能にすることと、
前記タッチ感知面ユニットからの前記接触のリフトオフを検出することと、
前記リフトオフを検出したことに応じて、前記メディアプレビュ内に表示されたメディアをキャプチャすることと、
前記キャプチャされたメディアを前記メッセージ会話の第１の参加者へ送信することと、
をするように構成される、電子デバイス。
【請求項１６１】
前記リフトオフを検出したことに応じて、前記キャプチャされたメディアが前記第１の参加者へ送信される、請求項１６０に記載の電子デバイス。
【請求項１６２】
前記処理ユニットが、
前記表示ユニット上における、前記メッセージ会話内における、メッセージを前記第１の参加者へ送信するための送信ボタンの表示を可能にすることと、
前記リフトオフを検出し、前記メディアをキャプチャした後に、前記表示ユニット上における前記送信ボタンのロケーションに対応する前記タッチ感知面ユニット上のロケーションにおける接触を検出することであって、前記接触を検出したことに応じて、前記キャプチャされたメディアが前記第１の参加者へ送信される、ことと、
をするように更に構成される、請求項１６０に記載の電子デバイス。
【請求項１６３】
前記処理ユニットが、
前記リフトオフを検出したことに更に応じて、前記表示ユニット上における、前記メッセージ作成フィールド内における、前記キャプチャされたメディアの表現の表示を可能にすることと、
前記キャプチャされたメディアの前記表現に隣接する前記メッセージ作成フィールド内における追加のコンテンツのユーザ入力を検出することであって、前記接触を検出したことに応じて、前記追加のコンテンツ及び前記キャプチャされたメディアが前記第１の参加者へ送信される、ことと、
をするように更に構成される、請求項１６２に記載の電子デバイス。
【請求項１６４】
前記メッセージ作成フィールド内における前記メディアプレビュの表示を可能にすることが、前記表示ユニット上における、前記メッセージ作成フィールドの拡大を可能にすることを含む、請求項１６０から１６３のいずれか一項に記載の電子デバイス。
【発明の詳細な説明】
【関連出願の相互参照】
【０００１】
本出願は、２０１４年５月３１日に出願された米国特許仮出願第６２／００６，０７１号、「ＭＥＳＳＡＧＥ  ＵＳＥＲ  ＩＮＴＥＲＦＡＣＥＳ  ＦＯＲ  ＣＡＰＴＵＲＥ  ＡＮＤ  ＴＲＡＮＳＭＩＴＴＡＬ  ＯＦ  ＭＥＤＩＡ  ＡＮＤ  ＬＯＣＡＴＩＯＮ  ＣＯＮＴＥＮＴ」、２０１４年９月８日に出願された米国特許仮出願第６２／０４７，６２２号、「ＭＥＳＳＡＧＥ  ＵＳＥＲ  ＩＮＴＥＲＦＡＣＥＳ  ＦＯＲ  ＣＡＰＴＵＲＥ  ＡＮＤ  ＴＲＡＮＳＭＩＴＴＡＬ  ＯＦ  ＭＥＤＩＡ  ＡＮＤ  ＬＯＣＡＴＩＯＮ  ＣＯＮＴＥＮＴ」、２０１４年９月３０日に出願された米国特許出願第１４／５０３，３７６号、「ＭＥＳＳＡＧＥ  ＵＳＥＲ  ＩＮＴＥＲＦＡＣＥＳ  ＦＯＲ  ＣＡＰＴＵＲＥ  ＡＮＤ  ＴＲＡＮＳＭＩＴＴＡＬ  ＯＦ  ＭＥＤＩＡ  ＡＮＤ  ＬＯＣＡＴＩＯＮ  ＣＯＮＴＥＮＴ」、２０１４年９月３０日に出願された米国特許出願第１４／５０３，３８６号、「ＭＥＳＳＡＧＥ  ＵＳＥＲ  ＩＮＴＥＲＦＡＣＥＳ  ＦＯＲ  ＣＡＰＴＵＲＥ  ＡＮＤ  ＴＲＡＮＳＭＩＴＴＡＬ  ＯＦ  ＭＥＤＩＡ  ＡＮＤ  ＬＯＣＡＴＩＯＮ  ＣＯＮＴＥＮＴ」、及び２０１４年９月３０日に出願された米国特許出願第１４／５０３，３５５号、「ＭＥＳＳＡＧＥ  ＵＳＥＲ  ＩＮＴＥＲＦＡＣＥＳ  ＦＯＲ  ＣＡＰＴＵＲＥ  ＡＮＤ  ＴＲＡＮＳＭＩＴＴＡＬ  ＯＦ  ＭＥＤＩＡ  ＡＮＤ  ＬＯＣＡＴＩＯＮ  ＣＯＮＴＥＮＴ」に対する優先権を主張する。これらの出願の内容は本明細書において全ての目的のために参照により組み込まれる。
【０００２】
本出願は、２０１１年６月３日に出願された米国特許出願第１３／１５３，３７４号、「ＭＯＴＩＯＮ  ＰＡＴＴＥＲＮ  ＣＬＡＳＳＩＦＩＣＡＴＩＯＮ  ＡＮＤ  ＧＥＳＴＵＲＥ  ＲＥＣＯＧＮＩＴＩＯＮ」、及び２０１１年６月３日に出願された米国特許出願第１３／１５３，３３５号、「ＭＯＴＩＯＮ−ＢＡＳＥＤ  ＤＥＶＩＣＥ  ＯＰＥＲＡＴＩＯＮＳ」に関連する。これらの出願の内容は本明細書において全ての目的のために参照により組み込まれる。
【技術分野】
【０００３】
開示される例は概して、電子デバイスのユーザインタフェースに関する。
【背景技術】
【０００４】
メッセージは、音声、ビデオ、又は画像などの、種々のメディアを含むことができる。いくつかのシステムは、メディアをキャプチャし、伝送し、見るために、メッセージングアプリケーションの外部のメディアアプリケーションを立ち上げることをユーザに要求する場合がある。更に、メディアをメッセージ内に含めることは、コンテンツをキャプチャし、キャプチャされたコンテンツをメッセージ内に含め、メッセージを受信者へ送信するための複数のステップを実行することをユーザに要求する場合がある。このとき、受信者は、コンテンツを再生するか、若しくは見るために、複数のステップを実行するか、又は別個のメディアアプリケーションを明示的に立ち上げる必要がある場合がある。
【発明の概要】
【０００５】
メディアを共有することに加えて、ユーザはまた、メッセージアプリケーションの内部から自分たちのロケーション情報を１人以上の他のユーザと容易に共有するか、又は通信のための音声動作を開始したいと思う場合もある。メディア及びロケーション情報を迅速にキャプチャし、メッセージに含めて１人以上の受信者へ送信することを支援するか、又は１人以上の受信者への音声動作を開始するメッセージユーザインタフェースが望ましい。
【０００６】
しかし、電子デバイスを用いてメディア及びロケーション情報を共有するためのいくつかの技法は、概して、煩雑で非効率的である。例えば、メディア及び／又はロケーション情報の共有が支援される点において、既存の技法は、複数のキー押し又はキーストロークを含み得る、複雑で時間のかかるユーザインタフェースを用いる。既存の技術では、必要以上に時間がかかり、ユーザの時間及びデバイスのエネルギーを無駄にしてしまう。この後者の考慮事項は、バッテリ動作デバイスにおいては特に重要である。
【０００７】
いくつかの実施形態では、メッセージアプリケーションの内部からメディアをキャプチャし、送信するための方法は、タッチ感知面とディスプレイとを有する電子デバイスにおいて、ディスプレイ上に、メディアアフォーダンス、及びメッセージ会話の参加者の間で送信されたメッセージを表示するためのメッセージ領域を表示することと、ディスプレイ上におけるメディアアフォーダンスのロケーションに対応するタッチ感知面上のロケーションにおける接触を検出することを含む、タッチ感知面上におけるジェスチャを検出することと、接触を検出したことに応じて、ディスプレイ上に送信アフォーダンスを表示することと、タッチ感知面を横切る接触の移動を検出すること、及びそれに続き、タッチ感知面からの接触のリフトオフを検出することを含む、ジェスチャの続きを検出することと、接触が、ディスプレイ上における送信アフォーダンスのロケーションに対応するタッチ感知面上のロケーションへ移動したかどうかを判定することと、接触が、送信アフォーダンスのロケーションに対応するタッチ感知面上のロケーションへ移動したとの判定に従って、及びリフトオフを検出したことに応じて、ジェスチャの少なくとも一部分に応じてキャプチャされたメディアをメッセージ会話の参加者へ送信することと、を含む。
【０００８】
いくつかの実施形態では、メッセージアプリケーションの内部からビデオをキャプチャし、送信するための方法は、タッチ感知面とディスプレイとを有する電子デバイスにおいて、ディスプレイ上に、メディアアフォーダンス、及びメッセージ会話の参加者の間で送信されたメッセージを表示するためのメッセージ領域を表示することと、タッチ感知面上における第１の入力を検出することであって、第１の入力はディスプレイ上におけるメディアアフォーダンスのロケーションに対応する、ことと、第１の入力を検出したことに応じて、記録アフォーダンス及び送信アフォーダンスを表示することと、タッチ感知面上における第２の入力を検出することであって、第２の入力はディスプレイ上における記録アフォーダンスのロケーションに対応する、ことと、第２の入力を検出したことに応じて、ビデオを記録することを開始することと、タッチ感知面上における第３の入力を検出することであって、第３の入力はディスプレイ上における送信アフォーダンスのロケーションに対応する、ことと、第３の入力を検出したことに応じて、記録されたビデオを参加者へ送信することと、ディスプレイから送信アフォーダンス及び記録アフォーダンスを消去することと、を含む。
【０００９】
いくつかの実施形態では、メッセージアプリケーションの内部から音声メッセージをキャプチャし、送信し、再生するための方法は、タッチ感知面とディスプレイとを有する電子デバイスにおいて、メッセージ会話の第１の参加者から受信された第１の音声メッセージの表現を表示することと、第１の音声メッセージを再生せよとの要求を検出することと、要求を検出したことに応じて、第１の音声メッセージを再生することと、第１の音声メッセージを再生した後に、デバイスの持ち上げを検出することと、デバイスの持ち上げを検出したことに応じて、第２の音声メッセージを記録することと、第２の音声メッセージを記録した後に、第２の音声メッセージを第１の参加者へ送信することと、を含む。
【００１０】
いくつかの実施形態では、メッセージを会話内における表示のためにグループ化するための方法は、タッチ感知面とディスプレイとを備える電子デバイスにおいて、時間インターバル以内に第１の参加者から複数のメッセージを受信することと、複数のメッセージがメッセージグループ化基準を満たすかどうかを判定することと、複数のメッセージがメッセージグループ化基準を満たさないとの判定に従って、複数のメッセージを表現する複数の別個の境界されたメッセージ区域を表示することと、複数のメッセージがメッセージグループ化基準を満たすとの判定に従って、複数のメッセージを表現する、単一の、グループとして境界されたメッセージ区域を表示することと、を含む。
【００１１】
いくつかの実施形態では、メッセージ会話から、満期になったメッセージを削除するための方法は、タッチ感知面とディスプレイとを備える電子デバイスにおいて、第１のメッセージを受信することと、ディスプレイ上に第１のメッセージの表現を表示することであって、第１のメッセージは満期基準の満足時に削除されるようにスケジュールされる、ことと、第１のメッセージをキープするためのアフォーダンスを表示することと、アフォーダンスが満期基準の満足前に選択されたとの判定に従って、第１のメッセージをキープすることと、アフォーダンスの選択を検出することなく満期基準が満足されたとの判定に従って、ディスプレイ上に第１のメッセージの表現を表示することを中止することと、を含む。
【００１２】
いくつかの実施形態では、ロケーション情報を共有するための方法は、タッチ感知面とディスプレイとを備える電子デバイスにおいて、ディスプレイ上に、メッセージ会話の第１の参加者と第２の参加者との間で送信されたメッセージを表示するためのメッセージ領域を表示することと、第１の参加者のロケーションを、このロケーションが少なくとも所定の期間にわたって変化する際に、第２の参加者と共有するためのロケーション共有アフォーダンスを表示することと、ロケーション共有アフォーダンスの選択を検出することと、ロケーション共有アフォーダンスの選択を検出したことに応じて、少なくとも所定の期間中に、第２の参加者に、第２の参加者が第１の参加者の現在のロケーションを判定することを可能にする情報を提供することと、を含む。
【００１３】
いくつかの実施形態では、会話にメディアを追加するための方法は、カメラセンサと、タッチ感知面と、ディスプレイとを有する電子デバイスにおいて、ディスプレイ上に、メッセージ会話を表示するためのメッセージ領域を表示することと、メッセージ会話にメディアを追加せよとの要求を受信することと、要求を受信したことに応じて、メッセージ会話の少なくとも一部分と同時にメディア選択インタフェースを表示することであって、メディア選択インタフェースは、メディアをメッセージ会話への追加のために選択するための複数のアフォーダンスを含み、複数のアフォーダンスの少なくともサブセットは、メッセージ会話に追加するために利用可能なメディアのサムネイル表現を含む、ことと、複数のアフォーダンスからのそれぞれのアフォーダンスの選択を検出することと、それぞれのアフォーダンスの選択を検出したことに応じて、対応するメディアをメッセージ会話への追加のために選択することと、を含む。
【００１４】
いくつかの実施形態では、音声動作を開始するための方法は、マイクロフォンを備える電子デバイスにおいて、電子デバイスの運動、及び１つ以上の近接センサの測定値に基づいてデバイスのコンテクストの変化を検出することと、デバイスのコンテクストの変化を検出したことに応じて、デバイスが音声動作基準を満たすかどうかを判定することであって、音声動作基準は、電子デバイスの運動が運動基準を満足し、１つ以上の近接センサ測定値が近接基準を満足すると満たされる基準を含む、ことと、デバイスのコンテクストの変化が音声動作基準を満足するとの判定に従って、音声動作を開始することと、デバイスのコンテクストの変化が音声動作基準を満足しないとの判定に従って、音声動作の開始を見送ることと、を含む。
【００１５】
いくつかの実施形態では、音声メッセージを送信するための方法は、少なくとも１つのマイクロフォンを備える電子デバイスにおいて、指定された連絡先のための音声メッセージを記録せよとの要求として解釈される１つ以上の条件を検出することと、１つ以上の条件を検出したことに応じて、少なくとも１つのマイクロフォンを用いて音声記録を生成することと、音声記録が拒否基準を満たすかどうかを判定することと、拒否基準が満足されないとの判定に従って、音声記録を、指定された連絡先へ送信することと、拒否基準が満足されるとの判定に従って、指定された連絡先への音声記録の送信を見送ることと、を含む。
【００１６】
いくつかの実施形態では、メディアをキャプチャし、送信するための方法は、タッチ感知面とディスプレイとを有する電子デバイスにおいて、ディスプレイ上に、メディアアフォーダンス、メッセージ作成フィールド、及び参加者の間のメッセージ会話を表示することであって、メッセージ会話はメッセージ領域内に表示される、ことと、ディスプレイ上におけるメディアアフォーダンスのロケーションに対応するタッチ感知面上のロケーションにおける接触を検出することと、接触を検出したことに応じて、メッセージ作成フィールド内にライブメディアプレビュを表示することと、タッチ感知面からの接触のリフトオフを検出することと、リフトオフを検出したことに応じて、ライブメディアプレビュに基づく新しい画像をキャプチャすることと、キャプチャされた画像をメッセージ会話の参加者へ送信することと、を含む。
【図面の簡単な説明】
【００１７】
【図１Ａ】いくつかの実施形態に係る、タッチ感知ディスプレイを備えるポータブル多機能デバイスを示すブロック図である。
【００１８】
【図１Ｂ】いくつかの実施形態に係る、イベント処理のための例示的な構成要素を示すブロック図である。
【００１９】
【図２】いくつかの実施形態に係る、タッチスクリーンを有するポータブル多機能デバイスを示す図である。
【００２０】
【図３】いくつかの実施形態に係る、ディスプレイ及びタッチ感知面を備える例示的な多機能デバイスのブロック図である。
【００２１】
【図４Ａ】いくつかの実施形態に係る、ポータブル多機能デバイス上のアプリケーションのメニューのための例示的なユーザインタフェースを示す図である。
【００２２】
【図４Ｂ】いくつかの実施形態に係る、ディスプレイとは別個のタッチ感知面を備える多機能デバイスのための例示的なユーザインタフェースを示す図である。
【００２３】
【図５Ａ】いくつかの実施形態に係るパーソナル電子デバイスを示す図である。
【００２４】
【図５Ｂ】いくつかの実施形態に係るパーソナル電子デバイスを示すブロック図である。
【００２５】
【図６Ａ】いくつかの実施形態に係る例示的なメッセージングユーザインタフェースを示す図である。
【図６Ｂ】いくつかの実施形態に係る例示的なメッセージングユーザインタフェースを示す図である。
【００２６】
【図６Ｃ】いくつかの実施形態に係る例示的なメッセージングユーザインタフェースを示す図である。
【図６Ｄ】いくつかの実施形態に係る例示的なメッセージングユーザインタフェースを示す図である。
【００２７】
【図７Ａ】いくつかの実施形態に係る例示的なメッセージングユーザインタフェースを示す図である。
【図７Ｂ】いくつかの実施形態に係る例示的なメッセージングユーザインタフェースを示す図である。
【００２８】
【図７Ｃ】いくつかの実施形態に係る例示的なメッセージングユーザインタフェースを示す図である。
【図７Ｄ】いくつかの実施形態に係る例示的なメッセージングユーザインタフェースを示す図である。
【００２９】
【図８】いくつかの実施形態に係る例示的なメッセージングユーザインタフェースを示す図である。
【００３０】
【図９Ａ】いくつかの実施形態に係る例示的なメッセージングユーザインタフェースを示す図である。
【図９Ｂ】いくつかの実施形態に係る例示的なメッセージングユーザインタフェースを示す図である。
【００３１】
【図１０Ａ】いくつかの実施形態に係る例示的なメッセージングユーザインタフェースを示す図である。
【図１０Ｂ】いくつかの実施形態に係る例示的なメッセージングユーザインタフェースを示す図である。
【００３２】
【図１１Ａ】いくつかの実施形態に係る例示的なメッセージングユーザインタフェースを示す図である。
【図１１Ｂ】いくつかの実施形態に係る例示的なメッセージングユーザインタフェースを示す図である。
【００３３】
【図１１Ｃ】いくつかの実施形態に係る例示的なメッセージングユーザインタフェースを示す図である。
【図１１Ｄ】いくつかの実施形態に係る例示的なメッセージングユーザインタフェースを示す図である。
【図１１Ｅ】いくつかの実施形態に係る例示的なメッセージングユーザインタフェースを示す図である。
【００３４】
【図１１Ｆ】いくつかの実施形態に係る例示的なメッセージングユーザインタフェースを示す図である。
【図１１Ｇ】いくつかの実施形態に係る例示的なメッセージングユーザインタフェースを示す図である。
【００３５】
【図１２Ａ】いくつかの実施形態に係る例示的なメッセージングユーザインタフェースを示す図である。
【図１２Ｂ】いくつかの実施形態に係る例示的なメッセージングユーザインタフェースを示す図である。
【００３６】
【図１３Ａ】いくつかの実施形態に係る例示的なメッセージングユーザインタフェースを示す図である。
【図１３Ｂ】いくつかの実施形態に係る例示的なメッセージングユーザインタフェースを示す図である。
【図１３Ｃ】いくつかの実施形態に係る例示的なメッセージングユーザインタフェースを示す図である。
【００３７】
【図１４】いくつかの実施形態に係る例示的なメッセージングユーザインタフェースを示す図である。
【００３８】
【図１５Ａ】いくつかの実施形態に係る例示的なメッセージングユーザインタフェースを示す図である。
【図１５Ｂ】いくつかの実施形態に係る例示的なメッセージングユーザインタフェースを示す図である。
【００３９】
【図１６Ａ】いくつかの実施形態に係る例示的なメッセージングユーザインタフェースを示す図である。
【図１６Ｂ】いくつかの実施形態に係る例示的なメッセージングユーザインタフェースを示す図である。
【００４０】
【図１７Ａ】いくつかの実施形態に係る例示的なメッセージングユーザインタフェースを示す図である。
【図１７Ｂ】いくつかの実施形態に係る例示的なメッセージングユーザインタフェースを示す図である。
【図１７Ｃ】いくつかの実施形態に係る例示的なメッセージングユーザインタフェースを示す図である。
【００４１】
【図１８Ａ】いくつかの実施形態に係る例示的なメッセージングユーザインタフェースを示す図である。
【図１８Ｂ】いくつかの実施形態に係る例示的なメッセージングユーザインタフェースを示す図である。
【図１８Ｃ】いくつかの実施形態に係る例示的なメッセージングユーザインタフェースを示す図である。
【００４２】
【図１９Ａ】いくつかの実施形態に係る例示的なメッセージングユーザインタフェースを示す図である。
【図１９Ｂ】いくつかの実施形態に係る例示的なメッセージングユーザインタフェースを示す図である。
【００４３】
【図１９Ｃ】いくつかの実施形態に係る例示的なメッセージングユーザインタフェースを示す図である。
【図１９Ｄ】いくつかの実施形態に係る例示的なメッセージングユーザインタフェースを示す図である。
【００４４】
【図２０】いくつかの実施形態に係る例示的なメッセージングユーザインタフェースを示す図である。
【００４５】
【図２１Ａ】いくつかの実施形態に係る例示的なメッセージングユーザインタフェースを示す図である。
【図２１Ｂ】いくつかの実施形態に係る例示的なメッセージングユーザインタフェースを示す図である。
【００４６】
【図２２Ａ】いくつかの実施形態に係る例示的なメッセージングユーザインタフェースを示す図である。
【図２２Ｂ】いくつかの実施形態に係る例示的なメッセージングユーザインタフェースを示す図である。
【図２２Ｃ】いくつかの実施形態に係る例示的なメッセージングユーザインタフェースを示す図である。
【００４７】
【図２２Ｄ】いくつかの実施形態に係る例示的なメッセージングユーザインタフェースを示す図である。
【００４８】
【図２３Ａ】いくつかの実施形態に係る例示的なメッセージングユーザインタフェースを示す図である。
【図２３Ｂ】いくつかの実施形態に係る例示的なメッセージングユーザインタフェースを示す図である。
【図２３Ｃ】いくつかの実施形態に係る例示的なメッセージングユーザインタフェースを示す図である。
【００４９】
【図２４Ａ】いくつかの実施形態に係る例示的なメッセージングユーザインタフェースを示す図である。
【図２４Ｂ】いくつかの実施形態に係る例示的なメッセージングユーザインタフェースを示す図である。
【図２４Ｃ】いくつかの実施形態に係る例示的なメッセージングユーザインタフェースを示す図である。
【００５０】
【図２５Ａ】いくつかの実施形態に係る例示的なメッセージングユーザインタフェースを示す図である。
【図２５Ｂ】いくつかの実施形態に係る例示的なメッセージングユーザインタフェースを示す図である。
【００５１】
【図２５Ｃ】いくつかの実施形態に係る例示的なメッセージングユーザインタフェースを示す図である。
【図２５Ｄ】いくつかの実施形態に係る例示的なメッセージングユーザインタフェースを示す図である。
【図２５Ｅ】いくつかの実施形態に係る例示的なメッセージングユーザインタフェースを示す図である。
【００５２】
【図２６】いくつかの実施形態に係る例示的なメッセージングユーザインタフェースを示す図である。
【００５３】
【図２７Ａ】いくつかの実施形態に係る例示的なメッセージングユーザインタフェースを示す図である。
【図２７Ｂ】いくつかの実施形態に係る例示的なメッセージングユーザインタフェースを示す図である。
【図２７Ｃ】いくつかの実施形態に係る例示的なメッセージングユーザインタフェースを示す図である。
【００５４】
【図２８Ａ】いくつかの実施形態に係る例示的なメッセージングユーザインタフェースを示す図である。
【図２８Ｂ】いくつかの実施形態に係る例示的なメッセージングユーザインタフェースを示す図である。
【図２８Ｃ】いくつかの実施形態に係る例示的なメッセージングユーザインタフェースを示す図である。
【００５５】
【図２９Ａ】いくつかの実施形態に係る例示的なメッセージングユーザインタフェースを示す図である。
【図２９Ｂ】いくつかの実施形態に係る例示的なメッセージングユーザインタフェースを示す図である。
【図２９Ｃ】いくつかの実施形態に係る例示的なメッセージングユーザインタフェースを示す図である。
【００５６】
【図３０】いくつかの実施形態に係る例示的なメッセージングユーザインタフェースを示す図である。
【００５７】
【図３１】いくつかの実施形態に係る例示的なメッセージングユーザインタフェースを示す図である。
【００５８】
【図３２Ａ】いくつかの実施形態に係る例示的なメッセージングユーザインタフェースを示す図である。
【図３２Ｂ】いくつかの実施形態に係る例示的なメッセージングユーザインタフェースを示す図である。
【図３２Ｃ】いくつかの実施形態に係る例示的なメッセージングユーザインタフェースを示す図である。
【００５９】
【図３３】いくつかの実施形態に係る、メディアをキャプチャし、送信するためのプロセスを示すフロー図である。
【００６０】
【図３４】いくつかの実施形態に係る、メディアをキャプチャし、送信するためのプロセスを示すフロー図である。
【００６１】
【図３５】いくつかの実施形態に係る、メディアをキャプチャし、送信するためのプロセスを示すフロー図である。
【００６２】
【図３６】いくつかの実施形態に係る、メッセージをグループ化するためのプロセスを示すフロー図である。
【００６３】
【図３７】いくつかの実施形態に係る、満期基準に基づいてメッセージを管理するためのプロセスを示すフロー図である。
【００６４】
【図３８】いくつかの実施形態に係る、ロケーション情報を共有するためのプロセスを示すフロー図である。
【００６５】
【図３９】いくつかの実施形態に係る、会話にメディアを追加するためのプロセスを示すフロー図である。
【００６６】
【図４０】いくつかの実施形態に係る、音声動作を開始するためのプロセスを示すフロー図である。
【００６７】
【図４１Ａ】いくつかの実施形態に係る、音声動作を開始するためのプロセスを示すフロー図である。
【図４１Ｂ】いくつかの実施形態に係る、音声動作を開始するためのプロセスを示すフロー図である。
【００６８】
【図４２Ａ】いくつかの実施形態に係る、音声動作を開始するためのプロセスを示すフロー図である。
【図４２Ｂ】いくつかの実施形態に係る、音声動作を開始するためのプロセスを示すフロー図である。
【００６９】
【図４３Ａ】いくつかの実施形態に係る、音声動作を開始するためのプロセスを示すフロー図である。
【図４３Ｂ】いくつかの実施形態に係る、音声動作を開始するためのプロセスを示すフロー図である。
【図４３Ｃ】いくつかの実施形態に係る、音声動作を開始するためのプロセスを示すフロー図である。
【００７０】
【図４４Ａ】いくつかの実施形態に係る、音声動作を開始するためのプロセスを示すフロー図である。
【図４４Ｂ】いくつかの実施形態に係る、音声動作を開始するためのプロセスを示すフロー図である。
【００７１】
【図４４Ｃ】いくつかの実施形態に係る、音声動作を開始するためのプロセスを示すフロー図である。
【００７２】
【図４５Ａ】いくつかの実施形態に係る、音声動作を開始するためのプロセスを示すフロー図である。
【図４５Ｂ】いくつかの実施形態に係る、音声動作を開始するためのプロセスを示すフロー図である。
【００７３】
【図４５Ｃ】いくつかの実施形態に係る、音声動作を開始するためのプロセスを示すフロー図である。
【００７４】
【図４６】いくつかの実施形態に係る、音声記録を送信するためのプロセスを示すフロー図である。
【００７５】
【図４７Ａ】いくつかの実施形態に係る、音声記録を送信するためのプロセスを示すフロー図である。
【図４７Ｂ】いくつかの実施形態に係る、音声記録を送信するためのプロセスを示すフロー図である。
【００７６】
【図４７Ｃ】いくつかの実施形態に係る、音声記録を送信するためのプロセスを示すフロー図である。
【図４７Ｄ】いくつかの実施形態に係る、音声記録を送信するためのプロセスを示すフロー図である。
【００７７】
【図４８Ａ】いくつかの実施形態に係る、音声記録を送信するためのプロセスを示すフロー図である。
【図４８Ｂ】いくつかの実施形態に係る、音声記録を送信するためのプロセスを示すフロー図である。
【００７８】
【図４９】いくつかの実施形態に係る、メディアをキャプチャし、送信するためのプロセスを示すフロー図である。
【００７９】
【図５０】いくつかの実施形態に係る電子デバイスの機能ブロック図である。
【００８０】
【図５１】いくつかの実施形態に係る電子デバイスの機能ブロック図である。
【００８１】
【図５２】いくつかの実施形態に係る電子デバイスの機能ブロック図である。
【００８２】
【図５３】いくつかの実施形態に係る電子デバイスの機能ブロック図である。
【００８３】
【図５４】いくつかの実施形態に係る電子機デバイスの機能ブロック図である。
【００８４】
【図５５】いくつかの実施形態に係る電子デバイスの機能ブロック図である。
【００８５】
【図５６】いくつかの実施形態に係る電子デバイスの機能ブロック図である。
【００８６】
【図５７】いくつかの実施形態に係る電子デバイスの機能ブロック図である。
【００８７】
【図５８】いくつかの実施形態に係る電子デバイスの機能ブロック図である。
【００８８】
【図５９】いくつかの実施形態に係る電子デバイスの機能ブロック図である。
【発明を実施するための形態】
【００８９】
以下の説明では、例示的な方法、パラメータなどが記載される。ただし、このような説明は、本開示の範囲に対する限定として意図されているのではなく、代わりに、例示的な実施形態の説明として提供されることを理解されたい。
【００９０】
ポータブル電子デバイス上でメディアコンテンツ又はロケーションデータをキャプチャし、送信し、再生するためのより高速で、より効率的な方法及びインタフェースを有する電子デバイスが必要とされている。例えば、ユーザがメッセージングアプリケーションの内部からメディアコンテンツをキャプチャし、送信することを可能にするユーザインタフェースは、このようなコンテンツを共有するために必要な入力の数を低減し、メッセージ会話に参加しているユーザの認知負担を軽減することができ、それにより、生産性を向上させる。更に、そのような技術は、そうでなければ余分なユーザ入力において浪費される、プロセッサ及びバッテリ電力を低減し得る。
【００９１】
以下において、図１Ａ〜図１Ｂ、図２、図３、図４Ａ〜図４Ｂ、図５Ａ〜図５Ｂ、及び図５０〜図５９は、メディアオブジェクト又はロケーションコンテンツをキャプチャし、送信し、かつ再生するか、又は見るための技法を実行するための例示的なデバイスの説明を提供する。図６Ａ〜図３２Ｃは、メディアオブジェクト又はロケーションコンテンツをキャプチャするか、送信するか、再生するか、又は見るため、及び記録された音声メッセージを送信するための例示的なユーザメッセージユーザインタフェースを示す。図３３〜図４９は、メディア及びロケーションコンテンツをキャプチャし、送信し、かつ再生するか、若しくは見る方法、メッセージを表示のためにグループ化する方法、会話から満期になったメッセージを消去する方法、音声動作を開始する方法、並びに記録されたメッセージを送信する方法を示すフロー図である。
【００９２】
以下の説明では、様々な要素を説明するために「第１」、「第２」などの用語が使用されるが、これらの要素はこれらの用語によって限定されるべきではない。これらの用語は、ある要素を別の要素と区別するためにのみ使用される。例えば、説明されている様々な実施形態の範囲から逸脱することなく、第１のタッチは第２のタッチと称することができ、同様に、第２のタッチは第１のタッチと称し得る。第１のタッチと第２のタッチはともにタッチであるが、同じタッチではない。
【００９３】
本明細書で説明される様々な実施形態の説明で使用される用語法は、特定の実施形態を説明することのみを目的とするものであって、限定することを意図するものではない。説明される様々な実施形態の説明及び添付の特許請求の範囲で使用されるとき、単数形「ａ」、「ａｎ」、及び「ｔｈｅ」は、文脈がそうではないことを明確に示さない限り、複数形もまた含むことが意図される。本明細書で使用されるときに、用語「及び／又は」が、関連する列挙された項目のうちの１つ以上の全ての可能な任意の組み合わせを指し、かつこれを含むことをもまた理解されたい。更に、用語「ｉｎｃｌｕｄｅｓ（含む）」、「ｉｎｃｌｕｄｉｎｇ（含む）」、「ｃｏｍｐｒｉｓｅｓ（備える）」、及び／又は「ｃｏｍｐｒｉｓｉｎｇ（備える）」は、本明細書で使用される場合、記述される特徴、整数、ステップ、動作、要素、及び／又は構成要素の存在を指定するが、１つ以上の他の特徴、整数、ステップ、動作、要素、構成要素、及び／又はそれらの群の存在若しくは追加を排除するものではないことが理解されるであろう。
【００９４】
用語「ｉｆ（〜場合に）」は、文脈に応じて「ｗｈｅｎ（〜ときに）」、「ｕｐｏｎ（〜ときに）」、「ｉｎ  ｒｅｓｐｏｎｓｅ  ｔｏ  ｄｅｔｅｒｍｉｎｉｎｇ（〜という判定に応じて）」、又は「ｉｎ  ｒｅｓｐｏｎｓｅ  ｔｏ  ｄｅｔｅｃｔｉｎｇ（〜を検出したことに応じて）」を意味すると解釈することができる。同様に、句「ｉｆ  ｉｔ  ｉｓ  ｄｅｔｅｒｍｉｎｅｄ（〜と判定される場合に）」又は「ｉｆ［ａ  ｓｔａｔｅｄ  ｃｏｎｄｉｔｉｏｎ  ｏｒ  ｅｖｅｎｔ］ｉｓ  ｄｅｔｅｃｔｅｄ（［述べられる条件又はイベント］が検出される場合に）」は、文脈に応じて「ｕｐｏｎ  ｄｅｔｅｒｍｉｎｉｎｇ（〜と判定される時に）」、「ｉｎ  ｒｅｓｐｏｎｓｅ  ｔｏ  ｄｅｔｅｒｍｉｎｉｎｇ（〜との判定に応じて）」、「ｕｐｏｎ  ｄｅｔｅｃｔｉｎｇ［ｔｈｅ  ｓｔａｔｅｄ  ｃｏｎｄｉｔｉｏｎ  ｏｒ  ｅｖｅｎｔ］（［述べられる条件又はイベント］の検出時に）」、又は「ｉｎ  ｒｅｓｐｏｎｓｅ  ｔｏ  ｄｅｔｅｃｔｉｎｇ［ｔｈｅ  ｓｔａｔｅｄ  ｃｏｎｄｉｔｉｏｎ  ｏｒ  ｅｖｅｎｔ］（［述べられる条件又はイベント］の検出に応じて）」を意味すると解釈することができる。
【００９５】
電子デバイス、そのようなデバイス用のユーザインタフェース、及びそのようなデバイスを使用するための関連プロセスの、実施形態を説明する。いくつかの実施形態では、このデバイスは、ＰＤＡ機能及び／又は音楽再生機能などの、他の機能をも含む、モバイル電話機などのポータブル通信デバイスである。ポータブル多機能デバイスの例示的な実施形態としては、限定するものではないが、Ｃａｌｉｆｏｒｎｉａ州ＣｕｐｅｒｔｉｎｏのＡｐｐｌｅ  Ｉｎｃ．からのｉＰｈｏｎｅ（登録商標）、ｉＰｏｄ  Ｔｏｕｃｈ（登録商標）、及びｉＰａｄ（登録商標）デバイスが挙げられる。タッチ感知面（例えば、タッチスクリーンディスプレイ及び／又はタッチパッド）を備えたラップトップ又はタブレットコンピュータなどの、他のポータブル電子デバイスも任意選択的に使用される。また、いくつかの実施形態では、デバイスはポータブル通信デバイスではなく、タッチ感知面（例えば、タッチスクリーンディスプレイ及び／又はタッチパッド）を備えたデスクトップコンピュータであることを理解されたい。
【００９６】
以下の論考では、ディスプレイ及びタッチ感知面を備える電子デバイスを説明する。しかし、電子デバイスは、物理キーボード、マウス、及び／又はジョイスティックなどの、１つ以上の他の物理ユーザインタフェースデバイスを任意選択的に含むことを理解されたい。デバイスは、描画アプリケーション、プレゼンテーションアプリケーション、ワードプロセッシングアプリケーション、ウェブサイト作成アプリケーション、ディスクオーサリングアプリケーション、スプレッドシートアプリケーション、ゲームアプリケーション、電話アプリケーション、テレビ会議アプリケーション、電子メールアプリケーション、インスタントメッセージングアプリケーション、トレーニングサポートアプリケーション、写真管理アプリケーション、デジタルカメラアプリケーション、デジタルビデオカメラアプリケーション、ウェブブラウジングアプリケーション、デジタル音楽プレーヤアプリケーション、及び／又はデジタルビデオプレーヤアプリケーションのうちの１つ以上などの、様々なアプリケーションをサポートしてもよい。
【００９７】
このデバイス上で実行される様々なアプリケーションは、タッチ感知面などの、少なくとも１つの共通の物理ユーザインタフェースデバイスを、任意選択的に使用する。タッチ感知面の１つ以上の機能並びにデバイス上に表示される対応する情報は、１つのアプリケーションから次のアプリケーションへ、及び／又は対応するアプリケーションの中で、任意選択的に、調整、及び／又は変更される。この方式で、そのデバイスの共通の（タッチ感知面などの）物理アーキテクチャは、ユーザにとって直観的かつ透過的なユーザインタフェースを有する様々なアプリケーションを、任意選択的にサポートする。
【００９８】
ここで、タッチ感知ディスプレイを備えるポータブルデバイスの実施形態に注意を向ける。図１Ａは、いくつかの実施形態に係る、タッチ感知ディスプレイシステム１１２を備えるポータブル多機能デバイス１００を示すブロック図である。タッチ感知ディスプレイ１１２は、便宜上「タッチスクリーン」と呼ばれる場合があり、「タッチ感知ディスプレイシステム」として知られるか、又はそのように呼ばれる場合もある。デバイス１００は、メモリ１０２（任意選択的に、１つ以上のコンピュータ可読記憶媒体を含む）、メモリコントローラ１２２、１つ以上の処理ユニット（ＣＰＵ）１２０、周辺機器インタフェース１１８、ＲＦ回路１０８、オーディオ回路１１０、スピーカ１１１、マイクロフォン１１３、入出力（Ｉ／Ｏ）サブシステム１０６、その他の入力コントロールデバイス１１６、及び外部ポート１２４を含む。デバイス１００は、１つ以上の光センサ１６４を、任意選択的に含む。デバイス１００は、デバイス１００（例えば、デバイス１００のタッチ感知ディスプレイシステム１１２などのタッチ感知面）上の接触の強度を検出するための、１つ以上の接触強度センサ１６５を任意選択的に含む。デバイス１００は、デバイス１００上に触知出力を生成する（例えば、デバイス１００のタッチ感知ディスプレイシステム１１２又はデバイス３００のタッチパッド３５５などの、タッチ感知面上に触知出力を生成する）ための、１つ以上の触知出力生成器１６７を、任意選択的に含む。これらの構成要素は、１つ以上の通信バス又は信号ライン１０３を介して、任意選択的に通信する。
【００９９】
本明細書及び特許請求の範囲で使用されるとき、タッチ感知面上の接触の「強度」という用語は、タッチ感知面上の接触（例えば、指接触）の力又は圧力（単位面積当りの力）、あるいはタッチ感知面上の接触の力又は圧力の代替物（代用物）を指す。接触の強度は、少なくとも４つの異なる数値を含み、より典型的には、数百以上の異なる数値（例えば、少なくとも２５６）を含む、数値の範囲を有する。接触の強度は、様々な方法及び様々なセンサ、又はセンサの組み合わせを使用して、任意選択的に、判定（又は、測定）される。例えば、タッチ感知面の下に又は隣接して配置された１つ以上の力センサは、タッチ感知面上の様々な点における力を測定するために、任意選択的に用いられる。いくつかの実装において、複数の力センサの力測定値を組み合わせて（例えば、加重平均）、接触の推定の力を判定する。同様に、スタイラスの感圧性先端部を任意選択的に使用して、タッチ感知面上のスタイラスの圧力を判定する。別の方法としては、タッチ感知面上で検出される接触領域のサイズ及び／若しくはその変化、接触に近接するタッチ感知面の電気容量及び／若しくはその変化、並びに／又は、接触に近接するタッチ感知面の抵抗及び／若しくはその変化が、タッチ感知面上の接触の力又は圧力の代用物として、任意選択的に用いられる。いくつかの実装において、接触の力又は圧力の代替的測定値は、強度閾値を超えているかを判定するために直接に用いられる（例えば、強度閾値は、代替的測定値に対応する単位で記述される）。いくつかの実装において、接触の力又は圧力の代替的測定値は、推定される力又は圧力に変換され、この推定される力又は圧力を用いて、強度閾値を超えているか判定される（例えば、強度閾値は、圧力の単位で測定された圧力閾値である）。接触の強度をユーザ入力の属性として使用することは、アフォーダンスを（例えば、タッチ感知ディスプレイ上に）表示するため、及び／又はユーザ入力を（例えば、タッチ感知ディスプレイ、タッチ感知面、又はノブ若しくはボタンなどの物理的／機械的制御を介して）受信するための面積が制限された、低減されたサイズのデバイスにおいて、ユーザによるアクセスが他の場合に不可能であり得る、追加のデバイス機能へのユーザのアクセスを可能にする。
【０１００】
本明細書及び特許請求の範囲で使用されるとき、用語「触知出力」は、ユーザの触覚でユーザによって検出されることになる、デバイスの従前の位置に対するデバイスの物理的変位、デバイスの構成要素（例えば、タッチ感知面）の、デバイスの別の構成要素（例えば、筐体）に対する物理的変位、又はデバイスの質量中心に対する構成要素の変位を指す。例えば、デバイス又はデバイスの構成要素が、タッチに敏感なユーザの表面（例えば、ユーザの手の指、手のひら、又は他の部分）に接触している状況において、物理的変位によって生成された触知出力は、デバイス又はデバイスの構成要素の物理的特性の認識された変化に相当する触感として、ユーザによって解釈される。例えば、タッチ感知面（例えば、タッチ感知ディスプレイ又はトラックパッド）の移動は、ユーザによって、物理アクチュエータボタンの「ダウンクリック」又は「アップクリック」として、任意選択的に解釈される。いくつかの場合、ユーザの移動により物理的に押された（例えば、変位された）タッチ感知面に関連付けられた物理アクチュエータボタンの移動がない時でさえ、ユーザは「ダウンクリック」又は「アップクリック」などの触感を感じる。別の例として、タッチ感知面の移動は、タッチ感知面の平滑度に変化がない時でさえ、タッチ感知面の「粗さ」としてユーザによって、任意選択的に、解釈又は感じられる。このようなユーザによるタッチの解釈は、ユーザの個別の感覚認知によるが、大多数のユーザに共通したタッチの感覚認知が数多くある。したがって、触知出力が、ユーザの特定の感覚認知（例えば、「アップクリック」「ダウンクリック」、「粗さ」）に対応するものと記述される場合、別途記載のない限り、生成された触知出力は、典型的な（又は、平均的な）ユーザの記述された感覚認知を生成するデバイス、又はデバイスの構成要素の物理的変位に対応する。
【０１０１】
デバイス１００は、ポータブル多機能デバイスの一実施例に過ぎず、デバイス１００は、示されるものよりも多いか若しくは少ない構成要素を任意選択的に有するか、２つ以上の構成要素を任意選択的に組み合わせるか、又は構成要素の異なる構成若しくは配置を任意選択的に有することを理解されたい。図１Ａに示される様々な構成要素は、１つ以上の信号処理回路及び／又は特定用途向け集積回路を含む、ハードウェア、ソフトウェア、又はハードウェア及びソフトウェアの双方の組み合わせの形態で実装される。
【０１０２】
メモリ１０２は、１つ以上のコンピュータ可読記憶媒体を含んでもよい。コンピュータ可読記憶媒体は、有形かつ非一時的であってもよい。メモリ１０２は高速ランダムアクセスメモリを含んでよく、また、１つ以上の磁気ディスク記憶デバイス、フラッシュメモリデバイス、又は他の不揮発性固体メモリデバイスなどの、不揮発性メモリを含んでもよい。メモリコントローラ１２２は、デバイス１００の他の構成要素によるメモリ１０２へのアクセスを制御してもよい。
【０１０３】
周辺機器インタフェース１１８を使用して、このデバイスの入力及び出力周辺機器を、ＣＰＵ１２０及びメモリ１０２に連結することができる。１つ以上のプロセッサ１２０は、デバイス１００のための様々な機能を実行するため並びにデータ処理を行うために、メモリ１０２に記憶された様々なソフトウェアプログラム及び／若しくは命令セットを走らせたり、又は実行したりする。いくつかの実施形態では、周辺機器インタフェース１１８、ＣＰＵ１２０、及びメモリコントローラ１２２はチップ１０４などの単一チップ上に実装されてもよい。一部の他の実施形態では、それらは、別個のチップ上に実装することができる。
【０１０４】
ＲＦ（無線周波数）回路１０８は、電磁信号とも呼ばれるＲＦ信号を送受信する。ＲＦ回路１０８は、電気信号を電磁信号に、又は電磁信号を電気信号に変換し、電磁信号を介して通信ネットワーク及び他の通信デバイスと通信する。ＲＦ回路１０８は、アンテナシステム、ＲＦ送受信機、１つ以上の増幅器、同調器、１つ以上の発振器、デジタル信号プロセッサ、ＣＯＤＥＣチップセット、加入者識別モジュール（ＳＩＭ：subscriber identity module）カード、メモリなどを含むがこれらに限定されない、上記の機能を実行するための周知の回路を、任意選択的に含む。ＲＦ回路１０８は、インターネット情報検索システム（ＷＷＷ）とも呼ばれるインターネットなどのネットワーク、セルラー電話ネットワークなどのイントラネット及び／又は無線ネットワーク、ワイアレスローカルエリアネットワーク（ＬＡＮ）及び／又はメトロポリタンエリアネットワーク（ＭＡＮ）、及び他のデバイスと無線通信によって、任意選択的に通信する。ＲＦ回路１０８は、狭域通信無線によるなどして、近距離通信（ＮＦＣ：near field communication）の界を検出するための周知の回路を任意選択的に含む。無線通信は、複数の通信規格、通信プロトコル、及び通信技術のうちのいずれかを、任意選択的に使用し、それらの通信規格、通信プロトコル、及び通信技術としては、移動通信用のグローバルシステム（ＧＳＭ（登録商標）：Global System for Mobile Communications）、拡張データＧＳＭ環境（ＥＤＧＥ：Enhanced Data GSM Environment）、高速ダウンリンクパケット接続（ＨＳＤＰＡ：high-speed downlink packet access）、高速アップリンクパケット接続（ＨＳＵＰＡ：high-speed uplink packet access）、Ｅｖｏｌｕｔｉｏｎ，Ｄａｔａ−Ｏｎｌｙ（ＥＶ−ＤＯ）、ＨＳＰＡ、ＨＳＰＡ＋、２重セルＨＳＰＡ（Ｄｕａｌ−Ｃｅｌｌ  ＨＳＰＡ、ＤＣ−ＨＳＰＤＡ）、ロングタームエボリューション（ＬＴＥ：long term evolution）、近距離無線通信（ＮＦＣ）、広帯域符号分割多元接続（Ｗ−ＣＤＭＡ：wideband code division multiple access）、符号分割多元接続（ＣＤＭＡ：code division multiple access）、時分割多元接続（ＴＤＭＡ：time division multiple access）、Ｂｌｕｅｔｏｏｔｈ（登録商標）、Ｂｌｕｅｔｏｏｔｈ  Ｌｏｗ  Ｅｎｅｒｇｙ（ＢＴＬＥ）、Ｗｉｒｅｌｅｓｓ  Ｆｉｄｅｌｉｔｙ（Ｗｉ−Ｆｉ）（登録商標）（例えば、ＩＥＥＥ  ８０２．１１ａ、ＩＥＥＥ  ８０２．１１ｂ、ＩＥＥＥ  ８０２．１１ｇ、ＩＥＥＥ  ８０２．１１ｎ、及び／又はＩＥＥＥ  ８０２．１１ａｃ）、ボイスオーバーインターネットプロトコル（ＶｏＩＰ：voice over Internet Protocol）、Ｗｉ−ＭＡＸ、電子メール用のプロトコル（例えば、インターネットメッセージアクセスプロトコル（ＩＭＡＰ：Internet message access protocol）及び／又はポストオフィスプロトコル（ＰＯＰ：post office protocol））、インスタントメッセージング（例えば、拡張可能メッセージング及びプレゼンスプロトコル（ＸＭＰＰ：extensible messaging and presence protocol）、インスタントメッセージング及びプレゼンス利用拡張向けセッション開始プロトコル（ＳＩＭＰＬＥ：Session Initiation Protocol for Instant Messaging and Presence Leveraging Extensions）、インスタントメッセージング及びプレゼンスサービス（ＩＭＰＳ：Instant Messaging and Presence Service））、及び／又はシ��ートメッセージサービス（ＳＭＳ：Short Message Service）、あるいは本文書の出願日現在までに未だ開発されていない通信プロトコルを含めた任意の他の好適な通信プロトコルが挙げられるが、これらに限定されない。
【０１０５】
オーディオ回路１１０、スピーカ１１１、及びマイクロフォン１１３は、ユーザとデバイス１００との間のオーディオインタフェースを提供する。音声回路１１０は、周辺機器インタフェース１１８から音声データを受信し、音声データを電気信号に変換し、電気信号をスピーカ１１１に送信する。スピーカ１１１は、電気信号を人間の可聴音波に変換する。音声回路１１０は、マイクロフォン１１３により音波から変換された電気信号も受信する。音声回路１１０は、電気信号を音声データに変換し、処理するために音声データを周辺機器インタフェース１１８に送出する。オーディオデータは周辺機器インタフェース１１８によって、メモリ１０２及び／又はＲＦ回路１０８から取得され、かつ／あるいはメモリ１０２及び／又はＲＦ回路１０８に送信されてもよい。いくつかの実施形態では、オーディオ回路１１０は更にヘッドセットジャック（例えば、図２の２１２）を備える。ヘッドセットジャックは、オーディオ回路１１０と、出力専用ヘッドホン又は出力（例えば、片耳又は両耳用のヘッドホン）及び入力（例えば、マイクロフォン）の両方を持つヘッドセットなどの、取り外し可能なオーディオ入出力周辺機器との間のインタフェースを提供する。
【０１０６】
Ｉ／Ｏサブシステム１０６は、周辺機器インタフェース１１８に、タッチスクリーン１１２及び他の入力コントロールデバイス１１６などのデバイス１００の入出力周辺機器を連結する。Ｉ／Ｏサブシステム１０６は、ディスプレイコントローラ１５６、光センサコントローラ１５８、強度センサコントローラ１５９、触覚フィードバックコントローラ１６１、及び他の入力又は制御デバイス用の１つ以上の入力コントローラ１６０を任意選択的に含む。１つ以上の入力コントローラ１６０は、他の入力コントロールデバイス１１６から／へ電気信号を受信／送信する。他の入力コントロールデバイス１１６は、物理ボタン（例えば、プッシュボタン、ロッカボタンなど）、ダイアル、スライダースイッチ、ジョイスティック、クリックホイールなどを、任意選択的に含む。いくつかの代替的実施形態では、入力コントローラ（１つ又は複数）１６０は、キーボード、赤外線ポート、ＵＳＢポート、及びマウスなどのポインタデバイスのうちのいずれかに任意選択的に結合される（又は、いずれにも結合されない）。１つ以上のボタン（例えば、図２の２０８）は、スピーカ１１１及び／又はマイクロフォン１１３の音量調節のためのアップ／ダウンボタンを、任意選択的に、含む。１つ以上のボタンは、プッシュボタン（例えば、図２の２０６）を、任意選択的に、含む。
【０１０７】
２００５年１２月２３日に出願された、米国特許第７，６５７，８４９号である米国特許出願第１１／３２２，５４９号、「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」に記載されているように、プッシュボタンの素早い押下により、タッチスクリーン１１２のロックが解かれるか、又はタッチスクリーン上のジェスチャを用いてデバイスをロック解除する処理が開始されてもよい。同出願はその全体が本明細書において参照により組み込まれている。プッシュボタン（例えば、２０６）のより長い押下により、デバイス１００への電源が入れられるか又は切られてもよい。ユーザは、１つ以上のボタンの機能性をカスタマイズすることが可能であってもよい。タッチスクリーン１１２は、仮想又はソフトボタン及び１つ以上のソフトキーボードを実現するために用いられる。
【０１０８】
タッチ感知ディスプレイ１１２は、デバイスとユーザとの間の入力インタフェース及び出力インタフェースを提供する。ディスプレイコントローラ１５６は、タッチスクリーン１１２から／へ電気信号を受信し及び／又は送信する。タッチスクリーン１１２は、ユーザに視覚出力を表示する。この視覚出力は、グラフィック、テキスト、アイコン、ビデオ、及びそれらの任意の組み合わせ（「グラフィック」と総称される）を含み得る。いくつかの実施形態では、これらの視覚出力の一部又は全てはユーザインタフェースオブジェクトに対応してもよい。
【０１０９】
タッチスクリーン１１２は、触覚及び／若しくは触知接触に基づくユーザからの入力を受け付けるタッチ感知面、センサ、又はセンサのセットを有する。タッチスクリーン１１２及びディスプレイコントローラ１５６（メモリ１０２内の任意の関連モジュール及び／又は命令セットと共に）は、タッチスクリーン１１２上における接触（並びに接触の任意の移動若しくは中断）を検出し、検出された接触を、タッチスクリーン１１２上に表示されたユーザインタフェースオブジェクト（例えば、１つ以上のソフトキー、アイコン、ウェブページ、又は画像）との対話に変換する。ある例示的な実施形態では、タッチスクリーン１１２とユーザとの間の接触点は、ユーザの指に対応する。
【０１１０】
タッチスクリーン１１２は、ＬＣＤ（liquid crystal display、液晶ディスプレイ）技術、ＬＰＤ（light emitting polymer display、発光ポリマーディスプレイ）技術、又はＬＥＤ（light emitting diode、発光ダイオード）技術を用いてもよいが、他の実施形態では、その他のディスプレイ技術が使用されてもよい。タッチスクリーン１１２及びディスプレイコントローラ１５６は、限定するものではないが、静電容量技術、抵抗性技術、赤外線技術、及び表面超音波技術、並びにタッチスクリーン１１２との１つ以上の接触点を判定するための、他の近接センサアレイ又は他の要素を含む、現在知られているか若しくは今後開発される複数のタッチ感知技術のうちのいずれかを使用して、接触及びそのあらゆる移動若しくは中断を検出してもよい。例示的な実施形態では、Ｃａｌｉｆｏｒｎｉａ州ＣｕｐｅｒｔｉｎｏのＡｐｐｌｅ  Ｉｎｃ．からのｉＰｈｏｎｅ（登録商標）及びｉＰｏｄ  Ｔｏｕｃｈ（登録商標）において見られるものなどの、投影型相互キャパシタンス感知技術が使用されている。
【０１１１】
タッチスクリーン１１２のいくつかの実施形態におけるタッチ感知ディスプレイは、以下の米国特許、第６，３２３，８４６号（Ｗｅｓｔｅｒｍａｎら）、第６，５７０，５５７号（Ｗｅｓｔｅｒｍａｎら）、及び／若しくは第６，６７７，９３２号（Ｗｅｓｔｅｒｍａｎ）、並びに／又は米国特許出願公開第２００２／００１５０２４（Ａ１）号に記載されているマルチタッチ感知タッチパッドに類似していてもよい。これらの文献はそれぞれその全体が本明細書において参照により組み込まれている。ただし、タッチスクリーン１１２はデバイス１００からの視覚出力を表示するのに対して、タッチ感知タッチパッドは視覚出力を提供しない。
【０１１２】
タッチスクリーン１１２のいくつかの実施形態におけるタッチ感知ディスプレイは、以下の出願で説明されているとおりであってもよい。（１）米国特許出願第１１／３８１，３１３号、「Ｍｕｌｔｉｐｏｉｎｔ  Ｔｏｕｃｈ  Ｓｕｒｆａｃｅ  Ｃｏｎｔｒｏｌｌｅｒ」、２００６年５月２日出願、（２）米国特許出願第１０／８４０，８６２号、「Ｍｕｌｔｉｐｏｉｎｔ  Ｔｏｕｃｈｓｃｒｅｅｎ」、２００４年５月６日出願、（３）米国特許出願第１０／９０３，９６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、２００４年７月３０日出願、（４）米国特許出願第１１／０４８，２６４号、「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、２００５年１月３１日出願、（５）米国特許出願第１１／０３８，５９０号、「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」、２００５年１月１８日出願、（６）米国特許出願第１１／２２８，７５８号、「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」、２００５年９月１６日出願、（７）米国特許出願第１１／２２８，７００号、「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」、２００５年９月１６日出願、（８）米国特許出願第１１／２２８，７３７号、「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」、２００５年９月１６日出願、及び（９）米国特許出願第１１／３６７，７４９号、「Ｍｕｌｔｉ−Ｆｕｎｃｔｉｏｎａｌ  Ｈａｎｄ−Ｈｅｌｄ  Ｄｅｖｉｃｅ」、２００６年３月３日出願。これらの出願は全てそれらの全体が本明細書において参照により組み込まれている。
【０１１３】
タッチスクリーン１１２は、１００ｄｐｉを超えるビデオ解像度を有してもよい。いくつかの実施形態において、タッチスクリーンは約１６０ｄｐｉの映像解像度を有する。ユーザは、スタイラス、指などの、任意の好適な物体又は付属物を使用して、タッチスクリーン１１２に接触してよい。いくつかの実施形態では、ユーザインタフェースは、主として指に基づく接触及びジェスチャで機能するように設計され、タッチスクリーン上の指の接触面積が広いことにより、スタイラスに基づく入力よりも精度が低いことがある。いくつかの実施形態では、デバイスは、粗い、指に基づく入力を、正確なポインタ／カーソル位置又はユーザの望むアクションを実行するためのコマンドに変換する。
【０１１４】
いくつかの実施形態では、タッチスクリーンに加えて、デバイス１００は、特定の機能をアクティブ化又は停止させるためのタッチパッド（図示せず）を含んでもよい。いくつかの実施形態において、タッチパッドは、タッチスクリーンとは異なり、視覚出力を表示しない、デバイスのタッチ感知エリアである。タッチパッドは、タッチスクリーン１１２とは別個のタッチ感知面、又はタッチスクリーンによって形成されるタッチ感知面の拡張部であってもよい。
【０１１５】
デバイス１００はまた、様々な構成要素に電力を供給するための電力システム１６２をも含む。電力システム１６２は、電力管理システム、１つ以上の電源（例えば、バッテリ、交流（ＡＣ：alternating current））、再充電システム、停電検出回路、電力コンバータ又はインバータ、電力状態インジケータ（例えば、発光ダイオード（ＬＥＤ））、並びにポータブルデバイスにおける電力の生成、管理、及び分配に関連付けられる任意の他の構成要素を含んでもよい。
【０１１６】
デバイス１００は１つ以上の光センサ１６４も含んでもよい。図１Ａは、Ｉ／Ｏサブシステム１０６内の光センサコントローラ１５８に結合された光センサを示す。光センサ１６４は、電荷結合素子（ＣＣＤ：charge-coupled device）又は相補的金属酸化物半導体（ＣＭＯＳ：complementary metal-oxide semiconductor）フォトトランジスタを含んでもよい。光センサ１６４は、１つ以上のレンズを通して投影された、環境からの光を受光し、その光を、画像を表すデータに変換する。撮像モジュール１４３（カメラモジュールとも呼ばれる）と連動して、光センサ１６４は静止画像又はビデオを取り込んでもよい。いくつかの実施形態では、タッチスクリーンディスプレイを静止画像及び／又はビデオ画像取得のためのビューファインダとして使用することができるように、デバイスの前面のタッチスクリーンディスプレイ１１２の反対側である、デバイス１００の背面に光センサが配置されている。いくつかの実施形態では、ユーザが他のテレビ会議参加者をタッチスクリーンディスプレイ上で見るのと同時に、ユーザの画像をテレビ会議のために得ることができるように、デバイスの前面に光センサが配置されている。いくつかの実施形態では、光センサ１６４の位置はユーザによって（例えば、デバイス筐体内のレンズ及びセンサを回転させることによって）変更することができ、それにより、単一の光センサ１６４をタッチスクリーンディスプレイと共にビデオ会議並びに静止画像及び／若しくはビデオ画像取得のどちらにも用い得るようにしている。
【０１１７】
デバイス１００はまた、１つ以上の接触強度センサ１６５をも任意選択的に含む。図１Ａは、Ｉ／Ｏサブシステム１０６内の強度センサコントローラ１５９に結合された接触強度センサを示す。接触強度センサ１６５は、１つ以上のピエゾ抵抗ひずみゲージ、電気容量式力センサ、電気力センサ、圧電力センサ、光学力センサ、容量式タッチ感知面、又は他の強度センサ（例えば、タッチ感知面上の接触の力（又は圧力）を測定するために使用するセンサ）を、任意選択的に含む。接触強度センサ１６５は、環境から接触強度情報（例えば、圧力情報又は圧力情報のプロキシ）を受信する。いくつかの実施形態において、少なくとも１つの接触強度センサが、タッチ感知面（例えば、タッチ感知ディスプレイシステム１１２）に併置されているか、又は近接している。いくつかの実施形態では、少なくとも１つの接触強度センサが、デバイス１００の前面に配置されたタッチスクリーンディスプレイ１１２の反対側である、デバイス１００の背面に配置されている。
【０１１８】
デバイス１００は１つ以上の近接センサ１６６を含んでもよい。図１Ａは、周辺機器インタフェース１１８に結合された近接センサ１６６を示す。その代わりに、近接センサ１６６は、Ｉ／Ｏサブシステム１０６内の入力コントローラ１６０に結合されてもよい。近接センサ１６６は、米国特許出願第１１／２４１，８３９号、「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／２４０，７８８号、「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／６２０，７０２号、「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、第１１／５８６，８６２号、「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、及び第１１／６３８，２５１号、「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」で説明されているように動作してもよく、これらの文献は、その全体が参照により本明細書に組み込まれる。一部の実施形態では、この多機能デバイスが、ユーザの耳の近くに配置される場合（例えば、ユーザが電話通話を行っている場合）、近接センサは、タッチスクリーン１１２をオフにして無効化する。
【０１１９】
デバイス１００はまた、１つ以上の触知出力生成器１６７をも任意選択的に含む。図１Ａは、Ｉ／Ｏサブシステム１０６内の触覚フィードバックコントローラ１６１に結合された触知出力生成器を示す。触知出力生成器１６７は、スピーカ又は他の音声構成要素などの１つ以上の電気音響デバイス、及び／又はモータ、ソレノイド、電気活性ポリマ、圧電アクチュエータ、静電アクチュエータ、若しくは他の触知出力構成要素（例えば、デバイス上で電気信号を触知出力に変換する構成要素）などの、エネルギーを直線運動に変換する電気機械デバイスを、任意選択的に含む。接触強度センサ１６５は、触覚フィードバックモジュール１３３から触知フィードバック生成命令を受信し、デバイス１００のユーザが感知できる触知出力をデバイス１００上で生成する。いくつかの実施形態において、少なくとも１つの触知出力生成器は、タッチ感知面（例えば、タッチ感知ディスプレイシステム１１２）と併置されているか、又は近接しており、任意選択的に、タッチ感知面を垂直方向に（例えば、デバイス１００の表面の内／外）又は横方向（例えば、デバイス１００の表面と同じ平面の前後方向）に移動することによって、触知出力を生成する。いくつかの実施形態において、少なくとも１つの触知出力生成器センサは、デバイス１００の前面に配置されたタッチスクリーンディスプレイ１１２の反対側である、デバイス１００の背面に配置されている。
【０１２０】
デバイス１００は更に、１つ以上の加速度計１６８を備えてもよい。図１Ａは、周辺機器インタフェース１１８に結合された加速度計１６８を示す。その代わりに、加速度計１６８は、Ｉ／Ｏサブシステム１０６内の入力コントローラ１６０に結合されてもよい。加速度計１６８は、米国特許出願公開第２００５０１９００５９号、「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」、及び米国特許出願公開第２００６００１７６９２号、「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」に記載されているように動作してもよい。これらの文献はどちらも、その全体が参照により本明細書に組み込まれる。いくつかの実施形態において、情報は、１つ以上の加速度計から受信したデータの分析に基づいて、ポートレートビュー又はランドスケープビューでタッチスクリーンディスプレイ上に表示される。デバイス１００は、必要に応じて、加速度計（１つ又は複数）１６８に加えて、磁力計（図示せず）並びにデバイス１００の位置及び向き（例えば、ポートレート又はランドスケープ）に関する情報を取得するためのＧＰＳ（又はＧＬＯＮＡＳＳ又は他のグローバルナビゲーションシステム）受信部（図示せず）を、任意選択的に含む。
【０１２１】
いくつかの実施形態において、メモリ１０２に記憶されたソフトウェアコンポーネントは、オペレーティングシステム１２６、通信モジュール（又は命令セット）１２８、接触／動きモジュール（又は命令セット）１３０、グラフィックモジュール（又は命令セット）１３２、テキスト入力モジュール（又は命令セット）１３４、全地球測位システム（ＧＰＳ）モジュール（又は命令セット）１３５、及びアプリケーション（命令セット）１３６を含む。更に、いくつかの実施形態では、図１Ａ及び図３に示されるように、メモリ１０２（図１Ａ）又は３７０（図３）は、デバイス／グローバル内部状態１５７を記憶する。デバイス／グローバル内部状態１５７は、以下の１つ以上を含む：現在アクティブ状態のアプリケーションがあれば、どのアプリケーションがアクティブかを示す、アクティブアプリケーション状態、どのアプリケーション、ビュー、又は他の情報がタッチスクリーンディスプレイ１１２の様々な領域を占領しているかを示す、表示状態、デバイスの様々なセンサ及び入力コントロールデバイス１１６から得られる情報を含む、センサ状態、並びに、デバイスの位置及び／又は姿勢に関する位置情報。
【０１２２】
オペレーティングシステム１２６（例えば、Ｄａｒｗｉｎ（登録商標）、ＲＴＸＣ（登録商標）、ＬＩＮＵＸ（登録商標）、ＵＮＩＸ（登録商標）、ＯＳ  Ｘ（登録商標）、ｉＯＳ（登録商標）、ＷＩＮＤＯＷＳ（登録商標）、又はＶｘＷｏｒｋｓ（登録商標）などの組み込みオペレーティングシステム）は、一般的なシステムタスク（例えば、メモリ管理、記憶デバイス制御、電力管理など）を制御及び管理するための様々なソフトウェアコンポーネント及び／又はドライバを含み、様々なハードウェアとソフトウェアコンポーネントとの間の通信を容易にする。
【０１２３】
通信モジュール１２８は、１つ以上の外部ポート１２４を介して他のデバイスとの通信を容易にし、ＲＦ回路１０８及び／又は外部ポート１２４が受信したデータを処理するための様々なソフトウェア構成要素を含む。外部ポート１２４（例えば、ユニバーサルシリアルバス（ＵＳＢ）、ＦＩＲＥＷＩＲＥ（登録商標）など）は、直接的に、又はネットワーク（例えば、インターネット、無線ＬＡＮなど）を介して間接的に他のデバイスに連結するように適合される。いくつかの実施形態では、外部ポートは、ｉＰｏｄ（登録商標）（Ａｐｐｌｅ  Ｉｎｃ．の商標）デバイス上で使用される３０ピンコネクタと同一の、又はこれに類似した及び／若しくは互換性のあるマルチピン（例えば、３０ピン）コネクタである。
【０１２４】
接触／動きモジュール１３０は、（ディスプレイコントローラ１５６と併せて）タッチスクリーン１１２との接触、及び他のタッチ感知デバイス（例えば、タッチパッド又は物理クリックホイール）との接触を任意選択的に検出する。接触／動きモジュール１３０は、接触が発生したかどうかの判定（例えば、指を下ろすイベントの検出）、接触の強度（例えば、接触の力若しくは圧力、又は、接触の力若しくは圧力の代替物）の判定、接触の移動及びタッチ感知面にわたる動きの追跡（例えば、指をドラッグする１つ以上のイベントの検出）があるかどうかの判定、及び接触が中止したかどうか（例えば、指を上げるイベント又は接触の中断の検出）の判定などの、接触の検出に関係する様々な動作を実行するための様々なソフトウェア構成要素を含む。接触／動きモジュール１３０は、タッチ感知面から接触データを受信する。一連の接触データにより表される接触点の移動を判定することは、接触点の速さ（大きさ）、速度（大きさ及び方向）、及び／又は加速度（大きさ及び／又は方向の変化）を判定することを、任意選択的に含む。これらの動作は、任意選択的に、単一の接触（例えば、１つの指の接触）又は複数の同時接触（例えば、「マルチタッチ」／複数の指の接触）に適用される。いくつかの実施形態において、接触／動きモジュール１３０及びディスプレイコントローラ１５６は、タッチパッド上の接触を検出する。
【０１２５】
いくつかの実施形態では、接触／動きモジュール１３０は、ユーザによって動作が実行されたか否かを判定するための（例えば、ユーザがアイコン上で「クリック」したか否かを判定するための）、１つ以上の強度閾値のセットを使用する。いくつかの実施形態では、少なくとも強度閾値のサブセットが、ソフトウェアパラメータに従って判定される（例えば、強度閾値は、特定の物理アクチュエータのアクティブ化閾値によって判定されず、デバイス１００の物理ハードウェアを変更することなく調整し得る）。例えば、トラックパッド又はタッチスクリーンディスプレイのマウス「クリック」閾値は、トラックパッド又はタッチスクリーンディスプレイハードウェアを変更することなく広範囲の既定の閾値のうちのいずれかに設定し得る。加えて、いくつかの実装形態では、デバイスのユーザには、（例えば、個々の強度閾値を調整することにより、及び／又はシステムレベルのクリック「強度」パラメータを用いて複数の強度閾値を一挙に調整することによって）強度閾値のセットのうちの１つ以上を調整するためのソフトウェア設定が提供されている。
【０１２６】
接触／動きモジュール１３０は、任意選択的に、ユーザによるジェスチャ入力を検出する。タッチ感知面上の異なるジェスチャは、異なる接触パターン（例えば、異なる動き、タイミング、及び／又は検出された接触の強度）を有する。したがって、ジェスチャは、特定の接触パターンを検出することによって、任意選択的に、検出される。例えば、指のタップジェスチャを検出することは、指を下ろすイベントを検出し、続いて（例えば、アイコンの位置での）その指を下ろすイベントと同じ位置（又は、実質的に同じ位置）で指を上げる（リフトオフする）イベントを検出することを含む。別の実施例として、タッチ感知面上でのフィンガスワイプジェスチャを検出することは、指を下ろすイベントを検出することと、それに続く１つ以上の指をドラッグするイベントを検出することと、それに続く、指を上げる（リフトオフする）イベントを検出することとを含む。
【０１２７】
グラフィックモジュール１３２は、表示されるグラフィックの視覚的効果（例えば、輝度、透明度、彩度、コントラスト、又は他の視覚特性）を変更するための構成要素を含む、タッチスクリーン１１２又は他のディスプレイ上にグラフィックをレンダリングして表示するための、様々な既知のソフトウェア構成要素を含む。本明細書で使用するとき、用語「グラフィック」は、ユーザに対して表示することができる任意のオブジェクトを含み、それらのオブジェクトとしては、テキスト、ウェブページ、アイコン（ソフトキーを含むユーザインタフェースオブジェクトなど）、デジタル画像、ビデオ、アニメーションなどが挙げられるが、これらに限定されない。
【０１２８】
いくつかの実施形態において、グラフィックモジュール１３２は、使用されるグラフィックを表すデータを記憶する。それぞれのグラフィックには、対応するコードが、任意選択的に、割り当てられる。グラフィックモジュール１３２は、アプリケーションなどから、必要に応じて、座標データ及び他のグラフィックプロパティデータと共に、表示されるグラフィックを指定する１つ以上のコードを受信し、ディスプレイコントローラ１５６に出力する画面画像データを生成する。
【０１２９】
触覚フィードバックモジュール１３３は、デバイス１００とのユーザ対話に応じて、デバイス１００上の１つ以上の場所で触知出力を生成するために、触知出力生成器（１つ又は複数）１６７によって使用される命令を生成するための、様々なソフトウェア構成要素を含む。
【０１３０】
テキスト入力モジュール１３４は、グラフィックモジュール１３２の構成要素であってもよく、様々なアプリケーション（例えば、連絡先１３７、電子メール１４０、ＩＭ  １４１、ブラウザ１４７、及びテキスト入力を必要とする任意の他のアプリケーション）でテキストを入力するための、ソフトキーボードを提供する。
【０１３１】
ＧＰＳモジュール１３５は、デバイスのロケーションを判定し、この情報を、様々なアプリケーションで使用するために（例えば、ロケーションベースのダイアル発呼で使用するために電話１３８へ、写真／ビデオのメタデータとしてカメラ１４３へ、並びに、気象ウィジェット、地域のイエローページウィジェット、及び地図／ナビゲーションウィジェットなどの、ロケーションベースのサービスを提供するアプリケーションへ）提供する。
【０１３２】
アプリケーション１３６は、以下のモジュール（若しくは、命令のセット）、又はそれらのサブセット若しくはスーパーセットを含んでもよい。
●連絡先モジュール１３７（時として、アドレス帳又は連絡先リストと呼ばれる）、
●電話モジュール１３８、
●テレビ会議モジュール１３９、
●電子メールクライアントモジュール１４０、
●インスタントメッセージング（ＩＭ：Instant messaging）モジュール１４１、
●トレーニングサポートモジュール１４２、
●静止画像及び／若しくはビデオ画像用のカメラモジュール１４３、
●画像管理モジュール１４４、
●ビデオプレーヤモジュール、
●音楽プレーヤモジュール、
●ブラウザモジュール１４７、
●カレンダーモジュール１４８、
●気象ウィジェット１４９−１、株式ウィジェット１４９−２、計算機ウィジェット１４９−３、アラーム時計ウィジェット１４９−４、辞書ウィジェット１４９−５、及びユーザが取得した他のウィジェット、及びユーザ作成ウィジェット１４９−６のうちの１つ以上を含むことができる、ウィジェットモジュール１４９、
●ユーザ作成ウィジェット１４９−６を作るためのウィジェットクリエータモジュール１５０、
●検索モジュール１５１、
●ビデオプレーヤモジュール及び音楽プレーヤモジュールを統合した、ビデオ及び音楽プレーヤモジュール１５２、
●メモモジュール１５３、
●地図モジュール１５４、並びに／又は
●オンラインビデオモジュール１５５。
【０１３３】
メモリ１０２内に記憶されてもよい他のアプリケーション１３６の例としては、他のワードプロセッシングアプリケーション、他の画像編集アプリケーション、描画アプリケーション、プレゼンテーションアプリケーション、ＪＡＶＡ（登録商標）対応アプリケーション、暗号化、デジタル著作権管理、音声認識、及び音声複製が挙げられる。
【０１３４】
タッチスクリーン１１２、ディスプレイコントローラ１５６、接触／動きモジュール１３０、グラフィックモジュール１３２、及びテキスト入力モジュール１３４と関連して、連絡先モジュール１３７は、（例えば、メモリ１０２又はメモリ３７０内の連絡先モジュール１３７のアプリケーション内部状態１９２内に記憶された）アドレス帳又は連絡先リストを管理するために使用されてもよく、この管理には、アドレス帳に名前（１つ又は複数）を追加すること、アドレス帳から名前（１つ又は複数）を削除すること、電話番号（１つ又は複数）、メールアドレス（１つ又は複数）、住所（１つ又は複数）、又は他の情報を名前と関連付けること、画像を名前と関連付けること、名前を分類して振り分けること、電話番号又はメールアドレスを提供し、電話１３８、テレビ会議モジュール１３９、電子メール１４０、若しくはＩＭ  １４１による通信を開始させること、及び／又は促進すること、などが含まれる。
【０１３５】
ＲＦ回路１０８、オーディオ回路１１０、スピーカ１１１、マイクロフォン１１３、タッチスクリーン１１２、ディスプレイコントローラ１５６、接触／動きモジュール１３０、グラフィックモジュール１３２、及びテキスト入力モジュール１３４と関連して、電話モジュール１３８は、電話番号に対応する一連の文字を入力し、連絡先モジュール１３７内の１つ以上の電話番号にアクセスし、入力されている電話番号を修正し、それぞれの電話番号をダイアルし、会話を遂行し、会話が完了した際に接続を切るか又は電話を切るために、使用されてもよい。上述のように、無線通信は、複数の通信規格、通信プロトコル、及び通信技術のうちのいずれかを使用してもよい。
【０１３６】
ＲＦ回路１０８、オーディオ回路１１０、スピーカ１１１、マイクロフォン１１３、タッチスクリーン１１２、ディスプレイコントローラ１５６、光センサ１６４、光センサコントローラ１５８、接触／動きモジュール１３０、グラフィックモジュール１３２、テキスト入力モジュール１３４、連絡先モジュール１３７、及び電話モジュール１３８と関連して、テレビ会議モジュール１３９は、ユーザの指示に従い、ユーザと１人以上の他の参加者との間のテレビ会議を開始し、遂行し、終了するための実行可能命令を含む。
【０１３７】
ＲＦ回路１０８、タッチスクリーン１１２、ディスプレイコントローラ１５６、接触／動きモジュール１３０、グラフィックモジュール１３２、及びテキスト入力モジュール１３４と関連して、電子メールクライアントモジュール１４０は、ユーザの指示に応じて、電子メールを作成し、送信し、受信し、管理するための実行可能命令を含む。画像管理モジュール１４４と併せて、電子メールクライアントモジュール１４０により、カメラモジュール１４３で撮影した静止画像又はビデオ画像を有する電子メールを作成及び送信することが非常に簡単になる。
【０１３８】
ＲＦ回路１０８、タッチスクリーン１１２、ディスプレイコントローラ１５６、接触／動きモジュール１３０、グラフィックモジュール１３２、及びテキスト入力モジュール１３４と関連して、インスタントメッセージングモジュール１４１は、インスタントメッセージに対応する一連の文字を入力し、以前に入力された文字を修正し、（例えば、電話ベースのインスタントメッセージ用のショートメッセージサービス（ＳＭＳ）若しくはマルチメディアメッセージサービス（ＭＭＳ）プロトコルを使用して、又はインターネットベースのインスタントメッセージ用のＸＭＰＰ、ＳＩＭＰＬＥ、若しくはＩＭＰＳを使用して）それぞれのインスタントメッセージを送信し、インスタントメッセージを受信し、受信されたインスタントメッセージを見るための、実行可能命令を含む。いくつかの実施形態では、送信及び／又は受信されるインスタントメッセージは、ＭＭＳ及び／又は拡張メッセージングサービス（ＥＭＳ：Enhanced Messaging Service）でサポートされているとおりの、グラフィック、写真、オーディオファイル、ビデオファイル、及び／又は他の添付物を含んでもよい。本明細書で使用するとき、「インスタントメッセージング」とは、電話ベースのメッセージ（例えば、ＳＭＳ又はＭＭＳを使用して送信されるメッセージ）及びインターネットベースのメッセージ（例えば、ＸＭＰＰ、ＳＩＭＰＬＥ又はＩＭＰＳを使用して送信されるメッセージ）の双方を示す。
【０１３９】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、地図モジュール１５４、及び音楽プレーヤモジュールと関連して、トレーニングサポートモジュール１４２は、（例えば、時間、距離、及び／又はカロリー燃焼目標を有する）トレーニングを作成する、トレーニングセンサ（スポーツデバイス）と通信する、トレーニングセンサデータを受信する、トレーニングをモニタリングするために用いられるセンサを測定する、トレーニング用の音楽を選択して再生する、並びに、トレーニングデータを表示、記憶、及び送信するための、実行可能命令を含む。
【０１４０】
タッチスクリーン１１２、ディスプレイコントローラ１５６、光センサ（１つ又は複数）１６４、光センサコントローラ１５８、接触／動きモジュール１３０、グラフィックモジュール１３２、及び画像管理モジュール１４４と関連して、カメラモジュール１４３は、静止画像若しくはビデオ（ビデオストリームを含む）をキャプチャしてメモリ１０２内にそれらを記憶するか、静止画像若しくはビデオの特性を変更するか、又はメモリ１０２から静止画像若しくはビデオを削除するための実行可能命令を含む。
【０１４１】
タッチスクリーン１１２、ディスプレイコントローラ１５６、接触／動きモジュール１３０、グラフィックモジュール１３２、テキスト入力モジュール１３４、及びカメラモジュール１４３と関連して、画像管理モジュール１４４は、静止画像及び／又はビデオ画像を配列し、修正（例えば、編集）するか若しくは他の方式で操作し、ラベルを付け、削除し、（例えば、デジタルスライドショー又はアルバム内で）提示し、記憶するための実行可能命令を含む。
【０１４２】
ＲＦ回路１０８、タッチスクリーン１１２、ディスプレイコントローラ１５６、接触／動きモジュール１３０、グラフィックモジュール１３２、及びテキスト入力モジュール１３４と関連して、ブラウザモジュール１４７は、ウェブページ又はそれらの一部、並びにウェブページにリンクされた添付物及び他のファイルを検索し、リンク付け、受信し、表示することを含む、ユーザの指示に従い、インターネットをブラウズするための実行可能命令を含む。
【０１４３】
ＲＦ回路１０８、タッチスクリーン１１２、ディスプレイコントローラ１５６、接触／動きモジュール１３０、グラフィックモジュール１３２、テキスト入力モジュール１３４、電子メールクライアントモジュール１４０、及びブラウザモジュール１４７と関連して、カレンダーモジュール１４８は、ユーザの指示に従い、カレンダー及びカレンダーに関連付けられたデータ（例えば、カレンダー項目、ＴｏＤｏリストなど）を作成し、表示し、変更し、記憶するための実行可能命令を含む。
【０１４４】
ＲＦ回路１０８、タッチスクリーン１１２、ディスプレイコントローラ１５６、接触／動きモジュール１３０、グラフィックモジュール１３２、テキスト入力モジュール１３４、及びブラウザモジュール１４７と関連して、ウィジェットモジュール１４９は、ユーザによってダウンロードされ、使用されることが可能なミニアプリケーション（例えば、気象ウィジェット１４９−１、株ウィジェット１４９−２、計算機ウィジェット１４９−３、アラーム時計ウィジェット１４９−４、及び辞書ウィジェット１４９−５）、又はユーザによって作成されることが可能なミニアプリケーション（例えば、ユーザ作成ウィジェット１４９−６）である。いくつかの実施形態では、ウィジェットは、ＨＴＭＬ（ハイパーテキストマークアップ言語）ファイル、ＣＳＳ（カスケーディングスタイルシート）ファイル、及びＪａｖａＳｃｒｉｐｔ（登録商標）ファイルを含む。一部の実施形態では、ウィジェットは、ＸＭＬ（拡張可能マークアップ言語）ファイル及びＪａｖａＳｃｒｉｐｔファイル（例えば、Ｙａｈｏｏ！（登録商標）ウィジェット）を含む。
【０１４５】
ＲＦ回路１０８、タッチスクリーン１１２、ディスプレイコントローラ１５６、接触モ／動きモジュール１３０、グラフィックモジュール１３２、テキスト入力モジュール１３４、及びブラウザモジュール１４７と関連して、ウィジェットクリエータモジュール１５０は、ウィジェットを作成する（例えば、ウェブページのユーザ指定箇所をウィジェットに変える）ために、ユーザによって使用されてもよい。
【０１４６】
タッチスクリーン１１２、ディスプレイコントローラ１５６、接触／動きモジュール１３０、グラフィックモジュール１３２、及びテキスト入力モジュール１３４と関連して、検索モジュール１５１は、ユーザの指示に従い、１つ以上の検索基準（例えば、１つ以上のユーザ指定の検索語句）と一致する、メモリ１０２内のテキスト、音楽、音、画像、ビデオ、及び／又は他のファイルを検索するための実行可能命令を含む。
【０１４７】
タッチスクリーン１１２、ディスプレイコントローラ１５６、接触／動きモジュール１３０、グラフィックモジュール１３２、オーディオ回路１１０、スピーカ１１１、ＲＦ回路１０８、及びブラウザモジュール１４７と関連して、ビデオ及び音楽プレーヤモジュール１５２は、ＭＰ３又はＡＡＣファイルなどの１つ以上のファイル形式で記憶された録音済みの音楽又は他のサウンドファイルをユーザがダウンロード及び再生できるようにする実行可能命令、並びにビデオを（例えば、タッチスクリーン１１２上、又は外部ポート１２４を介して接続された外部のディスプレイ上に）表示、提示、又は別の方法で再生するための実行可能命令を含む。いくつかの実施形態において、デバイス１００は、任意選択的に、ｉＰｏｄ（Ａｐｐｌｅ  Ｉｎｃ．の登録商標）などのＭＰ３プレーヤの機能を含む。
【０１４８】
タッチスクリーン１１２、ディスプレイコントローラ１５６、接触／動きモジュール１３０、グラフィックモジュール１３２、及びテキスト入力モジュール１３４と関連して、メモモジュール１５３は、ユーザの指示に従い、メモ、ＴｏＤｏリスト、及び同様のものを作成し、管理するための実行可能命令を含む。
【０１４９】
ＲＦ回路１０８、タッチスクリーン１１２、ディスプレイコントローラ１５６、接触／動きモジュール１３０、グラフィックモジュール１３２、テキスト入力モジュール１３４、ＧＰＳモジュール１３５、及びブラウザモジュール１４７と関連して、地図モジュール１５４は、ユーザの指示に従い、地図及び地図に関連付けられたデータ（例えば、運転の道順、特定のロケーション又はその近くの店舗及びその他の見所のデータ、並びに他のロケーションベースのデータ）を受信し、表示し、変更し、記憶するために使用されてもよい。
【０１５０】
タッチスクリーン１１２、ディスプレイコントローラ１５６、接触／動きモジュール１３０、グラフィックモジュール１３２、オーディオ回路１１０、スピーカ１１１、ＲＦ回路１０８、テキスト入力モジュール１３４、電子メールクライアントモジュール１４０、及びブラウザモジュール１４７と関連して、オンラインビデオモジュール１５５は、ユーザが、特定のオンラインビデオにアクセスし、閲覧し、（例えば、ストリーミング及び／又はダウンロードによって）受信し、（例えば、タッチスクリーン上で、又は外部ポート１２４を介して接続された外部のディスプレイ上で）再生し、そのオンラインビデオへのリンクを有する電子メールを送信し、また他の方式で、Ｈ．２６４などの１つ以上のファイル形式でオンラインビデオを管理することが可能となる、命令を含む。いくつかの実施形態においては、電子メールクライアントモジュール１４０ではなく、インスタントメッセージモジュール１４１が、特定のオンラインビデオへのリンクを送信するために用いられる。２００７年６月２０日に出願された米国特許仮出願第６０／９３６，５６２号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」、及び２００７年１２月３１日に出願された米国特許出願第１１／９６８，０６７号、「Ｐｏｒｔａｂｌｅ  Ｍｕｌｔｉｆｕｎｃｔｉｏｎ  Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」に、オンラインビデオアプリケーションの追加の説明を見いだすことができる。これらの出願の内容はその全体が本明細書において参照により組み込まれている。
【０１５１】
上記で特定されたモジュール及びアプリケーションのそれぞれは、１つ以上の上記の機能を実行するための実行可能命令セット、並びに本出願に記載の方法（例えば、コンピュータにより実行される方法及び本明細書に記載の他の情報処理方法）に対応する。これらのモジュール（例えば、命令のセット）は、別個のソフトウェアプログラム、手順、又はモジュールとして実装される必要はなく、それゆえ、様々な実施形態では、これらのモジュールの様々なサブセットを組み合わせるか、又は他の方式で再編成することができる。例えば、ビデオプレーヤモジュールは音楽プレーヤモジュールと組み合わせて単一のモジュール（例えば、ビデオ及び音楽プレーヤモジュール１５２、図１Ａ）にされてもよい。いくつかの実施形態では、メモリ１０２は、上記で識別されたモジュール及びデータ構造のサブセットを記憶することができる。更に、メモリ１０２は、上述されていない追加のモジュール及びデータ構造を記憶してもよい。
【０１５２】
いくつかの実施形態では、デバイス１００は、デバイス上の機能の既定のセットの動作が排他的にタッチスクリーン及び／又はタッチパッドを介して実行されるデバイスである。デバイス１００の動作のための主要な入力コントロールデバイスとしてタッチスクリーン及び／又はタッチパッドを使用することにより、デバイス１００上の物理的な入力コントロールデバイス（プッシュボタン、ダイアル、及び同様のものなど）の数を減らすことができる。
【０１５３】
排他的にタッチスクリーン及び／又はタッチパッドを介して実行される、既定の機能のセットは、任意選択的に、ユーザインタフェース間のナビゲーションを含む。いくつかの実施形態において、タッチパッドは、ユーザによってタッチされると、デバイス１００上に表示される任意のユーザインタフェースから、メインメニュー、ホームメニュー、又はルートメニューへデバイス１００をナビゲートする。このような実施形態では、タッチパッドを用いて「メニューボタン」が実装される。いくつかの他の実施形態では、メニューボタンは、タッチパッドの代わりに、物理的なプッシュボタン又は他の物理的な入力コントロールデバイスである。
【０１５４】
図１Ｂは、いくつかの実施形態に係る、イベント処理のための例示的な構成要素を示すブロック図である。いくつかの実施形態では、メモリ１０２（図１Ａ）又は３７０（図３）は、イベントソータ１７０（例えば、オペレーティングシステム１２６内）並びにそれぞれのアプリケーション１３６−１（例えば、上述のアプリケーション１３７〜１５１、１５５、及び３８０〜３９０のいずれか）を含む。イベントソータ１７０は、イベント情報を受け付け、イベント情報を配布するアプリケーション１３６−１及びアプリケーション１３６−１のアプリケーションビュー１９１を決定する。イベントソータ１７０は、イベントモニタ１７１及びイベントディスパッチャモジュール１７４を含む。いくつかの実施形態では、アプリケーション１３６−１は、アプリケーションが活動状態又は実行中である時に、タッチ感知ディスプレイ１１２上に表示されている現在のアプリケーションビュー（１つ又は複数）を指示する、アプリケーション内部状態１９２を含む。いくつかの実施形態では、デバイス／グローバル内部状態１５７は、いずれのアプリケーションが現在アクティブであるかを判定するために、イベントソータ１７０によって使用され、アプリケーション内部状態１９２は、イベント情報の配信先となるアプリケーションビュー１９１を決定するために、イベントソータ１７０によって使用される。
【０１５５】
いくつかの実施形態では、アプリケーション内部状態１９２は、アプリケーション１３６−１が実行を再開する際に使用される再開情報、アプリケーション１３６−１によって情報が表示されているか又は表示の準備が整っていることを示すユーザインタフェース状態情報、ユーザがアプリケーション１３６−１の以前の状態又はビューに戻ることを可能にするための状態待ち行列、及びユーザが以前に行ったアクションのリドゥ／アンドゥ待ち行列のうちの１つ以上などの、追加情報を含む。
【０１５６】
イベントモニタ１７１は、周辺機器インタフェース１１８からイベント情報を受信する。イベント情報は、サブイベント（例えば、マルチタッチジェスチャの一部としての、タッチ感知ディスプレイ１１２上でのユーザのタッチ）についての情報を含む。周辺機器インタフェース１１８は、Ｉ／Ｏサブシステム１０６又は（オーディオ回路１１０を介して）近接センサ１６６、加速度計（１つ又は複数）１６８、及び／若しくはマイクロフォン１１３などのセンサから受信する情報を送信する。周辺機器インタフェース１１８がＩ／Ｏサブシステム１０６から受け取る情報は、タッチ感知ディスプレイ１１２又はタッチ感知面からの情報を含む。
【０１５７】
いくつかの実施形態では、イベントモニタ１７１は、所定の間隔で周辺機器インタフェース１１８に要求を送る。これに応じて、周辺機器インタフェース１１８は、イベント情報を送出する。他の実施形態では、周辺機器インタフェース１１８は、重要なイベント（例えば、所定のノイズ閾値を超える、及び／又は所定の持続時間よりも長い入力を受信すること）がある場合にのみイベント情報を送出する。いくつかの実施形態では、イベントソータ１７０はまた、ヒットビュー判定モジュール１７２及び／又はアクティブイベント認識部判定モジュール１７３も含む。
【０１５８】
ヒットビュー判定モジュール１７２は、タッチ感知ディスプレイ１１２が１つ以上のビューを表示した際に、１つ以上のビュー内のどこでサブイベントが発生したかを判定するためのソフトウェア手順を提供する。ビューは、ユーザがディスプレイ上で見ることが可能な、制御部及び他の要素で構成される。
【０１５９】
アプリケーションに関連付けられるユーザインタフェースの別の態様は、本明細書では、アプリケーションビュー又はユーザインタフェースウィンドウと呼ばれる場合がある、ビューのセットであり、それらの中で、情報が表示され、タッチに基づくジェスチャが実施される。タッチが検出される（それぞれのアプリケーションの）アプリケーションビューは、アプリケーションのプログラム階層又はビュー階層内のプログラムレベルに対応してもよい。例えば、タッチが検出される最低レベルのビューはヒットビューと呼ばれてもよく、適切な入力として認識されるイベントのセットは、少なくとも部分的には、タッチベースのジェスチャを開始する最初のタッチのヒットビューに基づいて判定されてもよい。
【０１６０】
ヒットビュー判定モジュール１７２は、タッチベースのジェスチャのサブイベントと関連付けられた情報を受け取る。アプリケーションが、階層として編成された複数のビューを有する場合、ヒットビュー判定モジュール１７２は、サブイベントを処理するべき階層内の最下位のビューとして、ヒットビューを特定する。ほとんどの状況では、ヒットビューは、開始サブイベント（例えば、イベント又は潜在的なイベントを形成するサブイベントのシーケンスにおける最初のサブイベント）が発生する最低レベルのビューである。ヒットビューがヒットビュー判定モジュール１７２によって特定されると、ヒットビューは、通例、それがヒットビューとして特定された、同じタッチ又は入力ソースに関連する全てのサブイベントを受け付ける。
【０１６１】
アクティブイベント認識部判定モジュール１７３は、ビュー階層内のどのビュー（１つ以上）がサブイベントの特定のシーケンスを受け取るべきかを判定する。いくつかの実施形態において、アクティブイベント認識部判定モジュール１７３は、ヒットビューのみがサブイベントの特定のシーケンスを受け付けるべきであると判定する。他の実施形態において、アクティブイベント認識部判定モジュール１７３は、サブイベントの物理的な位置を含む全てのビューはアクティブに関わっているビューであると判定し、したがって、全てのアクティブに関わっているビューは、サブイベントの特定のシーケンスを受け付けるべきであると判定する。他の実施形態では、タッチサブイベントがある特定のビューに関連付けられた領域に完全に限定されたとしても、階層の上位のビューはアクティブに関わっているビューのままであるであろう。
【０１６２】
イベントディスパッチャモジュール１７４は、イベント情報をイベント認識部（例えば、イベント認識部１８０）に送信する。アクティブイベント認識部判定モジュール１７３を含む実施形態において、イベントディスパッチャモジュール１７４は、アクティブイベント認識部判定モジュール１７３により判定されたイベント認識部にイベント情報を配布する。いくつかの実施形態では、イベントディスパッチャモジュール１７４は、それぞれのイベント受信部１８２により取得されたイベント情報をイベント待ち行列内に記憶する。
【０１６３】
いくつかの実施形態では、オペレーティングシステム１２６は、イベントソータ１７０を含む。あるいは、アプリケーション１３６−１が、イベントソータ１７０を含む。更に他の実施形態において、イベントソータ１７０は、スタンドアロンモジュール、又は接触／動きモジュール１３０などのメモリ１０２に記憶された他のモジュールの一部である。
【０１６４】
いくつかの実施形態では、アプリケーション１３６−１は、そのアプリケーションのユーザインタフェースの各ビュー内で発生するタッチイベントを処理するための命令をそれぞれが含む、複数のイベントハンドラ１９０及び１つ以上のアプリケーションビュー１９１を含む。アプリケーション１３６−１のそれぞれのアプリケーションビュー１９１は、イベント認識部１８０のうちの１つ以上を含む。典型的に、それぞれのアプリケーョンビュー１９１は、複数のイベント認識部１８０を含む。他の実施形態において、イベント認識部１８０のうちの１つ以上は、ユーザインタフェースキット（図示せず）又はアプリケーション１３６−１が方法及び他の性質を継承する上位レベルのオブジェクトなど、別個のモジュールの一部である。いくつかの実施形態において、それぞれのイベントハンドラ１９０は、データアップデーター１７６、オブジェクトアップデーター１７７、ＧＵＩアップデーター１７８、及び／又はイベントソータ１７０から受け付けたイベントデータ１７９のうちの１つ以上を含む。イベントハンドラ１９０は、アプリケーション内部状態１９２を更新するために、データアップデーター１７６、オブジェクトアップデーター１７７、又はＧＵＩアップデーター１７８を利用するか又は呼び出してもよい。あるいは、アプリケーションビュー１９１のうちの１つ以上は、１つ以上のそれぞれのイベントハンドラ１９０を含む。また、いくつかの実施形態において、データアップデーター１７６、オブジェクトアップデーター１７７、及びＧＵＩアップデーター１７８のうちの１つ以上がそれぞれのアプリケーションビュー１９１内に含まれている。
【０１６５】
それぞれのイベント認識部１８０は、イベントソータ１７０からイベント情報（例えば、イベントデータ１７９）を受信し、そのイベント情報からイベントを特定する。イベント認識部１８０は、イベント受信部１８２及びイベント比較部１８４を含む。いくつかの実施形態では、イベント認識部１８０は更に、メタデータ１８３及びイベント配信命令１８８（サブイベント配信命令を含んでいてもよい）の少なくともサブセットを含む。
【０１６６】
イベント受信器１８２は、イベントソータ１７０からイベント情報を受信する。イベント情報は、例えば、タッチ又はタッチの移動などのサブイベントの情報を含む。サブイベントによっては、イベント情報は、サブイベントの位置などの追加情報をもまた含む。サブイベントがタッチの動きに関わる場合には、イベント情報はサブイベントの速さ及び方向を更に含んでもよい。いくつかの実施形態において、イベントは、ある方向から別の方向へ（例えば、ポートレートの向きからランドスケープの向きへ、又はその逆）のデバイスの回転を含み、イベント情報は、デバイスの現在の向き（デバイスの姿勢とも呼ばれる）についての対応する情報を含む。
【０１６７】
イベント比較部１８４は、イベント情報を既定のイベント又はサブイベントの定義と比較し、その比較により、イベント又はサブイベントを判断、又はイベント若しくはサブイベントの状態を判定又は更新する。いくつかの実施形態において、イベント比較部１８４は、イベント定義１８６を含む。イベント定義１８６は、例えば、イベント１（１８７−１）、イベント２（１８７−２）などの、イベントの定義（例えば、サブイベントの既定のシーケンス）を含む。いくつかの実施形態において、イベント（１８７）内のサブイベントは、例えば、タッチ開始、タッチ終了、タッチの移動、タッチの中止、及び複数のタッチを含む。ある実施例において、イベント１（１８７−１）の定義は、表示されたオブジェクト上のダブルタップである。ダブルタップは、例えば、表示されたオブジェクト上の所定の段階についての第１のタッチ（タッチ開始）、所定の段階についての第１のリフトオフ（タッチ終了）、表示されたオブジェクト上の所定の段階についての第２のタッチ（タッチ開始）、及び所定の段階についての第２のリフトオフ（タッチ終了）を含む。別の実施例において、イベント２（１８７−２）の定義は、表示されたオブジェクト上のドラッグである。ドラッグは、例えば、表示されたオブジェクト上の所定の段階についてのタッチ（又は接触）、タッチ感知ディスプレイ１１２を横切るタッチの移動、及びタッチのリフトオフ（タッチ終了）を含む。いくつかの実施形態において、イベントは、１つ以上の関連付けられたイベントハンドラ１９０についての情報も含む。
【０１６８】
いくつかの実施形態では、イベント定義１８７は、それぞれのユーザインタフェースオブジェクト用のイベントの定義を含む。いくつかの実施形態において、イベント比較部１８４は、サブイベントに関連付けられたユーザインタフェースオブジェクトを判定するヒットテストを実行する。例えば、３つのユーザインタフェースオブジェクトがタッチ感知ディスプレイ１１２に表示されるアプリケーションビューにおいて、タッチ感知ディスプレイ１１２上でタッチが検出されると、イベント比較部１８４は、３つのユーザインタフェースオブジェクトのうちのどれがタッチ（サブイベント）に関連付けられているかを判定するためのヒットテストを行う。表示されたそれぞれのオブジェクトが、それぞれのイベントハンドラ１９０に関連付けられている場合、イベント比較部はヒットテストの結果を用いて、アクティブ化する必要のあるイベントハンドラ１９０を判定する。例えば、イベント比較部１８４は、サブイベント及びヒットテストのトリガーとなるオブジェクトに関連付けられたイベントハンドラを選択する。
【０１６９】
いくつかの実施形態では、各イベント（１８７）に関する定義はまた、サブイベントのシーケンスがイベント認識部のイベントタイプに対応するか否かが判定されるまで、イベント情報の配信を遅延させる、遅延作用も含む。
【０１７０】
それぞれのイベント認識部１８０は、一連のサブイベントがイベント定義１８６のイベントのいずれとも一致しないと判定した場合、それぞれのイベント認識部１８０は、イベント不可能、イベント失敗、又はイベント終了の状態に入り、その後は、タッチベースのジェスチャの次のサブイベントを無視する。この状況では、もしあれば、ヒットビューについてアクティブのままである他のイベント認識部は、進行中のタッチベースのジェスチャのサブイベントの追跡及び処理を続行する。
【０１７１】
いくつかの実施形態において、それぞれのイベント認識部１８０は、構成可能なプロパティ、フラグ、及び／又はイベント配信システムがアクティブに関わっているイベント認識部にどのようにサブイベント配信を実行するかについて示すリストを持つメタデータ１８３を含む。いくつかの実施形態において、メタデータ１８３は、イベント認識部が互いにどのように対話し得るか、又は対話することができるかについて示す構成可能なプロパティ、フラグ、及び／又はリストを含む。いくつかの実施形態において、メタデータ１８３は、構成可能なプロパティ、フラグ、及び／又はサブイベントがビュー階層又はプログラム階層内の様々なレベルに配布されるかどうかを示すリストを含む。
【０１７２】
いくつかの実施形態において、それぞれのイベント認識部１８０は、イベントの１つ以上の特定のサブイベントが認識された時に、イベントに関連付けられたイベントハンドラ１９０をアクティブ化する。いくつかの実施形態において、それぞれのイベント認識部１８０は、イベントハンドラ１９０に、イベントに関連付けられたイベント情報を配布する。イベントハンドラ１９０をアクティブ化することと、それぞれのヒットビューにサブイベントを送信（及び送信を延期する）することとは、区別される。いくつかの実施形態において、イベント認識部１８０は、認識されたイベントに関連付けられたフラグをスローし、フラグに関連付けられたイベントハンドラ１９０はフラグをキャッチし、既定の処理を実行する。
【０１７３】
いくつかの実施形態において、イベント配信命令１８８は、イベントハンドラをアクティブ化せずにサブイベントに関するイベント情報を配布するサブイベント配信命令を含む。その代わりに、サブイベント配信命令は、一連のサブイベントに関連付けられたイベントハンドラ又はアクティブに関わっているビューにイベント情報を配布する。一連のサブイベント又はアクティブに関わっているビューに関連付けられているイベントハンドラは、イベント情報を受け付け、所定の処理を実行する。
【０１７４】
いくつかの実施形態において、データアップデーター１７６は、アプリケーション１３６−１で使用されるデータを作成及び更新する。例えば、データアップデーター１７６は、連絡先モジュール１３７内で使用される電話番号を更新するか、又はビデオプレーヤモジュール内で使用されるビデオファイルを記憶する。いくつかの実施形態において、オブジェクトアップデーター１７７は、アプリケーション１３６−１で使用されるオブジェクトを作成及び更新する。例えば、オブジェクトアップデーター１７７は、新たなユーザインタフェースオブジェクトを作成したり、ユーザインタフェースオブジェクトの位置を更新したりする。ＧＵＩアップデーター１７８は、ＧＵＩを更新する。例えば、ＧＵＩアップデーター１７８は、表示情報を準備し、タッチ感知ディスプレイ上に表示するため、表示情報をグラフィクモジュール１３２に送信する。
【０１７５】
いくつかの実施形態では、イベントハンドラ（１つ又は複数）１９０は、データアップデーター１７６、オブジェクトアップデーター１７７、及びＧＵＩアップデーター１７８を含むか、若しくはそれらに対するアクセスを有する。いくつかの実施形態において、データアップデーター１７６、オブジェクトアップデーター１７７、及びＧＵＩアップデーター１７８は、それぞれのアプリケーション１３６−１又はアプリケーションビュー１９１の１つのモジュールに含まれる。他の実施形態では、それらは、２つ以上のソフトウェアモジュールに含まれる。
【０１７６】
タッチ感知ディスプレイ上のユーザのタッチのイベント処理に関する前述の論考はまた、入力デバイスを使用して多機能デバイス１００を動作させるための他の形態のユーザ入力にも適用されるが、その全てがタッチスクリーン上で開始されるわけではないことが理解されよう。例えば、単一又は複数のキーボードの押下又は保持と任意選択的に連係させた、マウスの移動及びマウスボタンの押下、タッチパッド上におけるタップ、ドラッグ、スクロール等などの接触の移動、ペンスタイラス入力、デバイスの移動、口伝え、検出された眼球運動、バイオメトリック入力、及び／又はこれらの任意の組み合わせが、認識対象のイベントを定義するサブイベントに対応する入力として、任意選択的に利用される。
【０１７７】
図２は、いくつかの実施形態に係る、タッチスクリーン１１２を有するポータブル多機能デバイス１００を示す。タッチスクリーンは、ユーザインタフェース（ＵＩ）２００内に１つ以上のグラフィックを、任意選択的に、表示する。後述する実施形態並びに本実施形態において、ユーザは、例えば、１本以上の指２０２（図には、正確な縮尺率では描かれていない）又は１つ以上のスタイラス２０３（図には、正確な縮尺率では描かれていない）を用いてグラフィック上でジェスチャを行うことにより、グラフィックのうちの１つ以上を選択できる。いくつかの実施形態において、ユーザが１つ以上のグラフィックとの接触を断った際に、１つ以上のグラフィックの選択が生じる。いくつかの実施形態では、ジェスチャは、１回以上のタップ、（左から右、右から左、上方向、及び／若しくは下方向への）１回以上のスワイプ、並びに／又はデバイス１００と接触した指の（右から左、左から右、上方向、及び／若しくは下方向への）ローリングを任意選択的に含む。いくつかの実装又は状況において、グラフィックとの偶発的な接触は、グラフィックを選択しない。例えば、選択に対応するジェスチャがタップである場合、アプリケーションアイコンの上をスワイプするスワイプジェスチャは、対応するアプリケーションを、任意選択的に、選択しない。
【０１７８】
デバイス１００はまた、「ホーム」又はメニューボタン２０４などの、１つ以上の物理ボタンも含み得る。前述したように、メニューボタン２０４は、デバイス１００上で実行することができるアプリケーションのセット内の任意のアプリケーション１３６へのナビゲーションに使用されてもよい。あるいは、いくつかの実施形態において、メニューボタンは、タッチスクリーン１１２に表示されたＧＵＩにおけるソフトキーとして実装されている。
【０１７９】
いくつかの実施形態では、デバイス１００は、タッチスクリーン１１２、メニューボタン２０４、デバイスの電源をオン／オフし、デバイスをロックするためのプッシュボタン２０６、音量調整ボタン（１つ又は複数）２０８、加入者識別モジュール（ＳＩＭ）カードスロット２１０、ヘッドセットジャック２１２、及びドッキング／充電用外部ポート１２４を含む。プッシュボタン２０６は、ボタンを押下して、既定の時間インターバルにわたってボタンを押下された状態で保持することによって、デバイス上の電源をオン／オフし、ボタンを押下して、既定の時間インターバルが経過する前にボタンを解放することによって、デバイスをロックし、かつ／又はデバイスをロック解除するか、若しくはロック解除処理を開始するために、任意選択的に使用される。代替的実施形態では、デバイス１００は、マイクロフォン１１３を通して、一部の機能のアクティブ化又は非アクティブ化のための口頭入力を受け付ける。また、デバイス１００は、タッチスクリーン１１２への接触の強度を検出するための１つ以上の接触強度センサ１６５及び／又はデバイス１００のユーザの触知出力を生成するための１つ以上の触知出力生成器１６７を、任意選択的に、含む。
【０１８０】
図３は、いくつかの実施形態に係る、ディスプレイ及びタッチ感知面を備える例示的な多機能デバイスのブロック図である。デバイス３００は、ポータブルでなくてもよい。いくつかの実施形態において、デバイス３００は、ラップトップコンピュータ、デスクトップコンピュータ、タブレットコンピュータ、マルチメディアプレーヤデバイス、ナビゲーションデバイス、教育的デバイス（子供の学習玩具など）、ゲームシステム、又は制御デバイス（例えば、ホーム又は業務用コントローラ）である。デバイス３００は、典型的には、１つ以上の処理ユニット（ＣＰＵ）３１０と、１つ以上のネットワーク又は他の通信インタフェース３６０と、メモリ３７０と、これらの構成要素を相互接続するための１つ以上の通信バス３２０とを含む。通信バス３２０は、システム構成要素間の通信を相互接続及び制御する回路（チップセットと称することがある）を、任意選択的に含む。デバイス３００は、典型的にはタッチスクリーンディスプレイである、ディスプレイ３４０を備える入出力（Ｉ／Ｏ）インタフェース３３０を含む。Ｉ／Ｏインタフェース３３０はまた、キーボード及び／又はマウス（若しくは他のポインティングデバイス）３５０並びにタッチパッド３５５、デバイス３００上に触知出力を生成するための（例えば、図１Ａを参照して上述された触知出力生成器（１つ又は複数）１６７と同様の）触知出力生成器３５７、センサ３５９（例えば、光センサ、加速度センサ、近接センサ、タッチ感知センサ、及び／若しくは図１Ａを参照して上述された接触強度センサ（１つ又は複数）１６５と同様の接触強度センサ）も任意選択的に含む。メモリ３７０は、ＤＲＡＭ、ＳＲＡＭ、ＤＤＲ  ＲＡＭ、又は他のランダムアクセスソリッドステートメモリデバイスなどの、高速ランダムアクセスメモリを含み、また任意選択的に、１つ以上の磁気ディスク記憶デバイス、光ディスク記憶デバイス、フラッシュメモリデバイス、又は他の不揮発性ソリッドステート記憶デバイスなどの、不揮発性メモリを含む。メモリ３７０は、ＣＰＵ（１つ又は複数）３１０からは離れて位置する１つ以上の記憶デバイスを、任意選択的に、含む。いくつかの実施形態では、メモリ３７０は、ポータブル多機能デバイス１００（図１Ａ）のメモリ１０２内に記憶されたプログラム、モジュール、及びデータ構造に類似する、プログラム、モジュール、及びデータ構造、又はそれらのサブセットを記憶する。更に、メモリ３７０は、ポータブル多機能デバイス１００のメモリ１０２内に存在しない追加プログラム、モジュール、及びデータ構造を記憶し得る。例えば、デバイス３００のメモリ３７０は、描画モジュール３８０、プレゼンテーションモジュール３８２、ワードプロセッシングモジュール３８４、ウェブサイト作成モジュール３８６、ディスクオーサリングモジュール３８８、及び／又はスプレッドシートモジュール３９０を任意選択的に記憶するが、その一方で、ポータブル多機能デバイス１００（図１Ａ）のメモリ１０２は、これらのモジュールを任意選択的に記憶しない。
【０１８１】
図３の上記で特定された要素の各々は、前述のメモリデバイスのうちの１つ以上の内部に記憶されてもよい。上記で識別されたモジュールうちのそれぞれは、上述した機能を実行するための命令セットに対応する。上記で特定されたモジュール若しくはプログラム（例えば、命令セット）は、別個のソフトウェアプログラム、手順、又はモジュールとして実装される必要はなく、それゆえ、様々な実施形態では、これらのモジュールの様々なサブセットが組み合わせられるか、又は別の方法で再編成されてもよい。いくつかの実施形態では、メモリ３７０は、上記で識別されたモジュール及びデータ構造のサブセットを記憶することができる。更に、メモリ３７０は、上述されていない追加のモジュール及びデータ構造を記憶してもよい。
【０１８２】
次に、例えば、ポータブル多機能デバイス１００上に実装することができるユーザインタフェースの実施形態に注目を向ける。
【０１８３】
図４Ａは、いくつかの実施形態に係る、ポータブル多機能デバイス１００上のアプリケーションのメニューのための例示的なユーザインタフェースを示す。同様のユーザインタフェースが、デバイス３００上に実装されてもよい。いくつかの実施形態では、ユーザインタフェース４００は、以下の要素、又はそれらのサブセット若しくはスーパーセットを含む。
●セルラー信号及びＷｉ−Ｆｉ信号などの無線通信（１つ又は複数）に関する信号強度インジケータ（１つ又は複数）４０２、
●時間４０４、
●Ｂｌｕｅｔｏｏｔｈインジケータ４０５、
●バッテリ状態インジケータ４０６、
●以下のような、頻繁に使用されるアプリケーション用のアイコンを有するトレイ４０８、
○不在着信又は音声メールメッセージの数のインジケータ４１４を任意選択的に含む、「電話」とラベル付けされた、電話モジュール１３８用のアイコン４１６、
○未読電子メールの数のインジケータ４１０を任意選択的に含む、「メール」とラベル付けされた、電子メールクライアントモジュール１４０用のアイコン４１８、
○「ブラウザ」とラベル付けされた、ブラウザモジュール１４７用のアイコン４２０、及び
○「ｉＰｏｄ」とラベル付けされた、ｉＰｏｄ（Ａｐｐｌｅ  Ｉｎｃ．の商標）モジュール１５２とも称される、ビデオ及び音楽プレーヤモジュール１５２用のアイコン４２２、並びに
●以下のような、その他のアプリケーション用のアイコン、
○「メッセージ」とラベル付けされた、ＩＭモジュール１４１用のアイコン４２４、
○「カレンダー」とラベル付けされた、カレンダーモジュール１４８用のアイコン４２６、
○「写真」とラベル付けされた、画像管理モジュール１４４用のアイコン４２８、
○「カメラ」とラベル付けされた、カメラモジュール１４３用のアイコン４３０、
○「オンラインビデオ」とラベル付けされた、オンラインビデオモジュール１５５用のアイコン４３２、
○「株式」とラベル付けされた、株式ウィジェット１４９−２用のアイコン４３４、
○「地図」とラベル付けされた、地図モジュール１５４用のアイコン４３６、
○「気象」とラベル付けされた、気象ウィジェット１４９−１用のアイコン４３８、
○「時計」とラベル付けされた、アラーム時計ウィジェット１４９−４用のアイコン４４０、
○「トレーニングサポート」とラベル付けされた、トレーニングサポートモジュール１４２用のアイコン４４２、
○「メモ」とラベル付けされた、メモモジュール１５３用のアイコン４４４、及び
○デバイス１００及びその様々なアプリケーション１３６に関する設定へのアクセスを提供する、「設定」とラベル付けされた、設定アプリケーション若しくはモジュール用のアイコン４４６。
【０１８４】
図４Ａに示されているアイコンのラベルは、単なる例示であることに留意されたい。例えば、ビデオ及び音楽プレーヤモジュール１５２用のアイコン４２２は、「音楽」又は「音楽プレーヤ」と任意選択的にラベル付けされてもよい。他のラベルが、様々なアプリケーションアイコンのために、任意選択的に使用される。いくつかの実施形態では、それぞれのアプリケーションアイコンに関するラベルは、それぞれのアプリケーションアイコンに対応するアプリケーションの名前を含む。いくつかの実施形態において、特定のアプリケーションアイコンのラベルは、特定のアプリケーションアイコンに対応するアプリケーションの名前とは異なる。
【０１８５】
図４Ｂは、ディスプレイ４５０（例えば、タッチスクリーンディスプレイ１１２）とは別個のタッチ感知面４５１（例えば、図３のタブレット又はタッチパッド３５５）を備えるデバイス（例えば、図３のデバイス３００）上の例示的なユーザインタフェースを示す。デバイス３００はまた、タッチ感知面４５１上の接触の強度を検出するための、１つ以上の接触強度センサ（例えば、センサ３５７のうちの１つ以上）、及び／又はデバイス３００のユーザに対する触知出力を生成するための、１つ以上の触知出力生成器３５９を任意選択的に含む。
【０１８６】
以下の実施例のうちのいくつかは、タッチスクリーンディスプレイ１１２上での入力（タッチ感知面とディスプレイとが組み合わされている場合）を参照して説明されるが、いくつかの実施形態では、デバイスは、図４Ｂに示されるように、ディスプレイとは別個のタッチ感知面上での入力を検出する。いくつかの実施形態では、タッチ感知面（例えば、図４Ｂの４５１）は、ディスプレイ（例えば、４５０）上の主軸（例えば、図４Ｂの４５３）に対応する主軸（例えば、図４Ｂの４５２）を有する。これらの実施形態によれば、デバイスは、ディスプレイ上のそれぞれのロケーションに対応するロケーション（例えば、図４Ｂでは、４６０は４６８に対応し、４６２は４７０に対応する）におけるタッチ感知面４５１との接触（例えば、図４Ｂでの４６０及び４６２）を検出する。このように、タッチ感知面がディスプレイとは別個のものである場合には、タッチ感知面（例えば、図４Ｂの４５１）上でデバイスによって検出されたユーザ入力（例えば、接触４６０及び４６２、並びにそれらの移動）が、多機能デバイスのディスプレイ（例えば、図４Ｂの４５０）上のユーザインタフェースを操作するために、デバイスによって使用される。同様の方法が、本明細書に記載の他のユーザインタフェースに、任意選択的に使用されることを理解されたい。
【０１８７】
更に加えて、以下の実施例は、主に指入力（例えば、指の接触、指のタップジェスチャ、指のスワイプジェスチャ）を参照して説明されるが、いくつかの実施形態では、それらの指入力のうちの１つ以上は、別の入力デバイスからの入力（例えば、マウスに基づく入力又はスタイラス入力）で置き換えられることを理解されたい。例えば、スワイプジェスチャは、任意選択的に、（例えば、接触の代わりに）マウスクリックと置換され、その後、（例えば、接触の移動の代わりに）スワイプの経路に沿ってカーソルの移動が行われる。別の実施例として、タップジェスチャは、（例えば、接触の検出に続いて接触の検出を停止する代わりに）カーソルがタップジェスチャの位置上に配置される間、任意選択的に、マウスクリックと置換される。同様に、複数のユーザ入力が同時に検出される時、複数のコンピュータマウスが同時に、任意選択的に用いられ、又はマウスと指接触が同時に任意選択的に用いられることが理解されよう。
【０１８８】
図５Ａは、例示的なパーソナル電子デバイス５００を示す。デバイス５００は、本体５０２を備える。いくつかの実施形態では、デバイス５００は、デバイス１００及び３００に関して説明された特徴（例えば、図１Ａ〜４Ｂ）のいくつか又は全てを含むことができる。いくつかの実施形態では、デバイス５００は、タッチ感知ディスプレイスクリーン５０４、以下、タッチスクリーン５０４を有する。代替的に、又はタッチスクリーン５０４に加えて、デバイス５００はディスプレイ及びタッチ感知面を有する。デバイス１００及び３００の場合と同様に、いくつかの実施形態では、タッチスクリーン５０４（又はタッチ感知面）は、加えられている接触（例えば、タッチ）の強度を検出するための１つ以上の強度センサを有してもよい。タッチスクリーン５０４（又はタッチ感知面）の１つ以上の強度センサは、タッチの強度を表す出力データを提供することができる。デバイス５００のユーザインタフェースは、タッチの強度に基づきタッチに応答してもよく、これは、異なる強度のタッチはデバイス５００上で異なるユーザインタフェース動作を呼び出してもよいことを意味する。
【０１８９】
タッチ強度を検出及び処理するための技術は、例えば、関連出願である、２０１３年５月８日出願の「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｄｉｓｐｌａｙｉｎｇ  Ｕｓｅｒ  Ｉｎｔｅｒｆａｃｅ  Ｏｂｊｅｃｔｓ  Ｃｏｒｒｅｓｐｏｎｄｉｎｇ  ｔｏ  ａｎ  Ａｐｐｌｉｃａｔｉｏｎ」と題された国際特許出願第ＰＣＴ／ＵＳ２０１３／０４００６１号、及び２０１３年１１月１１日出願の「Ｄｅｖｉｃｅ，Ｍｅｔｈｏｄ，ａｎｄ  Ｇｒａｐｈｉｃａｌ  Ｕｓｅｒ  Ｉｎｔｅｒｆａｃｅ  ｆｏｒ  Ｔｒａｎｓｉｔｉｏｎｉｎｇ  Ｂｅｔｗｅｅｎ  Ｔｏｕｃｈ  Ｉｎｐｕｔ  ｔｏ  Ｄｉｓｐｌａｙ  Ｏｕｔｐｕｔ  Ｒｅｌａｔｉｏｎｓｈｉｐｓ」と題された国際特許出願第ＰＣＴ／ＵＳ２０１３／０６９４８３号に見いだすことができる。これらの出願の各々はその全体が本明細書において参照により組み込まれる。
【０１９０】
いくつかの実施形態では、デバイス５００は、１つ以上の入力機構５０６及び５０８を有する。入力機構５０６及び５０８は、含まれている場合、物理的であってもよい。物理的入力機構の例は、プッシュボタン及び回転可能機構を含む。いくつかの実施形態では、デバイス５００は、１つ以上の取付機構を有する。そのような取付機構は、含まれている場合、例えば、帽子、アイウェア、イヤリング、ネックレス、シャツ、ジャケット、ブレスレット、時計バンド、チェーン、ズボン、ベルト、靴、財布、バックパックなどへのデバイス５００の取付を可能にしてもよい。これらの取付機構は、デバイス５００がユーザによって着用されることを可能にしてもよい。
【０１９１】
図５Ｂは、例示的なパーソナル電子デバイス５００を示す。いくつかの実施形態では、デバイス５００は、図１Ａ、図１Ｂ、及び図３に関して説明された構成要素のいくつか又は全てを含むことができる。デバイス５００は、Ｉ／Ｏ部５１４を１つ以上のコンピュータプロセッサ５１６及びメモリ５１８に動作可能に結合する、バス５１２を有する。Ｉ／Ｏ部５１４は、タッチ感知構成要素５２２、及び、任意選択的に、タッチ強度感知構成要素５２４を有し得る、ディスプレイ５０４に接続されてもよい。加えて、Ｉ／Ｏ部５１４は、Ｗｉ−Ｆｉ、Ｂｌｕｅｔｏｏｔｈ、近距離通信（ＮＦＣ）、セルラー及び／又は他の無線通信技術を使用してアプリケーション及びオペレーティングシステムデータを受信するための通信ユニット５３０に接続されてもよい。デバイス５００は、入力機構５０６及び／又は５０８を備えてもよい。入力機構５０６は、例えば、回転可能入力デバイス、又は押下可能かつ回転可能入力デバイスであってもよい。入力機構５０８は、いくつかの実施例では、ボタンであってもよい。
【０１９２】
入力機構５０８は、いくつかの実施例では、マイクロフォンであってもよい。パーソナル電子デバイス５００は、ＧＰＳセンサ５３２、加速度計５３４、方向センサ５４０（例えば、コンパス）、ジャイロスコープ５３６、動きセンサ５３８、及び／又はこれらの組み合わせなどの様々なセンサを含むことができ、これらの全てはＩ／Ｏ部５１４に動作可能に接続されることができる。
【０１９３】
パーソナル電子デバイス５００のメモリ５１８は、１つ以上のコンピュータプロセッサ５１６によって実行されると、例えば、コンピュータプロセッサに、プロセス３３００、３４００、３５００、３６００、３７００、３８００、３９００、４０００、４６００、及び４９００（図３３〜図４９）を含む、上述された技法を実行させることができるコンピュータ実行可能命令を記憶するための、非一時的コンピュータ可読記憶媒体であることができる。コンピュータ実行可能命令はまた、コンピュータベースのシステム、プロセッサを含むシステム、又は、命令実行システム、装置、若しくはデバイスから命令をフェッチし、それらの命令を実行し得る他のシステムなどの、命令実行システム、装置、若しくはデバイスによって、又はこれらと関連して使用するために、任意の非一時的コンピュータ可読記憶媒体内に記憶し、及び／又は輸送することができる。本明細書の目的においては、「非一時的コンピュータ可読記憶媒体」は、命令実行システム、装置、若しくはデバイスによって、又はこれらと関連して使用するためのコンピュータ実行可能命令を有形的に収容又は記憶し得る、任意の媒体であることができる。非一時的コンピュータ可読記憶媒体は、磁気的、光学的、及び／又は半導体記憶装置を含み得るが、これらに限定されない。そのような記憶装置の例は、磁気ディスク、ＣＤ、ＤＶＤ、又はＢｌｕ−ｒａｙ技術に基づく光ディスク、及びフラッシュメモリ、ソリッドステートドライブなどの永続的ソリッドステートメモリを含む。パーソナル電子デバイス５００は、図５Ｂの構成要素及び構成に限定されず、複数の構成において、他の又は追加の構成要素を含むことができる。
【０１９４】
本明細書で使用するとき、用語「アフォーダンス」は、デバイス１００、３００、及び／又は５００（図１、図３、及び図５）のディスプレイスクリーン上に表示され得るユーザ対話式のグラフィカルユーザインタフェースオブジェクトを指す。例えば、画像（例えば、アイコン）、ボタン、及びテキスト（例えば、ハイパーリンク）がそれぞれ、アフォーダンスを構成してもよい。
【０１９５】
本明細書で使用されるとき、用語「フォーカスセレクタ」とは、ユーザが対話しているユーザインタフェースの現在の部分を示す、入力要素を指す。カーソル又は他のロケーションマーカを含むいくつかの実装形態では、カーソルは「フォーカスセレクタ」として機能し、それにより、カーソルが特定のユーザインタフェース要素（例えば、ボタン、ウィンドウ、スライダ、又は他のユーザインタフェース要素）の上にある間に、タッチ感知面（例えば、図３のタッチパッド３５５、又は図４Ｂのタッチ感知面４５１）上で入力（例えば、押圧入力）が検出されると、その特定のユーザインタフェース要素が、検出された入力に従って調整される。タッチスクリーンディスプレイ上のユーザインタフェース要素との直接的な対話を可能にする、タッチスクリーンディスプレイ（例えば、図１Ａのタッチ感知ディスプレイシステム１１２、又は図４Ａのタッチスクリーン１１２）を含むいくつかの実装形態では、タッチスクリーン上で検出される接触が「フォーカスセレクタ」の役割を果たし、それにより、入力（例えば、接触による押圧入力）が、タッチスクリーンディスプレイ上において、特定のユーザインタフェース要素（例えば、ボタン、ウィンドウ、スライダ、又は他のユーザインタフェース要素）のロケーションで検出されると、その特定のユーザインタフェース要素が、検出された入力に従って調節される。いくつかの実装において、（例えば、タブキー又は矢印キーを使ったフォーカスの１つのボタンから別のボタンへの移動により）タッチスクリーンディスプレイ上の対応するカーソルの移動又は接触の移動なしに、フォーカスが、ユーザインタフェースの１つの領域からユーザインタフェースの別の領域に移動される。これらの実装において、フォーカスセレクタは、ユーザインタフェースの異なる領域間でのフォーカスの移動に従って移動する。フォーカスセレクタが取る特定のフォームに関係なく、フォーカスセレクタは、全体的に、ユーザのユーザインタフェースとの意図した（例えば、ユーザが対話したいと思っているユーザインタフェースの要素をデバイスに指示することによる）対話を伝達するように、ユーザによって制御されたユーザインタフェース要素（又は、タッチスクリーンディスプレイ上の接触）である。例えば、押下げ入力がタッチ感知面（例えば、タッチパッド又はタッチスクリーン）上で検出された時にそれぞれのボタンの上にあるフォーカスセレクタ（例えば、カーソル、接触又は選択ボックス）の位置は、（デバイスのディスプレイ上に示されている他のユーザインタフェース要素とは反対に）ユーザが、それぞれのボタンをアクティブ化しようとしていることを指示する。
【０１９６】
明細書及び特許請求の範囲で使用されるように、接触の「特性強度」という用語は、接触の１つ以上の強度に基づく接触の特性を指す。いくつかの実施形態では、特性強度は複数の強度サンプルに基づく。特性強度は、任意選択的に、既定の数の強度サンプル、又は既定のイベント（例えば、接触を検出した後、接触のリフトオフを検出する前、接触の移動の開始を検出する前若しくは後、接触の終了を検出する前、接触の強度の増加を検出する前若しくは後、及び／又は接触の強度の減少を検出する前若しくは後）に対して所定の時間期間（例えば、０．０５、０．１、０．２、０．５、１、２、５、１０秒）内に収集された強度サンプルのセットに基づく。接触の特性強度は、任意選択的に、接触の強度の最大値、接触の強度の平均値（mean）、接触の強度の平均値（average）、接触の強度の上位１０個のパーセンタイル値、接触の強度の最大値の半分の値、接触の強度の最大値の９０パーセントの値などのうちの１つ以上に基づく。いくつかの実施形態では、特性強度を判定するために、接触の期間が使用される（例えば、特性強度が経時的な接触の強度の平均であるとき）。いくつかの実施形態では、動作がユーザによって実行されたかどうかを判定するために、特性強度が１つ以上の強度閾値のセットと比較される。例えば、１つ以上の強度閾値のセットは、第１の強度閾値及び第２の強度閾値を含んでもよい。この実施例では、第１の閾値を上回らない特性強度を有する接触の結果として第１の動作が実行され、第１の強度閾値を上回り、第２の強度閾値を上回らない特性強度を有する接触の結果として第２の動作が実行され、第２の閾値を上回る特性強度を有する接触の結果として第３の動作が実行される。いくつかの実施形態では、特性強度と１つ以上の閾値との間の比較が、第１の動作を実行するのか、それとも第２の動作を実行するのかを決定するために使用されるのではなく、１つ以上の動作を実行するか否か（例えば、それぞれの動作を実行するのか、それともそれぞれの動作を実行することを見送るのか）を決定するために使用される。
【０１９７】
いくつかの実施形態では、特性強度を判定する目的で、ジェスチャの一部分が特定される。例えば、タッチ感知面は、接触の強度が増加する、開始位置から遷移して終了位置まで達する連続的なスワイプ接触を受け取ってもよい。この実施例では、終了位置における接触の特性強度は、連続的なスワイプ接触全体ではなく、そのスワイプ接触の一部分（例えば、終了位置におけるスワイプ接触の部分のみ）のみに基づいてもよい。いくつかの実施形態では、接触の特性強度を判定することの前に、平滑化アルゴリズムがスワイプ接触の強度に適用されてもよい。例えば、平滑化アルゴリズムは、任意選択的に、非荷重移動平均平滑化アルゴリズム、三角平滑化アルゴリズム、中央値フィルタ平滑化アルゴリズム、及び／又は指数平滑化アルゴリズムのうちの１つ以上を含む。いくつかの状況では、これらの平滑化アルゴリズムは、特性強度を判定する目的で、スワイプ接触の強度の小幅な上昇又は低下を除外する。
【０１９８】
タッチ感知面上の接触の強度は、接触検出強度閾値、軽い押圧強度閾値、深い押圧強度閾値、及び／又は１つ以上の他の強度閾値などの１つ以上の強度閾値に対して特徴付けされてもよい。いくつかの実施形態では、軽い押圧強度閾値は、物理マウスのボタン又はトラックパッドのクリックに典型的に関連付けられた動作を、デバイスが実行することになる強度に相当する。いくつかの実施形態では、深い押圧強度閾値は、物理マウスのボタン又はトラックパッドのクリックに典型的に関連付けられた動作とは異なる動作を、デバイスが実行することになる強度に相当する。いくつかの実施形態では、軽い押圧強度閾値を下回る（例えば、かつ、それを下回ると接触がもはや検出されないわずかな接触検出強度閾値を上回る）特性強度で接触が検出される場合、デバイスは、軽い押圧強度閾値又は深い押圧強度閾値に関連付けられた動作を実行することなく、タッチ感知面上の接触の移動に従って、フォーカスセレクタを移動させることになる。全般的には、特に明記しない限り、これらの強度閾値は、異なるユーザインタフェース図のセット間でも一貫している。
【０１９９】
軽い押圧強度閾値を下回る強度から、軽い押圧強度閾値と深い押圧強度閾値との間の強度への、接触の特性強度の増大は、「軽い押圧」入力と称される場合がある。深い押圧強度閾値を下回る強度から、深い押圧強度閾値を上回る強度への、接触の特性強度の増大は、「深い押圧」入力と称される場合がある。接触検出強度閾値を下回る強度から、接触検出強度閾値と軽い押圧強度閾値との間の強度への、接触の特性強度の増大は、タッチ面上の接触の検出と称される場合がある。接触検出強度閾値を上回る強度から、接触検出強度閾値を下回る強度への、接触の特性強度の減少は、タッチ面からの接触のリフトオフの検出と称される場合がある。いくつかの実施形態では、接触検出強度閾値は０である。いくつかの実施形態では、接触検出強度閾値は０よりも大きい。
【０２００】
本明細書で説明されるいくつかの実施形態では、１つ以上の動作は、それぞれの押圧入力を含むジェスチャの検出に応答して、又はそれぞれの接触（又は、複数の接触）で実行されるそれぞれの押圧入力の検出に応答して実行され、それらのそれぞれの押圧入力は、少なくとも部分的に、押圧入力強度閾値を上回る接触（又は、複数の接触）の強度の増大の検出に基づいて検出される。いくつかの実施形態では、それぞれの動作は、押圧入力強度閾値を上回る、それぞれの接触の強度の増大（例えば、それぞれの押圧入力の「ダウンストローク」）の検出に応答して、実行される。いくつかの実施形態では、押圧入力は、押圧入力強度閾値を上回る、それぞれの接触の強度の増大、及び後続の押圧入力強度閾値を下回る接触の強度の減少を含み、それぞれの動作は、その後続の押圧入力閾値を下回るそれぞれの接触の強度の減少（例えば、それぞれの押圧入力の「アップストローク」）の検出に応答して、実行される。
【０２０１】
いくつかの実施形態では、デバイスは、時として「ジッタ」と呼ばれる偶発的入力を回避するために、強度ヒステリシスを採用し、デバイスは、押圧入力強度閾値との既定の関係を有するヒステリシス強度閾値を定義又は選択する（例えば、ヒステリシス強度閾値は、押圧入力強度閾値よりもＸ強度単位低いか、又は、ヒステリシス強度閾値は、押圧入力強度閾値の７５％、９０％、若しくは何らかの妥当な比率である）。それゆえ、いくつかの実施形態では、押圧入力は、押圧入力強度閾値を上回る、それぞれの接触の強度の増大、及び後続の、押圧入力強度閾値に対応するヒステリシス強度閾値を下回る接触の強度の減少を含み、それぞれの動作は、そのヒステリシス強度閾値を下回る、後続のそれぞれの接触の強度の減少（例えば、それぞれの押圧入力の「アップストローク」）の検出に応答して、実行される。同様に、いくつかの実施形態では、押圧入力は、デバイスが、ヒステリシス強度閾値以下の強度から、押圧入力強度閾値以上の強度への、接触の強度の増大、及び任意選択的に、ヒステリシス強度以下の強度への、後続の接触の強度の減少を検出する場合にのみ、検出され、それぞれの動作は、その押圧入力（例えば、状況に応じて、接触の強度の増大、又は接触の強度の減少）の検出に応答して、実行される。
【０２０２】
説明を容易にするために、押圧入力強度閾値に関連付けられた押圧入力に応じて、又はその押圧入力を含むジェスチャに応じて実行される動作の説明は、押圧入力強度閾値を上回る接触の強度の増大、ヒステリシス強度閾値を下回る強度から押圧入力強度閾値を上回る強度への接触の強度の増大、押圧入力強度閾値を下回る接触の強度の減少、及び／又は押圧入力強度閾値に対応するヒステリシス強度閾値を下回る接触の強度の減少のいずれかの検出に応じて、任意選択的にトリガーされる。更に加えて、押圧入力強度閾値を下回る、接触の強度の減少の検出に応答して、動作が実行されるとして説明される実施例では、その動作は、押圧入力強度閾値に対応し、かつ押圧入力強度閾値よりも低い、ヒステリシス強度閾値を下回る、接触の強度の減少の検出に応答して、任意選択的に実行される。
【０２０３】
本明細書で使用するとき、「インストールされたアプリケーション」は、電子デバイス（例えば、デバイス１００、３００、及び／又は５００）上にダウンロードされ、デバイス上で立ち上げられる（例えば、開かれる）準備ができているソフトウェアアプリケーションを指す。いくつかの実施形態では、ダウンロードされたアプリケーションは、ダウンロードされたパッケージからプログラム部分を抽出し、抽出された部分をコンピュータシステムのオペレーティングシステムと統合するインストレーションプログラムを介して、インストールされたアプリケーションになる。
【０２０４】
本明細書で使用するとき、用語「開いたアプリケーション」又は「実行中のアプリケーション」は、状態情報が（例えば、デバイス／グローバル内部状態１５７及び／又はアプリケーション内部状態１９２の一部として）保持されたソフトウェアアプリケーションを指す。開いたアプリケーション又は実行中のアプリケーションは、以下の種類のアプリケーションのうちの任意のものであり得る：
●アプリケーションが使用されているデバイスのディスプレイスクリーン上に現在表示されている、アクティブなアプリケーション、
●現在表示されていないが、アプリケーションのための１つ以上のプロセスが１つ以上のプロセッサによって処理されている、バックグラウンドアプリケーション（若しくはバックグラウンドプロセス）、及び
●実行していないが、メモリ（それぞれ、揮発性メモリ及び不揮発性メモリ）内に記憶され、アプリケーションの実行を再開するために用いられることができる状態情報を有する、中断されるか、又は冬眠させられているアプリケーション。
【０２０５】
本明細書で使用するとき、用語「閉じているアプリケーション」とは、状態情報が保持されていない（例えば、閉じているアプリケーションに関する状態情報が、デバイスのメモリ内に記憶されていない）ソフトウェアアプリケーションを指す。したがって、アプリケーションを閉じることは、アプリケーションのアプリケーションプロセスを停止すること及び／又は機器のメモリから除去すること、並びにアプリケーション状態情報を機器のメモリから除去することを含む。一般的には、第１のアプリケーションの間に、第２のアプリケーションを開くことにより、第１のアプリケーションが閉じられることはない。第２のアプリケーションが表示され、第１のアプリケーションの表示が中止されると、第１のアプリケーションはバックグラウンドアプリケーションになる。
【０２０６】
次に、メディア及びロケーションデータをキャプチャし、送信し、かつそれを見るか又は再生するためのメッセージユーザインタフェースの実施形態に注目する。
【０２０７】
図６Ａ〜図３２Ｃは、いくつかの実施形態に係る、メッセージのための例示的なユーザインタフェースを示す。これらの図におけるユーザインタフェースは、図３３〜図４９におけるプロセスを含む、以下において説明されるプロセスを例示するために使用される。
【０２０８】
図６Ａは、デバイス１００によって任意選択的に表示される例示的なメッセージユーザインタフェースを示す。メッセージユーザインタフェースは、メッセージ会話の参加者の間で送信されたメッセージを表示するためのメッセージ領域６０２を、メッセージを作成するためのメッセージ作成フィールド６０４と共に含む。参加者によって交換されたメッセージが、境界されたメッセージ区域６０６の内部に表示される。いくつかの実施形態では、境界されたメッセージ区域は、アプリケーション描画面の背景と視覚的に区別される連続的な領域である。
【０２０９】
本実施形態では、メッセージユーザインタフェースは、メディアストリームをキャプチャし、送信するための２つのメディアアフォーダンス６０８、６１０、即ち、音声メッセージをキャプチャし、送信するための音声キャプチャアフォーダンス６０８、及び画像又はビデオをキャプチャし、送信するための視覚メディアキャプチャアフォーダンス６１０を含む。本実施形態では、視覚メディアキャプチャアフォーダンス及び音声データキャプチャアフォーダンスはメッセージ作成フィールドの両側に表示される。メッセージユーザインタフェースはまた、メッセージ作成フィールド６０４内にテキストを入力するための仮想キーボード６１２を含む。いくつかの実施形態では、図６Ｂに示されるように、メッセージ作成フィールド６０４内におけるユーザ入力を検出したことに応じて、デバイス１００は音声キャプチャアフォーダンス６０８の表示を、メッセージを送信するための送信ボタン６１４の表示と置換する。
【０２１０】
以下においてより詳細に説明されるように、デバイス１００は、メッセージングアプリケーションの内部から種々のメディア（音声、ビデオ、及び画像など）をキャプチャし、送信することができる。
【０２１１】
いくつかの実施形態では、デバイス１００はメッセージングアプリケーションの内部から音声メッセージを記録し、送信する。例えば、図６Ｃ〜Ｄによって示されるように、音声キャプチャアフォーダンス６０８上における接触を検出したことに応じて、デバイス１００は、複数のアフォーダンス６１８、６２０、６２２を包含する視覚的に区別された領域６１６を表示し、デバイス１００のマイクロフォンを用いて音声メッセージを記録することを開始する。音声メッセージは、例えば、ユーザが話すこと若しくは歌うこと、又はデバイス１００によってキャプチャされることができる何らかの他の種類の音声メッセージであってもよい。
【０２１２】
図６Ｄに示される実施形態では、視覚的に区別された領域６１６は、キャプチャされた音声メッセージをメッセージ会話の参加者へ送信するための送信アフォーダンス６１８、音声メッセージを記録することを中止し、音声メッセージを参加者へ送信することを見送るためのキャンセルアフォーダンス６２０、及び音声メッセージを記録するための記録アフォーダンス６２２を包含する。いくつかの実施形態では、送信アフォーダンスはディスプレイ上においてメディアアフォーダンスの近くに表示される。
【０２１３】
本実施形態では、視覚的に区別された領域６１６は、ディスプレイの、音声キャプチャアフォーダンス６０８と同じ側に表示され、音声キャプチャアフォーダンス６０８に対応するロケーションに縦方向の中心を有する。それゆえ、ユーザが音声キャプチャアフォーダンス６０８に接触すると、視覚的に区別された領域６１６が音声キャプチャアフォーダンスのロケーションの周りに現れ、記録アフォーダンス６２２が音声キャプチャアフォーダンス６０８に取って代わる。
【０２１４】
図６Ｄに示されるように、例示的な視覚的に区別された領域６１６は、ディスプレイの縁部６２６と、ディスプレイの縁部６２６において開始して終了し、ディスプレイの縁部に対して送信アフォーダンス６１８、キャンセルアフォーダンス６２０、及び記録アフォーダンス６２２を取り囲む半円６２４とによって境界される。視覚的に区別された領域６１６は、デバイス１００がメディアキャプチャモードに入ったことの視覚的指示をユーザに提供し得る。
【０２１５】
いくつかの実施形態では、デバイス１００は、接触が、記録アフォーダンスに対応するディスプレイ上のロケーションにおいて維持されている限り、音声メッセージを記録することを継続する。いくつかの実施形態では、図７Ａ〜Ｂに示されるように、送信アフォーダンス６１８へのディスプレイ上におけるスワイプジェスチャを検出したことに応じて、デバイス１００は、音声メッセージを記録することを停止し、記録された音声メッセージをメッセージ会話の参加者へ直ちに送信する。スワイプジェスチャは、送信アフォーダンス６１８へのディスプレイ上における接触の移動、及びそれに続く、送信アフォーダンス６１８における接触のリフトオフに対応してもよい。いくつかの実施形態では、接触の移動は、送信アフォーダンスが表示された後に検出される。
【０２１６】
いくつかの実施形態では、メディア（音声メッセージなど）をメッセージ会話の参加者へ送信することと併せて、メディアの表現がメッセージ領域内に表示される。例えば、図７Ｂに示されるように、いくつかの実施形態では、デバイス１００は、メッセージ会話内に挿入された境界されたメッセージ区域７０８内に、送信された音声メッセージの表現を表示する。本実施形態では、音声メッセージの表現は、音声メッセージを表現する波形７０２の画像、音声メッセージを再生するための再生アフォーダンス７０４、及び音声メッセージの持続時間７０６を含む。いくつかの実施形態では、波形は、記録された音声メッセージに基づいて生成され、メッセージの音声コンテンツの固有の特性を描画する。いくつかの実施形態では、波形は図像的なものである。いくつかの実施形態では、波形の長さは音声記録の長さに対応してもよい。
【０２１７】
いくつかの実施形態では、音声メッセージを記録している間に、デバイス１００はメッセージ作成フィールド内に音声メッセージの表現を表示する。表現は、上述されたとおりの波形であってもよく、変化する音声コンテンツが記録されていることを指示するために、ユーザが音声メッセージを記録するにつれて形状を動的に変化させてもよい。
【０２１８】
いくつかの実施形態では、再生アフォーダンス７０４上における接触を検出したことに応じて、デバイス１００は音声メッセージを再生する。いくつかの実施形態では、音声メッセージが再生されたことの視覚的指示をユーザに提供するために、音声メッセージが再生された後に再生アフォーダンスの色が変化してもよい。いくつかの実施形態では、音声メッセージの対応する部分が再生されるにつれて、再生アフォーダンスの一部分は外観が変化し、経過した再生時間の視覚的指示を提供する。
【０２１９】
いくつかの実施形態では、デバイス１００は、音声メッセージを表現する波形７０２を初期色で表示し、音声メッセージが再生されると、音声メッセージが再生されたことの視覚的指示をユーザに提供するために波形の色を変更する。いくつかの実施形態では、デバイス１００は、音声メッセージの対応する部分が再生されるにつれて、波形７０２の一部分の色を変更し、経過した再生時間の視覚的表現を提供する。上述された音声メッセージの表現及び色の変更は、メッセージングアプリケーションの内部から交換された任意の音声メッセージを表現するために用いられてもよく、ここで、それは、メッセージ会話内、メッセージ作成フィールド内、又は他の場所に表現される。
【０２２０】
いくつかの実施形態では、デバイス１００は、音声キャプチャアフォーダンスから離れ、送信アフォーダンス又は別の方向のいずれかに向かう接触の移動を検出したことに応じて、音声メッセージを記録することを停止する。いくつかの実施形態では、デバイス１００は、接触の移動後に送信アフォーダンス６１８に対応するロケーションにおけるリフトオフを検出したことに応じて、記録された音声メッセージを送信する。音声キャプチャアフォーダンス上における最初の接触、及び送信アフォーダンスへの接触のその後の移動は、ユーザによって、ディスプレイ上における単一の連続した接触として実行されてもよい。
【０２２１】
図７Ｃ〜Ｄに示されるように、いくつかの実施形態では、デバイス１００がキャンセルアフォーダンス６２０へのディスプレイ上におけるスワイプジェスチャを検出した場合には、デバイス１００は、音声メッセージを記録することを中止し、ディスプレイから、視覚的に区別された領域６１６を消去し、音声キャプチャアフォーダンス６０８を再表示し、音声メッセージを参加者へ送信することを見送る。いくつかの実施形態では、送信アフォーダンスに関して上述されたように、スワイプジェスチャは、音声キャプチャアフォーダンス６０８上における最初の接触から出発し、ディスプレイを横切ってキャンセルアフォーダンス６２０へ至る、接触の単一の連続した移動、及びそれに続く、キャンセルアフォーダンス６２０におけるリフトオフに対応してもよい。
【０２２２】
いくつかの実施形態では、図８に示されるように、記録アフォーダンスから離れるディスプレイ上における接触の移動を検出したことに応じて、デバイス１００は、視覚的に区別された領域６１６を拡大する。いくつかの実施形態では、視覚的に区別された領域は、接触の移動に従って拡大する（例えば、視覚的に区別された領域の拡大は、視覚的に区別された領域が拡大している間における接触の移動に比例する）。いくつかの実施形態では、視覚的に区別された領域６１６の内部に表示された送信アフォーダンス６１８及びキャンセルアフォーダンス６２０は、視覚的に区別された領域６１６の拡大に従って外側へ移動する。視覚的に区別された領域を拡大することで、デバイス１００が、記録アフォーダンスのロケーションから離れる移動を検出したことの指示をユーザに提供することができ、また、スワイプジェスチャを実行するためのディスプレイのより大きな区域をユーザに提供することもでき、場合によっては、ユーザがスワイプジェスチャの軌道又は行き先を制御することがより容易になる。
【０２２３】
いくつかの実施形態では、図９Ａに示されるように、デバイス１００が、送信アフォーダンス又はキャンセルアフォーダンスへの接触の先の移動を検出することなく、ディスプレイからの接触のリフトオフを検出した場合には、デバイス１００は、音声メッセージを記録することを停止し、メッセージ作成フィールド６０４内に音声メッセージの表現を表示し、音声キャプチャアフォーダンスを、記録された音声メッセージをメッセージ会話の参加者へ送信するための送信ボタン６１４と置換する。
【０２２４】
図７Ａに関して先に説明されたように、いくつかの実施形態では、メッセージ作成フィールド内に表示される、記録された音声メッセージの表現は、記録された音声メッセージを表現する波形７０２の画像、記録された音声メッセージの持続時間７０６、及び記録された音声メッセージを再生するための再生アフォーダンス７０４を含む。
【０２２５】
いくつかの実施形態では、図９Ｂに示されるように、送信ボタン６１４上における接触を検出したことに応じて、デバイス１００は、記録された音声メッセージをメッセージ会話の参加者へ送信し、送信ボタン６１４を音声キャプチャアフォーダンス６０８と置換する。図９Ｂに示されるように、いくつかの実施形態では、送信ボタン上における接触に応じて音声メッセージを送信した後に、デバイス１００は、メッセージ会話内に挿入された境界されたメッセージ区域９０８内に、送信された音声メッセージの表現を表示する。
【０２２６】
それゆえ、図６Ａ〜図９Ｂに関して上述されたように、いくつかの実施形態では、デバイス１００は、ユーザに別個のアプリケーションを立ち上げることを要求することなく、メッセージングアプリケーション内に、ユーザがメッセージングアプリケーションの内部から音声メッセージを記録し、送信することを可能にするメッセージユーザインタフェースを表示する。更に、いくつかの実施形態では、ユーザは、音声キャプチャアフォーダンス上における最初の接触、並びにそれに続く、送信アフォーダンスへの移動及びリフトオフを含む、ディスプレイ上における単一の連続したジェスチャを用いて音声メッセージを記録し、送信することができる。このアプローチはユーザインタフェースの効率を高め、ユーザの認知負担を軽減する。
【０２２７】
いくつかの実施形態では、デバイス１００はまた、メッセージングアプリケーションの内部からカメラ画像をキャプチャし、送信することができる。いくつかの実施形態では、図１０Ａ〜Ｂに示されるように、視覚メディアキャプチャアフォーダンス６１０上における接触を検出したことに応じて、デバイス１００はカメラユーザインタフェースを表示する。カメラユーザインタフェースは、デバイス１００上のカメラセンサからのライブメディアプレビュ１０１０、並びにカメラセンサを用いて画像をキャプチャするための画像アフォーダンス１００４、及び記録アフォーダンス１００６を包含する視覚的に区別された領域１００２を含む。視覚メディアキャプチャアフォーダンス６１０はキャンセルアフォーダンス１００８と置換される。いくつかの実施形態では、ライブメディアプレビュはメッセージ領域の表示に取って代わる。
【０２２８】
本実施形態では、視覚的に区別された領域１００２は、ディスプレイの、視覚メディアキャプチャアフォーダンス６１０と同じ側に現れ、視覚メディアキャプチャアフォーダンス６１０に対応するロケーションに縦方向の中心を有する。それゆえ、ユーザが視覚メディアキャプチャアフォーダンス６１０に接触すると、視覚的に区別された領域１００２が視覚メディアキャプチャアフォーダンスのロケーションの周りに現れ、キャンセルアフォーダンスが視覚メディアキャプチャアフォーダンスに取って代わる。
【０２２９】
図１１Ａ〜Ｂに示されるように、いくつかの実施形態では、画像アフォーダンス１００４へのディスプレイ上におけるスワイプジェスチャを検出したことに応じて、デバイス１００は、プレビュ内に示されている画像をキャプチャし、画像をメッセージとして参加者へ送信する。スワイプジェスチャは、画像アフォーダンス１００４へのディスプレイを横切る接触の移動、及びそれに続く、画像アフォーダンス１００４におけるリフトオフに対応してもよい。いくつかの実施形態では、デバイス１００は、移動を検出したことに応じて画像をキャプチャし、リフトオフに応じて画像を送信する。
【０２３０】
図１１Ｂに示されるように、いくつかの実施形態では、画像をメッセージとして送信した後に、デバイス１００は、プレビュを表示することを中止し、メッセージ領域、メッセージ作成フィールド、及びメディアアフォーダンスを再表示する。いくつかの実施形態では、デバイス１００は、表示されたメッセージ会話内に挿入された境界されたメッセージ区域１１０６内に、キャプチャされた画像を表現するサムネイル１１０４を表示する。
【０２３１】
図１１Ｃ〜Ｅは、デバイス１００が、メッセージングアプリケーションの内部からの画像の迅速なキャプチャ及び送信のために任意選択的に用いることができる別の技法を示す。いくつかの実施形態では、図１１Ｃ〜Ｅに示されるように、視覚メディアアフォーダンス上における接触を検出したことに応じて、図１０Ａ〜Ｂに関して説明されたようにメッセージ領域内にライブメディアプレビュを表示するのではなく、デバイス１００はメッセージ作成フィールド６０４を拡大し、メッセージ作成フィールド６０４内にライブメディアプレビュを表示する。いくつかの実施形態では、デバイス１００は音声キャプチャアフォーダンスの表示を送信ボタン６１４の表示と置換する。いくつかの実施形態では、視覚メディアキャプチャアフォーダンス６１０からの接触のリフトオフを検出したことに応じて、デバイス１００は新しい画像をキャプチャする。いくつかの実施形態では、キャプチャされた画像は、視覚メディアアフォーダンスからのリフトオフを検出したことに応じて、又は送信ボタン６１４上における接触を検出したことに応じて、メッセージとして参加者へ送信される。いくつかの実施形態では、図１１Ｅに示されるように、画像を送信した後に、デバイス１００は、表示されたメッセージ会話内に挿入された境界されたメッセージ区域内に、画像を表現するサムネイルを表示する。いくつかの実施形態では、画像を送信した後に、デバイス１００は送信ボタンの代わりに音声キャプチャアフォーダンスを再表示する。
【０２３２】
図１１Ｆに示されるように、いくつかの実施形態では、リフトオフを検出し、新しい画像をキャプチャした後に、デバイス１００はメッセージ作成フィールド６０４内に、キャプチャされた画像の表現１１０８を表示する。いくつかの実施形態では、メッセージ作成フィールド内に、キャプチャされた画像の表現を表示している間に、デバイス１００はメッセージ作成フィールド内における追加のコンテンツ１１１０のユーザ入力を検出する。例えば、追加のコンテンツは、キャプチャされた画像の表現に隣接して入力されてもよい。このような追加のコンテンツは、例えば、図１１Ｆに示されるように、テキストコンテンツであってもよいし、又は絵文字若しくはアイコンなどのグラフィカルオブジェクトであってもよい。いくつかの実施形態では、追加のコンテンツ及びキャプチャされた画像は、送信ボタン上における接触を検出したことに応じて参加者へ送信される。
【０２３３】
いくつかの実施形態では、図１１Ｇに示されるように、画像及び追加のコンテンツを参加者へ送信した後に、デバイス１００は、会話内に挿入された境界されたメッセージ区域１１１２内に、キャプチャされた画像を表現するサムネイル１１１４を、追加のコンテンツ１１１０と一緒に表示する。いくつかの実施形態では、画像及び追加のコンテンツを送信した後に、デバイス１００は送信ボタンの代わりに音声キャプチャアフォーダンスを再表示する。
【０２３４】
いくつかの実施形態では、デバイス１００はまた、メッセージングアプリケーションの内部からビデオをキャプチャし、送信することができる。図１０Ａに関して先に説明されたように、いくつかの実施形態では、視覚メディアキャプチャアフォーダンス６１０上における接触を検出したことに応じて、デバイス１００は、カメラプレビュ、並びに画像をキャプチャするための画像アフォーダンス、ビデオをキャプチャするための記録アフォーダンス、及びメディアキャプチャをキャンセルするためのキャンセルアフォーダンスを有する視覚的に区別された領域を表示する。
【０２３５】
いくつかの実施形態では、図１２Ａ〜Ｂに示されるように、記録アフォーダンス１００６上における接触を検出したことに応じて、デバイス１００は、ビデオを記録することを開始し、記録アフォーダンスを、ビデオを記録することを停止するための停止アフォーダンス１２１２と置換し、画像アフォーダンス１００４を、ビデオを参加者へ送信するための送信アフォーダンス１２１０と置換する。いくつかの実施形態では、デバイス１００は、記録アフォーダンス１００６上への接触の移動を検出したことに応じて、又は記録アフォーダンス１００６上におけるタッチ若しくはタップに応じて、ビデオを記録することを開始する。いくつかの実施形態では、デバイス１００がビデオを記録している間に、デバイス１００は、経過した記録時間１２０８の指示を表示する。
【０２３６】
図１３Ａ〜Ｃに示されるように、いくつかの実施形態では、デバイス１００が、デバイス１００がビデオを記録している間に、送信アフォーダンス１２１０上における接触を検出することなく、接触がディスプレイからリフトオフされたことを検出した場合には、デバイス１００はビデオを記録することを継続し、記録アフォーダンス１００６の表示を停止アフォーダンス１２１２の表示と置換する。いくつかの実施形態では、デバイス１００がビデオを記録している間に、停止アフォーダンス１２１２上における接触を検出したことに応じて、デバイス１００は、ビデオを記録することを停止し、停止アフォーダンス１２１２を、記録されたビデオデータを、受信者へ送信する前に見るための再生アフォーダンス１３１４と置換する。
【０２３７】
いくつかの実施形態では、送信アフォーダンス１２１０上における接触を検出したことに応じて、デバイス１００は、（記録がまだ停止されていない場合には）ビデオを記録することを停止し、記録されたビデオをメッセージ会話の参加者へ送信する。いくつかの実施形態では、図１４に示されるように、デバイス１００は参加者の間のメッセージ会話内にビデオのサムネイル１４０２を挿入し、記録アフォーダンス及び送信アフォーダンスを含む、視覚的に区別された領域の表示を消去する。いくつかの実施形態では、サムネイルを挿入することは、メッセージ領域内の境界されたメッセージ区域１４０６内にサムネイル１４０２及び再生アフォーダンス１４１４を表示することを含む。いくつかの実施形態では、境界されたメッセージ区域１４０６内の再生アフォーダンス１４１４上における接触を検出したことに応じて、デバイス１００は、境界されたメッセージ区域１４０６の境界内でビデオを再生する。いくつかの実施形態では、再生アフォーダンス１４１４上における接触を検出したことに応じて、デバイス１００はビデオをフルスクリーンモードで再生する。
【０２３８】
図１２Ａに戻ると、いくつかの実施形態では、デバイス１００は、デバイス１００がビデオを記録している間に記録アフォーダンス１００６からのリフトオフを検出したことに応じて、ビデオを記録することを停止する。いくつかの実施形態では、記録アフォーダンス１００６からのリフトオフを検出し、ビデオの記録を停止した後に、デバイス１００は、図１３Ｃに示されるように、記録アフォーダンス１００６の表示を、ビデオを、それが受信者へ送信される前に見るための再生アフォーダンス１３１４の表示と置換する。
【０２３９】
それゆえ、いくつかの実施形態では、視覚的に区別された領域が表示されている間において、画像アフォーダンスへの上方向のスワイプは、画像をキャプチャして送信するのに対し、記録アフォーダンス上へのスワイプ、及びそれに続く、送信アフォーダンスに向かう上方向のスワイプは、ビデオをキャプチャして送信する。
【０２４０】
いくつかの実施形態では、図１０Ａに示される視覚メディアキャプチャアフォーダンス６１０は、１つ以上の既存の画像又はビデオを、メッセージ会話に追加するべく選択するために用いることができる。これらの画像は、メッセージングアプリケーション以外のアプリケーションを用いてキャプチャされていてもよい。例えば、このような画像又はビデオは、デバイス１００上で実行するか、又は遠隔デバイス上で実行するカメラアプリケーションを用いてキャプチャされていてもよいし、あるいは別のユーザによって、デバイス１００上又は遠隔デバイス上のどちらかにおいて異なるアプリケーションを用いてキャプチャされていてもよい。このような既存の画像又はビデオは、デバイス１００のメモリ内に記憶されているか、又は遠隔の記憶ロケーションからアクセスされてもよい。
【０２４１】
図１５Ａは、デバイス１００が、視覚メディアキャプチャアフォーダンス６１０上における接触などの、会話にメディアを追加せよとの要求を検出したことに応じて任意選択的に表示することができる例示的なメディアセレクタインタフェースを表示している。いくつかの実施形態では、メディアセレクタインタフェースは、ユーザが１つ以上の既存の画像、ビデオ、又は音声ファイルを、メッセージ会話に追加するために選択することを可能にする。いくつかの実施形態では、メディアセレクタインタフェースは、メッセージ会話が表示されている間に、メッセージ領域の下方に表示される。メディアセレクタインタフェースは、既存の画像又はビデオを表現するいくつかのサムネイル１５０４を有するフィルムストリップ１５０２を含む。いくつかの実施形態では、サムネイル１５０４は、最も最近キャプチャ又はアクセスされた画像、ビデオ、又は音声ファイルを表現する。いくつかの実施形態では、フィルムストリップ１５０２に関連付けられたロケーション上におけるスワイプジェスチャを検出したことに応じて、デバイス１００はスワイプジェスチャに従ってフィルムストリップをスクロールする。
【０２４２】
いくつかの実施形態では、特定のサムネイル１５０４上における接触を検出したことに応じて、デバイス１００は、図１５Ｂの例に示されるように、サムネイルに関連付けられた画像、ビデオ、又は音声ファイルをメッセージ会話の参加者へ送信し、会話内に画像、ビデオ、又は音声ファイルの表現１５０６を挿入する。
【０２４３】
いくつかの実施形態では、フィルムストリップ１５０２内の特定のサムネイル１５０４上における接触を検出したことに応じて、デバイス１００は、サムネイルによって表現された画像又はビデオを表示する。いくつかの実施形態では、画像又はビデオは、フルスクリーン表示によるなど、サムネイルによって表現された画像のより大きなバージョンで表示することができる。
【０２４４】
いくつかの実施形態では、フィルムストリップ１５０２内の１つのサムネイルはカメラプレビュを表現する。いくつかの実施形態では、プレビュを表現するサムネイルの選択を検出したことに応じて、デバイス１００は、デバイス１００上のカメラを用いて新しい画像をキャプチャし、新しい画像を会話の参加者へ送信する。
【０２４５】
図１６Ａ〜Ｂは、会話にメディアを追加するためのメディアセレクタインタフェースの別の実施形態を示す。本実施形態では、フィルムストリップ１６０２はメッセージ作成フィールド６０４の下方に表示される。フィルムストリップ内のサムネイル１６０４の選択を検出したことに応じて、いくつかの実施形態では、デバイス１００は、メッセージ作成フィールド６０４内に、選択されたサムネイルの表現１６０８を表示し、音声キャプチャアフォーダンスの表示を、画像をメッセージ会話の参加者へ送信するための送信ボタン６１４の表示と置換する。いくつかの実施形態では、送信ボタン６１４上における接触を検出したことに応じて、デバイス１００は、図１１Ｂに関して先に示され、説明されたように、画像を参加者へ送信し、会話内に、送信された画像の表現を挿入する。
【０２４６】
いくつかの実施形態では、デバイス１００が、フィルムストリップ内の２つ以上のサムネイル１６０４の選択、及びそれに続く、送信ボタン６１４の選択を検出したことに応じて、デバイス１００は、選択されたサムネイルに対応する２つ以上の画像又はビデオをメッセージ会話の参加者へ送信する。
【０２４７】
図１７Ａ〜Ｃは、会話にメディアを追加するためのメディアセレクタインタフェースの別の実施形態を示す。図１７Ａに示されるように、いくつかの実施形態では、デバイス１００は、サムネイル１７０４を有するフィルムストリップ１７０２を、ライブラリから画像又はビデオを選択するための写真ライブラリボタン１７０６、新しい写真又はビデオをキャプチャするための写真撮影ボタン１７１０、及びメディアセレクタインタフェースの表示をキャンセルし、それを出るためのキャンセルボタン１７０８と共に表示する。いくつかの実施形態では、フィルムストリップ内のサムネイル１７０４は、最も最近キャプチャ又はアクセスされた画像又はビデオを表現する。
【０２４８】
いくつかの実施形態では、写真ライブラリボタン１７０６の選択を検出したことに応じて、デバイス１００は写真ライブラリ１７１２、１７１４のリストを表示する。いくつかの実施形態では、リスト内の写真ライブラリの選択を検出したことに応じて、デバイス１００は、選択された写真ライブラリからの画像又はビデオのサムネイル１７１８を有する別のフィルムストリップ１７１６を表示する。いくつかの実施形態では、特定のサムネイル１７１８の選択を検出したことに応じて、デバイス１００は、図１５Ａに関して上述されたように、サムネイルによって表現された画像若しくはビデオを表示するか、又は対応する画像若しくはビデオを会話の参加者へ送信する。
【０２４９】
図１８Ａ〜Ｃを参照すると、図１８Ｂに示されるように、いくつかの実施形態では、新しい写真又はビデオを撮影するための写真撮影ボタン１７１０の選択を検出したことに応じて、デバイス１００は、新しい画像又はビデオをキャプチャするためのユーザインタフェースを表示する。いくつかの実施形態では、ユーザインタフェースは、ライブカメラプレビュ１８０２、及び画像をキャプチャするためのキャプチャボタン１８０４を含む。図１８Ｃに示されるように、いくつかの実施形態では、キャプチャボタン１８０４の選択を検出したことに応じて、デバイス１００は、プレビュ内に示されている画像をキャプチャし、ディスプレイ上に、キャプチャされた画像を、画像を再撮影するための（例えば、別の画像をキャプチャするための）再撮影ボタン１８０６、及びキャプチャされた画像を参加者へ送信するための使用ボタン１８０８と共に表示する。いくつかの実施形態では、使用ボタン１８０８上における接触を検出したことに応じて、デバイス１００は、キャプチャされた画像を参加者へ直ちに送信し、メッセージ会話の表示に戻る。いくつかの実施形態では、デバイス１００は、図１１Ｂに関して先に説明されたように、会話内に、送信された画像の表現を挿入する。
【０２５０】
いくつかの実施形態では、視覚メディアキャプチャアフォーダンスは、会話に既存のメディアを追加すること、及び新しいメディアを、会話に追加するべくキャプチャすることの両方のために用いられることができる。図１０Ａに戻ると、いくつかの実施形態では、視覚メディアキャプチャアフォーダンス６１０に対応するディスプレイ上のロケーションにおける接触を検出したことに応じて、デバイス１００は接触の持続時間を判定することができる。持続時間が閾値持続時間よりも長い場合には、例えば、接触が視覚メディアキャプチャアフォーダンス上におけるタッチアンドホールドである場合には、デバイス１００は、図１０〜図１３に関して上述されたように応答し、メッセージングアプリケーションの内部から画像又はビデオをキャプチャし、送信するためのユーザインタフェースを表示することができる。しかし、接触の持続時間が閾値持続時間を超えない場合には、例えば、接触が視覚メディアキャプチャアフォーダンス６１０上におけるショートタップである場合には、このとき、デバイス１００は、１つ以上の既存の画像又はビデオを、メッセージ会話に追加するべく選択するためのメディアセレクタインタフェースを表示することができる。閾値持続時間は、例えば、．５秒〜１０秒の範囲内であってもよい。
【０２５１】
図６Ａ〜Ｂに示されるユーザインタフェースは、メディアアフォーダンス及びメッセージ作成フィールドがデバイス１００上のディスプレイの中央部分を水平に横切って表示され、各メディアアフォーダンス（視覚メディアキャプチャアフォーダンス及び音声キャプチャアフォーダンス）はメッセージ作成フィールドの両側に、ディスプレイの反対の縁部に沿って表示される様子を示している。このようなロケーションは、例えば、図６Ａに示されるように、受信者へのメッセージを入力するための仮想キーボードがディスプレイ上に表示される時に適する場合がある。しかし、メディアアフォーダンス及びメッセージ作成フィールドは、図６Ａ〜Ｂに示されるロケーション又は向きで表示される必要はない。図１９Ａ〜Ｂは、デバイス１００が音声キャプチャアフォーダンス６０８、視覚メディアキャプチャアフォーダンス６１０、及びメッセージ作成フィールド６０４を表示することができる例示的な代替ロケーションを示す。このような代替ロケーションは、仮想キーボードをディスプレイ上に表示しない時に適する場合があり、メッセージ会話を表示するためのより大きなメッセージ領域を提供することができる。
【０２５２】
図１９Ａに示されるように、いくつかの実施形態では、デバイス１００はディスプレイの隅部において音声キャプチャアフォーダンス６０８を表示する。図２０に示されるように、いくつかの実施形態では、隅部内の音声キャプチャアフォーダンス上における接触を検出したことに応じて、デバイス１００は、例えば、図６Ｄに関して先に説明されたように、ディスプレイの同じ縁部において開始して終了する半円を表示するのではなく、タッチ感知ディスプレイの２つの異なる縁部２００６、２００８において開始して終了する円弧２００４によって境界された視覚的に区別された領域２００２を表示する。図８に関して先に説明されたように、音声キャプチャアフォーダンス６０８のロケーションから離れるディスプレイ上における接触の移動を検出したことに応じて、いくつかの実施形態では、デバイス１００は、視覚的に区別された領域２００２を拡大する。いくつかの実施形態では、視覚的に区別された領域の内部に表示されたアフォーダンスのロケーションは、視覚的に区別された領域の拡大に従って外側へ移動する。
【０２５３】
いくつかの実施形態では、ディスプレイ上のヒット領域がメディアアフォーダンスに割り当てられ、それにより、ヒット領域上の任意の場所における接触がデバイス１００によってメディアアフォーダンス上における接触として解釈される。いくつかの実施形態では、ヒット領域は、表示されたメディアアフォーダンスよりも大きい。図１９Ｃ〜Ｄに示されるように、いくつかの実施形態では、メディアアフォーダンスのためのヒット領域１９０２は、図１９Ｃの場合など、仮想キーボードが表示されていない時には、図１９Ｄの場合など、仮想キーボードが表示されている時よりも大きい。例えば、仮想キーボードが表示されている時には、メディアアフォーダンスのためのヒット領域はメディアアフォーダンスよりも少し大きくてもよく（例えば、メディアアフォーダンスよりも５、１０、１５、又は２０％大きい）、仮想キーボードが表示されていない時には、メディアアフォーダンスのためのヒット領域は最大でディスプレイの下四半分の半分を包含してもよい。このアプローチは、より大きなヒット領域を可能にするために十分な余地がディスプレイ上に存在する時には、ユーザがメディアアフォーダンス上における接触の検出をより容易に引き起こすことを可能にする。
【０２５４】
いくつかの実施形態では、デバイス１００はまた、受信された音声メッセージを再生することができる。いくつかの実施形態では、図２１Ａ〜Ｂに示されるように、第１の参加者からの音声メッセージを受信したことに応じて、デバイス１００はメッセージ会話内に音声メッセージの表現２１０８を表示する。本実施形態では、表現は、音声メッセージを表現する波形２１０２を示す画像、音声メッセージを再生するための再生アフォーダンス２１０４、及び音声メッセージの持続時間２１０６を含む。いくつかの実施形態では、表現は、境界されたメッセージ領域内に表示される。いくつかの実施形態では、再生アフォーダンス２１０４上における接触を検出したことに応じて、デバイス１００は音声メッセージを再生する。
【０２５５】
いくつかの実施形態では、音声メッセージの表現２１０８を表示した後に、デバイス１００は、デバイスの持ち上げを検出したことに応じて、音声メッセージを再生する。いくつかの実施形態では、デバイス１００は、デバイス１００の運動を検出するための１つ以上のデバイスの動きセンサ若しくは向きセンサを用いること、及び／又はユーザの耳に対するデバイス１００の近接性を検出するための近接センサ若しくは周辺光センサを用いることによって、ユーザがデバイス１００を持ち上げたことを検出する。図２１Ａに戻ると、いくつかの実施形態では、デバイス１００は、デバイス１００を持ち上げてメッセージを聞くようにユーザに教示する教示２１１０を表示することによって、音声メッセージをこのように再生するようにユーザに促す。
【０２５６】
図２２Ａ〜Ｃに示されるように、いくつかの実施形態では、デバイス１００は、デバイス１００の持ち上げを検出したことに応じて、第２の音声メッセージを記録する。例えば、デバイス１００が、受信された音声メッセージを再生し（これは、図２２Ａに示されるように、波形又は再生アフォーダンスを異なる色で表示することによって指示されてもよい）、デバイス１００がデバイス１００の持ち上げを検出した場合には、デバイス１００は、第２の音声メッセージを記録することを開始する。いくつかの実施形態では、デバイス１００が、（例えば、再生アフォーダンス上における接触を検出したことに応じるのではなく）デバイスの持ち上げを検出したことに応じて、受信された音声メッセージを再生した場合には、このとき、デバイス１００は、デバイス１００の２回目の持ち上げを検出する前にデバイス１００が降ろされたことを検出した後にのみ、第２の音声メッセージを記録する。換言すれば、いくつかの実施形態では、ユーザは、デバイス１００を持ち上げて音声メッセージを聞き、デバイス１００を降ろし、その後、デバイス１００を再び持ち上げて新しい音声メッセージを記録することができる。いくつかの実施形態では、デバイス１００は、デバイス１００を持ち上げて音声メッセージを記録するようにユーザに教示する教示を表示することによって、デバイス１００を持ち上げてメッセージを記録するようにユーザに促す。
【０２５７】
いくつかの実施形態では、第２の音声メッセージを記録している間に、デバイス１００が、デバイス１００が降ろされたことを検出した場合には、デバイス１００は、第２の音声メッセージを記録することを停止し、第２の音声メッセージを第１の参加者へ送信する。デバイスが降ろされたことは、例えば、デバイスの運動を検出するための１つ以上のデバイスの動き／向きセンサを用いること、及び／又はユーザの耳に対するデバイスの近接性の終了を検出するための近接センサ若しくは周辺光センサを用いることによって、検出されてもよい。それゆえ、図２２Ａ〜Ｂに関して説明されたように、メッセージ会話の参加者からの音声メッセージを受信し、それを聞いた後に、いくつかの実施形態では、ユーザは、デバイス１００を持ち上げて第２の音声メッセージを記録し、その後、デバイス１００を降ろして第２の音声メッセージを参加者へ自動的に送信することによって、応答することができる。いくつかの実施形態では、図２２Ｃに示されるように、デバイス１００は、会話内に、送信された第２の音声メッセージの表現を挿入する。いくつかの実施形態では、デバイス１００は、メッセージ特性（例えば、検出された人間の発話がないか、又はメッセージ持続時間が長すぎ、したがって、偶発的なメッセージング及びそれゆえ、コンピューティング資源の無駄を指示する）に基づいて、記録されたメッセージを送信するべきではないと判定する。図２２Ｄに、この態様が示される。図示のように、いくつかの実施形態では、デバイス１００は、メッセージが記録されたことを指示するメッセージアフォーダンス２２１４を表示するが、デバイスが降ろされてもメッセージは自動的に送信されない。代わりに、デバイス１００は、選択されると、メッセージを、指定された連絡先へ送信するアフォーダンス２２１６を表示する。
【０２５８】
図２３Ａに示されるように、いくつかの実施形態では、デバイス１００は、デバイス１００がロック状態で動作している間に受信されたメッセージを指示するアフォーダンス２３０２を表示する。ロック状態は、デバイス１００が、デバイス１００とのユーザ対話を制限する状態であってもよい。
【０２５９】
いくつかの実施形態では、図２３Ｂに示されるように、アフォーダンス２３０２における第１の方向のスワイプジェスチャを検出したことに応じて、デバイス１００は、メッセージに返信するための返信アフォーダンス２３０４を表示する。図２３Ｃに示されるように、返信アフォーダンス２３０４上における接触を検出したことに応じて、デバイス１００は、電子デバイスを持ち上げて、応答メッセージに含めて送信するための音声メッセージを記録するようにユーザに教示する教示２３０６を任意選択的に表示する。いくつかの実施形態では、デバイス１００の持ち上げを検出したことに応じて、デバイス１００は、図２２Ａ〜Ｂに関して先に説明されたように、音声メッセージを記録することを開始し、同様に、その後、デバイスが降ろされたことに応じて、デバイス１００は、図２２Ｃに関して上述されたように、音声メッセージを送信する。
【０２６０】
図２３Ａに戻ると、アフォーダンス２３０２上における反対方向のスワイプジェスチャを検出したことに応じて、デバイス１００は、デバイス１００をロック解除するようにユーザに任意選択的に促し、いくつかの実施形態では、デバイス１００がロック解除された後に、デバイス１００は、受信されたメッセージを、表示されたメッセージ会話の一部として表示する。
【０２６１】
いくつかの実施形態では、図２４Ａに示されるように、デバイス１００は、ディスプレイの通知区域２４０４内に、受信された音声メッセージ通知２４０２を表示する。図２４Ｂに示されるように、下方へのドラッグ又はタップなどの、通知２４０２又は通知区域２４０４上における接触を検出したことに応じて、いくつかの実施形態では、デバイス１００は、音声メッセージを再生するための再生アフォーダンス２４０６、返信音声メッセージを記録するための音声キャプチャアフォーダンス６０８、及びユーザインタフェースを出るためのキャンセルアフォーダンス２４０８を有するユーザインタフェースを表示する。いくつかの実施形態では、図２４Ｃに示されるように、音声キャプチャアフォーダンス６０８上における接触を検出したことに応じて、デバイス１００は、例えば、図６Ｄ及び図２０に関して示され、説明されたように、音声メッセージを記録し、送信するための複数のアフォーダンスを有する視覚的に区別された領域２４１０を表示する。
【０２６２】
音声メッセージを記録するための上述のプロセスと同様に、いくつかの実施形態では、デバイス１００は、デバイス１００が持ち上げられ、降ろされたことを検出したことに応じて、ビデオメッセージを再生、記録、及び送信することができる。このような実施形態では、デバイス１００は、デバイス１００が、ビデオメッセージの再生又は記録のために適した位置へ持ち上げられたかどうかを判定するために、顔認識技法を用いてもよい。
【０２６３】
いくつかの実施形態では、デバイス１００によって、上述されたユーザインタフェースを用いてキャプチャされたメディアはメタデータを含む。このようなメタデータは、例えば、デバイス１００のロケーションの表現を含んでもよい。いくつかの実施形態では、デバイス１００は、ユーザが、メタデータをメディアと共に送信することを抑止するべきであるかどうかを指定するための選択肢を提供する。
【０２６４】
先に説明されたように、デバイス１００は、メディア（音声、ビデオ、若しくは画像など）、テキスト、又はその両方を包含するメッセージを送信及び受信することができる。いくつかの実施形態では、デバイス１００が時間インターバル以内に複数のメッセージを受信し、受信されたメッセージがメッセージグループ化基準を満たす場合には、デバイス１００は、複数の境界されたメッセージ区域内にメッセージを表現するのではなく、単一の、グループとして境界されたメッセージ区域内にメッセージを表現する。時間インターバルは、例えば、１０秒〜１０分に及んでもよい。
【０２６５】
メッセージの表現をこのようにグループ化することは、メッセージを表示するためにメッセージ領域内に必要とされる面積の量を低減することができ、複数のメッセージを受信することに関連付けられる乱雑を軽減し得る。グループ化は、表示のために比較的小さな表現に圧縮されることができる、音声メッセージのために特に有用になり得る。
【０２６６】
いくつかの実施形態では、メッセージグループ化基準は、メッセージの数が数値閾値を超えると満たされる基準を含む。例えば、デバイス１００が時間インターバル以内に何個かの連続したメッセージを受信し、その数が数値閾値を超えた場合には、デバイス１００は、メッセージがメッセージグループ化基準を満足すると任意選択的に判定し、単一の、グループとして境界されたメッセージ区域内にメッセージの表現を表示することができる。数値閾値は、例えば、時間インターバル以内に受信された３、５、７、又は１０個のメッセージであってもよい。
【０２６７】
いくつかの実施形態では、メッセージグループ化基準は、受信されたメッセージの互いの離間間隔が閾値時間量未満であると満たされる基準を含む。例えば、互いの離間間隔が３０、２０、１０、又は５秒未満である連続したメッセージがメッセージグループ化基準を満たしてもよい。例えば、デバイス１００がテキストメッセージを受信し、それに続き、３０秒未満の後に音声メッセージを受信した場合には、デバイス１００は、任意選択的に、メッセージがメッセージグループ化基準を満たすと判定し、会話内に、メッセージのグループ化された表現を表示することができる。
【０２６８】
いくつかの実施形態では、メッセージグループ化基準は、受信されたメッセージの種類に基づく。例えば、デバイス１００が時間インターバル以内に複数の連続した音声メッセージを受信した場合には、デバイス１００は、メッセージがメッセージグループ化基準を満足すると任意選択的に判定することができる。しかし、デバイス１００が、音声メッセージではない介在メッセージを受信した場合には、デバイス１００は、受信されたメッセージがメッセージグループ化基準を満足しないと任意選択的に判定し、別個の境界されたメッセージ区域内に、受信されたメッセージの表現を表示することができる。
【０２６９】
いくつかの実施形態では、メッセージグループ化基準はメッセージの送信者に基づく。例えば、メッセージ会話の単一の参加者から受信された連続したメッセージはメッセージグループ化基準を満足してもよいが、異なる参加者から受信された連続したメッセージはメッセージグループ化基準を満足しなくてもよい。
【０２７０】
いくつかの実施形態では、メッセージグループ化基準は、メッセージが全て、同じ読み取りステータスを有するかどうかに基づく。いくつかの実施形態では、読み取りステータスは、メッセージが読み取られたか、再生されたか、又は見られたかどうかに対応する。例えば、全て読み取られていない（例えば、未再生である）連続した音声メッセージはメッセージグループ化基準を満足してもよいが、異なる読み取りステータスを有する連続した音声メッセージ（即ち、そのうちのいくつかは再生され、そのうちのいくつかは再生されていない）はメッセージグループ化基準を満足しなくてもよい。
【０２７１】
図２５Ａは、グループ化された境界されたメッセージ区域２５０２内に、メッセージグループ化基準を満たす複数の音声メッセージの表現を表示する一例を示す。いくつかの実施形態では、デバイス１００は、個々の音声メッセージごとに再生アフォーダンス２５０６を表示することに加えて、又はその代わりに、グループ化された音声メッセージの全てを再生するための全て再生アフォーダンス２５０４を表示する。いくつかの実施形態では、デバイス１００は、デバイス１００の持ち上げを検出したことに応じて、グループ化された音声メッセージの全てを再生する。いくつかの実施形態では、デバイス１００は、デバイス１００を持ち上げて、複数のグループ化された音声メッセージの全てを再生するようにユーザに教示する教示を表示する。
【０２７２】
図２５Ａに示される実施形態では、音声メッセージの各々は別個の波形画像によって表現されている。しかし、いくつかの実施形態では、デバイス１００は、複数のグループ化された音声メッセージを表現する単一の合成波形を表示する。
【０２７３】
図２５Ｂは、複数の境界されたメッセージ区域２５０８内に、メッセージグループ化基準を満たさない複数の音声メッセージを表示する一例を示す。
【０２７４】
いくつかの実施形態では、図２５Ａに示されるものなどの、グループ化された境界されたメッセージ区域２５０２上における接触を検出したことに応じて、デバイス１００は、図２５Ｂに示されるものなどの、別個の境界されたメッセージ区域２５０８内に、グループ化された境界されたメッセージ区域２５０２によって表現された音声メッセージを表示する。
【０２７５】
図２５Ｃは、グループ化された境界されたメッセージ区域２５１２内に、メッセージグループ化基準を満たす複数の画像メッセージ２５１０のサムネイル表現を表示する一例を示す。図２５Ｄは、複数の境界されたメッセージ区域２５１４内に、メッセージグループ化基準を満たさない複数の画像メッセージの表現を表示する一例を示す。
【０２７６】
いくつかの実施形態では、図２５Ｃに示されるものなどの、グループ化された境界されたメッセージ区域２５１２上における接触を検出したことに応じて、デバイス１００は、図２５Ｄに示されるものなどの、別個の境界されたメッセージ区域２５１４内に画像メッセージの表現を表示する。
【０２７７】
図２５Ｅに示されるように、いくつかの実施形態では、複数の画像又はビデオメッセージを表現するグループ化された境界されたメッセージ区域２５１２上における接触を検出したことに応じて、デバイス１００は、ディスプレイ上のフィルムストリップ２５１６内に、画像又はビデオを表現するサムネイル２５１８を表示する。いくつかの実施形態では、フィルムストリップ２５１６内に表示されたサムネイル２５１８は、境界されたメッセージ区域内に表示されたサムネイルよりも大きく、任意選択的に、スクロール可能である。
【０２７８】
上述されたユーザインタフェースは、参加者がメッセージ会話内でメディアを交換することを容易にするため、場合によっては、参加者は会話セッション内で多くのメディアメッセージを交換し得る。例えば、参加者はメッセージ会話の途中で複数の短い音声メッセージを交換し得る。場合によっては、このような交換されるメッセージは、保持される必要がない短時間の非公式の通信として意図されている場合があり、参加者のメッセージ会話の表示を乱雑にし得る。したがって、いくつかの実施形態では、デバイス１００は、何らかの満期基準の満足に基づいて会話内に表示されることを中止するメッセージをスケジュールする。いくつかの実施形態では、メッセージを表示することを中止することは、デバイス１００からメッセージを削除することを含む。自動削除の目的はプライバシではなく、むしろ、会話を一時的なメッセージで乱雑にすることを回避することである。
【０２７９】
いくつかの実施形態では、満期基準は、メッセージが任意のメディアコンテンツを包含しているかどうかに基づくか、又はメッセージがどの種類のメディアコンテンツを包含しているかに基づく。例えば、音声メッセージは、ビデオメッセージと異なる満期基準を有してもよい。いくつかの実施形態では、テキストメッセージは満期基準を全く有せず、したがって、決して自動的に削除されない。
【０２８０】
いくつかの実施形態では、満期基準は時間インターバルに基づく。いくつかの実施形態では、時間インターバルは、（例えば、メディアをキャプチャした会話参加者のために）メディアがキャプチャされた時間から、又は（例えば、メディアを受け取った会話参加者のために）メディアが再生された時間から開始して計測されてもよい。いくつかの実施形態では、第１の参加者のためのメッセージのための満期基準は第２の参加者のためのものと異なる。いくつかの実施形態では、時間インターバルは、例えば、１分、２分、３分、４分、５分、又は１０分であってもよい。
【０２８１】
いくつかの実施形態では、満期基準は、メディアオブジェクトが、例えば、図６Ａ〜図１４に関して上述されたメッセージユーザインタフェースを用いてキャプチャされたのか、それともカメラアプリケーションなどの、異なるアプリケーションを用いてキャプチャされたのかに基づく。いくつかの実施形態では、非公式の一時的通信として意図される場合がある、図６Ａ〜図１４に関して説明された迅速なメディアキャプチャアプローチを用いてキャプチャされ、会話に追加されたメディアは、図１５Ａ〜図１８Ｃに関して説明されたとおりのメディアセレクタインタフェースなどの、異なるアプローチを用いて会話に追加されたメディアと異なる満期基準を有してもよい。
【０２８２】
当業者は、上述された例示的な満期基準は、数多くの仕方で組み合わせるか、又は変更することができることを理解するであろう。
【０２８３】
いくつかの実施形態では、図２６に示されるように、デバイス１００はメッセージの表現内に満期基準２６０２の指示を提供する。図２６に示される実施形態では、満期基準２６０２の指示は、時間インターバルであって、それを過ぎるとメッセージが、メッセージ会話内に表示されることを中止することになる、時間インターバルを含む。
【０２８４】
図２６に示されるように、いくつかの実施形態では、デバイス１００は、さもなければ満期基準が満足された後に削除されるであろうメッセージをキープするためのキープアフォーダンス２６０４を表示する。いくつかの実施形態では、キープアフォーダンス２６０４の選択を検出したことに応じて、デバイス１００は満期基準を無視し、会話内にメッセージを表示することを継続する。いくつかの実施形態では、キープアフォーダンス２６０４上における接触を検出したことに応じて、デバイス１００は、満期基準の指示を表示することを中止し、及び／又はキープアフォーダンスを表示することを中止する。
【０２８５】
いくつかの実施形態では、非公式の一時的通信として意図され得る、図６Ａ〜図１４において説明されたインタフェースを用いて会話に追加されたメディアメッセージは、送信又は受信される時にメディアライブラリ（カメラロール又は音声ライブラリなど）に追加されないが、図１５Ａ〜図１８Ｃにおいて説明されたインタフェースを用いて会話に追加されたメディアメッセージはメディアライブラリに追加される。いくつかの実施形態では、メディアメッセージを（例えば、キープアフォーダンスを選択することによって）キープすることは、メディアライブラリにメディアを追加する。
【０２８６】
いくつかの実施形態では、メッセージ会話の第１の参加者から第２の参加者へ送信された、関連付けられた満期基準を有するメッセージは、第１の参加者によってキープされること、第２の参加者によってキープされること、両者によってキープされること、又はどちらによってもキープされないことが可能である。
【０２８７】
図２７Ａに示されるように、メッセージ会話の第１の参加者から第２の参加者へ音声メッセージを送信した後に、デバイス１００は、音声メッセージが第２の参加者へ配信されたことの指示２７０２を第１の参加者に任意選択的に提供する。図２７Ｂに示されるように、第２の参加者が音声メッセージの少なくとも一部分を再生したことを検出したことに応じて、デバイス１００は、音声メッセージが再生されたことの指示２７０４を第１の参加者に任意選択的に提供する。図２７Ｃに示されるように、第２の参加者が、音声メッセージに関連付けられたキープアフォーダンスを選択したことを検出したことに応じて、デバイス１００は、第２の参加者がメッセージをキープしたことの指示２７０６を第１の参加者に任意選択的に提供する。いくつかの実施形態では、メッセージがキープされたことのインジケータは、メッセージが配信されたか、又は再生された／見られた／読まれたことのインジケータに取って代わる。
【０２８８】
いくつかの実施形態では、デバイス１００はまた、メッセージ会話の２人以上の参加者との間で静的ロケーション情報を送信するか、又は動的ロケーション情報を共有し、地図上に２人以上の参加者のロケーション情報を表示することができる。
【０２８９】
いくつかの実施形態では、図２８Ａに示されるように、メッセージ会話を表示している間に、デバイス１００は、メッセージ会話についての追加の詳細を表示するための詳細アフォーダンス２７０２を表示する。図２８Ｂに示されるように、いくつかの実施形態では、詳細アフォーダンス上における接触を検出したことに応じて、デバイス１００は、会話中に交換されたメディアの表現２７０４（サムネイル若しくは波形など）、デバイス１００の現在のロケーション情報を会話の１人以上の参加者へ送信するためのロケーション送信アフォーダンス２７０６、並びにデバイス１００のロケーション情報を１人以上の参加者と所定の期間の間、共有するためのロケーション共有アフォーダンス２７０８を表示する。
【０２９０】
いくつかの実施形態では、ロケーション送信アフォーダンス２７０６の選択を検出したことに応じて、デバイス１００は、デバイス１００のための現在のロケーション情報をメッセージ会話の参加者に提供する。図２８Ｃに示されるように、いくつかの実施形態では、デバイス１００は、会話内に、現在のロケーション情報を示す地図２７１０を挿入する。いくつかの実施形態では、ロケーション送信アフォーダンス２７０６上における接触を検出したことに応じて送信されるロケーション情報は静的であり、その後、デバイス１００のロケーションの変化に従って更新されない。
【０２９１】
図２９Ａ〜Ｂに示されるように、いくつかの実施形態では、ロケーション共有アフォーダンス２７０８の選択を検出したことに応じて、デバイス１００は、ロケーション情報が共有されることになる所定の期間を選択するためのユーザインタフェース２９０２を表示する。所定の期間のうちの１つの選択を検出したことに応じて、デバイス１００は、選択された期間中に、メッセージ会話の参加者に、参加者がデバイス１００のロケーションを判定することを可能にする情報を提供する。いくつかの実施形態では、情報を提供することは、情報を受信する参加者によって使用されている遠隔の電子デバイスに、自分たちのロケーションをデバイス１００のユーザと共有するように参加者に促させる。いくつかの実施形態では、選択された期間が経過した後に、デバイス１００は、ロケーション情報を参加者と共有することを中止することができる。
【０２９２】
いくつかの実施形態では、参加者がデバイス１００のロケーションを判定することを可能にすることは、参加者が、デバイス１００がロケーション情報を送信する先のロケーションサーバからデバイス１００のロケーションについての情報を要求することを可能にすることを含む。
【０２９３】
図２９Ｃに示されるように、いくつかの実施形態では、ロケーション情報を共有している間に、デバイス１００は、期間が経過する前にロケーション情報を参加者と共有することを中止するための共有停止アフォーダンス２９０４を表示する。
【０２９４】
いくつかの実施形態では、デバイス１００はメッセージ会話の別の参加者からロケーション情報を受信することができる。いくつかの実施形態では、ロケーション情報を受信したことに応じて、図３０に示されるように、デバイス１００は、自分たちのロケーション情報を他の参加者と共有するようにデバイス１００のユーザに促す。いくつかの実施形態では、ユーザが、自分たちのロケーション情報を共有することを選択したことを検出したことに応じて、デバイス１００は他の参加者に、参加者がデバイス１００のロケーションを判定することを可能にする情報を提供する。図２９Ｂに関して先に説明されたように、デバイス１００は、ユーザが、ロケーション情報が共有されることになる所定の期間を選択することを任意選択的に可能にすることができる。
【０２９５】
上述されたように、いくつかの実施形態では、デバイス１００はメッセージ会話の参加者から共有ロケーション情報を受信する。いくつかの実施形態では、ロケーション情報は外部デバイスのロケーションを含む。いくつかの実施形態では、ロケーション情報を受信したことに応じて、デバイス１００は、電子デバイスのロケーション及び外部デバイスのロケーションの両方を示す地図を表示する。
【０２９６】
図３１に示されるように、いくつかの実施形態では、デバイス１００はメッセージ会話の複数の参加者から共有ロケーション情報を受信し、それに応じて、複数の参加者のロケーション３１０４及びデバイス１００のロケーション３１０６を（同じ地図上に）示す地図３１０２を表示することができる。いくつかの実施形態では、デバイス１００は、ロケーションが地図上に表示されている参加者の各々についての情報３１０８を表示する。
【０２９７】
いくつかの実施形態では、会話の複数の参加者のうちの誰もが、会話に１人以上の他の参加者を追加又は消去することができるか、あるいはメッセージ会話の名前を変更することができる。
【０２９８】
図３２Ａに示されるように、いくつかの実施形態では、メッセージ会話内の地図３２０２上における接触を検出したことに応じて、デバイス１００は地図のより大きなバージョン３２０４を表示する。いくつかの実施形態では、より大きな地図３２０４上における接触を検出したことに応じて、デバイス１００は、メッセージ会話の参加者によって共有されたロケーション情報の衛星画像３２０６、ロケーション情報の地図画像３２０８、及びロケーション情報への道順を表示するためのアフォーダンス３２１０又はロケーション情報からの道順を表示するためのアフォーダンス３２１２を表示する。
【０２９９】
図２８Ａ〜Ｃ及び図２９Ａ〜Ｃに関して先に上述されたように、いくつかの実施形態では、デバイス１００は、参加者が自分たちの現在のロケーションを互いへ容易に送信するか、又は所定の期間の間、彼らのロケーションを互いに共有することを可能にするメッセージユーザインタフェースを提供する。
【０３００】
いくつかの実施形態では、所定の期間が経過した後に、デバイス１００は、表示された地図（例えば、図２８Ｃにおける地図２７１０）の色を変更し、それが、もはやロケーション情報を用いて更新されていないことを指示する。いくつかの実施形態では、所定の期間が経過した後に地図上における接触を検出したことに応じて、デバイス１００は、ロケーション情報がもはや共有されていないことを指示するアフォーダンスを表示する。
【０３０１】
図３３は、メディアの迅速なキャプチャ及び送信のためのプロセス３３００を示すフロー図である。プロセス３３００は、デバイス１００（図２）のような、ディスプレイとタッチ感知面とを有する電子デバイスにおいて実行されてもよい。ブロック３３０２において、デバイスは、そのタッチ感知ディスプレイ上に、メディアアフォーダンス、及びメッセージ会話の参加者の間で送信されたメッセージを表示するためのメッセージ領域を表示する。ブロック３３０４において、デバイスは、ディスプレイ上におけるメディアアフォーダンスのロケーションに対応するタッチ感知面上のロケーションにおける接触を検出することを含む、タッチ感知面上におけるジェスチャを検出する。ブロック３３０６において、接触を検出したことに応じて、デバイスは、そのタッチ感知ディスプレイ上に、送信アフォーダンスを表示する。ブロック３３０８において、デバイスは、タッチ感知面を横切る接触の移動を検出すること、及びそれに続き、タッチ感知面からの接触のリフトオフを検出することを含む、ジェスチャの続きを検出する。ブロック３３１０において、デバイスは、接触が、ディスプレイ上における送信アフォーダンスのロケーションに対応するタッチ感知面上のロケーションへ移動したかどうかを判定する。ブロック３３１２において、接触が、送信アフォーダンスのロケーションに対応するタッチ感知面上のロケーションへ移動したとの判定に従って、及びリフトオフを検出したことに応じて、デバイスは、ジェスチャの少なくとも一部分に応じてキャプチャされたメディアをメッセージ会話の参加者へ送信する。任意選択的に、いくつかの実施形態では、ブロック３３０４において示される接触を検出したことに応じて、デバイスは、ディスプレイ上にキャンセルアフォーダンスを表示し、接触が、ディスプレイ上におけるキャンセルアフォーダンスのロケーションに対応するタッチ感知面上のロケーションへ移動したかどうかを判定してもよく、接触が、キャンセルアフォーダンスのロケーションに対応するタッチ感知面上のロケーションへ移動し、それに続き、リフトオフが行われたとの判定に従って、デバイスは、キャプチャされたメディアを参加者へ送信することを見送ってもよい。いくつかの実施形態では、接触が、送信アフォーダンスのロケーションに対応するタッチ感知面上のロケーションへも、キャンセルアフォーダンスのロケーションに対応するタッチ感知面上のロケーションへも移動しなかったとの判定に従って、及びリフトオフを検出したことに応じて、デバイスはメッセージ作成フィールド内に画像を表示してもよく、画像は、キャプチャされたメディアを表現する波形を有する（図３３におけるＢによって表現される）。いくつかの実施形態では、接触が、送信アフォーダンスのロケーションに対応するタッチ感知面上のロケーションへも、キャンセルアフォーダンスのロケーションに対応するタッチ感知面上のロケーションへも移動しなかったとの判定に従って、及び移動を検出したことに応じて、デバイスは、メディアをキャプチャすることを中止することができる（図３３におけるＢ'によって表現される）。
【０３０２】
プロセス３３００に関して上述されたプロセス（例えば、図３３及び図６Ａ〜図１４）の詳細はまた、本明細書において説明される他のプロセスにも、類似の様態で適用可能であることに留意されたい。例えば、プロセス３４００、３５００、３６００、３７００、３８００、３９００、４０００、４６００、及び４９００は、プロセス３３００を参照して上述された様々なプロセスの特性のうちの１つ以上を含み得る。簡潔にするために、これらの詳細は他のプロセスの説明において繰り返されない。プロセス（方法）３３００を参照して上述された様々な方法及び技法は、図５０に関して説明されるものなどの、１つ以上のユニットとして任意選択的に実装されてもよい。
【０３０３】
図３４は、迅速なビデオキャプチャのためのプロセス３４００を示すフロー図である。プロセス３４００は、デバイス１００（図２）のような、ディスプレイとタッチ感知面とを有する電子デバイスにおいて実行されてもよい。ブロック３４０２において、デバイスは、ディスプレイ上に、メディアアフォーダンス、及びメッセージ会話の参加者の間で送信されたメッセージを表示するためのメッセージ領域を表示する。ブロック３４０４において、デバイスは、タッチ感知面上における、ディスプレイ上におけるメディアアフォーダンスのロケーションに対応する第１の入力を検出する。ブロック３４０６において、第１の入力を検出したことに応じて、デバイスは、記録アフォーダンス及び送信アフォーダンスを表示する。ブロック３４０８において、デバイスは、タッチ感知面上における、ディスプレイ上における記録アフォーダンスのロケーションに対応する第２の入力を検出する。ブロック３４１０において、第２の入力を検出したことに応じて、デバイスは、ビデオを記録することを開始する。ブロック３４１２において、デバイスは、タッチ感知面上における、ディスプレイ上における送信アフォーダンスのロケーションに対応する第３の入力を検出する。ブロック３４１４において、第３の入力を検出したことに応じて、デバイスは、記録されたビデオを参加者へ送信し、ディスプレイから送信アフォーダンス及び記録アフォーダンスを消去する。任意選択的に、ブロック３４１４において、デバイスは、第３の入力を検出したことに応じて、表示されたメッセージ会話内に、記録されたビデオのサムネイル表現を挿入してもよい。
【０３０４】
プロセス３４００に関して上述されたプロセス（例えば、図３４、図１０Ａ〜Ｂ、及び図１２Ａ〜図１４）の詳細はまた、本明細書において説明される他のプロセスにも、類似の様態で適用可能であることに留意されたい。例えば、プロセス３３００、３５００、３６００、３７００、３８００、３９００、４０００、４６００、及び４９００は、プロセス３４００を参照して上述された様々なプロセスの特性のうちの１つ以上を含み得る。簡潔にするために、これらの詳細は他のプロセスの説明において繰り返されない。プロセス（方法）３４００を参照して上述された様々な方法及び技法は、図５１に関して説明されるものなどの、１つ以上のユニットとして任意選択的に実装されてもよい。
【０３０５】
図３５は、電子デバイスを持ち上げることによって音声メッセージに応答するためのプロセス３５００を示すフロー図である。プロセス３５００は、デバイス１００（図２）のような、ディスプレイとタッチ感知面とを有する電子デバイスにおいて実行されてもよい。ブロック３５０２において、デバイスは、メッセージ会話の第１の参加者から受信された第１の音声メッセージの表現を表示する。ブロック３５０４において、デバイスは、第１の音声メッセージを再生せよとの要求を検出する。任意選択的に、ブロック３５０４において、いくつかの実施形態では、デバイスは、第１の音声メッセージの表現が表示されている間にデバイスの別個の持ち上げを検出することによって、第１の音声メッセージを再生せよとの要求を検出する。任意選択的に、ブロック３５０４において、いくつかの実施形態では、デバイスは、第１の音声メッセージの表示された表現のロケーションに対応するタッチ感知面上のロケーションにおける接触を検出することによって、第１の音声メッセージを再生せよとの要求を検出する。ブロック３５０６において、要求を検出したことに応じて、デバイスは第１の音声メッセージを再生する。ブロック３５０８において、第１の音声メッセージを再生した後に、デバイスは、デバイスの持ち上げを検出する。ブロック３５１０において、デバイスの持ち上げを検出したことに応じて、デバイスは第２の音声メッセージを記録する。任意選択的に、ブロック３５１０において、第２の音声メッセージを記録している間に、デバイスは、デバイスが降ろされたことを検出してもよく、デバイスが降ろされたことを検出したことに応じて、デバイスは、第２の音声メッセージを記録することを中止してもよい。ブロック３５１２において、第２の音声メッセージを記録した後に、デバイスは、第２の音声メッセージを第１の参加者へ送信する。任意選択的に、ブロック３５１２において、デバイスが降ろされたことを検出したことに応じて、及び第２の音声メッセージを記録することを中止した後に、デバイスは、第２の音声メッセージを第１の参加者へ送信してもよい。
【０３０６】
プロセス３５００に関して上述されたプロセス（例えば、図３５及び図２１Ａ〜図２４Ｃ）の詳細はまた、本明細書において説明される他のプロセスにも、類似の様態で適用可能であることに留意されたい。例えば、プロセス３３００、３４００、３６００、３７００、３８００、３９００、４０００、４６００、及び４９００は、プロセス３５００を参照して上述された様々なプロセスの特性のうちの１つ以上を含み得る。簡潔にするために、これらの詳細は他のプロセスの説明において繰り返されない。プロセス（方法）３５００を参照して上述された様々な方法及び技法は、図５２に関して説明されるものなどの、１つ以上のユニットとして任意選択的に実装されてもよい。
【０３０７】
図３６は、メッセージグループ化のためのプロセス３６００を示すフロー図である。プロセス３６００は、デバイス１００（図２）のような、ディスプレイとタッチ感知面とを有する電子デバイスにおいて実行されてもよい。ブロック３６０２において、デバイスは時間インターバル以内に第１の参加者から複数のメッセージを受信する。ブロック３６０４において、デバイスは、複数のメッセージがメッセージグループ化基準を満たすかどうかを判定する。いくつかの実施形態では、メッセージグループ化基準は、複数のメッセージ内のメッセージの数が数値閾値を超えると満たされる基準を含んでもよい。いくつかの実施形態では、メッセージグループ化基準は、複数のメッセージの互いの離間間隔が閾値時間量未満であると満たされる基準を含んでもよい。いくつかの実施形態では、メッセージグループ化基準は、複数のメッセージが、連続して隣接するメッセージであると満たされる基準を含んでもよい。いくつかの実施形態では、連続して隣接するメッセージは、異なる読み取りステータスを有する介在受信メッセージを全く伴わない、同じ読み取りステータスを有するメッセージを含んでもよい。ブロック３６０６において、複数のメッセージがメッセージグループ化基準を満たすとの判定に従って、デバイスは、複数のメッセージを表現する、単一の、グループとして境界されたメッセージ区域を表示する。任意選択的に、ブロック３６０６において、グループ化された境界されたメッセージ区域が少なくとも２つの音声メッセージを表現するいくつかの実施形態では、デバイスは、少なくとも２つの音声メッセージを順次再生せよとの要求を受信し、要求を受信したことに応じて、少なくとも２つの音声メッセージを順次再生してもよい。ブロック３６０８において、複数のメッセージがメッセージグループ化基準を満たさないとの判定に従って、デバイスは、複数のメッセージを表現する複数の別個の境界されたメッセージ区域を表示する。
【０３０８】
プロセス３６００に関して上述されたプロセス（例えば、図３６及び図２５Ａ〜図２５Ｅ）の詳細はまた、本明細書において説明される他のプロセスにも、類似の様態で適用可能であることに留意されたい。例えば、プロセス３３００、３４００、３５００、３７００、３８００、３９００、４０００、４６００、及び４９００は、プロセス３６００を参照して上述された様々なプロセスの特性のうちの１つ以上を含み得る。簡潔にするために、これらの詳細は他のプロセスの説明において繰り返されない。プロセス（方法）３６００を参照して上述された様々な方法及び技法は、図５３に関して説明されるものなどの、１つ以上のユニットとして任意選択的に実装されてもよい。
【０３０９】
図３７は、満期基準に基づいてメッセージ表示を管理するためのプロセス３７００を示すフロー図である。プロセス３７００は、デバイス１００（図２）のような、ディスプレイとタッチ感知面とを有する電子デバイスにおいて実行されてもよい。ブロック３７０２において、デバイスは第１のメッセージを受信する。ブロック３７０４において、デバイスは、ディスプレイ上に、満期基準の満足時に削除されるようにスケジュールされた、第１のメッセージの表現を表示する。いくつかの実施形態では、満期基準は時間インターバルに基づいてもよい。いくつかの実施形態では、満期基準は、第１のメッセージがメディアを包含するかどうかに基づいてもよい。いくつかの実施形態では、満期基準は、メディアが、図６Ａ〜図１４に関して説明されたものなどの、迅速なメディアキャプチャアプローチを用いてキャプチャされたのか、それとも別のアプローチを用いてキャプチャされたのかに基づいてもよい。ブロック３７０６において、デバイスは、第１のメッセージをキープするためのアフォーダンスを表示する。ブロック３７０８において、アフォーダンスが満期基準の満足前に選択されたとの判定に従って、デバイスは第１のメッセージをキープする。任意選択的に、ブロック３７０８において、第１のメッセージがメディアを包含する場合には、アフォーダンスが満期基準の満足前に選択されたとの判定に従って、デバイスはメディアライブラリ内にメディアを保存してもよい。いくつかの実施形態では、デバイス１００は、図６Ａ〜図１４に関して説明されたものなどの、迅速なメディアキャプチャアプローチを用いてキャプチャされたメディアのみを保存する。いくつかの実施形態では、第１のメッセージがメディアを包含し、満期が時間インターバルに基づく場合には、時間インターバルは、メディアが再生された後の時間から開始して計測されてもよい。いくつかの実施形態では、第１のメッセージがメディアを包含し、満期が時間インターバルに基づく場合には、時間インターバルは、メディアが作成された時間から開始して計測されてもよい。ブロック３７１０において、アフォーダンスの選択を検出することなく満期基準が満足されたとの判定に従って、デバイスは、ディスプレイ上に第１のメッセージの表現を表示することを中止する。任意選択的に、ブロック３７１０において、デバイスは、満期基準に基づいて削除されない第２のメッセージを受信してもよい。
【０３１０】
プロセス３７００に関して上述されたプロセス（例えば、図３７及び図２６〜図２７Ｃ）の詳細はまた、本明細書において説明される他のプロセスにも、類似の様態で適用可能であることに留意されたい。例えば、プロセス３３００、３４００、３５００、３６００、３８００、３９００、４０００、４６００、及び４９００は、プロセス３７００を参照して上述された様々なプロセスの特性のうちの１つ以上を含み得る。簡潔にするために、これらの詳細は他のプロセスの説明において繰り返されない。プロセス（方法）３７００を参照して上述された様々な方法及び技法は、図５４に関して説明されるものなどの、１つ以上のユニットとして任意選択的に実装されてもよい。
【０３１１】
図３８は、ロケーション共有のためのプロセス３８００を示すフロー図である。プロセス３８００は、デバイス１００（図２）のような、ディスプレイとタッチ感知面とを有する電子デバイスにおいて実行されてもよい。ブロック３８０２において、デバイスは、ディスプレイ上に、メッセージ会話の第１の参加者と第２の参加者との間で送信されたメッセージを表示するためのメッセージ領域を表示する。ブロック３８０４において、デバイスは、第１の参加者のロケーションを、このロケーションが少なくとも所定の期間にわたって変化する際に、第２の参加者と共有するためのロケーション共有アフォーダンスを表示する。ブロック３８０６において、デバイスは、ディスプレイ上におけるロケーション共有アフォーダンスのロケーションに対応するタッチ感知ディスプレイ上のロケーションにおける接触を検出する。ブロック３８０８において、ロケーション共有アフォーダンスのロケーションに対応するタッチ感知ディスプレイ上のロケーションにおける接触を検出したことに応じて、デバイスは、少なくとも所定の期間中に、第２の参加者に、第２の参加者が第１の参加者の現在のロケーションを判定することを可能にする情報を提供する。いくつかの実施形態では、デバイスは、ユーザが期間を選択することを可能にしてもよい。任意選択的に、ブロック３８０８において、ロケーション共有アフォーダンスに対応するロケーションにおける接触を検出したことに応じて、デバイスは、少なくとも２つの所定の期間に対応する少なくとも２つのアフォーダンスを表示し、ディスプレイ上における少なくとも２つのアフォーダンスのうちの１つのロケーションに対応するタッチ感知面上のロケーションにおける接触を検出し、ディスプレイ上における少なくとも２つのアフォーダンスのうちの１つのロケーションに対応するタッチ感知面上のロケーションにおける接触を検出したことに応じて、少なくとも２つのアフォーダンスのうちの１つに対応する所定の期間中に、第２の参加者に、第２の参加者が第１の参加者の現在のロケーションを判定することを可能にする情報を提供してもよい。任意選択的に、ブロック３８０８において、デバイスは、第２の参加者から、第１の外部デバイスのロケーションを動的に指示するロケーション情報を受信し、ディスプレイ上に、地図上における電子デバイスのロケーション及び第１の外部デバイスのロケーションを表示してもよい。任意選択的に、ブロック３８０８において、デバイスは、メッセージ会話に第３の参加者を追加し、第３の参加者から、第２の外部デバイスのロケーションを指示するロケーション情報を受信し、ディスプレイ上に、地図上における第２の外部デバイスのロケーションを表してもよい。任意選択的に、ブロック３８０８において、デバイスは、ディスプレイ上に、メッセージ会話と一緒に、詳細アフォーダンスを表示し、ディスプレイ上における詳細アフォーダンスのロケーションに対応するタッチ感知面上のロケーションにおける接触を検出し、ディスプレイ上における詳細アフォーダンスのロケーションに対応するタッチ感知面上のロケーションにおける接触を検出したことに応じて、自分たちのロケーションを共有したメッセージ会話の２人以上の参加者のロケーションを示す地図を表示してもよい。
【０３１２】
プロセス３８００に関して上述されたプロセス（例えば、図３８及び図２８Ａ〜図３２Ｃ）の詳細はまた、本明細書において説明されるプロセスにも、類似の様態で適用可能であることに留意されたい。例えば、プロセス３３００、３４００、３５００、３６００、３７００、３９００、４０００、４６００、及び４９００は、プロセス３８００を参照して上述された様々なプロセスの特性のうちの１つ以上を含み得る。簡潔にするために、これらの詳細は他のプロセスの説明において繰り返されない。プロセス（方法）３８００を参照して上述された様々な方法及び技法は、図５５に関して説明されるものなどの、１つ以上のユニットとして任意選択的に実装されてもよい。
【０３１３】
図３９は、メッセージ会話にメディアを追加するためのプロセス３９００を示すフロー図である。プロセス３９００は、ディスプレイと、タッチ感知面と、カメラセンサとを有する電子デバイスにおいて実行されてもよい。ブロック３９０２において、デバイスは、ディスプレイ上に、メッセージ会話を表示するためのメッセージ領域を表示する。ブロック３９０４において、デバイスは、メッセージ会話にメディアを追加せよとの要求を受信する。ブロック３９０６において、要求を受信したことに応じて、デバイスは、メッセージ会話の少なくとも一部分と同時にメディア選択インタフェースを表示する。メディア選択インタフェースは、メディアをメッセージ会話への追加のために選択するための複数のアフォーダンスを含む。それらの少なくともサブセットは、メッセージ会話に追加するために利用可能なメディアのサムネイル表現を含む。ブロック３９０８において、デバイスは、複数のアフォーダンスからのそれぞれのアフォーダンスの選択を検出する。ブロック３９１０において、それぞれのアフォーダンスの選択を検出したことに応じて、デバイスは、対応するメディアをメッセージ会話への追加のために選択する。任意選択的に、ブロック３９１０において、それぞれのアフォーダンスの選択を検出したことに応じて、デバイスはメッセージ会話にメディアを追加してもよい。任意選択的に、ブロック３９１０において、複数のアフォーダンスがライブプレビュアフォーダンスを含む場合には、デバイスは、ディスプレイ上におけるライブプレビュアフォーダンスのロケーションに対応するタッチ感知面上のロケーションにおける接触を検出し、ライブカメラプレビュのロケーションに対応するタッチ感知面上のロケーションにおける接触を検出したことに応じて、ライブカメラプレビュに基づく新しい画像をキャプチャし、新しい画像をメッセージ会話への追加のために選択してもよい。
【０３１４】
プロセス３９００に関して上述されたプロセス（例えば、図３９及び図１５Ａ〜図１８Ｃ）の詳細はまた、本明細書において説明されるプロセスにも、類似の様態で適用可能であることに留意されたい。例えば、プロセス３３００、３４００、３５００、３６００、３７００、３８００、４０００、４６００、及び４９００は、プロセス３９００を参照して上述された様々なプロセスの特性のうちの１つ以上を含み得る。簡潔にするために、これらの詳細は他のプロセスの説明において繰り返されない。プロセス（方法）３９００を参照して上述された様々な方法及び技法は、図５６に関して説明されるものなどの、１つ以上のユニットとして任意選択的に実装されてもよい。
【０３１５】
図４０は、音声動作を開始するためのプロセス４０００を示すフロー図である。プロセス４０００は、ディスプレイ（例えば、デバイス１００のディスプレイ１１２）とマイクロフォン（例えば、デバイス１００のマイクロフォン１１３）とを有する電子デバイス（例えば、デバイス１００）において実行される。ブロック４００２において、デバイスは、（例えば、図２１Ｂに示されるとおりの上昇する動きによる）電子デバイスの運動及び１つ以上の近接センサ測定値に基づいてデバイスのコンテクストの変化を検出する。ブロック４００４において、デバイスは、デバイスのコンテクストの変化を検出したことに応じて、デバイスが音声動作基準を満たすかどうかを判定する。例えば、音声動作基準は、電子デバイスの運動が運動基準を満足し、近接センサ測定値（１つ又は複数）が近接基準を満足すると満たされる基準を含む。ブロック４００６において、デバイスは、デバイスのコンテクストの変化が音声動作基準を満足するとの判定に従って、音声動作を開始する。ブロック４００８において、デバイスは、デバイスのコンテクストの変化が音声動作基準を満足しないとの判定に従って、音声動作を開始することを見送る。
【０３１６】
有利には、プロセス４０００は、ユーザが、単純なジェスチャを用いて（例えば、電話をユーザの耳まで持ち上げることによって）音声動作を開始することを可能にする。プロセス４０００は、ユーザが、音声メッセージの送信などの音声動作を開始するために、デバイスを調べ、その上のアフォーダンスを選択する必要性を低減する。更に、運動基準及び近接基準が組み合わさり、誤った音声動作の量を都合良く低減する。ユーザインタフェースの効率の増大、及び誤った音声動作の発生及び持続時間の低減はどちらも、デバイスによるエネルギー使用を低減する。これは、エネルギー使用の低減によってバッテリ寿命が増大するバッテリ駆動デバイスのために特に重要である。
【０３１７】
いくつかの実施形態では、運動基準は、デバイスが、図２１Ａ〜図２２Ｃに示される上方軌道をとると、満たされる。いくつかの実施形態では、デバイスの運動は、デバイス１００（図１Ａ）上の加速度計１６８及び任意選択的なセンサのうちの１つ以上を用いて追跡される。いくつかの実施形態では、運動基準は、デバイスが所定の向き（１つ又は複数）と異なる向きになっていると、満たされる（例えば、デバイスが逆さまになっていると、満たされる）。いくつかの実施形態では、運動基準は、デバイスが、概ね上方へ向かう軌道をとるか、又はデバイスが、そのディスプレイを地球の表面とほぼ平行にした状態（例えば、ユーザがディスプレイ上の通信の指示を見ている時）から、そのディスプレイが地球の表面とほぼ垂直になった状態（例えば、ユーザが、音声メッセージを聞くか、若しくは記録するべく、デバイスを持ち上げ、それをユーザの耳のそばに配置した時）まで回転しながら、上方へ向かう軌道をとると、満たされる。
【０３１８】
いくつかの実施形態では、近接基準は、電話が、図２１Ｂに示されるように、ユーザの顔にあると、満たされる。いくつかの実施形態では、近接センサ測定値がデバイス１００の近接センサ１６６によって提供され、近接基準は、センサが、ユーザの顔であり得る、オブジェクトとの近接近（例えば、数インチ以内）を指示すると、満たされる。
【０３１９】
図４１Ａ及び図４１Ｂは、プロセス４０００（図４０）のブロック４００２内の任意選択的なサブプロセスを示すフロー図である。いくつかの実施形態では、図４１Ａに示される任意選択的なプロセス４１０２〜４１０６の１つ以上はブロック４００２（図４０）内で実行される。ブロック４１０２において、デバイスは、通信、例えば、音声メッセージ、テキストメッセージ、ボイスメール、電話の通話を受信する。ブロック４１０４において、通信を受信したことに応じて、及びデバイスのコンテクストの変化を検出する前に（例えば、図４０におけるプロセス４０００のブロック４００４の前に）、デバイスは、通信が受信されたことの指示を提供する。可能な指示としては、視覚通知（例えば、メッセージ受信バナー、若しくはメッセージの吹き出しなどのアプリケーション固有の表示）、触知通知（例えば、振動）、又は音声通知（例えば、ビープ音、若しくは呼び出し音）がある。可能な指示としては、ユーザインタフェースロック状態で表示されるもの、及びユーザインタフェースロック解除状態で表示されるものがある。いくつかの実施形態では、通信が受信されたことの指示を表示することは、メッセージングアプリケーションを立ち上げることを伴う。メッセージングアプリケーションは、ＳＭＳ及びＭＭＳなどのサービスを介したショートメッセージ、並びに／又は例えば、Ｃａｌｉｆｏｒｎｉａ州ＣｕｐｅｒｔｉｎｏのＡｐｐｌｅ，Ｉｎｃ．によって提供されているｉＭｅｓｓａｇｅ（登録商標）などのサービスを介したテキストメッセージを処理するように構成されたものである。
【０３２０】
ブロック４１０６において、デバイスは、デバイスのコンテクストの変化を検出する前に、受信された通信の音声成分を再生する。例えば、通信が、デバイスによって再生されていない音声成分を有するメッセージ、例えば、新しい音声メッセージを含む場合には、このとき、音声動作は、メッセージの音声成分を再生することを含む。別の例として、通信がボイスメールメッセージを含む場合には、このとき、ボイスメールメッセージを再生する。
【０３２１】
図４１Ｂを参照すると、いくつかの実施形態では、任意選択的なプロセス４１０８及び４１１０がブロック４００２（図４０）において実行される。ブロック４１０８において、デバイスのコンテクストの変化を検出する前に、デバイスは、それが音声メッセージングコンテクスト内にあることを検出する。例えば、デバイスは、音声成分を有する着信メッセージングが（任意選択的に、何らかの最新性窓（window of recency）以内に）受信されると、デバイスは、それがそのメッセージングコンテクスト内にあると判定する。別の例として、デバイスは、メッセージングアプリケーションが活動中であると、デバイスは、それがメッセージコンテクスト内にあると判定する。ブロック４１１０において、デバイスは、電子デバイスが音声メッセージングコンテクスト内にある場合にのみ（例えば、通信アプリケーションが開いているか、又は通信が最近受信された場合）、デバイスのコンテクストの変化を検出する。プロセス４１０８及び４１１０の有利な効果は、デバイスが音声コンテクスト外にある時には、持ち上げて話す運動を検出するために必要な加速度計及び／又は近接センサは電源を落とされてもよく（又は少なくとも積極的に監視されなくてもよく）、それにより、電力使用を低減し（例えば、デバイスのコンテクストの変化を監視するために用いられる資源を低減するとともに、偽陽性検出からの音声を記録し、処理するために用いられる資源を低減する）、かくして、電力を節約し、デバイスのためのバッテリ寿命を延ばすことである。
【０３２２】
いくつかの実施形態では、上述されたように、ブロック４１１０において、デバイスは、電子デバイスが音声メッセージングコンテクスト内にある場合にのみ、デバイスのコンテクストの変化を監視する。いくつかの実施形態では、デバイスは、たとえ、マルチメディアメッセージングアプリケーションが開いていても、マルチメディアメッセージングアプリケーション内の現在選択されている会話が、音声成分（例えば、ユーザ、又は会話の他の参加者のうちの１人によって記録され、送信された音声成分）を有する少なくとも１つのメッセージを含まない限り、音声動作基準を満足するデバイスのコンテクストの変化を監視しない。上述されたように、デバイスがデバイスのコンテクストの変化を監視する状況を低減することは、デバイスの電力使用を低減し、それにより、電力を節約し、バッテリ動作デバイスのためのバッテリ寿命を延ばす。加えて、デバイスがデバイスのコンテクストの変化を監視する状況を低減することは、音声動作の偽陽性の開始（例えば、ニュースアプリケーション内にいる間に、ユーザがデバイスを持ち上げ、それを化粧台の上に置いた時に、音声を記録することを開始すること）の可能性を低減し、それにより、ユーザエクスペリエンスの全体的な質を改善する。
【０３２３】
図４２Ａ〜図４３Ｃは、プロセス４０００のブロック４００４（図４０）内の任意選択的なサブプロセスを示すフロー図である。図４２Ａを参照すると、いくつかの実施形態では、任意選択的なプロセス４２０２がブロック４００４（図４０）において実行される。ブロック４２０２において、デバイスは、メッセージが、デバイスのコンテクストの変化を検出する前の既定の時間インターバル以内に受信されたかどうかを判定し、メッセージの音声成分を再生することは、メッセージが既定の時間インターバル以内に受信された場合には、メッセージの音声成分を再生することを含む。メッセージが時間インターバル以内に受信されなかった場合には、ブロック４２０２（及びそれゆえ、ブロック４００４）は「いいえ」の結果を与え、処理は、デバイスが、新しい音声メッセージを記録することなどの音声動作を開始する機会を見送る、ブロック４００８（図４０）へ進む。メッセージが時間インターバル以内に受信された場合には、ブロック４２０２は「はい」の結果を与え、ブロック４００４内の他の要求も満たされる場合には、このとき、処理は、デバイスが、新しい音声メッセージを記録することなどの音声動作を開始してもよい、ブロック４００６（図４０）へ進む。一例として、新しく記録される音声メッセージは、受信された通信への応答である。
【０３２４】
図４２Ｂを参照すると、いくつかの実施形態では、任意選択的なプロセス４２０４がプロセス４０００のブロック４００４（図４０）において実行される。いくつかの実施形態では、プロセス４２０４に到達する前に、デバイスは、受信された通信の音声成分を再生したことを思い出されたい。これらの状況では、デバイスは、検出された、デバイスのコンテクストの変化が、音声メッセージを再生する所定の時間インターバル以内に生じたかどうかを判定するための任意選択的なブロック４２０４を実行してもよい。デバイスのコンテクストの変化が時間インターバル外で生じた場合には、ブロック４２０４（及びそれゆえ、ブロック４００４）は「いいえ」の結果を与え、処理は、デバイスが、新しい音声メッセージを記録することなどの音声動作を開始する機会を見送る、ブロック４００８（図４０）へ進む。コンテクストの変化が、音声成分が再生された時間から所定の時間インターバル以内に検出された場合には、ブロック４２０４は「はい」の結果を与え、ブロック４００４内の他の要求も満たされる場合には、このとき、処理は、デバイスが、新しいメッセージを記録することなどの音声動作を開始してもよい、ブロック４００６へ進む。
【０３２５】
図４３Ａを参照すると、いくつかの実施形態では、任意選択的なプロセス４３０２がプロセス４０００のブロック４００４（図４０）において実行される。ブロック４３０２において、デバイスは、運動の終了、及び運動の終了時における電子デバイスの向きを判定する。例えば、運動の終了を判定することは、既定の閾値速度（例えば、０．７５ｆｔ  ｓ−１、１ｆｔ  ｓ−１、１．５ｆｔ  ｓ−１、２ｆｔ  ｓ−１）を上回って運動した後に、デバイスが、期間（例えば、．５ｓ、．７５ｓ、１ｓ、１．２５ｓ、１．５ｓ）以下の間、閾値量（例えば、当業者によって、使用されている実際の加速度計を考慮して決定されたとおりのノイズフィルタ値）を上回って運動したと判定することを含む。例えば、デバイスの向きを判定することは、デバイスが所定の向き（例えば、表を下にした向き、又は表を上にした向き、マイクロフォンを下にした向き、又はマイクロフォンを上にした向き）になっているかどうかを判定することを含む。いくつかの実施形態では、運動基準は、電子デバイスが運動の終了時に所定の向き（例えば、表を下にした向き）になっていないと、満たされる。
【０３２６】
有利には、この特徴は、誤った音声動作の例を削減する効果を有する。いくつかのデバイスの向きは、音声動作に関連付けられることはありそうもないため、デバイスがそれらの向きになっている時に音声動作を抑止することによって、誤った音声動作の例が削減される。ユーザインタフェースの効率の増大、及び誤った音声動作の発生及び持続時間の低減はどちらも、デバイスによるエネルギー使用を低減する。これは、エネルギー使用の低減によってバッテリ寿命が増大するバッテリ駆動デバイスのために特に重要である。
【０３２７】
いくつかの実施形態では、電子デバイスは、デバイスの表面上に位置付けられたスピーカ（例えば、スピーカ１１１、図２）を含み、所定の向きにおいて、表面は（例えば、重力に対して）下を向く。いくつかの実施形態では、電子デバイスはスピーカを含み、所定の向きにおいて、マイクロフォンは（例えば、重力に対して）受話口の上方に位置付けられる。運動の終了時におけるデバイスの向きが運動基準を満たさない場合には、ブロック４３０２（及びそれゆえ、ブロック４００４）は「いいえ」の結果を与え、処理は、デバイスが、新しい音声メッセージを記録することなどの音声動作を開始する機会を見送る、ブロック４００８（図４０）へ進む。運動の終了時におけるデバイスの向きが運動基準を満たす場合には、ブロック４３０２は「はい」の結果を与え、ブロック４００４内の他の要求も満たされる場合には、このとき、処理は、デバイスが、新しいメッセージを記録することなどの音声動作を開始してもよい、ブロック４００６へ進む。
【０３２８】
図４３Ｂを参照すると、いくつかの実施形態では、任意選択的なプロセス４３０４がプロセス４０００のブロック４００４（図４０）において実行される。ブロック４３０４において、デバイスは、運動基準を満足する運動が検出された後の所定の時間インターバル以内において、近接センサ測定値が、電子デバイスに近接したオブジェクトの検出を指示するかどうかを判定する。近接したオブジェクトは、任意選択的に、例えば、デバイスの、０．０１、０．０２、０．０５、１、２、若しくは５インチ、又は別の妥当な閾値以内にある。所定の時間インターバルは、例えば、０．５、０．７５、１、１．２５、又は１．５秒を含む。近接センサ測定値が時間インターバル外で検出された場合には、ブロック４３０４（及びそれゆえ、ブロック４００４）は「いいえ」の結果を与え、処理は、デバイスが、新しい音声メッセージを記録することなどの音声動作を開始する機会を見送る、ブロック４００８（図４０）へ進む。近接センサ測定値が時間インターバル以内に検出された場合には、ブロック４３０４は「はい」の結果を与え、ブロック４００４内の他の要求も満たされる場合には、このとき、処理は、デバイスが、新しい音声メッセージを記録することなどの音声動作を開始してもよい、ブロック４００６へ進む。
【０３２９】
図４３Ｃを参照すると、いくつかの実施形態では、任意選択的なプロセス４３０６がプロセス４０００のブロック４００４（図４０）において実行される。ブロック４３０６において、デバイスは、運動が運動基準を満足し、かつ１つ以上の近接センサ測定値が近接基準を満足するとの判定の所定の時間インターバル（例えば、３秒）以内に、電子デバイスが所定の向きになっているかどうかを判定する。デバイスが所定の時間インターバルをもって所定の向きになっている場合には、デバイスは音声動作基準を満たさず、この場合には、ブロック４３０６（及びそれゆえ、ブロック４００４）は「いいえ」の結果を与え、処理は、デバイスが、新しい音声メッセージを記録することなどの操作を開始する機会を見送る、ブロック４００８（図４０）へ進む。デバイスが時間インターバル以内に所定の向きになっていない場合には、ブロック４３０６は「はい」の結果を与え、ブロック４００４内の他の要求も満たされる場合には、このとき、処理は、デバイスが、新しい音声メッセージを記録することなどの音声動作を開始してもよい、ブロック４００６へ進む。
【０３３０】
図４４Ａ〜図４５Ｃは、プロセス４０００のブロック４００６（図４０）内の任意選択的なサブプロセスを示すフロー図である。いくつかの実施形態では、ブロック４００６は、図４４Ａに示される任意選択的なプロセス４４０２〜４４０６を含む。ブロック４４０２（図４４Ａ）において、音声動作を開始した後に、デバイスは、電子デバイスが所定の向きになっているかどうかを判定する。はいの場合には、処理は、電子デバイスが所定の向きになっているとの判定に従って、デバイスが音声動作を終了する、ブロック４４０４へ進む。音声動作を終了することは、音声を再生することを中止し、及び／又は音声を記録することを中止することと、任意選択的に、任意のすでに記録された音声を削除することと、任意選択的に、すでに記録された音声を記憶することと、記録された音声を配信するようにユーザに促すことと、を任意選択的に含む。いいえの場合には、処理はブロック４４０６へ進み、デバイスは、電子デバイスが所定の向きになっていないとの判定に従って、デバイスが音声動作を終了することを見送る。
【０３３１】
いくつかの実施形態では、電子デバイスは、デバイスの表面上に位置付けられたスピーカ（例えば、デバイス１００のスピーカ１１１）を含み、所定の向きにおいて、表面は（例えば、重力に対して）下を向く。いくつかの実施形態では、電子デバイスは受話口を含み、所定の向きにおいて、マイクロフォンは（例えば、重力に対して）受話口の上方に位置付けられる。
【０３３２】
図４４Ｂを参照すると、いくつかの実施形態では、任意選択的なプロセス４４０８〜４４１０がプロセス４０００のブロック４００６（図４０）において実行される。ブロック４４０８において、音声動作を開始した後に、デバイスは、電子デバイスの特有運動が所定の閾値を上回ることを検出する。特有運動は、経時的な（平均の）加速度計出力、ピーク出力、出力持続時間、又は繰り返しに基づいてもよい。ありそうにない音声メッセージングのシナリオである例示的な特有運動は、袖の上で電話を拭くことである。ブロック４４１０において、電子デバイスの特有運動が所定の閾値を上回ることを検出したことに応じて、デバイスは音声動作を終了する。音声動作を終了することは、音声を再生することを中止し、及び／又は音声を記録することを中止することと、任意選択的に、任意のすでに記録された音声を削除することと、任意選択的に、すでに記録された音声を記憶することと、記録された音声を配信するようにユーザに促すことと、を任意選択的に含む。
【０３３３】
音声動作を、それが開始した後に終了する能力に関するこれらの特徴は、誤った音声動作に起因するユーザエクスペリエンスへの影響を低減する有利な効果を有する。音声動作を迅速に開始し、それにより、応答性を改善し、ユーザのエクスペリエンスを向上させることは有益である。このような状況では、多くのことが、ユーザが音声動作を開始すること意図したように見え得る。例えば、電話を持ち上げ、それをポケットに入れると、運動基準及び近接センサ基準をトリガーし得る。上述の特有運動及び所定の向きが音声に関連付けられることはありそうもない。それらの運動及び／又は向きが検出された時には音声動作を終了することで、デバイスの応答性に対するユーザの感覚に影響を及ぼさずに、誤った音声動作の数が有利に削減される。ユーザインタフェースの効率の増大、及び誤った音声動作の発生及び持続時間の低減はどちらも、デバイスによるエネルギー使用を低減する。これは、エネルギー使用の低減によってバッテリ寿命が増大するバッテリ駆動デバイスのために特に重要である。
【０３３４】
図４４Ｃを参照すると、いくつかの実施形態では、プロセス４０００のブロック４００６（図４０）は任意選択的なプロセス４４１２〜４４１６を含む。上述されたように、デバイスは、上流の処理の結果、新しいメッセージの記録を開始する場合があることを思い出されたい。ブロック４４１２において、デバイスは、メッセージが発話を含むかどうかを判定する。発話を検出するために、デバイスは、検出された信号を発話波形の既知の特徴と任意選択的に比較する。記録されたデータが発話波形の既知の特徴（１つ又は複数）を含む場合には、デバイスは、メッセージが発話を含むと判定する。このような特徴（１つ又は複数）がデータ内にない場合には、デバイスは、メッセージが発話を含まないと判定する。ブロック４４１４において、デバイスは、メッセージが発話を含まないとの判定に従って、メッセージの記録を終了する。音声動作を終了することは、音声を再生することを中止し、及び／又は音声を記録することを中止することと、任意選択的に、任意のすでに記録された音声を削除することと、任意選択的に、すでに記録された音声を記憶することと、記録された音声を配信するようにユーザに促すことと、を任意選択的に含む。ブロック４４１６において、デバイスは、メッセージが発話を実際に含むとの判定に従って、メッセージの記録を終了することを見送る。
【０３３５】
図４５Ａを参照すると、いくつかの実施形態では、任意選択的なプロセス４５０２〜４５０４がプロセス４０００のブロック４００６（図４０）において実行される。ボイスメールメッセージを再生した後に、デバイスは、ブロック４５０２において、電子デバイスのポンプ（pump）運動を検出する。ポンプ運動は、下方への動き、及びそれに続く、上方への動き（例えば、音声動作基準を満たす動き）を任意選択的に含む。図２２Ａ〜図２２Ｃに、例示的なポンプ運動が示されている。ブロック４５０４において、デバイスは、ポンプ運動を検出したことに応じて、ボイスメールメッセージに関連付けられた電話番号への電話通話を開始する（例えば、デバイスは折り返しの電話をかける）。
【０３３６】
図４５Ｂを参照すると、いくつかの実施形態では、任意選択的なプロセス４５０６〜４５１０がプロセス４０００のブロック４００６（図４０）において実行される。ブロック４５０６において、デバイスは、音声再生基準が満たされたと判定する。ブロック４５０８において、デバイスは、音声再生基準が満たされたとの判定に従って、受信された通信に対応する音声を再生する。いくつかの実施形態では、音声再生基準は、通信が、デバイス上で以前に再生されていない音声成分を含む場合に満たされる基準を含む。いくつかの実施形態では、音声再生基準は、通信が、デバイスのコンテクストの変化が検出された時から所定の期間以内に受信された場合に満たされる基準を含む。いくつかの実施形態では、音声再生基準は、通信が、デバイスのコンテクストの変化が検出された時にデバイスのディスプレイ上に表示された通信アラート（例えば、ユーザインタフェースロックスクリーン上のポップアップ通知、ディスプレイ上に表示された別のユーザインタフェース上に重ね合わせられたポップアップ通知、又は会話内のメッセージ）に対応する場合に満たされる基準を含む。ブロック４５１０において、デバイスは、音声再生基準が満たされなかったとの判定に従って、再生を見送る。
【０３３７】
図４５Ｃを参照すると、いくつかの実施形態では、任意選択的なプロセス４５１２〜４５１６がプロセス４０００のブロック４００６（図４０）において実行される。ブロック４５１２において、デバイスは、音声記録基準が満たされたと判定する。ブロック４５１４において、デバイスは、音声記録基準が満たされたとの判定に従って、受信された通信への応答のための音声を記録する。いくつかの実施形態では、音声記録基準は、通信アプリケーションのためのユーザインタフェース（例えば、電話ダイヤラアプリケーション、少なくとも１つの音声メッセージが送信又は受信されたマルチメディアメッセージングアプリケーションの会話）がディスプレイ上に表示されると満たされる基準を含む。いくつかの実施形態では、音声記録基準は、メッセージの音声成分が、デバイスのコンテクストの変化が検出された時の所定の期間以内に再生された場合に満たされる基準を含む。ブロック４５１６において、デバイスは、音声記録基準が満たされなかったとの判定に従って、記録を見送る。
【０３３８】
プロセス４０００に関して上述されたプロセス（例えば、図４０〜図４５、図２１、及び図２２）の詳細はまた、本明細書において説明されるプロセスにも、類似の様態で適用可能であることに留意されたい。例えば、プロセス３３００、３４００、３５００、３６００、３７００、３８００、３９００、４６００、及び４９００は、プロセス４０００を参照して上述された様々なプロセスの特性のうちの１つ以上を含み得る。簡潔にするために、これらの詳細は他のプロセスの説明において繰り返されない。プロセス（方法）４０００を参照して上述された様々な方法及び技法は、図５７に関して説明されるものなどの、１つ以上のユニットとして任意選択的に実装されてもよい。
【０３３９】
図４６は、メッセージを送信するためのプロセス４６００を示すフロー図である。プロセス４６００は、いくつかの実施形態では、ディスプレイ（例えば、デバイス１００のディスプレイ１１２）と少なくとも１つのマイクロフォン（例えば、デバイス１００のマイクロフォン１１３）とを有する電子デバイス（例えば、デバイス１００）において実行される。ブロック４６０２において、デバイスは、指定された連絡先のための音声メッセージを記録せよとの要求として解釈される１つ以上の条件を検出する。指定された連絡先は、連絡先内の人、電子メール、及び受信されたメッセージ又はボイスメールに関連付けられた電話番号を任意選択的に含む。しかし、音声入力に応答し、それ以上のことはしないアプリケーションは、「連絡先」とみなされるべきではない。指定された連絡先は、ユーザによって、又はデバイス１００によって特定される（例えば、指定される）連絡先である。ブロック４６０４において、デバイスは、１つ以上の条件を検出したことに応じて、少なくとも１つのマイクロフォンを用いて音声記録を生成する。ブロック４６０６において、デバイスは、音声記録が拒否基準を満たすかどうかを判定する。ブロック４６０８において、デバイスは、拒否基準が満足されないとの判定に従って、音声記録を、指定された連絡先へ送信する。ブロック４６１０において、デバイスは、拒否基準が満足されるとの判定に従って、音声記録を、指定された連絡先へ送信することを見送る。
【０３４０】
有利には、プロセス４６００は、誤ったメッセージの送信を削減することができる。進行中の音声記録を拒否基準について監視することによって、デバイスは、ユーザがうっかり音声記録を作動させてしまったか、又は記録中に気が変わったと都合良く判定する。これは、メッセージングシステムに対する顧客の満足を改善する効果を有する。ユーザインタフェースの効率の増大、及び誤った音声動作の発生及び持続時間の低減はどちらも、デバイスによるエネルギー使用を低減する。これは、エネルギー使用の低減によってバッテリ寿命が増大するバッテリ駆動デバイスのために特に重要である。
【０３４１】
ブロック４６０２内の１つ以上の条件は、以上においてプロセス４０００（図４０）に関してより詳細に説明された、持ち上げジェスチャなどの、デバイスのコンテクストの変化若しくはユーザ入力、又はディスプレイ上にマルチメディアメッセージングアプリケーションを表示させるなどするメッセージングコンテクスト内にある間における他の入力を任意選択的に含む。
【０３４２】
いくつかの実施形態では、ブロック４６０６内の拒否基準は、音声記録の持続時間が所定の持続時間（例えば、１５秒）を超えると満たされる。この特徴は、ユーザが気をそらしている時に、音声記録を送信することを有利に抑止する。
【０３４３】
図４７Ａ〜図４７Ｄは、プロセス４６００のブロック４６０６（図４６）内の任意選択的なサブプロセスを示すフロー図である。図４７Ａを参照すると、いくつかの実施形態では、任意選択的なプロセス４７０２がプロセス４６００のブロック４６０６（図４６）において実行される。ブロック４７０２において、デバイスは、発話が音声記録内に存在するかどうかを検出する。拒否基準は、音声記録が、閾値量より多くを含まないと判定されると、満たされる。閾値量は、任意選択的に、絶対量、又は百分率などの相対量である。いくつかの実施形態では、閾値量は、短時間エネルギー及びゼロ交差率などの、エネルギー閾値である。いくつかの実施形態では、閾値量は発話モデルに基づく。いくつかの実施形態では、拒否基準は、（ノイズフィルタ閾値を上回る）音が検出されない場合に満たされる。
【０３４４】
次に、デバイスの位置に基づく拒否基準に注目する。いくつかの実施形態では、拒否基準は、電子デバイスが音源から距離閾値以内にあると満たされる。任意選択的に、デバイスは、デバイスの近接センサ（例えば、デバイス１００の近接センサ１６６）がデバイスの距離閾値以内においてオブジェクトを検出したかどうかを判定することによって、電子デバイスが距離閾値以内にあるかどうかを判定する。
【０３４５】
図４７Ｂを参照すると、いくつかの実施形態では、任意選択的なプロセス４７０４がプロセス４６００のブロック４６０６（図４６）において実行される。ブロック４７０４において、デバイスは、第１のマイクロフォン及び第２のマイクロフォンによってキャプチャされた信号を組み合わせることによって作り出された波形を分析することによって、電子デバイスが音源の距離閾値以内にあるかどうかを判定する（例えば、ビーム形成を用い、形成されたビームにおけるベース減衰を評価する。評価は、任意選択的に、近接場ビームの等化に基づく）。デバイスが距離閾値以内にない場合には、ブロック４７０４（及びそれゆえ、ブロック４６０６）は「いいえ」の出力を生じ、処理は、デバイスが、進行中である記録を終了するブロック４６１０へ進む。デバイスが距離閾値以内にある場合には、ブロック４７０４は「はい」の結果を与え、ブロック４６０４内の他の要求も満たされる場合には、このとき、処理は、デバイスが、メッセージを記録し、記録されたメッセージを送信することを任意選択的に継続する、ブロック４６０８へ進む。
【０３４６】
図４７Ｃを参照すると、いくつかの実施形態では、任意選択的なプロセス４７０６がプロセス４６００のブロック４６０６（図４６）において実行される。ブロック４７０６において、デバイスは、少なくとも１つのマイクロフォンにおける音圧レベルが音圧レベル閾値を超えるかどうかを判定することによって、電子デバイスが距離閾値以内にあるかどうかを判定する。いくつかの実施形態では、音圧レベル閾値は、電子デバイスによって以前に検出された音圧レベルの関数（例えば、囁き、大声の発話、静かな発話、普通の調子などのための時間的平均基準レベル）に基づく。デバイスが距離閾値以内にない場合には、ブロック４７０６（及びそれゆえ、ブロック４６０６）は「いいえ」の出力を生じ、処理は、デバイスが、進行中である記録を終了するブロック４６１０へ進む。デバイスが距離閾値以内にある場合には、ブロック４７０６は「はい」の結果を与え、ブロック４６０４内の他の要求も満たされる場合には、このとき、処理は、デバイスが、メッセージを記録し、記録されたメッセージを送信することを継続してもよい、ブロック４６０８へ進む。
【０３４７】
図４７Ｄを参照すると、いくつかの実施形態では、任意選択的なプロセス４７０８がプロセスのブロック４６０６（図４６）において実行される。ブロック４７０８において、デバイスは、音圧レベルを、少なくとも１つのマイクロフォンによって検出された残響レベルと比較すること（例えば、残響エネルギーに対する直接発話エネルギーの比を算出し、その比を閾値と比較すること）によって、電子デバイスが距離閾値以内にあるかどうかを判定する。比が遠距離場音響特性を指示する場合には、処理は、デバイスが、進行中である記録を終了するブロック４６１０へ進む。比が近距離場音響特性を指示する場合には、かつ、ブロック４６０４内の他の要求も満たされる場合には、このとき、処理は、デバイスが、メッセージを記録し、記録されたメッセージを送信することを継続してもよい、ブロック４６０８へ進む。
【０３４８】
本明細書における説明は主として音声動作に関して提供されているが、上述のシステム及び方法は他の動作に拡張されることができることを理解されたい。例えば、電話の位置を判定することは、他のアプリケーション内で利用されることができ、電話がユーザの近くにあるのか、それともユーザから遠く離れているのかに関する情報を提供するためのプラットフォームサービスとして提示されることができる。このような情報は、例えば、呼び出し音の音量を設定するために用いることができる。
【０３４９】
いくつかの実施形態では、拒否基準は電子デバイスの向きに基づく。いくつかの実施形態では、電子デバイスは、デバイスの表面上に位置付けられたスピーカ（例えば、デバイス１００のスピーカ１１１）を含み、拒否基準は、表面が（例えば、重力に対して）下を向いていると満たされる。いくつかの実施形態では、電子デバイスは受話口を含み、拒否基準は、マイクロフォンが（例えば、重力に対して）受話口の上方に位置付けられていると満たされる。
【０３５０】
いくつかの実施形態では、拒否基準は、電子デバイスの特有運動が閾値を超えると満たされる。特有運動は、経時的な（平均の）ジャイロスコープ及び／又は加速度計出力、ピーク運動、運動の持続時間、又は運動の繰り返し（袖の上で電話を拭くことなど）を任意選択的に含む。
【０３５１】
いくつかの実施形態では、音声記録が拒否基準を満たすかどうかを判定することは、音声記録を、指定された連絡先へ送信せよとの要求として解釈される１つ以上の条件を検出したことに応じるものである。いくつかの実施形態では、判定は、音声を記録した後に（例えば、短時間の音声区間が記録された後に）実行される。いくつかの実施形態では、判定は、音声を記録している間に（例えば、ユーザが音声を記録しているつもりでない時に、長い音声区間の記録を終了するために）実行される。
【０３５２】
図４８Ａ〜図４８Ｂは、いくつかの実施形態における、プロセス４６００のブロック４６１０（図４６）内の任意選択的なサブプロセスを示すフロー図である。図４８Ａを参照すると、任意選択的なプロセス４８０２がプロセス４６００のブロック４６１０（図４６）において実行されてもよい。ブロック４８０２において、音声記録が拒否基準を満足すると、デバイスは、音声記録を含む暫定メッセージの表現、及び送信アフォーダンスを同時に表示する。（この態様は図２２Ｄにおけるデバイス１００上に示されている。）送信アフォーダンスのユーザ選択を検出すると、デバイスは暫定メッセージを、指定された連絡先へ送信する。
【０３５３】
図４８Ｂを参照すると、いくつかの実施形態では、任意選択的なプロセス４８０４〜４８０８がプロセス４６００のブロック４６１０（図４６）において実行される。ブロック４８０４（図４８Ｂ）において、音声記録が拒否基準を満足すると、デバイスは、１つ以上の条件を検出したこと（例えば、ユーザ入力を受信するか、又は音声を記録することを開始したこと）と、音声記録が拒否基準を満足すると判定したこととの間の経過時間が時間閾値を超えるかどうかを判定する。ブロック４８０６において、デバイスは、経過時間が時間閾値を超えるとの判定に従って、音声記録を含む暫定メッセージの表現（例えば、図２２Ｄにおけるデバイス１００のユーザインタフェース）を表示する。ブロック４８０８において、デバイスは、経過時間が時間閾値を超えないとの判定に従って、暫定メッセージの表現を表示することなく、音声記録を削除する。例えば、音声を記録することを開始した後に間もなく、又は音声を記録することを終えた後に間もなく、音声メッセージの記録が誤りであると判定された場合には、このとき、音声メッセージは削除され、ユーザは、暫定音声メッセージを表示することに煩わされない。この場合には、記録が誤って開始された可能性が高く、本実施形態は、おそらく意図されたものでない記録でユーザを煩わせる必要を無くす。しかし、音声を記録した後、又は音声を記録することを開始した後、閾値時間を超えてから、音声メッセージの記録が誤りであると判定された場合には、ユーザを混乱させたり、イライラさせたりすることを回避するために、音声メッセージを、ユーザによる送信のために利用可能である暫定案として保存する。
【０３５４】
プロセス４６００に関して上述されたプロセス（例えば、図４６〜図４８、図２１、及び図２２）の詳細はまた、本明細書において説明されるプロセスにも、類似の様態で適用可能であることに留意されたい。例えば、プロセス３３００、３４００、３５００、３６００、３７００、３８００、３９００、４０００、及び４９００は、プロセス４６００を参照して上述された様々なプロセスの特性のうちの１つ以上を含み得る。簡潔にするために、これらの詳細は他のプロセスの説明において繰り返されない。プロセス（方法）４６００を参照して上述された様々な方法及び技法は、図５８に関して説明されるものなどの、１つ以上のユニットとして任意選択的に実装されてもよい。
【０３５５】
図４９は、メディアをキャプチャし、送信するためのプロセス４９００を示すフロー図である。プロセス４９００は、デバイス１００（図２）のような、ディスプレイとタッチ感知面とを有する電子デバイスにおいて実行されてもよい。ブロック４９０２において、デバイスは、ディスプレイ上に、メディアアフォーダンス、メッセージ作成フィールド、及び参加者の間のメッセージ会話を表示する。会話はメッセージ領域内に表示される。ブロック４９０４において、デバイスは、ディスプレイ上におけるメディアアフォーダンスのロケーションに対応するタッチ感知面上のロケーションにおける接触を検出する。ブロック４９０６において、接触を検出したことに応じて、デバイスはメッセージ作成フィールド内にライブメディアプレビュを表示する。ブロック４９０８において、デバイスは接触のリフトオフを検出する。ブロック４９１０において、リフトオフを検出したことに応じて、デバイスは、ライブメディアプレビュに基づく新しい画像をキャプチャし、キャプチャされた画像をメッセージ会話の参加者へ送信する。任意選択的に、リフトオフを検出したことに応じて、キャプチャされた画像を参加者へ送信する。任意選択的に、デバイスは、メッセージを送信するための送信ボタンを表示する。送信ボタンに対応するロケーションにおける接触を検出したことに応じて、キャプチャされたメディアを参加者へ送信する。任意選択的に、リフトオフを検出したことに応じて、メッセージ作成フィールド内に、キャプチャされた画像の表現を表示する。デバイスは、メッセージ作成フィールド内における追加のコンテンツのユーザ入力を検出する。接触を検出したことに応じて、追加のコンテンツ及びキャプチャされた画像を参加者へ送信する。任意選択的に、表示されたメッセージ会話内に挿入された境界されたメッセージ区域内に、キャプチャされた画像のサムネイル、及び追加のコンテンツを表示する。
【０３５６】
プロセス４９００に関して上述されたプロセス（例えば、図４９及び図１１Ｃ〜Ｇ）の詳細はまた、本明細書において説明されるプロセスにも、類似の様態で適用可能であることに留意されたい。例えば、プロセス３３００、３４００、３５００、３６００、３７００、３８００、３９００、４０００、及び４６００は、プロセス４９００を参照して上述された様々なプロセスの特性のうちの１つ以上を含み得る。簡潔にするために、これらの詳細は他のプロセスの説明において繰り返されない。プロセス（方法）４９００を参照して上述された様々な方法及び技法は、図５９に関して説明されるものなどの、１つ以上のユニットとして任意選択的に実装されてもよい。
【０３５７】
図５０に示されるように、電子デバイス５０００は、ユーザインタフェースを表示するように構成された表示ユニット５００２と、接触を受けるように構成されたタッチ感知面ユニット５００４と、表示ユニット５００２及びタッチ感知面ユニット５００４に結合された処理ユニット５００６と、を含む。いくつかの実施形態では、処理ユニット５００６は、表示可能化ユニット５００８、検出ユニット５０１０、判定ユニット５０１２、送信ユニット５０１４、メディアキャプチャユニット５０１６、割り当てユニット５０１８、及び受信ユニット５０２０を含む。
【０３５８】
処理ユニット５００６は、メディアアフォーダンス、及びメッセージ会話の参加者の間で送信されたメッセージを表示するためのメッセージ領域の表示を（例えば、表示可能化ユニット５００８を用いて）可能にすることと、表示ユニット５００２上におけるメディアアフォーダンスのロケーションに対応するタッチ感知面ユニット５００４上のロケーションにおける接触を検出することを含む、タッチ感知面ユニット５００４上におけるジェスチャを（例えば、検出ユニット５０１０を用いて）検出することと、接触を検出したことに応じて、ディスプレイ上における送信アフォーダンスの表示を（例えば、表示可能化ユニット５００８を用いて）可能にすることと、タッチ感知面ユニット５００４を横切る接触の移動を検出すること、及びそれに続き、タッチ感知面からの接触のリフトオフを検出することを含む、ジェスチャの続きを（例えば、検出ユニット５０１０を用いて）検出することと、接触が、送信アフォーダンスのロケーションに対応するタッチ感知面ユニット上のロケーションへ移動したかどうかを（例えば、判定ユニット５０１２を用いて）判定することと、接触が、送信アフォーダンスのロケーションに対応するタッチ感知面ユニット上のロケーションへ移動したとの判定に従って、及びリフトオフを検出したことに応じて、ジェスチャの少なくとも一部分に応じて（例えば、メディアキャプチャユニット５０１６を用いて）キャプチャされたメディアをメッセージ会話の参加者へ（例えば、送信ユニット５０１４を用いて）送信することと、をするように構成される。
【０３５９】
いくつかの実施形態では、接触及びそれに続く接触の移動は、タッチ感知面ユニット５００４上における単一の連続した接触である。
【０３６０】
いくつかの実施形態では、処理ユニット５００６は、接触を検出したことに応じて、表示ユニット５００２上におけるキャンセルアフォーダンスの表示を（例えば、表示可能化ユニット５００８を用いて）可能にすることと、接触が、キャンセルアフォーダンスのロケーションに対応するタッチ感知面ユニット５００４上のロケーションへ移動したかどうかを（例えば、判定ユニット５０１２を用いて）判定することと、接触が、キャンセルアフォーダンスのロケーションに対応するタッチ感知面ユニット上のロケーションへ移動し、それに続き、リフトオフが行われたとの判定に従って、キャプチャされたメディアを参加者へ送信することを見送ることと、をするように更に構成される。
【０３６１】
いくつかの実施形態では、処理ユニット５００６は、リフトオフを（例えば、検出ユニット５０１０を用いて）検出した後に、表示ユニットからの送信アフォーダンスの消去を（例えば、表示可能化ユニット５００８を用いて）可能にするように更に構成される。
【０３６２】
いくつかの実施形態では、処理ユニット５００６は、接触が、表示ユニット５００２上における送信アフォーダンスのロケーションに対応するタッチ感知面ユニット５００４上のロケーションへ移動したとの判定に従って、及びリフトオフを検出したことに応じて、メディアを（例えば、メディアキャプチャユニット５０１６を用いて）キャプチャすることと、メディアを参加者へ（例えば、送信ユニット５０１４を用いて）送信することと、をするように更に構成される。
【０３６３】
いくつかの実施形態では、処理ユニット５００６は、接触を検出したことに応じて、メディアをキャプチャすることを（例えば、メディアキャプチャユニット５０１６を用いて）開始することと、接触が、表示ユニット５００２上における送信アフォーダンスのロケーションに対応するタッチ感知面ユニット５００４上のロケーションへ移動したとの判定に従って、及びリフトオフを検出したことに応じて、メディアをキャプチャすることを中止することと、メディアを参加者へ（例えば、送信ユニット５０１４を用いて）送信することと、をするように更に構成される。
【０３６４】
いくつかの実施形態では、処理ユニット５００６は、接触を検出したことに応じて、メディアをキャプチャすることを（例えば、メディアキャプチャユニット５０１６を用いて）開始することと、接触の移動を検出したことに応じて、メディアをキャプチャすることを中止することと、接触が、表示ユニット５００２上における送信アフォーダンスのロケーションに対応するタッチ感知面ユニット５００４上のロケーションへ移動したとの判定に従って、及び接触が、送信アフォーダンスに対応するタッチ感知面ユニット上のロケーションにある間に、リフトオフを検出したことに応じて、メディアを参加者へ（例えば、送信ユニット５０１４を用いて）送信することと、をするように更に構成される。
【０３６５】
いくつかの実施形態では、メディアは、マイクロフォンから受信された音声データであり、リフトオフは、表示ユニット上における送信アフォーダンスのロケーションに対応するタッチ感知面ユニット上のロケーションにおけるものであり、処理ユニット５００６は、接触を検出したことに応じて、音声データをキャプチャすることを（例えば、メディアキャプチャユニット５０１６を用いて）開始することと、接触が、表示ユニット５００２上における送信アフォーダンスのロケーションに対応するタッチ感知面ユニット５００４上のロケーションへ移動したとの判定に従って、及びリフトオフを検出したことに応じて、音声データをキャプチャすることを中止することと、音声データを参加者へ（例えば、送信ユニット５０１４を用いて）送信することと、をするように更に構成される。
【０３６６】
いくつかの実施形態では、処理ユニット５００６は、表示ユニット５００２上におけるメッセージ作成フィールドの表示を（例えば、表示可能化ユニット５００８を用いて）可能にすることと、接触が、送信アフォーダンスのロケーションに対応するタッチ感知面ユニット５００４上のロケーションへも、キャンセルアフォーダンスのロケーションに対応するタッチ感知面上のロケーションへも移動しなかったとの判定に従って、及びリフトオフを検出したことに応じて、表示ユニット５００２上における、メッセージ作成フィールド内における画像の表示を可能にすることであって、画像は、キャプチャされたメディアを表現する波形を有する、ことと、をするように更に構成される。
【０３６７】
いくつかの実施形態では、処理ユニット５００６は、リフトオフを検出したことに応じて、メディアアフォーダンスの表示の、キャプチャされたメディアを参加者へ（例えば、送信ユニット５０１４を用いて）送信するための送信ボタンの表示との置換を（例えば、表示可能化ユニット５００８を用いて）可能にするように更に構成される。
【０３６８】
いくつかの実施形態では、処理ユニット５００６は、タッチ感知面ユニット５００４上における接触を（例えば、検出ユニット５０１０を用いて）検出したことに応じて、表示ユニット５００２上におけるメディアプレビュの表示を（例えば、表示可能化ユニット５００８を用いて）可能にすることと、リフトオフを検出した後に、表示ユニット上にメディアプレビュを表示することを中止することと、をするように更に構成される。
【０３６９】
いくつかの実施形態では、処理ユニット５００６は、接触がメディアアフォーダンス上で維持されている間に、表示ユニット５００２上における、視覚的に区別された領域の表示を（例えば、表示可能化ユニット５００８を用いて）可能にすることであって、視覚的に区別された領域はメディアアフォーダンス及び送信アフォーダンスを取り囲む、ことと、接触の移動を検出したことに応じて、視覚的に区別された領域の表示を（例えば、表示可能化ユニット５００８を用いて）拡大することと、をするように更に構成される。
【０３７０】
いくつかの実施形態では、処理ユニット５００６は、表示ユニット５００２上における、参加者へのメッセージを入力するための仮想キーボードの表示を（例えば、表示可能化ユニット５００８を用いて）可能にすることと、仮想キーボードの上方における、表示ユニット５００２の特定の縁部に沿ったメディアアフォーダンスの表示を（例えば、表示可能化ユニット５００８を用いて）可能にすることであって、表示された視覚的に区別された領域は特定の縁部によって部分的に境界される、ことと、をするように更に構成される。
【０３７１】
いくつかの実施形態では、処理ユニット５００６は、表示ユニット５００２の隅部におけるメディアアフォーダンスの表示を（例えば、表示可能化ユニット５００８を用いて）可能にすることであって、表示された視覚的に区別された領域は表示ユニットの２つの異なる縁部によって部分的に境界される、ことをするように更に構成される。
【０３７２】
いくつかの実施形態では、タッチ感知面ユニット５００４はタッチ感知ディスプレイであり（例えば、タッチ感知面ユニット５００４は表示ユニット５００２の一部である）、処理ユニット５００６は、メディアアフォーダンスにヒット領域を（例えば、割り当てユニット５０１８を用いて）割り当てることであって、ヒット領域は、タッチ入力に応答する表示ユニットの区域であり、ヒット領域は、仮想キーボードが表示ユニット上に表示されている時には、仮想キーボードが表示されていない時よりも大きなサイズを有する、ことをするように更に構成される。
【０３７３】
いくつかの実施形態では、処理ユニット５００６は、メディアアフォーダンス上における接触の持続時間を（例えば、判定ユニット５０１２を用いて）判定することと、接触の持続時間が閾値持続時間未満であるとの判定に従って、表示ユニット５００２上における、既存のメディアを、参加者へ送信するために選択するためのメディアセレクタユーザインタフェースの表示を（例えば、表示可能化ユニット５００８を用いて）可能にすることと、をするように更に構成される。
【０３７４】
いくつかの実施形態では、処理ユニット５００６は、キャプチャされたメディアのメタデータのセットを参加者へ送信することを抑止するべきであるかどうかのユーザ指定を（例えば、受信ユニット５０２０を用いて）受信するように更に構成される。
【０３７５】
いくつかの実施形態では、メタデータは電子デバイスのロケーションの表現を含む。
【０３７６】
いくつかの実施形態では、メディアアフォーダンスは第１のメディアアフォーダンスであり、処理ユニット５００６は、表示ユニット５００２上における第２のメディアアフォーダンスの表示を（例えば、表示可能化ユニット５００８を用いて）可能にするように更に構成される。
【０３７７】
いくつかの実施形態では、第１のメディアアフォーダンスは、音声データをキャプチャするための音声キャプチャアフォーダンスであり、第２のメディアアフォーダンスは、ビデオ又は画像をキャプチャするための視覚メディアキャプチャアフォーダンスである。
【０３７８】
いくつかの実施形態では、参加者へ送信されるメディアは満期基準に基づいて満期になる。
【０３７９】
図３３を参照して上述された動作は、図１Ａ〜図１Ｂ、図３、図５Ｂ、又は図５０に示される構成要素によって任意選択的に実施される。例えば、表示可能化動作３３０２、検出動作３３０４、及び／又は判定動作３３１０は、イベントソータ１７０、イベント認識部１８０及びイベントハンドラ１９０によって任意選択的に実施される。イベントソータ１７０内のイベントモニタ１７１は、タッチ感知ディスプレイ１１２上の接触を検出し、イベントディスパッチャモジュール１７４は、イベント情報をアプリケーション１３６−１に配布する。アプリケーション１３６−１のそれぞれのイベント認識部１８０は、イベント情報をそれぞれのイベント定義１８６と比較し、タッチ感知面上におけるジェスチャが、ユーザインタフェース上のアフォーダンスの作動などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態において、イベントハンドラ１９０は、アプリケーションにより表示されるものを更新するためのそれぞれのＧＵＩアップデーター１７８にアクセスする。同様に、当業者にとって、他の処理が、図１Ａ〜図１Ｂ、図３、図５Ｂ、又は図５０に示される構成要素に基づいてどのように実施されることができるのかは明らかであろう。
【０３８０】
図５１に示されるように、電子デバイス５１００は、ユーザインタフェースを表示するように構成された表示ユニット５１０２と、接触を受けるように構成されたタッチ感知面ユニット５１０４と、表示ユニット５１０２及びタッチ感知面ユニット５１０４に結合された処理ユニット５１０６と、を含む。いくつかの実施形態では、処理ユニット５１０６は、表示可能化ユニット５１０８、検出ユニット５１１０、判定ユニット５１１２、送信ユニット５１１４、メディアキャプチャユニット５１１６、及びメディア再生ユニット５１１８を含む。
【０３８１】
処理ユニット５１０６は、表示ユニット５１０２上における、メディアアフォーダンス、及びメッセージ会話の参加者の間で送信されたメッセージを表示するためのメッセージ領域の表示を（例えば、表示可能化ユニット５１０８を用いて）可能にすることと、タッチ感知面ユニット５１０４上における第１の入力を（例えば、検出ユニット５１１０を用いて）検出することであって、第１の入力は表示ユニット５１０２上におけるメディアアフォーダンスのロケーションに対応する、ことと、第１の入力を検出したことに応じて、表示ユニット５１０２上における記録アフォーダンス及び送信アフォーダンスの表示を（例えば、表示可能化ユニット５１０８を用いて）可能にすることと、タッチ感知面ユニット５１０４上における第２の入力を（例えば、検出ユニット５１１０を用いて）検出することであって、第２の入力は表示ユニット５１０２上における記録アフォーダンスのロケーションに対応する、ことと、第２の入力を検出したことに応じて、ビデオを記録することを（例えば、メディアキャプチャユニット５１１６を用いて）開始することと、タッチ感知面ユニット５１０４上における第３の入力を検出することであって、第３の入力は表示ユニット５１０２上における送信アフォーダンスのロケーションに対応する、ことと、第３の入力を検出したことに応じて、記録されたビデオを参加者へ（例えば、送信ユニット５１１４を用いて）送信することと、表示ユニット５１０２からの送信アフォーダンス及び記録アフォーダンスの消去を（例えば、表示可能化ユニット５１０８を用いて）可能にすることと、をするように構成される。
【０３８２】
いくつかの実施形態では、第１の入力、第２の入力、及び第３の入力はタッチ感知面ユニット５１０４上における３つの別個の接触である。
【０３８３】
いくつかの実施形態では、第１の入力はタッチ感知面ユニット５１０４上における接触であり、第２の入力は、表示ユニット５１０２上におけるメディアアフォーダンスのロケーションに対応するタッチ感知面ユニット５１０４上のロケーションから、表示ユニット５１０２上における記録アフォーダンスのロケーションに対応するタッチ感知面ユニット５１０４上のロケーションへの接触の移動を含むタッチ感知面ユニット５１０４上における接触の続きである。
【０３８４】
いくつかの実施形態では、第１の入力はタッチ感知面ユニット５１０４上における接触であり、第２の入力はタッチ感知面５１０４ユニット上における別個の接触であり、第３の入力は、表示ユニット５１０２上における記録アフォーダンスのロケーションに対応するタッチ感知面ユニット５１０４上のロケーションから、表示ユニット５１０２上における送信アフォーダンスのロケーションに対応するタッチ感知面ユニット５１０４上のロケーションへの接触の移動を含むタッチ感知面ユニット５１０４上における別個の接触の続きである。
【０３８５】
いくつかの実施形態では、処理ユニット５１０６は、第３の入力を検出したことに応じて、表示されたメッセージ会話内への記録されたビデオのサムネイル表現の挿入を（例えば、表示可能化ユニット５１０８を用いて）可能にするように更に構成される。
【０３８６】
いくつかの実施形態では、処理ユニット５１０６は、ビデオを記録している間に、第２の接触のリフトオフを（例えば、検出ユニット５１１０を用いて）検出することと、リフトオフの後にビデオを記録することを（例えば、メディアキャプチャユニット５１１６を用いて）継続することと、をするように更に構成される。
【０３８７】
いくつかの実施形態では、処理ユニット５１０６は、ビデオを記録している間に、第２の接触のリフトオフを（例えば、検出ユニット５１１０を用いて）検出することと、リフトオフを検出したことに応じて、ビデオを記録することを中止することと、をするように更に構成される。
【０３８８】
いくつかの実施形態では、処理ユニット５１０６は、リフトオフを検出したことに応じて、表示ユニット５１０２上における、記録アフォーダンスの表示の、ビデオを再生するための再生アフォーダンスの表示との置換を（例えば、表示可能化ユニット５１０８を用いて）可能にすることであって、ビデオは参加者へまだ送信されていない、ことをするように更に構成される。
【０３８９】
いくつかの実施形態では、処理ユニット５１０６は、ビデオを記録している間に、表示ユニット５１０２上における、記録されたビデオの時間的長さの指示の表示を（例えば、表示可能化ユニット５１０８を用いて）可能にするように更に構成される。
【０３９０】
いくつかの実施形態では、表示されたメッセージ会話内への、キャプチャされたビデオのサムネイル表現の挿入を可能にすることは、表示ユニット５１０２上における、メッセージ会話内における境界されたメッセージ区域の表示を（例えば、表示可能化ユニット５１０８を用いて）可能にすることと、表示ユニット５１０２上における、境界されたメッセージ区域内における再生アフォーダンスの表示を（例えば、表示可能化ユニット５１０８を用いて）可能にすることと、を含む。処理ユニット５１０６は、表示ユニット５１０２上における再生アフォーダンスのロケーションに対応するタッチ感知面ユニット５１０４上のロケーションにおける第５の接触を（例えば、検出ユニット５１１０を用いて）検出することと、第５の接触を検出したことに応じて、境界されたメッセージ区域の境界内で、記録されたビデオを（例えば、メディア再生ユニット５１１８を用いて）再生することと、をするように更に構成される。
【０３９１】
いくつかの実施形態では、参加者へ送信される記録されたビデオは満期基準に基づいて満期になる。
【０３９２】
図３４を参照して上述された動作は、図１Ａ〜図１Ｂ、図３、図５Ｂ、又は図５１に示される構成要素によって任意選択的に実施される。例えば、表示可能化動作３４０２、３４０６及び／又は検出動作３４０４、３４０８は、イベントソータ１７０、イベント認識部１８０、及びイベントハンドラ１９０によって任意選択的に実施される。イベントソータ１７０内のイベントモニタ１７１は、タッチ感知ディスプレイ１１２又はその他の入力コントロールデバイス１１６上の接触を検出し、イベントディスパッチャモジュール１７４は、イベント情報をアプリケーション１３６−１へ配布する。アプリケーション１３６−１のそれぞれのイベント認識部１８０は、イベント情報をそれぞれのイベント定義１８６と比較し、ディスプレイロケーションに対応する第１の入力が、ユーザインタフェース上のアフォーダンスの作動などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態において、イベントハンドラ１９０は、アプリケーションにより表示されるものを更新するためのそれぞれのＧＵＩアップデーター１７８にアクセスする。同様に、当業者にとって、他の処理が、図１Ａ〜図１Ｂ、図３、図５Ｂ、又は図５１に示される構成要素に基づいてどのように実施されることができるのかは明らかであろう。
【０３９３】
図５２に示されるように、電子デバイス５２００は、ユーザインタフェースを表示するように構成された表示ユニット５２０２と、任意選択的に、接触を受けるように構成されたタッチ感知面ユニット５２０４と、表示ユニット５２０２、及び、任意選択的に、タッチ感知面ユニット５２０４に結合された処理ユニット５２０６と、を含む。いくつかの実施形態では、処理ユニット５２０６は、表示可能化ユニット５２０８、検出ユニット５２１０、判定ユニット５２１２、送信ユニット５２１４、メディアキャプチャユニット５２１６、及びメディア再生ユニット５２１８を含む。
【０３９４】
処理ユニット５２０６は、表示ユニット５２０２上における、メッセージ会話の第１の参加者から受信された第１の音声メッセージの表現の表示を（例えば、表示可能化ユニット５２０８を用いて）可能にすることと、第１の音声メッセージを再生せよとの要求を（例えば、検出ユニット５２１０を用いて）検出することと、要求を検出したことに応じて、第１の音声メッセージを（例えば、メディア再生ユニット５２１８を用いて）再生することと、第１の音声メッセージを再生した後に、デバイス５２００の持ち上げを（例えば、検出ユニット５２１０を用いて）検出することと、デバイス５２００の持ち上げを検出したことに応じて、第２の音声メッセージを（例えば、メディアキャプチャユニット５２１６を用いて）記録することと、第２の音声メッセージを記録した後に、第２の音声メッセージを第１の参加者へ（例えば、送信ユニット５２１４を用いて）送信することと、をするように構成される。
【０３９５】
いくつかの実施形態では、処理ユニット５２０６は、第２の音声メッセージを記録している間に、デバイス５２００が降ろされたことを（例えば、検出ユニット５２１０を用いて）検出することと、デバイスが降ろされたことを検出したことに応じて、第２の音声メッセージを記録することを中止することと、記録された第２の音声メッセージを第１の参加者へ（例えば、送信ユニット５２１４を用いて）送信することと、をするように更に構成される。
【０３９６】
いくつかの実施形態では、第１の音声メッセージを再生せよとの要求を検出することは、第１の音声メッセージの表現が表示ユニット５２０２上に表示されている間に、デバイス５２００の別個の持ち上げを検出することを含む。
【０３９７】
いくつかの実施形態では、処理ユニット５２０６は、第１の音声メッセージを再生した後に、及び第２の音声メッセージを記録する前に、デバイス５２００が降ろされたことを（例えば、検出ユニット５２１０を用いて）検出するように更に構成される。
【０３９８】
いくつかの実施形態では、第１の音声メッセージを再生せよとの要求を検出することは、表示ユニット５２０２上における第１の音声メッセージの表示された表現のロケーションに対応するタッチ感知面ユニット５２０４上のロケーションにおける接触を検出することを含む。
【０３９９】
いくつかの実施形態では、表示ユニット５２０２はタッチ感知表示ユニットであり、表現の表示を可能にすることは、表示ユニット５２０２上における、受信されたメッセージを指示するアフォーダンスの表示を（例えば、表示可能化ユニット５２０８を用いて）可能にすることと、表示されたアフォーダンス上におけるスワイプジェスチャを（例えば、検出ユニット５２１０を用いて）検出することと、スワイプジェスチャを検出したことに応じて、表示ユニット５２０２上における、デバイス５２００を持ち上げて第２の音声メッセージを記録するようにユーザに教示する教示の表示を（例えば、表示可能化ユニット５２０８を用いて）可能にすることと、を含む。
【０４００】
いくつかの実施形態では、受信されたメッセージを指示するアフォーダンスは表示ユニット５２０２上のロックスクリーン上に表示される。
【０４０１】
いくつかの実施形態では、処理ユニット５２０６は、スワイプジェスチャを検出したことに応じて、表示ユニット５２０２上における、受信されたメッセージに返信するための返信アフォーダンスの表示を（例えば、表示可能化ユニット５２０８を用いて）可能にすることと、返信アフォーダンスの選択を（例えば、検出ユニット５２１０を用いて）検出することと、返信アフォーダンスの選択を検出したことに応じて、表示ユニット５２０２上における、デバイス５２００を持ち上げて第２の音声メッセージを記録するようにユーザに教示する教示の表示を（例えば、表示可能化ユニット５２０８を用いて）可能にすることと、をするように更に構成される。
【０４０２】
いくつかの実施形態では、デバイス５２００を持ち上げて第２の音声メッセージを記録するようにユーザに教示する教示は、表示ユニット５２０２上のメッセージ作成フィールド内に表示され、処理ユニット５２００は、表示ユニット５２０２上におけるメディアアフォーダンスの表示を（例えば、表示可能化ユニット５２０８を用いて）可能にすることと、表示ユニット５２０２上におけるメディアアフォーダンスのロケーションに対応するタッチ感知面ユニット５２０４上のロケーションにおける接触を（例えば、検出ユニット５２１０を用いて）検出することと、接触を検出したことに応じて、第２の音声メッセージを（例えば、メディアキャプチャユニット５２１６を用いて）記録することと、第２の音声メッセージを記録した後に、第２の音声メッセージを第１の参加者へ（例えば、送信ユニット５２１４を用いて）送信することと、をするように更に構成される。
【０４０３】
いくつかの実施形態では、処理ユニット５２０６は、表示ユニット５２０２上におけるメッセージ入力フィールドのロケーションに対応するタッチ感知面ユニット５２０４上のロケーションにおける接触を（例えば、検出ユニット５２１０を用いて）検出することと、メッセージ入力フィールドのロケーションに対応するタッチ感知面ユニット５２０４上のロケーションにおける接触を検出したことに応じて、表示ユニット５２０２上における仮想キーボードの表示を（例えば、表示可能化ユニット５２０８を用いて）可能にすることと、をするように更に構成される。
【０４０４】
いくつかの実施形態では、第２の音声メッセージは満期基準に基づいて満期になる。
【０４０５】
図３５を参照して上述された動作は、図１Ａ〜図１Ｂ、図３、図５Ｂ、又は図５２に示される構成要素によって任意選択的に実施される。例えば、検出動作３５０４、３５０８は、加速度計１６８、イベントソータ１７０、イベント認識部１８０、及び／又はイベントハンドラ１９０によって任意選択的に実施される。イベントソータ１７０内のイベントモニタ１７１は、デバイスの接触又は持ち上げによって表現された要求などの、要求を検出し、イベントディスパッチャモジュール１７４は、イベント情報をアプリケーション１３６−１へ配布する。アプリケーション１３６−１のそれぞれのイベント認識部１８０は、イベント情報をそれぞれのイベント定義１８６と比較し、要求が、音声メッセージを再生せよとの要求などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態では、イベントハンドラ１９０は、音声メッセージを再生するためにオーディオ回路１１０にアクセスする。同様に、当業者にとって、他の処理が、図１Ａ〜図１Ｂ、図３、図５Ｂ、又は図５２に示される構成要素に基づいてどのように実施されることができるのかは明らかであろう。
【０４０６】
図５３に示されるように、電子デバイス５３００は、ユーザインタフェースを表示するように構成された表示ユニット５３０２と、任意選択的に、接触を受けるように構成されたタッチ感知面ユニット５３０４と、表示ユニット５３０２、及び、任意選択的に、タッチ感知面ユニット５３０４に結合された処理ユニット５３０６と、を含む。いくつかの実施形態では、処理ユニット５３０６は、表示可能化ユニット５３０８、検出ユニット５３１０、判定ユニット５３１２、受信ユニット５３１４、及びメディア再生ユニット５３１６を含む。
【０４０７】
処理ユニット５３０６は、時間インターバル以内に第１の参加者から複数のメッセージを（例えば、受信ユニット５３１４を用いて）受信することと、複数のメッセージがメッセージグループ化基準を満たすかどうかを（例えば、判定ユニット５３１２を用いて）判定することと、をするように構成される。複数のメッセージがメッセージグループ化基準を満たさないとの判定に従って、処理ユニット５３０６は、表示ユニット５３０２上における、複数のメッセージを表現する複数の別個の境界されたメッセージ区域の表示を（例えば、表示可能化ユニット５３０８を用いて）可能にするように構成される。複数のメッセージがメッセージグループ化基準を満たすとの判定に従って、処理ユニット５３０６は、表示ユニット５３０２上における、複数のメッセージを表現する、単一の、グループとして境界されたメッセージ区域の表示を（例えば、表示可能化ユニット５３０８を用いて）可能にするように構成される。
【０４０８】
いくつかの実施形態では、メッセージグループ化基準は、複数のメッセージ内のメッセージの数が数値閾値を超えると満たされる基準を含む。
【０４０９】
いくつかの実施形態では、メッセージグループ化基準は、複数のメッセージの互いの離間間隔が閾値時間量未満であると満たされる基準を含む。
【０４１０】
いくつかの実施形態では、メッセージグループ化基準は、複数のメッセージが、連続して隣接するメッセージであると満たされる基準を含む。
【０４１１】
いくつかの実施形態では、連続して隣接するメッセージは、他の参加者からの介在受信メッセージを全く伴うことなく単一の参加者から受信されたメッセージである。
【０４１２】
いくつかの実施形態では、連続して隣接するメッセージは、異なる種類の介在受信メッセージを全く伴うことなく受信された同じ種類のメッセージである。
【０４１３】
いくつかの実施形態では、連続して隣接するメッセージは、異なる読み取りステータスを有する介在受信メッセージを全く伴わない、同じ読み取りステータスを有するメッセージである。
【０４１４】
いくつかの実施形態では、複数のメッセージのうちのメッセージは音声メッセージであり、処理ユニットは、表示ユニット５３０２上における、境界されたメッセージ区域の内部における、音声メッセージに対応する波形画像の表示を（例えば、表示可能化ユニット５３０８を用いて）可能にすることであって、波形画像は、音声メッセージのコンテンツを表現する波形を有する、ことをするように更に構成される。
【０４１５】
いくつかの実施形態では、境界されたメッセージ区域の内部における波形画像の表示を可能にすることは、初期色による波形の表示を可能にすることと、音声メッセージを再生せよとの要求を（例えば、受信ユニット５３１４を用いて）受信することと、音声メッセージを再生せよとの要求を受信したことに応じて、音声メッセージを（例えば、メディア再生ユニット５３１６を用いて）再生することと、再生された音声メッセージの部分を指示するために、再生中における波形の少なくとも一部分の色の変更を（例えば、表示可能化ユニット５３０８を用いて）可能にすることと、を含む。
【０４１６】
いくつかの実施形態では、処理ユニット５３０６は、音声メッセージの対応する部分が（例えば、メディア再生ユニット５３１６によって）再生されるのに従って、波形の部分の色の変更を可能にするように更に構成される。
【０４１７】
いくつかの実施形態では、グループ化された境界されたメッセージ区域は少なくとも２つの音声メッセージを表現し、処理ユニット５３０６は、少なくとも２つの音声メッセージを順次再生せよとの要求を（例えば、受信ユニット５３１４を用いて）受信することと、要求を受信したことに応じて、少なくとも２つの音声メッセージを（例えば、メディア再生ユニット５３１６を用いて）順次再生することと、をするように更に構成される。
【０４１８】
いくつかの実施形態では、少なくとも２つの音声メッセージを順次再生せよとの要求は、デバイス５３００の持ち上げの検出を含む。
【０４１９】
いくつかの実施形態では、処理ユニット５３０６は、表示ユニット５３０２上における、順次的な音声メッセージを再生するためのアフォーダンスの表示を（例えば、表示可能化ユニット５３０８を用いて）可能にすることであって、少なくとも２つの音声メッセージを順次再生せよとの要求を受信することは、アフォーダンス上における接触の（例えば、検出ユニット５３１０を用いた）検出を含む、ことをするように更に構成される。
【０４２０】
いくつかの実施形態では、処理ユニット５３０６は、グループ化された境界されたメッセージ区域の選択を（例えば、検出ユニット５３１０を用いて）検出することと、グループ化された境界されたメッセージ区域の選択を検出したことに応じて、表示ユニット５３０２上における、単一のグループ化された境界されたメッセージ区域の表示の、複数のメッセージの複数の表現の表示との置換を（例えば、表示可能化ユニット５３０８を用いて）可能にすることと、をするように更に構成される。
【０４２１】
いくつかの実施形態では、グループ化された境界されたメッセージ区域は、複数のメッセージのうちの第１のメッセージを表現するテキスト、及び複数のメッセージのうちの第２のメッセージを表現する画像サムネイルを含み、処理ユニット５３０６は、表示された画像サムネイルのロケーションに対応するタッチ感知面ユニット５３０４上のロケーションにおける接触を（例えば、検出ユニット５３１０を用いて）検出することと、表示された画像サムネイルに対応するロケーションにおける接触を検出したことに応じて、表示ユニット５３０２上における、画像サムネイルによって表現された画像のより大きなバージョンの表示を（例えば、表示可能化ユニット５３０８を用いて）可能にすることと、をするように更に構成される。
【０４２２】
いくつかの実施形態では、画像のより大きなバージョンを表示することは、画像をフルスクリーン画像として表示することを含む。
【０４２３】
いくつかの実施形態では、グループ化された境界されたメッセージ区域は、複数のメッセージのうちの第１のメッセージを表現するテキスト、及び複数のメッセージ内のビデオメッセージを表現する画像サムネイルを含み、処理ユニット５３０６は、表示された画像サムネイルのロケーションに対応するタッチ感知面ユニット５３０４上のロケーションにおける接触を（例えば、検出ユニット５３１０を用いて）検出することと、画像サムネイルのロケーションに対応するタッチ感知面ユニット５３０４上のロケーションにおける接触を検出したことに応じて、画像サムネイルによって表現されたビデオメッセージを（例えば、メディア再生ユニット５３１６を用いて）再生することと、をするように更に構成される。
【０４２４】
いくつかの実施形態では、ビデオメッセージを再生することは、ビデオメッセージをフルスクリーンモードで再生することを含む。
【０４２５】
いくつかの実施形態では、ビデオメッセージを再生することは、ビデオメッセージを、グループ化された境界されたメッセージ区域内で再生することを含む。
【０４２６】
いくつかの実施形態では、グループ化された境界されたメッセージ区域は、複数のメッセージのうちの第１のメッセージを表現するテキスト、複数のメッセージ内の音声メッセージを表現する波形画像を含み、処理ユニット５３０６は、表示ユニット５３０２上における、グループ化された境界されたメッセージ区域内における再生アフォーダンスの表示を（例えば、表示可能化ユニット５３０８を用いて）可能にすることであって、再生アフォーダンスは波形画像に関連付けられている、ことと、表示されたグループ化された境界されたメッセージ区域内における再生アフォーダンスのロケーションに対応するタッチ感知面ユニット５３０４上のロケーションにおける接触を（例えば、検出ユニット５３１０を用いて）検出することと、再生アフォーダンスのロケーションに対応するタッチ感知面ユニット５３０４上のロケーションにおける接触を検出したことに応じて、波形画像によって表現された音声メッセージを（例えば、メディア再生ユニット５３１６を用いて）再生することと、をするように更に構成される。
【０４２７】
図３６を参照して上述された動作は、図１Ａ〜図１Ｂ、図３、図５Ｂ、又は図５３に示される構成要素によって任意選択的に実施される。例えば、受信動作３６０２、判定動作３６０４、及び／又は表示可能化動作３６０６は、周辺機器インタフェース１１８、イベントソータ１７０、イベント認識部１８０、及びイベントハンドラ１９０によって任意選択的に実施される。周辺機器インタフェース１１８はメッセージを受信し、イベントソータ１７０内のイベントモニタ１７１は、メッセージが受信されたというイベントを検出する。イベントディスパッチャモジュール１７４はイベント情報をアプリケーション１３６−１へ配布する。アプリケーション１３６−１のそれぞれのイベント認識部１８０は、イベント情報をそれぞれのイベント定義１８６と比較し、複数の受信されたメッセージが、グループ化基準を満たすことなどの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態において、イベントハンドラ１９０は、アプリケーションにより表示されるものを更新するためのそれぞれのＧＵＩアップデーター１７８にアクセスする。同様に、当業者にとって、他の処理が、図１Ａ〜図１Ｂ、図３、図５Ｂ、又は図５３に示される構成要素に基づいてどのように実施されることができるのかは明らかであろう。
【０４２８】
図５４に示されるように、電子デバイス５４００は、ユーザインタフェースを表示するように構成された表示ユニット５４０２と、表示ユニット５４０２に結合された処理ユニット５４０６と、を含む。いくつかの実施形態では、処理ユニット５４０６は、表示可能化ユニット５４０８、検出ユニット５４１０、判定ユニット５４１２、受信ユニット５４１４、キープユニット５４１６、保存ユニット５４１８、及び提供ユニット５４２０を含む。
【０４２９】
処理ユニット５４０６は、第１のメッセージを（例えば、受信ユニット５４１４を用いて）受信することと、表示ユニット５４０２上における第１のメッセージの表現の表示を（例えば、表示可能化ユニット５４０８を用いて）可能にすることであって、第１のメッセージは満期基準の満足時に削除されるようにスケジュールされる、ことと、表示ユニット５４０２上における、第１のメッセージをキープするためのアフォーダンスの表示を（例えば、表示可能化ユニット５４０８を用いて）可能にすることと、アフォーダンスが満期基準の満足前に選択されたとの（例えば、判定ユニット５４１２を用いた）判定に従って、第１のメッセージを（例えば、キープユニット５４１６を用いて）キープすることと、アフォーダンスの選択を検出することなく満期基準が満足されたとの判定に従って、表示ユニット５４０２上における第１のメッセージの表現の表示を可能にすることを中止することと、をするように構成される。
【０４３０】
いくつかの実施形態では、処理ユニット５４０６は、第２のメッセージを（例えば、受信ユニット５４１４を用いて）受信することであって、第２のメッセージは満期基準に基づいて削除されない、ことをするように更に構成される。
【０４３１】
いくつかの実施形態では、満期基準は時間インターバルに基づく。
【０４３２】
いくつかの実施形態では、満期基準は、第１のメッセージがメディアを包含するかどうかに基づく。
【０４３３】
いくつかの実施形態では、満期基準は、メディアが、メッセージングアプリケーションを用いてキャプチャされたかどうかに基づく。
【０４３４】
いくつかの実施形態では、第１のメッセージはメディアを包含し、時間インターバルは、メディアが再生された後の時間から開始して計測される。
【０４３５】
いくつかの実施形態では、第１のメッセージはメディアを包含し、時間インターバルは、メディアが作成された時間からから開始して計測される。
【０４３６】
いくつかの実施形態では、第１のメッセージはメディアを包含し、処理ユニット５４０６は、アフォーダンスが満期基準の満足前に選択されたとの判定に従って、メディアライブラリ内にメディアを（例えば、保存ユニット５４１８を用いて）保存するように更に構成される。
【０４３７】
いくつかの実施形態では、第１のメッセージはメディアを包含し、処理ユニット５４０６は、メディアが、メッセージングアプリケーションを用いてキャプチャされたかどうかを（例えば、判定ユニット５４１２を用いて）判定することと、メディアが、メッセージングアプリケーションを用いてキャプチャされなかったとの判定に従って、メディアライブラリにメディアを（例えば、保存ユニット５４１８を用いて）保存することと、をするように更に構成される。
【０４３８】
いくつかの実施形態では、第１のメッセージは第１の参加者から受信され、処理ユニット５４０６は、アフォーダンスが満期基準の満足前に選択されたとの判定に従って、第１のメッセージがキープされたことの指示を第１の参加者に（例えば、提供ユニット５４２０を用いて）提供するように更に構成される。
【０４３９】
いくつかの実施形態では、処理ユニット５４０６は、第１のメッセージが音声メッセージであるかどうかを（例えば、判定ユニット５４１２を用いて）判定することと、第１のメッセージが音声メッセージであるとの判定に従って、表示ユニット５４０２上における、第１のメッセージをキープするためのアフォーダンスの表示を（例えば、表示可能化ユニット５４０８を用いて）可能にすることと、をするように更に構成される。
【０４４０】
いくつかの実施形態では、第２のメッセージはテキストメッセージである。
【０４４１】
いくつかの実施形態では、満期基準は、テキストメッセージは満期にならないという基準を含む。
【０４４２】
図３７を参照して上述された動作は、図１Ａ〜図１Ｂ、図３、図５Ｂ、又は図５４に示される構成要素によって任意選択的に実施される。例えば、受信動作３７０２、表示可能化動作３７０４、及び／又はキープ動作３７０８は、周辺機器インタフェース１１８、イベントソータ１７０、イベント認識部１８０、及びイベントハンドラ１９０によって任意選択的に実施される。周辺機器インタフェース１１８はメッセージを受信し、イベントソータ１７０内のイベントモニタ１７１は、メッセージが受信されたというイベントを検出する。イベントソータ１７０内のイベントモニタ１７１は、タッチ感知ディスプレイ１１２上の接触を検出し、イベントディスパッチャモジュール１７４は、イベント情報をアプリケーション１３６−１へ配布する。アプリケーション１３６−１のそれぞれのイベント認識部１８０は、イベント情報をそれぞれのイベント定義１８６と比較し、選択が、ユーザインタフェース上のアフォーダンスの作動又は選択などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態において、イベントハンドラ１９０は、アプリケーションにより表示されるものを更新するためのそれぞれのＧＵＩアップデーター１７８にアクセスする。同様に、当業者にとって、他の処理が、図１Ａ〜図１Ｂ、図３、図５Ｂ、又は図５４に示される構成要素に基づいてどのように実施されることができるのかは明らかであろう。
【０４４３】
図５５に示されるように、電子デバイス５５００は、ユーザインタフェースを表示するように構成された表示ユニット５５０２と、任意選択的に、接触を受けるように構成されたタッチ感知面ユニット５５０４と、表示ユニット５５０２、及び、任意選択的に、タッチ感知面ユニット５５０４に結合された処理ユニット５５０６と、を含む。いくつかの実施形態では、処理ユニット５５０６は、表示可能化ユニット５５０８、検出ユニット５５１０、判定ユニット５５１２、受信ユニット５５１４、提供ユニット５５１６、追加ユニット５５１８、送信ユニット５５２０、及び挿入ユニット５５２２を含む。
【０４４４】
処理ユニット５５０６は、表示ユニット５５０２上における、メッセージ会話の第１の参加者と第２の参加者との間で送信されたメッセージを表示するためのメッセージ領域の表示を（例えば、表示可能化ユニット５５０８を用いて）可能にすることと、表示ユニット５５０２上における、第１の参加者のロケーションを、このロケーションが少なくとも所定の期間にわたって変化する際に、第２の参加者と共有するためのロケーション共有アフォーダンスの表示を（例えば、表示可能化ユニット５５０８を用いて）可能にすることと、ロケーション共有アフォーダンスの選択を（例えば、検出ユニット５５１０を用いて）検出することと、ロケーション共有アフォーダンスの選択を検出したことに応じて、少なくとも所定の期間中に、第２の参加者に、第２の参加者が第１の参加者の現在のロケーションを判定することを可能にする情報を（例えば、提供ユニット５５１６を用いて）提供することと、をするように構成される。
【０４４５】
いくつかの実施形態では、処理ユニット５５０６は、第２の参加者から、第１の外部デバイスのロケーションを動的に指示するロケーション情報を（例えば、受信ユニット５５１４を用いて）受信することと、表示ユニット５５０２上における、地図上における電子デバイスのロケーション及び第１の外部デバイスのロケーションの表示を（例えば、表示可能化ユニット５５０８を用いて）可能にすることと、をするように更に構成される。
【０４４６】
いくつかの実施形態では、処理ユニット５５０６は、メッセージ会話に第３の参加者を（例えば、追加ユニット５５１８を用いて）追加することと、第３の参加者から、第２の外部デバイスのロケーションを指示するロケーション情報を（例えば、受信ユニット５５１４を用いて）受信することと、表示ユニット上における、地図上における第２の外部デバイスのロケーションの表示を（例えば、表示可能化ユニット５５０８を用いて）可能にすることと、をするように更に構成される。
【０４４７】
いくつかの実施形態では、処理ユニット５５０６は、ロケーション共有アフォーダンスに対応するロケーションにおける接触の選択を検出したことに応じて、表示ユニット５５０２上における、少なくとも２つの所定の期間に対応する少なくとも２つのアフォーダンスの表示を（例えば、表示可能化ユニット５５０８を用いて）可能にすることと、表示ユニット５５０２上における少なくとも２つのアフォーダンスのうちの１つロケーションに対応するタッチ感知面ユニット５５０４上のロケーションにおける接触を（例えば、検出ユニット５５１０を用いて）検出することと、表示ユニット上における少なくとも２つのアフォーダンスのうちの１つのロケーションに対応するタッチ感知面ユニット上のロケーションにおける接触を検出したことに応じて、少なくとも２つのアフォーダンスのうちの１つに対応する所定の期間中に、第２の参加者に、第２の参加者が第１の参加者の現在のロケーションを判定することを可能にする情報を（例えば、提供ユニット５５１６を用いて）提供することと、をするように更に構成される。
【０４４８】
いくつかの実施形態では、処理ユニット５５０６は、表示ユニット５５０２上における、ロケーションが共有されることになる残りの時間量の指示の表示を（例えば、表示可能化ユニット５５０８を用いて）可能にするように更に構成される。
【０４４９】
いくつかの実施形態では、処理ユニット５５０６は、表示ユニット５５０２上における、第２の参加者に情報を提供することを中止するためのアフォーダンスの表示を（例えば、表示可能化ユニット５５０８を用いて）可能にするように更に構成される。
【０４５０】
いくつかの実施形態では、処理ユニット５５０６は、表示ユニット５５０２上における、メッセージ会話と一緒の、詳細アフォーダンスの表示を（例えば、表示可能化ユニット５５０８を用いて）可能にすることと、表示ユニット５５０２上における詳細アフォーダンスのロケーションに対応するタッチ感知面ユニット５５０４上のロケーションにおける接触を（例えば、検出ユニット５５１０を用いて）検出することと、表示ユニット５５０２上における詳細アフォーダンスのロケーションに対応するタッチ感知面ユニット５５０４上のロケーションにおける接触を検出したことに応じて、表示ユニット５５０２上における、自分たちのロケーションを共有したメッセージ会話の２人以上の参加者のロケーションを示す地図の表示を（例えば、表示可能化ユニット５５０８を用いて）可能にすることと、をするように更に構成される。
【０４５１】
いくつかの実施形態では、処理ユニット５５０６は、表示ユニット５５０２上における、自分たちのロケーションを共有したメッセージ会話の２人以上の参加者を特定する情報の表示を（例えば、表示可能化ユニット５５０８を用いて）可能にするように更に構成される。
【０４５２】
いくつかの実施形態では、処理ユニット５５０６は、２人以上の参加者に、メッセージ会話から２人以上の参加者のうちの参加者を消去するための選択肢を（例えば、提供ユニット５５１６を用いて）提供するように更に構成される。
【０４５３】
いくつかの実施形態では、処理ユニット５５０６は、２人以上の参加者に、メッセージ会話に新しい参加者を追加するための選択肢を（例えば、提供ユニット５５１６を用いて）提供するように更に構成される。
【０４５４】
いくつかの実施形態では、メッセージ会話は名前を有し、処理ユニット５５０６は、２人以上の参加者に、メッセージ会話の名前を変更するための選択肢を（例えば、提供ユニット５５１６を用いて）提供するように更に構成される。
【０４５５】
いくつかの実施形態では、地図はメッセージ会話内の特定のメッセージに関連付けられない。
【０４５６】
いくつかの実施形態では、表示ユニット５５０２上における、地図の表示されたロケーションに対応するロケーションにおいてタッチ感知面ユニット５５０４をタップすることは、地図アプリケーションを立ち上げ、地図アプリケーションは、地図上に表示されたロケーションへの道順を取得するための選択肢を提供する。
【０４５７】
いくつかの実施形態では、第２の参加者に情報を（例えば、提供ユニット５５１６を用いて）提供することは、第２の参加者によって使用されている遠隔の電子デバイスに、自分たちのロケーションを共有するように第２の参加者に促させる。
【０４５８】
いくつかの実施形態では、処理ユニット５５０６は、表示ユニット５５０２上における、第１の参加者の静的ロケーション情報を第２の参加者へ（例えば、送信ユニット５５２０を用いて）送信するためのロケーション送信アフォーダンスの表示を（例えば、表示可能化ユニット５５０８を用いて）可能にすることであって、静的ロケーション情報はデバイスのロケーションに従って更新されない、ことと、ロケーション送信アフォーダンスの選択を（例えば、検出ユニット５５１０を用いて）検出することと、ロケーション送信アフォーダンスの選択を検出したことに応じて、静的ロケーション情報を第２の参加者へ（例えば、送信ユニット５５２０を用いて）送信することと、をするように更に構成される。
【０４５９】
いくつかの実施形態では、静的ロケーション情報を送信することは、メッセージ会話内に、静的ロケーション情報を含む静的地図を（例えば、挿入ユニット５５２２を用いて）挿入することを含む。
【０４６０】
いくつかの実施形態では、静的地図はメッセージ会話内の特定のメッセージに関連付けられない。
【０４６１】
いくつかの実施形態では、静的地図をタップすることは地図アプリケーションを立ち上げ、地図アプリケーションは、静的地図上に表示されたロケーション情報への道順を取得するための選択肢を提供する。
【０４６２】
図３８を参照して上述された動作は、図１Ａ〜図１Ｂ、図３、図５Ｂ、又は図５５に示される構成要素によって任意選択的に実施される。例えば、表示可能化動作３８０２、検出動作３８０６、及び／又は提供動作３８０８は、イベントソータ１７０、イベント認識部１８０、イベントハンドラ１９０、及び周辺機器インタフェース１１８によって任意選択的に実施される。イベントソータ１７０内のイベントモニタ１７１は、タッチ感知ディスプレイ１１２上の接触を検出し、イベントディスパッチャモジュール１７４は、イベント情報をアプリケーション１３６−１に配布する。アプリケーション１３６−１のそれぞれのイベント認識部１８０は、イベント情報をそれぞれのイベント定義１８６と比較し、タッチ感知面上における接触が、ユーザインタフェース上のアフォーダンスの作動などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態では、イベントハンドラ１９０は、アプリケーションによって表示されるものを更新するために、それぞれのＧＵＩアップデーター１７８にアクセスするか、又はデータを外部デバイスに提供するために、周辺機器インタフェース１１８にアクセスする。同様に、当業者にとって、他の処理が、図１Ａ〜図１Ｂ、図３、図５Ｂ、又は図５５に示される構成要素に基づいてどのように実施されることができるのかは明らかであろう。
【０４６３】
図５６に示されるように、電子デバイス５６００は、ユーザインタフェースを表示するように構成された表示ユニット５６０２と、任意選択的に、接触を受けるように構成されたタッチ感知面ユニット５６０４と、表示ユニット５６０２、及び、任意選択的に、タッチ感知面ユニット５６０４に結合された処理ユニット５６０６と、を含む。いくつかの実施形態では、処理ユニット５６０６は、表示可能化ユニット５６０８、検出ユニット５６１０、判定ユニット５６１２、受信ユニット５６１４、選択ユニット５６１６、追加ユニット５６１８、挿入ユニット５６２０、命令ユニット５６２２、送信ユニット５６２４、及びキャプチャユニット５６２６を含む。
【０４６４】
処理ユニット５６０６は、表示ユニット５６０２上における、メッセージ会話を表示するためのメッセージ領域の表示を（例えば、表示可能化ユニット５６０８を用いて）可能にすることと、メッセージ会話にメディアを追加せよとの要求を（例えば、受信ユニット５６１４を用いて）受信することと、要求を受信したことに応じて、表示ユニット５６０２上における、メッセージ会話の少なくとも一部分と同時のメディア選択インタフェースの表示を（例えば、表示可能化ユニット５６０８を用いて）可能にすることであって、メディア選択インタフェースは、メディアをメッセージ会話への追加のために選択するための複数のアフォーダンスを含み、複数のアフォーダンスの少なくともサブセットは、メッセージ会話に追加するために利用可能なメディアのサムネイル表現を含む、ことと、複数のアフォーダンスからのそれぞれのアフォーダンスの選択を（例えば、検出ユニット５６１０を用いて）検出することと、それぞれのアフォーダンスの選択を検出したことに応じて、対応するメディアをメッセージ会話への追加のために（例えば、選択ユニット５６１６を用いて）選択することと、をするように構成される。
【０４６５】
いくつかの実施形態では、処理ユニット５６０６は、それぞれのアフォーダンスの選択を検出したことに応じて、メッセージ会話にメディアを（例えば、追加ユニット５６１８を用いて）追加するように更に構成される。
【０４６６】
いくつかの実施形態では、処理ユニット５６０６は、それぞれのアフォーダンスの選択を検出したことに応じて、メッセージ作成フィールド内にメディアを（例えば、挿入ユニット５６２０を用いて）挿入し、表示ユニット５６０２上における、メッセージ会話にメッセージ作成フィールドのコンテンツを追加するための送信アフォーダンスの表示を（例えば、表示可能化ユニット５６０８を用いて）可能にするように更に構成される。
【０４６７】
いくつかの実施形態では、処理ユニット５６０６は、表示ユニット５６０２上におけるメディア選択インタフェースのロケーションに対応するロケーションにおけるタッチ感知面ユニット５６０４上のスワイプジェスチャを（例えば、検出ユニット５６１０を用いて）検出することと、スワイプジェスチャを検出したことに応じて、表示ユニット５６０２上における、複数のアフォーダンスのスクロールを（例えば、表示可能化ユニット５６０８を用いて）可能にすることと、をするように更に構成される。
【０４６８】
いくつかの実施形態では、複数のアフォーダンスは、カメラロール内の最も最近取得された写真に対応する。
【０４６９】
いくつかの実施形態では、処理ユニット５６０６は、複数のアフォーダンスからのアフォーダンスの選択を検出したことに応じて、表示ユニット５６０２上における、メディア選択インタフェースのサイズの増大を（例えば、表示可能化ユニット５６０８を用いて）可能にするように更に構成される。
【０４７０】
いくつかの実施形態では、処理ユニット５６０６は、表示ユニット５６０２上におけるメディアアフォーダンスの表示を（例えば、表示可能化ユニット５６０８を用いて）可能にすることであって、メッセージ会話にメディアを追加せよとの要求は、表示ユニット５６０２上におけるメディアアフォーダンスのロケーションに対応するタッチ感知面ユニット５６０４上のロケーションにおける接触を含む、ことと、接触を検出したことに応じて、接触の持続時間を（例えば、判定ユニット５６１２を用いて）判定することと、接触の持続時間が閾値を超えないとの判定に従って、表示ユニット５６０２上における、カメラセンサを用いて新しい画像をキャプチャするためのアフォーダンスの表示を（例えば、表示可能化ユニット５６０８を用いて）可能にすることと、新しい画像をキャプチャするためのアフォーダンスが表示されている間に、タッチ感知面ユニット５６０４上におけるスワイプジェスチャを（例えば、検出ユニット５６１０を用いて）検出することと、スワイプジェスチャを検出したことに応じて、画像をキャプチャするようにカメラセンサに（例えば、命令ユニット５６２２を用いて）命令することと、画像をメッセージ会話の参加者へ（例えば、送信ユニット５６２４を用いて）送信することと、をするように更に構成される。
【０４７１】
いくつかの実施形態では、メディア選択インタフェースの表示を可能にすることは、表示ユニット５６０２上における第１のアフォーダンスのロケーションに対応するタッチ感知面ユニット５６０４上のロケーションにおける接触を（例えば、検出ユニット５６１０を用いて）検出することと、表示ユニット５６０２上における第１のアフォーダンスのロケーションに対応するタッチ感知面ユニット５６０４上のロケーションにおける接触を検出したことに応じて、対応するメディアを会話の参加者へ（例えば、送信ユニット５６２４を用いて）送信することと、を含む。
【０４７２】
いくつかの実施形態では、メディア選択インタフェースの表示を可能にすることは、表示ユニット上における、送信アフォーダンスの表示を（例えば、表示可能化ユニット５６０８を用いて）可能にすることと、表示ユニット５６０２上における第１のアフォーダンス、第２のアフォーダンス、及び送信アフォーダンスのロケーションに対応するタッチ感知面ユニット５６０４上のロケーションにおける接触を（例えば、検出ユニット５６１０を用いて）検出することと、第１のアフォーダンス、第２のアフォーダンス、及び送信アフォーダンスのロケーションに対応するタッチ感知面ユニット５６０４上のロケーションにおける接触を検出したことに応じて、対応する第１のメディア及び第２のメディアを会話の参加者へ（例えば、送信ユニット５６２４を用いて）送信することと、を更に含む。
【０４７３】
いくつかの実施形態では、複数のアフォーダンスはライブプレビュアフォーダンスを含み、処理ユニット５６０６は、表示ユニット５６０２上におけるライブプレビュアフォーダンスのロケーションに対応するタッチ感知面ユニット５６０４上のロケーションにおける接触を（例えば、検出ユニット５６１０を用いて）検出することと、ライブカメラプレビュのロケーションに対応するタッチ感知面ユニット５６０４上のロケーションにおける接触を検出したことに応じて、ライブカメラプレビュに基づく新しい画像を（例えば、キャプチャユニット５６２６を用いて）キャプチャすることと、新しい画像をメッセージ会話への追加のために（例えば、選択ユニット５６１６を用いて）選択することと、をするように更に構成される。
【０４７４】
いくつかの実施形態では、処理ユニット５６０６は、新しい画像を送信せよとの要求を（例えば、検出ユニット５６１０を用いて）検出することと、要求に応じて、新しい画像を第１の参加者へ（例えば、送信ユニット５６２４を用いて）送信することと、をするように更に構成される。
【０４７５】
図３９を参照して上述された動作は、図１Ａ〜図１Ｂ、図３、図５Ｂ、又は図５６に示される構成要素によって任意選択的に実施される。例えば、表示可能化動作３９０２、３９０６、受信動作３９０４、検出動作３９０８、及び／又は選択動作３９１０は、イベントソータ１７０、イベント認識部１８０、及びイベントハンドラ１９０、並びにその他の入力コントロールデバイス１１６によって任意選択的に実施される。イベントソータ１７０内のイベントモニタ１７１は、タッチ感知ディスプレイ１１２上の接触又はその他の入力コントロールデバイス１１６からの異なるユーザ入力を検出し、イベントディスパッチャモジュール１７４は、イベント情報をアプリケーション１３６−１へ配布する。アプリケーション１３６−１のそれぞれのイベント認識部１８０は、イベント情報をそれぞれのイベント定義１８６と比較し、接触又はその他の入力が、ユーザインタフェース上のアフォーダンスの作動、又はその他のユーザ要求などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態において、イベントハンドラ１９０は、アプリケーションにより表示されるものを更新するためのそれぞれのＧＵＩアップデーター１７８にアクセスする。同様に、当業者にとって、他の処理が、図１Ａ〜図１Ｂ、図３、図５Ｂ、又は図５６に示される構成要素に基づいてどのように実施されることができるのかは明らかであろう。
【０４７６】
図５７に示されるように、電子デバイス５７００は処理ユニット５７０２を含む。いくつかの実施形態では、処理ユニット５７０２は、検出ユニット５７０４、判定ユニット５７０６、開始ユニット５７０８、受信ユニット５７１０、提供ユニット５７１２、メディア再生ユニット５７１４、及び記録ユニット５７１６を含む。
【０４７７】
処理ユニット５７０２は、電子デバイス５７００の運動、及び１つ以上の近接センサ測定値に基づいてデバイスのコンテクストの変化を（例えば、検出ユニット５７０４を用いて）検出することと、デバイスのコンテクストの変化を検出したことに応じて、デバイスが音声動作基準を満たすかどうかを（例えば、判定ユニット５７０６を用いて）判定することであって、音声動作基準は、電子デバイス５７００の運動が運動基準を満足し、１つ以上の近接センサ測定値が近接基準を満足すると満たされる基準を含む、ことと、デバイスのコンテクストの変化が音声動作基準を満足するとの判定に従って、音声動作を（例えば、開始ユニット５７０８を用いて）開始することと、デバイスのコンテクストの変化が音声動作基準を満足しないとの判定に従って、音声動作の開始を見送ることと、をするように構成される。
【０４７８】
いくつかの実施形態では、運動基準は所定の軌道を含む。
【０４７９】
いくつかの実施形態では、運動が運動基準を満足するかどうかを判定することは、運動の終了、及び運動の終了時における電子デバイスの向きを判定することを含み、運動基準は、電子デバイスが運動の終了時に所定の向きになっていないと、満たされる。
【０４８０】
いくつかの実施形態では、処理ユニット５７０２は、音声動作を開始した後に、電子デバイスが所定の向きになっているかどうかを（例えば、判定ユニット５７０６を用いて）判定することと、電子デバイスが所定の向きになっているとの判定に従って、音声動作を終了することと、をするように更に構成される。
【０４８１】
いくつかの実施形態では、電子デバイスが所定の向きになっているとの判定は、運動が運動基準を満足し、かつ１つ以上の近接センサ測定値が近接基準を満足するとの判定の所定の時間インターバル以内に、電子デバイスが所定の向きになっているとの判定を更に含む。
【０４８２】
いくつかの実施形態では、電子デバイス５７００はスピーカを更に含み、スピーカはデバイス５７００の表面上に位置付けられ、所定の向きにおいて、表面は下を向く。
【０４８３】
いくつかの実施形態では、電子デバイス５７００は受話口を更に備え、所定の向きにおいて、マイクロフォンは受話口の上方に位置付けられる。
【０４８４】
いくつかの実施形態では、１つ以上の近接センサ測定値が近接基準を満足するかどうかを判定することは、電子デバイスに近接したオブジェクトの検出を指示する近接センサ測定値が、運動基準を満足する運動が検出された後の所定の時間インターバル以内に検出されたかどうかを判定することを含む。
【０４８５】
いくつかの実施形態では、処理ユニット５７０２は、音声動作を開始した後に、所定の閾値を上回る電子デバイス５７００の特有運動を（例えば、検出ユニット５７０４を用いて）検出することと、電子デバイスの特有運動が所定の閾値を上回ることを検出したことに応じて、音声動作を終了することと、をするように更に構成される。
【０４８６】
いくつかの実施形態では、音声動作は、新しいメッセージを記録することを含み、処理ユニット５７０２は、メッセージが発話を含むかどうかを（例えば、判定ユニット５７０６を用いて）判定することと、メッセージが発話を含まないとの判定に従って、新しいメッセージの記録を終了することと、をするように更に構成される。
【０４８７】
いくつかの実施形態では、処理ユニットは、通信を（例えば、受信ユニット５７１０を用いて）受信することと、通信を受信したことに応じて、及びデバイスのコンテクストの変化を検出する前に、通信が受信されたことの指示を（例えば、提供ユニット５７１２を用いて）提供することと、をするように更に構成される。
【０４８８】
いくつかの実施形態では、通信が受信されたことの指示を提供することは、メッセージングアプリケーションを立ち上げることを含む。
【０４８９】
いくつかの実施形態では、通信は、デバイスによって再生されていない音声成分を有するメッセージを含み、音声動作は、メッセージの音声成分を（例えば、メディア再生ユニット５７１４を用いて）再生することを含む。
【０４９０】
いくつかの実施形態では、処理ユニット５７０２は、メッセージが、デバイスのコンテクストの変化を検出する前の既定の時間インターバル以内に受信されたかどうかを（例えば、判定ユニット５７０６を用いて）判定するように更に構成され、メッセージの音声成分を再生することは、メッセージが既定の時間インターバル以内に受信された場合には、メッセージの音声成分を（例えば、メディア再生ユニット５７１４を用いて）再生することを含む。
【０４９１】
いくつかの実施形態では、通信はボイスメールメッセージを含み、音声動作は、ボイスメールメッセージの（例えば、メディア再生ユニット５７１４を用いた）再生を含む。
【０４９２】
いくつかの実施形態では、処理ユニット５７０２は、ボイスメールメッセージを再生した後に、電子デバイスのポンプ運動を（例えば、検出ユニット５７０４を用いて）検出することであって、ポンプ運動は、下方への動き、及びそれに続く、上方への動きを含む、ことと、電子デバイスのポンプ運動を検出したことに応じて、ボイスメールメッセージに関連付けられた電話番号への電話通話を（例えば、開始ユニット５７０８を用いて）開始することと、をするように更に構成される。
【０４９３】
いくつかの実施形態では、通信は、電話番号からの電話通話に対応するボイスメールメッセージを含み、処理ユニット５７０２は、デバイスのコンテクストの変化を検出する前に、ボイスメールメッセージの少なくとも一部分を（例えば、メディア再生ユニット５７１４を用いて）再生するように更に構成され、音声動作は、ボイスメールメッセージに対応する電話番号への電話通話を（例えば、開始ユニット５７０８を用いて）開始することを含む。
【０４９４】
いくつかの実施形態では、通信は、音声成分を有するメッセージを含み、処理ユニット５７０２は、デバイスのコンテクストの変化を検出する前に、メッセージの音声成分を（例えば、メディア再生ユニット５７１４を用いて）再生することと、電子デバイスの運動が、音声メッセージを再生した後の所定の時間インターバル以内に検出されたかどうかを（例えば、判定ユニット５７０６を用いて）判定することと、をするように更に構成され、音声動作を開始することは、デバイスのコンテクストの変化が、メッセージの音声成分が再生された時間から所定の時間インターバル以内に検出された場合には、新しいメッセージのための音声を（例えば、記録ユニット５７１６を用いて）記録することを含む。
【０４９５】
いくつかの実施形態では、通信は、デバイスによって以前に再生された音声成分を有するメッセージを含み、音声動作は、新しいメッセージを（例えば、記録ユニット５７１６を用いて）記録することを含む。
【０４９６】
いくつかの実施形態では、処理ユニット５７０２は、デバイスのコンテクストの変化を検出する前に、電子デバイスが音声メッセージングコンテクスト内にあることを（例えば、検出ユニット５７０４を用いて）検出することと、電子デバイスが音声メッセージングコンテクスト内にある場合にのみ、デバイスのコンテクストの変化を（例えば、検出ユニット５７０４を用いて）検出することと、をするように更に構成される。
【０４９７】
いくつかの実施形態では、音声動作を開始することは、音声再生基準が満たされたとの判定に従って、受信された通信に対応する音声を（例えば、メディア再生ユニット５７１４を用いて）再生することと、音声記録基準が満たされたとの判定に従って、受信された通信への応答のための音声を記録することと、を含む。
【０４９８】
図４０〜図４５Ｃを参照して上述された動作は、図１Ａ〜図１Ｂ、図３、図５Ｂ、又は図５７に示される構成要素によって任意選択的に実施される。例えば、検出動作４００２、判定動作４００４、及び／又は開始動作４００６は、イベントソータ１７０、イベント認識部１８０、イベントハンドラ１９０、近接センサ１６６、及び加速度計１６８によって任意選択的に実施される。イベントソータ１７０内のイベントモニタ１７１は、近接センサ１６６及び／又は加速度計１６８などの、１つ以上のセンサからの測定値に基づいてデバイスのコンテクストの変化を検出する。イベントディスパッチャモジュール１７４はイベント情報をアプリケーション１３６−１へ配布する。アプリケーション１３６−１のそれぞれのイベント認識部１８０は、イベント情報をそれぞれのイベント定義１８６と比較し、デバイスのコンテクストの変化が、特定の基準を満たすことなどの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態では、イベントハンドラ１９０は、音声動作を開始するためにオーディオ回路１１０にアクセスする。同様に、当業者にとって、他の処理が、図１Ａ〜図１Ｂ、図３、図５Ｂ、又は図４０〜図４５Ｃに示される構成要素に基づいてどのように実施されることができるのかは明らかであろう。
【０４９９】
図５８に示されるように、電子デバイス５８００は、少なくとも１つのマイクロフォン５８２０と、任意選択的に、ユーザインタフェースを表示するように構成された表示ユニット５８０２と、少なくとも１つのマイクロフォン５８２０、及び、任意選択的に、表示ユニット５８０２に結合された処理ユニット５８０４と、を含む。いくつかの実施形態では、処理ユニット５８０４は、表示可能化ユニット５８０６、検出ユニット５８０８、判定ユニット５８１０、生成ユニット５８１２、送信ユニット５８１４、比較ユニット５８１６、及び削除ユニット５８１８を含む。
【０５００】
処理ユニット５８０４は、指定された連絡先のための音声メッセージを記録せよとの要求として解釈される１つ以上の条件を（例えば、検出ユニット５８０８を用いて）検出することと、１つ以上の条件を検出したことに応じて、少なくとも１つのマイクロフォン５８２０を用いて音声記録を（例えば、生成ユニット５８１２を用いて）生成することと、音声記録が拒否基準を満たすかどうかを（例えば、判定ユニット５８１０を用いて）判定することと、拒否基準が満足されないとの判定に従って、音声記録を、指定された連絡先へ（例えば、送信ユニット５８１４を用いて）送信することと、拒否基準が満足されるとの判定に従って、指定された連絡先への音声記録の送信を見送ることと、をするように構成される。
【０５０１】
いくつかの実施形態では、拒否基準は、音声記録の持続時間が所定の持続時間を超えると満たされる。
【０５０２】
いくつかの実施形態では、処理ユニット５８０４は、発話が音声記録内に存在するかどうかを（例えば、検出ユニット５８０８を用いて）検出するように更に構成され、拒否基準は、音声記録が、閾値量より多くの人間の発話を含まないと判定されると、満たされる。
【０５０３】
いくつかの実施形態では、拒否基準はデバイスの位置に基づく。
【０５０４】
いくつかの実施形態では、拒否基準は、電子デバイスが音源から距離閾値以内にあると満たされる。
【０５０５】
いくつかの実施形態では、処理ユニット５８０４は、デバイスの近接センサがデバイスの距離閾値以内においてオブジェクトを検出したかどうかを判定することによって、電子デバイスが距離閾値以内にあるかどうかを（例えば、判定ユニット５８１０を用いて）判定するように更に構成される。
【０５０６】
いくつかの実施形態では、処理ユニット５８０４は、少なくとも１つのマイクロフォンによってキャプチャされた信号を組み合わせることによって作り出された波形を分析することによって、電子デバイスが距離閾値以内にあるかどうかを（例えば、判定ユニット５８１０を用いて）判定するように更に構成され、少なくとも１つのマイクロフォンは第１のマイクロフォン及び第２のマイクロフォンを含む。
【０５０７】
いくつかの実施形態では、処理ユニット５８０６は、少なくとも１つのマイクロフォンにおける音圧レベルが音圧レベル閾値を超えるかどうかを判定することによって、電子デバイスが距離閾値以内にあるかどうかを（例えば、判定ユニット５８１０を用いて）判定するように更に構成される。
【０５０８】
いくつかの実施形態では、音圧レベル閾値は、電子デバイスによって以前に検出された音圧レベルの関数に基づく。
【０５０９】
いくつかの実施形態では、処理ユニット５８０４は、音圧レベルを、少なくとも１つのマイクロフォンによって検出された残響レベルと（例えば、比較ユニット５８１６を用いて）比較することによって、電子デバイス５８００が距離閾値以内にあるかどうかを（例えば、判定ユニット５８１０を用いて）判定するように更に構成される。
【０５１０】
いくつかの実施形態では、拒否基準は電子デバイス５８００の向きに基づく。
【０５１１】
いくつかの実施形態では、電子デバイス５８００はスピーカ（例えば、受話口）を備え、スピーカはデバイスの表面上に位置付けられ、拒否基準は、表面が下を向いていると満たされる。
【０５１２】
いくつかの実施形態では、電子デバイス５８００はスピーカ（例えば、受話口）を備え、拒否基準は、電子デバイスの向きがマイクロフォンをスピーカの上方に配置していると、満たされる。
【０５１３】
いくつかの実施形態では、拒否基準は、電子デバイスの特有運動が閾値を超えると満たされる。
【０５１４】
いくつかの実施形態では、電子デバイスは表示ユニット５８０２を備え、処理ユニット５８０４は、音声記録が拒否基準を満足すると、表示ユニット５８０２上における、音声記録を含む暫定メッセージの表現、及び送信アフォーダンスの表示を（例えば、表示可能化ユニット５８０６を用いて）同時に可能にするように更に構成され、送信アフォーダンスは、ユーザによって選択されると、デバイスに、暫定メッセージを、指定された連絡先へ送信させる。
【０５１５】
いくつかの実施形態では、処理ユニット５８０４は、音声記録が拒否基準を満足すると、１つ以上の条件を検出したことと、音声記録が拒否基準を満足すると判定したこととの間の経過時間が時間閾値を超えるかどうかを（例えば、判定ユニット５８１０を用いて）判定することと、経過時間が時間閾値を超えるとの判定に従って、表示ユニット５８０２上における、音声記録を含む暫定メッセージの表現の表示を（例えば、表示可能化ユニット５８０６を用いて）可能にすることと、経過時間が時間閾値を超えないとの判定に従って、暫定メッセージの表現の表示を可能にすることなく、音声記録を（例えば、削除ユニット５８１８を用いて）削除することと、をするように更に構成される。
【０５１６】
図４６〜図４８Ｂを参照して上述された動作は、図１Ａ〜図１Ｂ、図３、図５Ｂ、又は図５８に示される構成要素によって任意選択的に実施される。例えば、検出動作４６０２、表示可能化動作４８０２、生成動作４６０４、判定動作４６０６、及び／又は送信動作４６０８は、イベントソータ１７０、イベント認識部１８０、イベントハンドラ１９０、加速度計１６８、近接センサ１６６、及び周辺機器インタフェース１１８によって任意選択的に実施される。イベントソータ１７０内のイベントモニタ１７１は、タッチ感知ディスプレイ１１２上の接触、及び／又は（例えば、近接センサ１６６及び／又は加速度計１６８を用いて）デバイスのコンテクストの変化を検出し、イベントディスパッチャモジュール１７４は、イベント情報をアプリケーション１３６−１へ配布する。アプリケーション１３６−１のそれぞれのイベント認識部１８０は、イベント情報をそれぞれのイベント定義１８６と比較し、タッチ感知面上における接触、又はデバイスのコンテクストの変化が、音声メッセージを記録せよとの要求などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態では、イベントハンドラ１９０は、アプリケーションによって表示されるものを更新するために、それぞれのＧＵＩアップデーター１７８にアクセスするか、又は音声記録を生成するために、オーディオ回路１１０及びマイクロフォン１１３にアクセスする。いくつかの実施形態では、イベントハンドラ１９０は、記録を、指定された連絡先へ送信するために、周辺機器インタフェース１１８にアクセスする。同様に、当業者にとって、他の処理が、図１Ａ〜図１Ｂ、図３、図５Ｂ、又は図４６〜図４８Ｂに示される構成要素に基づいてどのように実施されることができるのかは明らかであろう。
【０５１７】
図５９に示されるように、電子デバイス５９００は、ユーザインタフェースを表示するように構成された表示ユニット５９０２と、接触を受けるように構成されたタッチ感知面ユニット５９０４と、表示ユニット５９０２及びタッチ感知面ユニット５９０４に結合された処理ユニット５９０６と、を含む。いくつかの実施形態では、処理ユニット５９０６は、表示可能化ユニット５９０８、検出ユニット５９１０、判定ユニット５９１２、送信ユニット５９１４、及びメディアキャプチャユニット５９１６を含む。
【０５１８】
処理ユニット５９０６は、表示ユニット５９０２上における、メディアアフォーダンス、メッセージ作成フィールド、及び参加者の間のメッセージ会話の表示を（例えば、表示可能化ユニット５９０８を用いて）可能にすることであって、会話は表示ユニット５９０２上のメッセージ領域内に表示される、ことと、表示ユニット５９０２上におけるメディアアフォーダンスのロケーションに対応するタッチ感知面ユニット５９０４上のロケーションにおける接触を（例えば、検出ユニット５９１０を用いて）検出することと、接触を検出したことに応じて、表示ユニット５９０２上における、メッセージ作成フィールド内におけるライブメディアプレビュの表示を（例えば、表示可能化ユニット５９０８を用いて）可能にすることと、タッチ感知面ユニット５９０４からの接触のリフトオフを（例えば、検出ユニット５９１０を用いて）検出することと、リフトオフを検出したことに応じて、メディアプレビュに基づく新しい画像を（例えば、メディアキャプチャユニット５９１６を用いて）キャプチャすることと、キャプチャされた画像をメッセージ会話の参加者へ（例えば、送信ユニット５９１４を用いて）送信することと、をするように構成される。
【０５１９】
いくつかの実施形態では、リフトオフを検出したことに応じて、キャプチャされた画像を参加者へ送信する。
【０５２０】
いくつかの実施形態では、処理ユニット５９０６は、表示ユニット５９０２上における、メッセージをメッセージ会話の参加者へ送信するための送信ボタンの表示を（例えば、表示可能化ユニット５９０８を用いて）可能にすることと、リフトオフを検出し、メディアをキャプチャした後に、表示ユニット５９０２上における送信ボタンのロケーションに対応するタッチ感知面ユニット５９０４上のロケーションにおける第２の接触を（例えば、検出ユニット５９１０を用いて）検出することと、をするように更に構成され、第２の接触を検出したことに応じて、キャプチャされた画像を参加者へ送信する。
【０５２１】
いくつかの実施形態では、処理ユニット５９０６は、リフトオフを検出したことに更に応じて、表示ユニット５９０２上における、メッセージ作成フィールド内におけるキャプチャされた画像の表現の表示を（例えば、表示可能化ユニット５９０８を用いて）可能にするように更に構成される。
【０５２２】
いくつかの実施形態では、処理ユニット５９０６は、メッセージ作成フィールド内に、キャプチャされた画像の表現を表示している間に、メッセージ作成フィールド内における追加のコンテンツのユーザ入力を（例えば、検出ユニット５９１０を用いて）検出するように更に構成され、第２の接触を検出したことに応じて、追加のコンテンツ及びキャプチャされた画像を参加者へ送信する。
【０５２３】
いくつかの実施形態では、メッセージ作成フィールド内におけるメディアプレビュの表示を可能にすることは、表示ユニット５９０２上における、メッセージ作成フィールドの拡大を（例えば、表示可能化ユニット５９０８を用いて）可能にすることを含む。
【０５２４】
図４９を参照して上述された動作は、図１Ａ〜図１Ｂ、図３、図５Ｂ、又は図５９に示される構成要素によって任意選択的に実施される。例えば、表示可能化動作４９０２、検出動作４９０４、及び／又はキャプチャ動作４９１０は、イベントソータ１７０、イベント認識部１８０、イベントハンドラ１９０、及び周辺機器インタフェース１１８によって任意選択的に実施される。イベントソータ１７０内のイベントモニタ１７１は、タッチ感知ディスプレイ１１２上の接触を検出し、イベントディスパッチャモジュール１７４は、イベント情報をアプリケーション１３６−１に配布する。アプリケーション１３６−１のそれぞれのイベント認識部１８０は、イベント情報をそれぞれのイベント定義１８６と比較し、タッチ感知ディスプレイ上のロケーションにおける接触が、ユーザインタフェース上のアフォーダンスの作動などの、既定のイベント又はサブイベントに対応するかどうかを判定する。それぞれの既定のイベント又はサブイベントが検出されると、イベント認識部１８０は、イベント又はサブイベントの検出に関連するイベントハンドラ１９０をアクティブ化させる。イベントハンドラ１９０は、アプリケーション内部状態１９２を更新するために、データアップデーター１７６若しくはオブジェクトアップデーター１７７を利用又は呼び出してもよい。いくつかの実施形態において、イベントハンドラ１９０は、アプリケーションにより表示されるものを更新するためのそれぞれのＧＵＩアップデーター１７８にアクセスする。いくつかの実施形態では、イベントハンドラ１９０は、画像をキャプチャするために、周辺機器インタフェースにアクセスする。同様に、当業者にとって、他の処理が、図１Ａ〜図１Ｂ、図３、図５Ｂ、又は図５９に示される構成要素に基づいてどのように実施されることができるのかは明らかであろう。
【０５２５】
上述の説明は、説明の目的上、特定の実施形態を参照して説明されている。しかし、上述の例示的説明は、網羅的であること、又は本発明を、開示されている寸分違わない形態に限定することを意図されてはいない。上述の教示を考慮すれば、多くの修正及び変形が可能である。諸実施形態は、技法の原理及びそれらの実際の適用を最もうまく説明するために選定され、説明された。これによって、他の当業者は、技法及び様々な実施形態を、企図されている特定の使用に適したとおりの様々な変更を加えて最もうまく利用することが可能になる。
【０５２６】
添付の図面を参照して本開示及び実施例が十分に説明されたが、様々な変更及び修正が当業者には明らかになるであろうということに留意されたい。このような変更及び修正は、請求項によって定義されるとおりの本開示及び実施例の範囲内に含まれるものと理解されるべきである。
【０５２７】
上述されたように、本技術の一態様は、ロケーション情報をメッセージ会話の他の参加者と共有するための様々なソースから入手可能なデータの収集及び使用である。本開示は、場合によっては、この収集されたデータが、特定の人を一意的に識別するか、又はその人に連絡するか、若しくはその人のロケーションを特定するために用いることができる個人情報データを含んでもよいことを企図している。このような個人情報データは、人口統計学的データ、ロケーションベースのデータ、電話番号、電子メールアドレス、自宅住所、又は任意のその他の識別情報を含むことができる。
【０５２８】
本開示は、本技術における、このような個人情報データの使用をユーザの利益のために使用することができると認識している。例えば、個人情報データは、参加者が互いのロケーション及び推定到着時間を判定することを可能にするために使用することができる。更に、ユーザの利益になる個人情報データのための他の使用法も本開示によって企図されている。
【０５２９】
本開示は、このような個人情報データの収集、分析、開示、転送、記憶、又はその他の使用に関与するエンティティは、しっかり確立されたプライバシポリシー及び／又はプライバシ慣行を遵守することを更に企図している。特に、このようなエンティティは、個人情報データを非公開かつ安全な状態に維持するための産業界又は行政の要求を満たすか又はそれらを超えると一般的に認識されているプライバシポリシー及び慣行を履行し、一貫して用いるべきである。例えば、ユーザからの個人情報は、そのエンティティの合法的かつ正当な使用のために収集されるべきであり、それらの合法的使用を除いて、共有又は販売されるべきではない。更に、そのような収集は、ユーザに告知して同意を受けた後にのみ実施するべきである。加えて、そのようなエンティティは、そのような個人情報データへのアクセスを保護して安全化し、その個人情報データへのアクセスを有する他者が、それらのプライバシポリシー及び手順を遵守することを確実にするための、あらゆる必要な措置を講じるであろう。更には、そのようなエンティティは、広く受け入れられているプライバシのポリシー及び慣行に対する自身の遵守を証明するために、第三者による評価を自らが受けることができる。
【０５３０】
前述のことがらにもかかわらず、本開示はまた、ユーザが、個人情報データの使用又は個人情報データへのアクセスを選択的に阻止する実施形態も企図している。即ち、本開示は、そのような個人情報データへのアクセスを防止又は阻止するためのハードウェア要素及び／又はソフトウェア要素を提供することができることを企図している。例えば、ロケーション共有機能の場合には、本技術は、ユーザが、メッセージ会話参加者にロケーション情報を提供しないことを選択することを可能にするように構成されることができる。更に別の例では、ユーザは、正確なロケーション情報を提供しないが、ロケーション地域情報を共有することを許可することを選択することができる。
【０５３１】
それゆえ、本開示は、１つ以上の様々な開示された実施形態を実施するための個人情報データの使用を、広範に網羅するものであるが、本開示は、それらの様々な実施形態がまた、そのような個人情報データにアクセスすることを必要とせずに実施されることも可能であることも企図している。すなわち、本技術の様々な実施形態は、そのような個人情報データの全て又は一部分の欠如により、実施不可能となるものではない。例えば、コンテンツの推定到着時間は、ロケーション地域情報などの、必要最小限の量の個人情報、又は公的に入手可能な情報を用いて判定することができる。
【図１Ａ】
2018125001.tif 000003
【図１Ｂ】
2018125001.tif 000004
【図２】
2018125001.tif 000005
【図３】
2018125001.tif 000006
【図４Ａ】
2018125001.tif 000007
【図４Ｂ】
2018125001.tif 000008
【図５Ａ】
2018125001.tif 000009
【図５Ｂ】
2018125001.tif 000010
【図６Ａ】
2018125001.tif 000011
【図６Ｂ】
2018125001.tif 000012
【図６Ｃ】
2018125001.tif 000013
【図６Ｄ】
2018125001.tif 000014
【図７Ａ】
2018125001.tif 000015
【図７Ｂ】
2018125001.tif 000016
【図７Ｃ】
2018125001.tif 000017
【図７Ｄ】
2018125001.tif 000018
【図８】
2018125001.tif 000019
【図９Ａ】
2018125001.tif 000020
【図９Ｂ】
2018125001.tif 000021
【図１０Ａ】
2018125001.tif 000022
【図１０Ｂ】
2018125001.tif 000023
【図１１Ａ】
2018125001.tif 000024
【図１１Ｂ】
2018125001.tif 000025
【図１１Ｃ】
2018125001.tif 000026
【図１１Ｄ】
2018125001.tif 000027
【図１１Ｅ】
2018125001.tif 000028
【図１１Ｆ】
2018125001.tif 000029
【図１１Ｇ】
2018125001.tif 000030
【図１２Ａ】
2018125001.tif 000031
【図１２Ｂ】
2018125001.tif 000032
【図１３Ａ】
2018125001.tif 000033
【図１３Ｂ】
2018125001.tif 000034
【図１３Ｃ】
2018125001.tif 000035
【図１４】
2018125001.tif 000036
【図１５Ａ】
2018125001.tif 000037
【図１５Ｂ】
2018125001.tif 000038
【図１６Ａ】
2018125001.tif 000039
【図１６Ｂ】
2018125001.tif 000040
【図１７Ａ】
2018125001.tif 000041
【図１７Ｂ】
2018125001.tif 000042
【図１７Ｃ】
2018125001.tif 000043
【図１８Ａ】
2018125001.tif 000044
【図１８Ｂ】
2018125001.tif 000045
【図１８Ｃ】
2018125001.tif 000046
【図１９Ａ】
2018125001.tif 000047
【図１９Ｂ】
2018125001.tif 000048
【図１９Ｃ】
2018125001.tif 000049
【図１９Ｄ】
2018125001.tif 000050
【図２０】
2018125001.tif 000051
【図２１Ａ】
2018125001.tif 000052
【図２１Ｂ】
2018125001.tif 000053
【図２２Ａ】
2018125001.tif 000054
【図２２Ｂ】
2018125001.tif 000055
【図２２Ｃ】
2018125001.tif 000056
【図２２Ｄ】
2018125001.tif 000057
【図２３Ａ】
2018125001.tif 000058
【図２３Ｂ】
2018125001.tif 000059
【図２３Ｃ】
2018125001.tif 000060
【図２４Ａ】
2018125001.tif 000061
【図２４Ｂ】
2018125001.tif 000062
【図２４Ｃ】
2018125001.tif 000063
【図２５Ａ】
2018125001.tif 000064
【図２５Ｂ】
2018125001.tif 000065
【図２５Ｃ】
2018125001.tif 000066
【図２５Ｄ】
2018125001.tif 000067
【図２５Ｅ】
2018125001.tif 000068
【図２６】
2018125001.tif 000069
【図２７Ａ】
2018125001.tif 000070
【図２７Ｂ】
2018125001.tif 000071
【図２７Ｃ】
2018125001.tif 000072
【図２８Ａ】
2018125001.tif 000073
【図２８Ｂ】
2018125001.tif 000074
【図２８Ｃ】
2018125001.tif 000075
【図２９Ａ】
2018125001.tif 000076
【図２９Ｂ】
2018125001.tif 000077
【図２９Ｃ】
2018125001.tif 000078
【図３０】
2018125001.tif 000079
【図３１】
2018125001.tif 000080
【図３２Ａ】
2018125001.tif 000081
【図３２Ｂ】
2018125001.tif 000082
【図３２Ｃ】
2018125001.tif 000083
【図３３】
2018125001.tif 000084
【図３４】
2018125001.tif 000085
【図３５】
2018125001.tif 000086
【図３６】
2018125001.tif 000087
【図３７】
2018125001.tif 000088
【図３８】
2018125001.tif 000089
【図３９】
2018125001.tif 000090
【図４０】
2018125001.tif 000091
【図４１Ａ】
2018125001.tif 000092
【図４１Ｂ】
2018125001.tif 000093
【図４２Ａ】
2018125001.tif 000094
【図４２Ｂ】
2018125001.tif 000095
【図４３Ａ】
2018125001.tif 000096
【図４３Ｂ】
2018125001.tif 000097
【図４３Ｃ】
2018125001.tif 000098
【図４４Ａ】
2018125001.tif 000099
【図４４Ｂ】
2018125001.tif 000100
【図４４Ｃ】
2018125001.tif 000101
【図４５Ａ】
2018125001.tif 000102
【図４５Ｂ】
2018125001.tif 000103
【図４５Ｃ】
2018125001.tif 000104
【図４６】
2018125001.tif 000105
【図４７Ａ】
2018125001.tif 000106
【図４７Ｂ】
2018125001.tif 000107
【図４７Ｃ】
2018125001.tif 000108
【図４７Ｄ】
2018125001.tif 000109
【図４８Ａ】
2018125001.tif 000110
【図４８Ｂ】
2018125001.tif 000111
【図４９】
2018125001.tif 000112
【図５０】
2018125001.tif 000113
【図５１】
2018125001.tif 000114
【図５２】
2018125001.tif 000115
【図５３】
2018125001.tif 000116
【図５４】
2018125001.tif 000117
【図５５】
2018125001.tif 000118
【図５６】
2018125001.tif 000119
【図５７】
2018125001.tif 000120
【図５８】
2018125001.tif 000121
【図５９】
2018125001.tif 000122
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
方法であって、
タッチ感知面、ディスプレイ、及び、カメラセンサを有する電子デバイスにおいて、
前記ディスプレイ上に、メッセージ会話を表示するためのメッセージ領域を表示することと、
前記メッセージ会話へのメディアの追加の要求を受信することと、
前記要求を受信したことに応じて、前記メッセージ会話の少なくとも一部分と同時にメディア選択インタフェースであって、前記メッセージ会話に追加するメディアを選択するための複数のアフォーダンスを含み、前記複数のアフォーダンスはライブ・プレビュー・アフォーダンスを含み、前記複数のアフォーダンスの少なくともサブセットは、前記メッセージ会話に追加するために利用可能なメディアのサムネイル表現を含み、前記ライブ・プレビュー・アフォーダンスはライブ・カメラ・プレビューと関連付けられる、前記メディア選択インタフェースを表示することと、
前記ライブ・プレビュー・アフォーダンスの選択を検出することと、
前記ライブ・プレビュー・アフォーダンスの選択を検出したことに応じて、
前記カメラセンサを利用して、前記ライブ・カメラ・プレビューに基づく新しい画像をキャプチャすることと、
前記新しい画像を前記メッセージ会話に追加するために選択することと、
を含む、方法。
【請求項２】
前記ライブ・プレビュー・アフォーダンスの選択を検出したことにさらに応じて、前記メッセージ会話に前記新しい画像を追加することを更に含む、請求項１に記載の方法。
【請求項３】
前記ライブ・プレビュー・アフォーダンスの選択を検出したことにさらに応じて、
メッセージ作成フィールド内に前記新しい画像を挿入し、
前記メッセージ作成フィールドのコンテンツを前記メッセージ会話に追加するための送信アフォーダンスを、前記ディスプレイ上に表示することを更に含む、請求項１又は２に記載の方法。
【請求項４】
前記ディスプレイ上における前記メディア選択インタフェースの位置に対応する位置における前記タッチ感知面上のスワイプジェスチャを検出することと、
前記スワイプジェスチャを検出したことに応じて、前記複数のアフォーダンスをスクロールすることと、
を更に含む、請求項１から３のいずれか一項に記載の方法。
【請求項５】
前記複数のアフォーダンスが、カメラロール内の最も最近取得された写真に対応する、請求項１から４のいずれか一項に記載の方法。
【請求項６】
前記複数のアフォーダンスからのアフォーダンスの選択に応じて、前記メディア選択インタフェースのサイズを増大させることを更に含む、請求項１から５のいずれか一項に記載の方法。
【請求項７】
前記ディスプレイ上にメディアアフォーダンスを表示することであって、前記メッセージ会話へのメディアの追加の前記要求が、前記ディスプレイ上における前記メディアアフォーダンスの位置に対応する前記タッチ感知面上の位置における接触を含む、前記メディアアフォーダンスを表示することと、
前記接触を検出したことに応じて、前記接触の持続時間を判定することと、
前記接触の前記持続時間が閾値を超えないとの判定に従って、前記カメラセンサを用いて画像をキャプチャするためのアフォーダンスを表示することと、
前記画像をキャプチャするための前記アフォーダンスを表示している間に、前記タッチ感知面上におけるスワイプジェスチャを検出することと、
前記スワイプジェスチャを検出したことに応じて、
前記カメラセンサを用いて前記画像をキャプチャすることと、
前記画像を前記メッセージ会話の参加者へ送信することと、
を更に含む、請求項１から６のいずれか一項に記載の方法。
【請求項８】
前記メディア選択インタフェースを表示することが、
前記メッセージ会話に追加するために利用可能なメディアのサムネイル表現を含む前記複数のアフォーダンスの前記サブセットのうちの前記ディスプレイ上における各アフォーダンスの位置に対応する前記タッチ感知面上の位置における接触を検出することと、
前記ディスプレイ上における前記各アフォーダンスの位置に対応する前記タッチ感知面上の位置における前記接触を検出したことに応じて、
前記メッセージ会話に追加するための対応メディアを選択することと、
前記対応メディアをメッセージ作成フィールドに挿入することと、
前記メッセージ作成フィールドのコンテンツを前記メッセージ会話に追加するための送信アフォーダンスを、前記ディスプレイ上に表示することと
を更に含む、請求項１から７のいずれか一項に記載の方法。
【請求項９】
前記メディア選択インタフェースを表示することが、
前記ディスプレイ上に送信アフォーダンスを表示することと、
前記ディスプレイ上における第１のアフォーダンス、第２のアフォーダンス、及び、前記送信アフォーダンスの位置に対応する前記タッチ感知面上の位置における接触を検出することと、
前記第１のアフォーダンス、前記第２のアフォーダンス、及び、前記送信アフォーダンスの位置に対応する前記タッチ感知面上の位置における前記接触を検出したことに応じて、
対応する第１のメディア及び第２のメディアを前記メッセージ会話の参加者へ送信することと、
を更に含む、請求項１から８のいずれか一項に記載の方法。
【請求項１０】
前記新しい画像の送信の要求を検出することと、
前記要求に応じて、前記新しい画像を前記メッセージ会話の参加者へ送信することと、
を更に含む、請求項１から９のいずれか一項に記載の方法。
【請求項１１】
前記ディスプレイ上に、キーボードを表示することを更に含み、
前記メディア選択インタフェースを表示することは、前記キーボードの表示を前記メディア選択インタフェースと置き換えること
を更に含む、請求項１から１０のいずれか一項に記載の方法。
【請求項１２】
前記ライブ・プレビュー・アフォーダンスの選択の検出に更に応じて、メッセージ作成フィールド内における前記新しい画像の表現と、前記メッセージ会話の参加者へメッセージを送信するための送信ボタンとを表示することと、
前記メッセージ作成フィールド内に前記新しい画像の表現を表示している間に、前記メッセージ作成フィールド内における追加のコンテンツのユーザ入力を検出することと、
前記メッセージ作成フィールド内における追加のコンテンツのユーザ入力を検出した後、前記ディスプレイ上における前記送信ボタンの位置に対応する前記タッチ感知面上の位置における接触を検出することと、
前記接触を検出したことに応じて、前記追加のコンテンツと前記新しい画像とを前記参加者に送信することと
を含む、請求項１から１１のいずれか一項に記載の方法。
【請求項１３】
前記接触を検出したことに更に応じて、前記追加のコンテンツと前記キャプチャされた画像を表すサムネイルとを、表示された前記メッセージ会話に挿入される、境界のあるメッセージ領域に表示することを更に含む、請求項１２に記載の方法。
【請求項１４】
前記メディア選択インタフェースは、前記メッセージ会話に追加するために利用可能なメディアのサムネイル表現と同時に表示される写真撮影ボタン及び写真ライブラリボタンを含む、請求項１から１３のいずれか一項に記載の方法。
【請求項１５】
前記写真撮影ボタンを表示している間に、
前記写真撮影ボタンの選択を検出することと、
前記写真撮影ボタンの選択を検出したことに応じて、別の新しい画像、または、動画をキャプチャするためのユーザインタフェースを表示することと、
を含み、
前記別の新しい画像、または、動画をキャプチャするための前記ユーザインタフェースは、第２のライブ・カメラ・プレビュー及びキャプチャボタンを含む、請求項１４に記載の方法。
【請求項１６】
前記写真ライブラリボタンを表示している間に、
前記写真ライブラリボタンの選択を検出し、
前記写真ライブラリボタンの選択を検出したことに応じて、写真ライブラリのリストを表示することと、
写真ライブラリの前記リストにおける写真ライブラリの選択を検出することと、
写真ライブラリの前記リストにおける前記写真ライブラリの選択を検出したことに応じて、前記写真ライブラリのうちから、画像または動画の少なくとも１つのサムネイル表現を表示することと、
前記写真ライブラリのうちからの画像または動画の前記少なくとも１つのサムネイル表現から、第１のサムネイルの選択を検出することと、
前記写真ライブラリのうちからの画像または動画の前記少なくとも１つのサムネイル表現からの、前記第１のサムネイルの選択を検出したことに応じて、前記第１のサムネイルによって表される前記画像または動画を表示することと、
をさらに含む、請求項１４または１５に記載の方法。
【請求項１７】
前記メッセージ会話に追加するために利用可能なメディアの前記サムネイル表現は、前記メディア選択インタフェースを利用してキャプチャされた画像を含む、請求項１から１６のいずれか一項に記載の方法。
【請求項１８】
電子デバイスであって、
ディスプレイと、
タッチ感知面と、
カメラセンサと、
請求項１から１７のいずれか一項に記載の方法を実行するための命令群を含むコンピュータプログラムを記憶するメモリと、
前記メモリ内に記憶された前記命令群を実行可能な１つ以上のプロセッサと、
を備える、電子デバイス。
【請求項１９】
請求項１から１７のいずれか一項に記載の方法をコンピュータに実行させるための命令群を含むコンピュータプログラム。
【請求項２０】
電子デバイスであって、
ディスプレイと、
タッチ感知面と、
カメラセンサと、
請求項１から１７のいずれか一項に記載の方法を実行するための手段と、
を備える、電子デバイス。
【外国語明細書】
2018125001000001.pdf